(57)【要約】【課題】端末装置のマルチアクセスＰＤＮコネクション確立要求に伴う通信制御方法等を提供すること。【解決手段】端末装置によるＰＤＮコネクション確立要求に対する応答に基づいて、マルチアクセスＰＤＮコネクションの確立するための通信制御を行う。マルチアクセスＰＤＮコネクションに対する１又は複数のデフォルトベアラ用いたユーザデータの送受信を行うための通信制御を行う。【選択図】図１８
2020205643.tif 000002
【特許請求の範囲】
【請求項１】
ＷＬＡＮを介してＰＤＮ（Packet Data Network）コネクションを確立しているＵＥ（U
ser Equipment）であって、
前記ＵＥは、前記ＰＤＮコネクションにＥ−ＵＴＲＡＮ（Evolved Universal Terrestr
ial Radio Access Network）を加える場合、
ＰＤＮ接続要求メッセージをＭＭＥ（Mobility Management Entity）に送信し、
デフォルトＥＰＳベアラコンテキストアクティブ化要求メッセージを前記ＭＭＥから
受信する、
ＬＴＥインターフェース部と、制御部とを備え、
前記ＰＤＮコネクションのＮＢＩＦＯＭ（Network-based IP flow mobility）  ｍｏｄ
ｅがＵＥ−ｉｎｉｔｉａｔｅｄ  ＮＢＩＦＯＭ  ｍｏｄｅの場合、前記ＰＤＮ接続要求メ
ッセージは、前記ＵＥによって選択されたデフォルトアクセスを示す第１の情報を含み、
前記デフォルトＥＰＳベアラコンテキストアクティブ化要求メッセージは、ＰＣＲＦ（
Policy and Charging Rule Function）によって前記第１の情報に基づいて決定されたデ
フォルトアクセスを示す第２の情報を含み、
前記制御部は、
前記デフォルトＥＰＳベアラコンテキストアクティブ化要求メッセージの受信に基づ
いて、前記第２の情報が示すデフォルトアクセスを認識し、
どのルーティングフィルタにもマッチしないパケットを、前記第２の情報が示すデフ
ォルトアクセスにルーティングする、
ことを特徴とするＵＥ。
【発明の詳細な説明】
【技術分野】
【０００１】
本発明は、ＵＥに関する。
【背景技術】
【０００２】
近年の移動通信システムの標準化活動を行う３ＧＰＰ（The 3rd Generation Partnership Project）では、オールＩＰ化を実現する、非特許文献１に記載のＥＰＳ（Evolved Packet System）の仕様化を行っている。ＥＰＳは、移動通信事業者等が携帯電話サービスを提供するための移動通信システムであり、ＥＰＣ（Evolved Packet Core）と呼ばれるコアネットワークやＬＴＥ（Long Term Evolution）とよばれる無線通信規格に基づくアクセスネットワーク等を含めて構成されている。
【０００３】
更に、３ＧＰＰのＥＰＳの仕様化の中で、ＮＢＩＦＯＭ（Network-based IP Flow Mobility）の検討が行われている（非特許文献１）。ＮＢＩＦＯＭは、１つのデバイスが３ＧＰＰのインターフェースと、３ＧＰＰ以外のインターフェース（例えばＷＬＡＮ）を同時に利用できることを目的とした、技術項目である。
【０００４】
従来より、１つのＰＤＮコネクションには、３ＧＰＰのアクセスネットワーク（例えばＬＴＥアクセスネットワーク）と３ＧＰＰ以外のアクセスネットワーク（例えばＷＬＡＮアクセスネットワーク）のうちいずれか１つのアクセスネットワークを介する通信路又はベアラ又は転送路が収容される。
【０００５】
ＮＢＩＦＯＭでは、１つのＰＤＮコネクションに３ＧＰＰを介したベアラ又は通信路又は転送路と３ＧＰＰ以外のベアラ又は通信路又は転送路を同時に収容している状態を維持できる。このようなＰＤＮコネクションをマルチアクセスＰＤＮコネクションとする。
【０００６】
更に、ＮＢＩＦＯＭでは、通信路の切り替えの主導機能をもつ端点を示すオペレーションモードを規定する事が検討されている。具体的にはオペレーションモードは端末装置主導のＵＥ−ｉｎｉｔｉａｔｅｄ  ｍｏｄｅと、ネットワーク主導のＮｅｔｗｏｒｋ−ｉｎｉｔｉａｔｅｄ  ｍｏｄｅに分類されることが検討されている。
【０００７】
端末装置及びコアネットワーク及びアクセスネットワークに含まれる各装置はＮＢＩＦＯＭ機能を用いる事で、アプリケーションごとに適切なアクセスネットワークを介した通信路を用いてデータの送受信ができる。
【０００８】
更に、ＮＢＩＦＯＭ機能を用いて確立されたマルチアクセスＰＤＮコネクションのフロー切り替えを主導する端点はオペレーションモードにより設定されることができる。
【先行技術文献】
【非特許文献】
【０００９】
【非特許文献１】3GPP TR 23.861 Technical Specification Group Services and System Aspects、Network based IP flow mobility (Release 13)
【発明の概要】
【発明が解決しようとする課題】
【００１０】
ＮＢＩＦＯＭでは、マルチアクセスＰＤＮコネクションを確立するための詳細な手続きが規定されていない。
【００１１】
より具体的には、端末装置がＮＢＩＦＯＭ機能をサポートしたマルチアクセスＰＤＮコネクションの確立を要求に対する、ネットワークからの受諾（accept）手段の詳細が明らかになっていない。
【００１２】
本発明は、このような事情を鑑みてなされたもので、その目的は、端末装置のＰＤＮコネクション確立要求に伴う通信制御手続きとマルチアクセスＰＤＮコネクションを用いた通信制御の好適な実現手段を提供することである。
【課題を解決するための手段】
【００１３】
上述した課題に鑑み、本発明の端末装置は、
ＷＬＡＮを介してＰＤＮ（Packet Data Network）コネクションを確立している端末装置であって、
前記端末装置は、
前記ＰＤＮコネクションにＥ−ＵＴＲＡＮ（Evolved Universal Terrestrial Radio Access Network）を加える場合は、
ＰＤＮ接続要求メッセージをＭＭＥ（Mobility Management Entity）に送信し、
デフォルトＥＰＳベアラコンテキストアクティブ化要求メッセージを前記ＭＭＥから受信する、
ＬＴＥインターフェース部と、制御部とを備え、
前記ＰＤＮコネクションのＮＢＩＦＯＭ（Network-based IP flow mobility）  ｍｏｄｅがＵＥ−ｉｎｉｔｉａｔｅｄ  ＮＢＩＦＯＭ  ｍｏｄｅの場合、前記ＰＤＮ接続要求メッセージは、前記端末装置によって選択されたデフォルトアクセスを示す第１の情報を含み、
前記デフォルトＥＰＳベアラコンテキストアクティブ化要求メッセージは、ＰＣＲＦ（Policy and Charging Rule Function）によって前記第１の情報に基づいて決定されたデフォルトアクセスを示す第２の情報を含み、
前記制御部は、
前記デフォルトＥＰＳベアラコンテキストアクティブ化要求メッセージの受信に基づいて、前記第２の情報が示すデフォルトアクセスを認識し、
どのルーティングフィルタにもマッチしないパケットを前記第２の情報が示すデフォルトアクセスにルーティングする、
ことを特徴とする。
【００１４】
本発明のＰＣＲＦ（Policy and Charging Rule Function）は、
端末装置がＷＬＡＮを介して確立しているＰＤＮ（Packet Data Network）コネクションのＮＢＩＦＯＭ（Network-based IP flow mobility）  ｍｏｄｅがＵＥ−ｉｎｉｔｉａｔｅｄ  ＮＢＩＦＯＭ  ｍｏｄｅであり、前記ＰＤＮコネクションにＥ−ＵＴＲＡＮ（Evolved Universal Terrestrial Radio Access Network）が加わる場合は、
前記端末装置によって選択されたデフォルトアクセスを示す第１の情報をＰＧＷ（PDN Gateway）を介して前記端末装置から受信するＩＰ移動通信ネットワークインターフェース部と、
前記第１の情報に基づいてデフォルトアクセスを決定する制御部とを備え、
前記ＩＰ移動通信ネットワークインターフェース部は、前記制御部が決定した前記デフォルトアクセスを示す第２の情報を前記ＰＧＷを介して前記端末装置に送信する、
ことを特徴とする。
【発明の効果】
【００１５】
本発明によれば、端末装置のマルチアクセスＰＤＮコネクション確立要求に伴う通信制御手続きを実現できる。
【００１６】
具体的には、本発明によれば、マルチアクセスＰＤＮコネクションの確立し、マルチアクセスＰＤＮコネクションを用いて通信を行うことができる。
【図面の簡単な説明】
【００１７】
【図１】移動通信システムの概略を説明するための図である。
【図２】ＩＰ移動通信ネットワークの構成等を説明するための図である。
【図３】ＴＷＡＧの機能構成を説明するための図である。
【図４】ＴＷＡＧの記憶部の構成を説明するための図である。
【図５】ＨＳＳの機能構成を説明するための図である。
【図６】ＨＳＳの記憶部の構成を説明するための図である。
【図７】ＵＥの機能構成を説明するための図である。
【図８】ＵＥの記憶部の構成を説明するための図である。
【図９】ＰＧＷの機能構成を説明するための図である。
【図１０】ＰＧＷの記憶部の構成を説明するための図である。
【図１１】ＰＣＲＦの機能構成を説明するための図である。
【図１２】ＰＣＲＦの記憶部の構成を説明するための図である。
【図１３】第１の初期状態からＰＤＮ接続手続き完了後の状態を説明するための図である。
【図１４】第２の初期状態からＰＤＮ接続手続き完了後の状態を説明するための図である。
【図１５】初期状態に至る手続きを説明するための図である。
【図１６】第１のＰＤＮ接続手続きを説明するための図である。
【図１７】第１の追加アタッチ手続きを説明するための図である。
【図１８】ＰＤＮ接続手続きを説明するための図である。
【発明を実施するための形態】
【００１８】
［１．第１の実施形態］
以下、図面を参照しながら本発明の実施形態による無線通信技術について詳細に説明する。
【００１９】
［１．１．システム概要］
図１は、本実施形態における移動通信システムの概略を説明するための図である。本図に示すように、移動通信システム９は、移動端末装置ＵＥ１０とアクセスネットワークＡに含まれるＬＴＥの基地局ｅＮＢ４５と、アクセスネットワークＢに含まれるゲートウェイＴＷＡＧ（Trusted WLAN Access Gateway）７４と、コアネットワーク９０に含まれるＭＭＥ（Mobility Management Entity）４０とＳＧＷ（Serving Gateway）３５とＰＧＷ（PDN Gateway）３０により構成される。
【００２０】
ここで、ＵＥ１０は移動端末装置であればよく、ＵＥ（User Equipment）又は、ＭＥ（Mobile Equipment）又はＭＳ（Mobile Station）であってもよい。
【００２１】
また、アクセスネットワークＡはＬＴＥのアクセスネットワークであってよく、アクセスネットワークＡに含まれるｅＮＢ４５はＬＴＥの無線基地局であってもよい。なお、アクセスネットワークＡには複数の無線基地局が含まれていても良い。なお、ＬＴＥのアクセスネットワークは、Ｅ−ＵＴＲＡＮ（Evolved Universal Terrestrial Radio Access Network）であってよい。もしくは、アクセスネットワークＡは、ＵＴＲＡＮ（Universal Terrestrial Radio Access Network）やＧＥＲＡＮ（GSM EDGE Radio Access Network）
であってもよい。
【００２２】
また、アクセスネットワークＢはＷＬＡＮ（Ｗｉｒｅｌｅｓｓ  ＬＡＮ）のアクセスネットワークであってもよい。ＴＷＡＧ７４は、コアネットワーク９０内のＰＧＷ３０と接続する、コアネットワーク９０とＷＬＡＮアクセスネットワーク間を接続するゲートウェイであってもよい。
【００２３】
本実施形態において、ＵＥ１０はアクセスネットワークＡを介してＥＰＳベアラを用いたＰＤＮコネクションを確立できる。
【００２４】
また、ＵＥ１０はＰＧＷ３０とＵＥ１０間のＧＴＰ／ＰＭＩＰｖ６転送路を用いてＰＤＮコネクションを確立することができる。なお、転送路はベアラであっても良い。
【００２５】
ここで、コアネットワーク９０は、移動通信事業者（Ｍｏｂｉｌｅ  Ｏｐｅｒａｔｏｒ）が運用するＩＰ移動通信ネットワークのことである。
【００２６】
例えば、コアネットワーク９０は移動通信システム９を運用、管理する移動通信事業者のためのコアネットワーク９０であっても良い、又はＭＶＮＯ（Mobile Virtual Network Operator）等の仮想移動通信事業者のためのコアネットワーク９０であってもよい。
【００２７】
ＭＭＥ４０は、アクセスネットワークＡを介してＵＥ１０の位置管理及びアクセス制御を行う制御装置である。ＭＭＥ４０の詳細は後に説明する。
【００２８】
また、ＳＧＷ３５はコアネットワーク９０とアクセスネットワークＡ間のゲートウェイ装置であり、ＵＥ１０とＰＧＷ３０間のユーザデータの転送を行う。
【００２９】
ＰＧＷ３０はＵＥ１０に通信サービスを提供するパケットデータサービス網（ＰＤＮ：Packet Data Network）のゲートウェイ装置である。
【００３０】
本実施形態では、ＵＥ１０は、第１のＰＤＮコネクション及び／又は第２のＰＤＮコネクションを確立することができる。
【００３１】
また、本実施形態においてＮＢＩＦＯＭとはマルチアクセスＰＤＮコネクションを確立することができる技術である。
【００３２】
また、本実施形態においてマルチアクセスＰＤＮコネクションとは、１つのＰＤＮコネクションに３ＧＰＰアクセス及び／又はＷＬＡＮアクセスによる転送路及び／又はベアラを収容する事ができるＰＤＮコネクションである。言い換えれば、マルチアクセスＰＤＮコネクションは３ＧＰＰアクセスとＷＬＡＮアクセスを介した転送路を両方収容する事ができる。なお、マルチアクセスＰＤＮコネクションは３ＧＰＰアクセスを介したベアラのみを収容したＰＤＮコネクションであってもよく、又はＷＬＡＮアクセスを介した転送路のみを収容したＰＤＮコネクションであっても良い。言い換えれば、マルチアクセスＰＤＮコネクションは、1又は複数の転送路を構成する事が可能なＰＤＮコネクションである。
【００３３】
本実施形態では、ＩＦＯＭ（IP Flow Mobility）に基づいて確立するＰＤＮコネクションと明確に区別するために、ＮＢＩＦＯＭに基づいて特定のフローの転送路を選択可能なＰＤＮコネクションをマルチアクセスＰＤＮコネクションとする。
【００３４】
なお、ＩＦＯＭとは、ＤＳＭＩＰｖ６（Dual Stack Mobile IPv6）プロトコルを用いて
、特定のＩＰフローの通信路を切り替える技術のことであり、本実施形態においては、ＩＦＯＭに基づいて特定のＩＰフローの通信路を切り替えることが可能なＰＤＮコネクションは、ＩＦＯＭのためのＰＤＮコネクションとして説明する。
【００３５】
また、第１のＰＤＮコネクションは上述したマルチアクセスＰＤＮコネクションであってもよい。
【００３６】
詳細には、第１のＰＤＮコネクションはアクセスネットワークＡを介した通信路ＥＰＳベアラと、アクセスネットワークＢを介したＧＴＰ／ＰＭＩＰｖ６トンネルによる通信路を、一つのＰＤＮコネクションとして用いる事ができるＰＤＮコネクションである。つまり、このＰＤＮコネクションは３ＧＰＰアクセスや、ＷＬＡＮアクセス、又は両方のアクセスを介してデータを送受信できる。第１のＰＤＮコネクションはマルチアクセスＰＤＮコネクションであってもよい。
【００３７】
また、第２のＰＤＮコネクションは、マルチアクセスＰＤＮコネクションではなく従来のＰＤＮコネクションであってもよい。なお、第２のＰＤＮコネクションはシングルアクセスＰＤＮコネクションであっても良い。
【００３８】
ここで、シングルアクセスＰＤＮコネクションとはマルチアクセスＰＤＮコネクションと異なり、３ＧＰＰアクセスとＷＬＡＮアクセスのいずれかの転送路のみで構成される１つのＰＤＮコネクションである。詳細には、シングルアクセスＰＤＮコネクションは従来のアタッチにより確立されるＰＤＮコネクションである。
【００３９】
つまり、第２のＰＤＮコネクションはアクセスネットワークＡを介したＥＰＳベアラにより構成されるＰＤＮコネクション、又はアクセスネットワークＢを介したＧＴＰ／ＰＭＩＰｖ６転送路により構成されるＰＤＮコネクションである。第２のＰＤＮコネクションにはどちらか一方のアクセスネットワークを介した転送路及び／又は通信路が収容される。
【００４０】
このように、シングルアクセスＰＤＮコネクションは、マルチアクセスＰＤＮコネクションやＩＦＯＭのためのＰＤＮコネクションとは異なるＰＤＮコネクションである。さらに、シングルアクセスＰＤＮコネクションは、ＬＩＰＡ（Local IP Access）用のＰＤＮコネクションとも異なるＰＤＮコネクションである。ここで、ＬＩＰＡとは、ホームネットワークへのオフロードを行うための通信制御である。より具体的には、端末装置が接続する基地局は、従来コアネットワーク９０経由で配送するユーザデータを、基地局が接続するホームネットワークへ送信することによりオフロードを実行する。ＬＩＰＡ用のＰＤＮコネクションとは、こうしたＬＩＰＡに基づいた通信を行うためのＰＤＮコネクションである。
【００４１】
次に、コアネットワーク９０の構成例を説明する。図２（ａ）はＩＰ移動通信ネットワークの構成の一例を示す。図２（ａ）に示すように、コアネットワーク９０は、ＨＳＳ（Home Subscriber Server）５０、ＡＡＡ（Authentication、 Authorization、 Accounting）５５、ＰＣＲＦ（Policy and Charging Rules Function）６０、ＰＧＷ３０、ｅＰＤＧ（enhanced Packet Data Gateway）６５、ＳＧＷ３５、ＭＭＥ４０、ＳＧＳＮ（Serving GPRS Support Node）４５により構成される。
【００４２】
また、コアネットワーク９０は、複数の無線アクセスネットワーク（ＬＴＥ  ＡＮ８０、ＷＬＡＮ  ＡＮｂ７５、ＷＬＡＮ  ＡＮａ７０、ＵＴＲＡＮ２０、ＧＥＲＡＮ２５）に接続することができる。
【００４３】
無線アクセスネットワークは、複数の異なるアクセスネットワークで構成しても良いし、いずれか一つのアクセスネットワークでの構成であっても良い。さらに、ＵＥ１０は無線アクセスネットワークに無線接続することができる。
【００４４】
さらに、ＷＬＡＮアクセスシステムで接続可能なアクセスネットワークは、ｅＰＤＧ６５を介してコアネットワーク９０へ接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【００４５】
なお、各装置はＥＰＳを利用した移動通信システムにおける従来の装置と同様に構成されるため、詳細な説明は省略する。以下、各装置の簡単な説明をする。
【００４６】
ＰＧＷ３０はＰＤＮ１００とＳＧＷ３５とｅＰＤＧ６５とＷＬＡＮ  ＡＮａ７０と、ＰＣＲＦ６０とＡＡＡ５５とに接続されており、ＰＤＮ１００とコアネットワーク９０のゲートウェイ装置としてユーザデータの転送を行う中継装置である。
【００４７】
ＳＧＷ３５は、ＰＧＷ３０とＭＭＥ４０とＬＴＥ  ＡＮ８０とＳＧＳＮ４５とＵＴＲＡＮ２０とに接続されており、コアネットワーク９０と３ＧＰＰのアクセスネットワーク（ＵＴＲＡＮ２０、ＧＥＲＡＮ２５、ＬＴＥ  ＡＮ８０）とのゲートウェイ装置としてユーザデータの転送を行う中継装置である。
【００４８】
ＭＭＥ４０は、ＳＧＷ３５とＬＴＥ  ＡＮ８０とＨＳＳ５０に接続されており、ＬＴＥ  ＡＮ８０を経由してＵＥ１０の位置情報管理と、アクセス制御を行うアクセス制御装置である。また、コアネットワーク９０には、複数の位置管理装置が含まれて構成されてもよい。例えば、ＭＭＥ４０とは異なる位置管理装置が構成されても良い。ＭＭＥ４０とは異なる位置管理装置はＭＭＥ４０と同様にＳＧＷ３５とＬＴＥ  ＡＮ８０と、ＨＳＳ５０と接続されてもよい。
【００４９】
また、コアネットワーク９０内に複数のＭＭＥ４０が含まれている場合、ＭＭＥ４０同士が接続されても良い。これにより、ＭＭＥ４０間で、ＵＥ１０のコンテキストの送受信が行われても良い。
【００５０】
ＨＳＳ５０はＭＭＥ４０とＡＡＡ５５とに接続されており、加入者情報の管理を行う管理ノードである。ＨＳＳ５０の加入者情報は、例えばＭＭＥ４０のアクセス制御の際に参照される。さらに、ＨＳＳ５０は、ＭＭＥ４０とは異なる位置管理装置と接続されていても良い。
【００５１】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御を行う。
【００５２】
ＰＣＲＦ６０は、ＰＧＷ３０と、ＷＬＡＮ  ＡＮａ７５と、ＡＡＡ５５と、ＰＤＮ１００に接続されており、データ配送に対するＱｏＳ管理を行う。例えば、ＵＥ１０とＰＤＮ１００間の通信路のＱｏＳの管理を行う。
【００５３】
ｅＰＤＧ６５は、ＰＧＷ３０と、ＷＬＡＮ  ＡＮｂ７５とに接続されており、コアネットワーク９０と、ＷＬＡＮ  ＡＮｂ７５とのゲートウェイ装置としてユーザデータの配送を行う。
【００５４】
ＳＧＳＮ４５は、ＵＴＲＡＮ２０とＧＥＲＡＮ２５とＳＧＷ３５と接続されており、３
Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ４５は、ＰＧＷ３０及びＳＧＷ３５の選択機能、ＵＥ１０のタイムゾーンの管理機能、及びＥ−ＵＴＲＡＮへのハンドオーバー時のＭＭＥ４０の選択機能を持つ。
【００５５】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【００５６】
本実施形態においては、ＬＴＥ  ＡＮ８０はｅＮＢ４５を含んで構成されるＥ−ＵＲＡＮであってよい。ｅＮＢ４５はＬＴＥアクセスシステムでＵＥ１０が接続する無線基地局であり、ＬＴＥ  ＡＮ８０には１又は複数の無線基地局が含まれて構成されても良い。
【００５７】
ＷＬＡＮ  ＡＮａ７０はＷＬＡＮ  ＡＰａ７２と、ＴＷＡＧ７４とが含まれて構成される。ＷＬＡＮ  ＡＰａ７２はコアネットワーク９０を運営する事業者に対して信頼性のあるＷＬＡＮアクセスシステムで、ＵＥ１０が接続する無線基地局であり、ＷＬＡＮ  ＡＮａ７０には１又は複数の無線基地局を含んで構成されてもよい。ＧＷ７４はコアネットワーク９０とＷＬＡＮ  ＡＮａ７０のゲートウェイ装置である。また、ＷＬＡＮ  ＡＰａ７２とＧＷ７４とは、単一の装置で構成されても良い。
【００５８】
コアネットワーク９０を運営する事業者とＷＬＡＮ  ＡＮａ７０を運営する事業者が異なる場合でも、事業者間の契約や規約によりこのような構成の実現が可能となる。
【００５９】
また、ＷＬＡＮ  ＡＮｂ７５はＷＬＡＮ  ＡＰｂ７６を含んで構成される。ＷＬＡＮ  ＡＰｂ７６はコアネットワーク９０を運営する事業者に対して信頼関係が結ばれていない場合に、ＷＬＡＮアクセスシステムでＵＥ１０が接続する無線基地局であり、ＷＬＡＮ  ＡＮｂ７５は１又は複数の無線基地局が含まれて構成されてもよい。
【００６０】
このように、ＷＬＡＮ  ＡＮｂ７５はコアネットワーク９０に含まれる装置であるｅＰＤＧ６５をゲートウェイとしてコアネットワーク９０に接続される。ｅＰＤＧ６５は通信の安全性を確保するためのセキュリティー機能を持つ。
【００６１】
ＵＴＲＡＮ２０は、ＲＮＣ（Radio Network Controller）２４とｅＮＢ（ＵＴＲＡＮ）２２を含んで構成される。ｅＮＢ（ＵＴＲＡＮ）２２は、ＵＴＲＡ（UMTS Terrestrial Radio Access）でＵＥ１０が接続する無線基地局であり、ＵＴＲＡＮ２０には１又は複数の無線基地局が含まれて構成されてもよい。またＲＮＣ２４は、コアネットワーク９０とｅＮＢ（ＵＴＲＡＮ）２２を接続する制御部であり、ＵＴＲＡＮ２０には１又は複数のＲＮＣが含まれて構成されてもよい。また、ＲＮＣ２４は１つ又は複数のｅＮＢ（ＵＴＲＡＮ）２２と接続されても良い。
【００６２】
更に、ＲＮＣ２４は、ＧＥＲＡＮ２５に含まれる無線基地局（ＢＳＳ（Base Station Subsystem）２６）と接続されもてもよい。
【００６３】
ＧＥＲＡＮ２５は、ＢＳＳ２６を含んで構成される。ＢＳＳ２６は、ＧＥＲＡ（GSM/EDGE Radio Access）でＵＥ１０が接続する無線基地局であり、ＧＥＲＡＮ２５には１又は複数の無線基地局ＢＳＳで構成されても良い。また、複数のＢＳＳは互いに接続しあっていても良い。またＢＳＳ２６はＲＮＣ２４と接続しても良い。
【００６４】
なお、本明細書において、ＵＥ１０が各無線アクセスネットワークに接続されるという事は、各無線アクセスネットワークに含まれる基地局装置やアクセスポイント等に接続される事としており、送受信されるデータや信号等も、基地局装置やアクセスポイントを経由している。
【００６５】
［１．２．装置構成］
以下、各装置の構成について説明する。
【００６６】
［１．２．１．ＴＷＡＧ構成］
図３はＴＷＡＧ７４の装置構成を示す。図に示すように、ＴＷＡＧ７４はＩＰ移動通信ネットワークインターフェース部３２０と、制御部３００と記憶部３４０で構成されている。ＩＰ移動通信ネットワークインターフェース部３２０と記憶部３４０は制御部３００と、バスを介して接続されている。
【００６７】
制御部３００はＴＷＡＧ７４を制御するための機能部である。制御部３００は、記憶部３４０に記憶されている各種プログラムを読みだして実行することにより各種処理を実現する。
【００６８】
ＩＰ移動通信ネットワークインターフェース部３２０はユーザデータ及び／又は制御メッセージを送受信するデータ送受信部であり、ＴＷＡＧ７４が、ＰＧＷ３０と接続するための機能部である。
【００６９】
記憶部３４０は、ＴＷＡＧ７４の各動作に必要なプログラムや、データ等を記憶する機能部である。記憶部３４０は、例えば、半導体メモリや、ＨＤＤ（Hard Disk Drive）等により構成されている。
【００７０】
図３に示すように、記憶部３４０はＴＷＡＧ  ｃａｐａｂｉｌｉｔｙ３４２と、Ｎｅｔｗｏｒｋ  ｃａｐａｂｉｌｉｔｙ３４４とＥＰＳベアラコンテキスト３４６を記憶する。以下、記憶部３４０で記憶される情報要素について説明する。
【００７１】
図４に、記憶部３４０で記憶される情報要素を示す。図４（ａ）はＴＷＡＧ７４が記憶するＴＷＡＧ  ｃａｐａｂｉｌｉｔｙの一例を示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【００７２】
なお、ＮＢＩＦＯＭ機能とは、マルチアクセスＰＤＮコネクションを確立することができる機能を有する事を示す情報であっても良い。
【００７３】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【００７４】
図４（ａ）に示すように、ＮＢＩＦＯＭ  ｃａｐａｂｉｌｉｔｙは、ＴＷＡＧ７４の識別情報ＴＷＡＧ  ＩＤと対応づけられて記憶されても良い。ＴＷＡＧ  ＩＤと対応づけられていない場合、ＮＢＩＦＯＭ  ｃａｐａｂｉｌｉｔｙは、記憶するＴＷＡＧ７４の能力を意味してもよい。
【００７５】
ＴＷＡＧ  ＩＤとＮＢＩＦＯＭ  ｃａｐａｂｉｌｉｔｙが対応付けて記憶されている場合、ＴＷＡＧ７４は複数のＴＷＡＧ７４のＴＷＡＧ  ｃａｐａｂｉｌｉｔｙを記憶しても良い。
【００７６】
この場合、ＵＥ１０が他のＴＷＡＧ７４へハンドオーバーする際に、ＴＷＡＧ７４がＴＷＡＧ  Ｃａｐａｂｉｌｉｔｙに基づきハンドオーバー先のＴＷＡＧ７４を選択しても良い。
【００７７】
次に、Ｎｅｔｗｏｒｋ  ｃａｐａｂｉｌｉｔｙ３４４について説明する。図４（ｂ）はＴＷＡＧ７４が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【００７８】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【００７９】
なお、ＮＢＩＦＯＭ機能とは、マルチアクセスＰＤＮコネクションを確立することができる機能を有する事を示す情報であっても良い。
【００８０】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味しても良い。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味しても良い。
【００８１】
図４（ｂ）に示すように、ＴＷＡＧ７４は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されても良い。
【００８２】
ＰＧＷ  ＩＤは、ＰＧＷ３０を識別するための情報であればよく、例えばＡＰＮ（Ａｃｃｅｓｓ  Ｐｏｉｎｔ  Ｎａｍｅ）であっても良い。
【００８３】
次に、ＥＰＳベアラコンテキストについて説明する。ＥＰＳベアラコンテキストは、ＵＥ１０ごとに記憶されるＵＥ１０ごとのＥＰＳベアラコンテキストと、ＰＤＮコネクションごとのＥＰＳベアラコンテキストとベアラ及び／又は転送路ごとのＥＰＳベアラコンテキストに分類されても良い。
【００８４】
図４（ｃ）はＵＥ１０ごとのＥＰＳベアラコンテキストに含まれる情報要素を示す。図から分かるように、ＴＷＡＧ７４はＵＥ１０ごとにＵＥＮＢＩＦＯＭ  ｃａｐａｂｉｌｉｔｙ、ＮＢＩＦＯＭ  ａｌｌｏｗｅｄを記憶する。
【００８５】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰ
ＤＮコネクションを確立する能力をサポートしているか否かを示す識別情報である。言い換えれば、ＵＥＮＢＩＦＯＭ  ｃａｐａｂｉｌｉｔｙは、ＵＥ１０がＮＢＩＦＯＭ機能をサポートするか否かを示す識別情報である。より具体的には、例えば、ＵＥＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【００８６】
なお、ＮＢＩＦＯＭ機能とは、マルチアクセスＰＤＮコネクションを確立することができる機能を有する事を示す情報であっても良い。
【００８７】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【００８８】
言い換えれば、ＵＥ１０がＮＢＩＦＯＭ機能をサポートすることを示す識別情報であっても良い。つまり、記憶部にＵＥＮＢＩＦＯＭ  ｃａｐａｂｉｌｉｔｙが存在することでＵＥ１０がＮＢＩＦＯＭ機能をサポートすることを意味しても良い。
【００８９】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていても良い。ＮＢＩＦＯＭ  ａｌｌｏｗｅｄは複数のＡＰＮと対応付けられていても良い。
【００９０】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【００９１】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ１０はＡＰＮ２を用いて、マルチアクセスＰＤＮコネクションを確立することはできない。
【００９２】
ＮＢＩＦＯＭ  ａｌｌｏｗｅｄはＰＤＮコネクション確立前に記憶されていても良い。
【００９３】
ＴＷＡＧ７４は、ＰＤＮコネクション確立前及び／又は確立手続き中に、ＨＳＳ５０にアクセスしＮＢＩＦＯＭ  ａｌｌｏｗｅｄを取得しても良い。
【００９４】
また、ＵＥ１０ごとのＥＰＳベアラコンテキストにはＵＥ１０の識別情報が含まれていても良い。ＵＥ１０の識別情報はＩＭＳＩであっても良い。
【００９５】
また、図４（ｄ）にＰＤＮコネクションごとのＥＰＳベアラコンテキストを示す。ＰＤＮコネクションごとのＥＰＳベアラコンテキストは、ＰＤＮ  ｃｏｎｎｅｃｔｉｏｎ  ＩＤとＮｅｔｗｏｒｋ  ａｌｌｏｗｅｄ  ｍｏｄｅとＯｐｅｒａｔｉｏｎ  ｍｏｄｅとＵｓｅｒ  ｐｌａｎｅ  ｃｏｎｎｅｃｔｉｏｎ  ＩＤとＴＷＡＧ  ＭＡＣ  ａｄｄｒｅｓｓ、ＮＢＩＦＯＭ  Ｐｅｒｍｉｓｓｉｏｎを含んでいる（が含まれる）。
【００９６】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していてもよい。
【００９７】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか、ネットワークであるのかを示すモードの識別情報である。
【００９８】
より具体的には、例えば、ＵＥ１０から通信制御を開始できるＯｐｅｒａｔｉｏｎ  ｍｏｄｅはＵＥｉｎｉｔｉａｔｅｄ  ｍｏｄｅであってもよい。
【００９９】
また、ネットワーク及び／又はＰＧＷ３０及び／又はＰＣＲＦ６０から通信制御を開始できるＯｐｅｒａｔｉｏｎ  ｍｏｄｅはＮｅｔｗｏｒｋ  ｉｎｉｔｉａｔｅｄ  ｍｏｄｅであってもよい。
【０１００】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅ、又はこれら両方を含めても良い。
【０１０１】
Ｕｓｅｒ  ｐｌａｎｅ  ｃｏｎｎｅｃｔｉｏｎ  ＩＤは、ＵＥ１０がＴＷＡＧ７４を介した転送路を確立した場合のユーザデータの伝送に用いる接続を識別する識別情報である。
【０１０２】
ＴＷＡＧ  ＭＡＣ  ａｄｄｒｅｓｓはＴＷＡＧ７４の物理アドレスである。
【０１０３】
ＮＢＩＦＯＭ  ｐｅｒｍｉｓｓｉｏｎは、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０１０４】
つまり、ＴＷＡＧ７４がＮＢＩＦＯＭ  ｐｅｒｍｉｓｓｉｏｎを記憶することで、このＰＤＮコネクションは第１のＰＤＮコネクションであることを意味する。
【０１０５】
ＮＢＩＦＯＭ  ｐｅｒｍｉｓｓｉｏｎは、ＰＤＮコネクションを確立することにより、ＴＷＡＧ７４が記憶する識別情報である。
【０１０６】
ＴＷＡＧ７４はＰＤＮコネクション確立中に、ＨＳＳ５０にアクセスしＮＢＩＦＯＭ  ｐｅｒｍｉｓｓｉｏｎを取得しても良い。又は、マルチアクセスＰＤＮコネクションが確立されたことに基づき、ＴＷＡＧ７４はＮＢＩＦＯＭ  Ｐｅｒｍｉｓｓｉｏｎを記憶しても良い。
【０１０７】
次に、ベアラ及び／又は転送路ごとのＥＰＳベアラコンテキストについて説明する。図４（ｅ）に示すように、ベアラ及び／又は転送路ごとのＥＰＳベアラコンテキストには、転送路識別情報とＲｏｕｔｉｎｇ  Ｒｕｌｅが含まれても良い。
【０１０８】
転送路識別情報は転送路及び／又はベアラを識別する情報である。転送路識別情報は、例えばＥＰＳベアラＩＤであっても良い。
【０１０９】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した通信路を用いるかが決定される。
【０１１０】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０１１１】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０１１２】
Ｒｏｕｔｉｎｇ  ＲｕｌｅはＰＧＷ３０やＰＣＲＦ６０から通知されても良いし、ＵＥ１０から通知されても良い。又はＴＷＡＧ７４が事前にデフォルト値として記憶していた値であっても良い。
【０１１３】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、アプリケーションごとにフローを切り替えても良い。又は、ＴＦＴを含めても良い。
【０１１４】
Ｒｏｕｔｉｎｇｕ  Ｒｕｌｅには複数のルールが記憶されていてもよい。更に、Ｒｏｕｔｉｎｇ  ｒｕｌｅは、各ルールに優先順位が含まれていても良い。
【０１１５】
ＴＷＡＧ  ＣａｐａｂｉｌｉｔｙとＮｅｔｗｏｒｋ  ｃａｐａｂｉｌｉｔｙはＥＰＳベアラコンテキストに含まれていても良い。
【０１１６】
［１．２．２．ＨＳＳ構成］
次に、ＨＳＳ５０の構成について説明する。図５はＨＳＳ５０の装置構成を示す。図に示すように、ＨＳＳ５０はＩＰ移動通信ネットワークインターフェース部５２０と、制御部５００と記憶部５４０で構成されている。ＩＰ移動通信ネットワークインターフェース部５２０と記憶部５４０は制御部５００と、バスを介して接続されている。
【０１１７】
制御部５００はＨＳＳ５０を制御するための機能部である。制御部５００は、記憶部５４０に記憶されている各種プログラムを読みだして実行することにより各種処理を実現する。
【０１１８】
ＩＰ移動通信ネットワークインターフェース部５２０はユーザデータ及び／又は制御メッセージを送受信するデータ送受信部であり、ＨＳＳ５０が、ＭＭＥ４０及び／又はその他のＭＭＥ４０と、ＡＡＡ５５と接続するための機能部である。
【０１１９】
記憶部５４０は、ＨＳＳ５０の各動作に必要なプログラムや、データ等を記憶する機能部である。記憶部５４０は、例えば、半導体メモリや、ＨＤＤ（Ｈａｒｄ  Ｄｉｓｋ  Ｄｒｉｖｅ）等により構成されている。
【０１２０】
図５に示すように、記憶部５４０はＨＳＳデータ５４２を記憶する。以下、記憶部５４０で記憶される情報要素について説明する。
【０１２１】
図６に、記憶部５４０で記憶される情報要素を示す。図６（ａ）はＨＳＳ５０が記憶するＵＥ１０ごとのＨＳＳデータの一例を示す。
【０１２２】
図に示すように、ＵＥ１０ごとのＨＳＳデータには、ＩＭＳＩ、ＭＳＩＳＤＮ、ＩＭＥＩ／ＩＭＥＩＳＶ、Ａｃｃｅｓｓ  Ｒｅｓｔｒｉｃｔｉｏｎ、ＵＥＮＢＩＦＯＭ  ｃａｐａｂｉｌｉｔｙ、ＮＢＩＦＯＭ  ａｌｌｏｗｅｄが含まれる。
【０１２３】
ＩＭＳＩはＵＥ１０を使用するユーザ（加入者）に割り当てられる、識別情報である。
【０１２４】
ＭＳＩＳＤＮは、ＵＥ１０の電話番号を表す。
【０１２５】
ＩＭＥＩ／ＩＭＩＳＶは、ＵＥ１０に割り当てられている識別情報である。
【０１２６】
Ａｃｃｅｓｓ  Ｒｅｓｔｒｉｃｔｉｏｎは、アクセス制限の登録情報を示す。
【０１２７】
ＵＥＮＢＩＦＯＭ  ｃａｐａｂｉｌｉｔｙは、ＵＥ１０のＮＢＩＦＯＭ  ｃａｐａｂｉｌｉｔｙを示す。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ１０がＮＢＩＦＯＭ機能をサポートしているか否かを示す。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０１２８】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０１２９】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてもよい。ＮＢＩＦＯＭ  ａｌｌｏｗｅｄは複数のＡＰＮと対応付けられていても良い。
【０１３０】
本実施形態ではＡＰＮ１はＮＢＩＦＯＭ  ａｌｌｏｗｅｄに対応付けられている。つまり、ＡＰＮ１はマルチアクセスＰＤＮコネクションを確立することが許可されている。言い換えれば、本実施形態ではＵＥ１０はＡＰＮ１を用いてマルチアクセスＰＤＮコネクションを確立することが許可されている。なお、ＡＰＮ１はマルチアクセスＰＤＮコネクションではなく、従来のＰＤＮコネクションを確立する事も許可されている。
【０１３１】
更に、本実施形態ではＡＰＮ２はＮＢＩＦＯＭ  ａｌｌｏｗｅｄに対応付けられていない。つまり、本実施形態ではＡＰＮ２はマルチアクセスＰＤＮコネクションを確立することが許可されていない。つまり、本実施形態ではＵＥ１０はＡＰＮ２を用いて、マルチアクセスＰＤＮコネクションを確立することはできない。
【０１３２】
ＮＢＩＦＯＭ  ａｌｌｏｗｅｄはＰＤＮコネクション確立前に記憶されていても良い。
【０１３３】
図６（ｂ）はＨＳＳ５０が記憶するＰＤＮコネクションごとのＨＳＳデータの一例を示す。図から分かるように、ＰＤＮコネクションごとのＨＳＳデータには、少なくともＣｏｎｔｅｘｔ  ＩＤ、ＰＤＮ  ａｄｄｒｅｓｓ、ＰＤＮ  Ｔｙｐｅ、ＡＰＮ（Ａｃｃｅｓｓ  Ｐｏｉｎｔ  Ｎａｍｅ）、ＷＬＡＮ  ｏｆｆｌａｏｄ  ａｂｉｌｉｔｙ、ＰＤＮ  ＧＷ  ＩＤ、ＮＢＩＦＯＭ  Ｐｅｒｍｉｓｓｉｏｎが含まれる。
【０１３４】
Ｃｏｎｔｅｘｔ  ＩＤは、ＰＤＮコネクションごとのＨＳＳデータを記憶するコンテキストの識別情報である。
【０１３５】
ＰＤＮ  Ａｄｄｒｅｓｓは、登録されたＩＰアドレスを示す。ＰＤＮ  ＡｄｄｒｅｓｓはＵＥ１０のＩＰアドレスである。
【０１３６】
ＰＤＮ  Ｔｙｐｅは、ＰＤＮ  Ａｄｄｒｅｓｓのタイプを示す。つまり、例えばＩＰｖ４又はＩＰｖ６又はＩＰｖ４ｖ６を識別するための識別情報である。
【０１３７】
ＡＰＮは、ＤＮＳの命名規則に従い、ネットワークのアクセス先を示すラベルである。
【０１３８】
ＷＬＡＮ  ｏｆｆｌｏａｄ  ａｂｉｌｉｔｙは、このＡＰＮで接続されたトラフィックは、ＷＬＡＮと３ＧＰＰ間の連携機能を用いて、ＷＬＡＮにオフロードできるか、又は３ＧＰＰの接続を維持するかを示す識別情報である。ＷＬＡＮ  ｏｆｆｌｏａｄ  ａｂｉｌｉｔｙは、ＲＡＴタイプごとに分かれていても良い。具体的には、ＬＴＥ（Ｅ−ＵＴＲＡ）と３Ｇ（ＵＴＲＡ）で異なっていても良い。
【０１３９】
ＰＤＮ  ＧＷ  ｉｄｅｎｔｉｔｙは、このＡＰＮで利用されるＰＧＷ３０を識別する識別情報である。この識別情報は、ＦＱＤＮ（Ｆｕｌｌｙ  Ｑｕａｌｉｆｉｅｄ  Ｄｏｍａｉｎ  Ｎａｍｅ：完全修飾ドメイン名）、又はＩＰアドレスであっても良い。
【０１４０】
ＮＢＩＦＯＭ  ｐｅｒｍｉｓｓｉｏｎは、このＰＤＮコネクションがマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０１４１】
つまり、ＴＷＡＧ７４がＮＢＩＦＯＭ  ｐｅｒｍｉｓｓｉｏｎを記憶することで、このＰＤＮコネクションは第１のＰＤＮコネクションであることを意味する。
【０１４２】
ＮＢＩＦＯＭ  ｐｅｒｍｉｓｓｉｏｎは、ＰＤＮコネクションを確立することにより、ＴＷＡＧ７４が記憶する識別情報である。
【０１４３】
具体的には、例えばＡＰＮ１が含まれるＰＤＮコネクションごとのＨＳＳデータにはＮＢＩＦＯＭ  Ｐｅｒｍｉｓｓｉｏｎが含まれ、ＡＰＮ２が含まれるＰＤＮコネクションごとのＨＳＳデータにはＮＢＩＦＯＭ  Ｐｅｒｍｉｓｓｉｏｎが含まれなくても良い。
【０１４４】
言い換えれば、ＡＰＮ１によるＰＤＮコネクションは第１のＰＤＮコネクションであってもよく、ＡＰＮ２は第１のＰＤＮコネクションであってはならない。
【０１４５】
［１．２．３．ＵＥ構成］
次に、ＵＥ１０の構成について説明する。図７はＵＥ１０の装置構成を示す。図に示すように、ＵＥ１０はＬＴＥインターフェース部７２０と、ＷＬＡＮインターフェース部７４０と、制御部７００と記憶部７５０で構成されている。
【０１４６】
ＬＴＥインターフェース部７２０とＷＬＡＮインターフェース部７４０と記憶部７５０は制御部７００と、バスを介して接続されている。
【０１４７】
制御部７００はＵＥ１０を制御するための機能部である。制御部７００は、記憶部７５０に記憶されている各種プログラムを読みだして実行することにより各種処理を実現する。
【０１４８】
ＬＴＥインターフェース部７２０は、ユーザデータ及び／又は制御メッセージを送受信するデータ送受信部であり、ＵＥ１０がＬＴＥ基地局に接続し、ＩＰアクセスネットワークへ接続するための機能部である。また、ＬＴＥインターフェース部７２０には、外部アンテナ７１０が接続されている。
【０１４９】
ＷＬＡＮインターフェース部７４０は、ユーザデータ及び／又は制御メッセージを送受
信するデータ送受信部であり、ＵＥ１０がＷＬＡＮ  ＡＰに接続し、ＩＰアクセスネットワークへ接続するための機能部である。また、ＷＬＡＮインターフェース部７４０には、外部アンテナ７３０が接続されている。
【０１５０】
制御部７００はＵＥ１０を制御するための機能部である。制御部７００は、記憶部７５０に記憶されている各種プログラムを読みだして実行することにより各種処理を実現する。
【０１５１】
記憶部７４０は、ＵＥ１０の各動作に必要なプログラムや、データ等を記憶する機能部である。記憶部７４０は、例えば、半導体メモリや、ＨＤＤ（Ｈａｒｄ  Ｄｉｓｋ  Ｄｒｉｖｅ）等により構成されている。
【０１５２】
図７に示すように、記憶部７５０はＵＥコンテキスト７５２を記憶する。以下、記憶部７５０で記憶される情報要素について説明する。なお、ＵＥコンテキスト７５２は、ＵＥ１０ごとのＵＥコンテキストとＰＤＮコネクションごとのＵＥコンテキストと、転送路及び／又はベアラごとのＵＥコンテキストに分類される。
【０１５３】
図８（ａ）は、ＵＥ１０ごとに記憶されるＵＥコンテキストの一例である。図に示すように、ＵＥ１０ごとのＵＥコンテキストは、ＩＭＳＩ、ＥＭＭ  Ｓｔａｔｅ、ＧＵＴＩ、ＭＥ  Ｉｄｅｎｔｉｔｙ、ＵＥＮＢＩＦＯＭ  ｃａｐａｂｉｌｉｔｙが含まれる。
【０１５４】
ＩＭＳＩはＵＥ１０を使用するユーザ（加入者）に割り当てられる、識別情報である。
【０１５５】
ＥＭＭ  Ｓｔａｔｅは、ＵＥ１０の移動管理状態を示す。例えば、ＵＥ１０がネットワークに登録されているＥＭＭ−ＲＥＧＩＳＴＥＲＥＤ（登録状態、ｒｅｇｉｓｔｅｒｅｄ状態）、又はＵＥ１０がネットワークに登録されていないＥＭＭ−ＤＥＲＥＧＩＳＴＥＲＤ（非登録状態、ｄｅｒｅｇｉｓｔｅｒｅｄ状態）であっても良い。
【０１５６】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥ１０の一時的な識別情報である。ＧＵＴＩはＭＭＥ４０の識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ４０内でのＵＥ１０の識別情報（Ｍ−ＴＭＳＩ）により構成される。
【０１５７】
ＭＥ  Ｉｄｅｎｔｉｔｙは、ＭＥのＩＤであり、例えば、ＩＭＥＩ／ＩＭＩＳＶであっても良い。
【０１５８】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥＮＢＩＦＯＭ  ｃａｐａｂｉｌｉｔｙは、ＵＥ１０ごとにＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０１５９】
なお、ＮＢＩＦＯＭ機能とは、マルチアクセスＰＤＮコネクションを確立することができる機能を持つ事を示す情報であっても良い。
【０１６０】
又は、ＵＥＮＢＩＦＯＭ  ｃａｐａｂｉｌｉｔｙは、ＵＥ１０が第１のＰＤＮコネクションを確立する能力を持つことを示す識別情報であっても良い。つまり、ＵＥ１０の記憶部にＵＥＮＢＩＦＯＭ  ｃａｐａｂｉｌｉｔｙが存在することでＵＥ１０が第１のＰＤＮ
コネクションを確立する機能を持つことを意味しても良い。
【０１６１】
言い換えれば、ＵＥＮＢＩＦＯＭ  ｃａｐａｂｉｌｉｔｙは、ＵＥ１０がＮＢＩＦＯＭ機能をサポートすることを示す識別情報であっても良い。つまり、ＵＥ１０の記憶部にＵＥＮＢＩＦＯＭ  ｃａｐａｂｉｌｉｔｙが存在することで、ＵＥ１０がＮＢＩＦＯＭ機能をサポートすることを意味しても良い。
【０１６２】
図８（ｂ）はＰＤＮコネクションごとのＵＥコンテキストの一例を示す。図に示すように、ＰＤＮコネクションごとのＵＥコンテキストには、少なくともＰＤＮ  ｃｏｎｎｅｃｔｉｏｎ  ＩＤ、ＡＰＮ  ｉｎ  Ｕｓｅ、ＩＰ  ａｄｄｒｅｓｓ、Ｄｅｆａｕｌｔ  Ｂｅａｒｅｒ、ＷＬＡＮ  ｏｆｆｌｏａｄ  ａｂｉｌｉｔｙ、ＵＥａｌｌｏｗｅｄ  ｍｏｄｅ、Ｏｐｅｒａｔｉｏｎ  ｍｏｄｅが含まれる。
【０１６３】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していても良い。
【０１６４】
ＡＰＮ  ｉｎ  Ｕｓｅは、ＵＥ１０が直前に利用したＡＰＮである。このＡＰＮは、ネットワークの識別情報と、デフォルトのオペレータの識別情報とで構成されても良い。
【０１６５】
ＩＰ  Ａｄｄｒｅｓｓは、ＰＤＮコネクションでＵＥ１０に割り当てられたＩＰアドレスであり、ＩＰｖ４アドレス、又はＩＰｖ６  プレフィックスであっても良い。
【０１６６】
Ｄｅｆａｕｌｔ  Ｂｅａｒｅｒは、このＰＤＮコネクションでのデフォルトベアラを識別するＥＰＳベアラ識別情報である。
【０１６７】
なお、ＵＥ１０は、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するＥＰＳベアラ識別情報を対応づけて管理してもよい。
【０１６８】
さらに、ＵＥ１０はデフォルトベアラとアクセスネットワークを対応づけて管理してもよい。
【０１６９】
具体的には、ＵＥ１０は、アクセスネットワークＡに対するデフォルトベアラと、アクセスネットワークＢに対するデフォルトベアラのそれぞれを識別するＥＰＳベアラ識別情報を記憶してもよい。ここでアクセスネットワークに対するデフォルトベアラとは、アクセスネットワークのアクセスシステムに対するデフォルトベアラであってよい。したがって、ＵＥ１０は、３ＧＰＰアクセスに対するデフォルトベアラと、ＷＬＡＮアクセスに対するデフォルトベアラをマルチアクセスＰＤＮコネクションに対応づけて記憶してもよい。
【０１７０】
また、マルチアクセスＰＤＮに対するデフォルトベアラは、ＵＥ１０が確立しているデフォルトベアラであってよい。言い換えると、マルチアクセスＰＤＮコネクションに対して一つのデフォルトベアラのみを確立している状態では、ＵＥ１０はマルチアクセスＰＤＮコネクションに対して一つのデフォルトベアラを記憶し、マルチアクセスＰＤＮコネクションに対して二つのデフォルトベアラを確立している状態では、ＵＥ１０はマルチアクセスＰＤＮコネクションに対して二つのデフォルトベアラを記憶してもよい。さらに、ＵＥ１０はマルチアクセスＰＤＮコネクションにおけるデフォルトアクセス（Ｄｅｆａｕｌｔ  Ａｓｓｅｓｓ）を示す情報をマルチアクセスＰＤＮコネクションに対しして記憶してもよい。なお、デフォルトアクセスは、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０１７１】
もしくは、デフォルトアクセスは更に詳細な情報であってもよい。例えば、デフォルトアクセスは、Ｅ−ＵＴＲＡＮアクセスか、ＵＴＲＡＮアクセスか、ＧＥＲＡＮアクセスのいずれかであってもよい。
【０１７２】
ＵＥ１０は、複数のデフォルトベアラを確立している場合、デフォルトアクセスに基づいてデフォルトベアラを選択し、選択したデフォルトベアラを用いてユーザデータの送受信を行っても良い。
【０１７３】
ＷＬＡＮ  ｏｆｆｌｏａｄａｂｉｌｉｔｙは、該ＰＤＮコネクションに関連付けられた通信に対し、ＷＬＡＮと３ＧＰＰ間のインターワーキング機能を用いてＷＬＡＮへオフロードすることを許可するか、又は３ＧＰＰアクセスを維持するか否かを示すＷＬＡＮオフロードの許可情報である。
【０１７４】
ＵＥａｌｌｏｗｅｄ  ｍｏｄｅは、ＵＥ１０が許可するＯｐｅｒａｔｉｏｎ  ｍｏｄｅである。この識別情報は、ＵＥｉｎｔｉａｔｅｄ  ｍｏｄｅ、又はＮｅｔｗｏｒｋ  ｉｎｉｔｉａｔｅｄ  ｍｏｄｅのいずれか、又は両方を示しても良い。
【０１７５】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ１０であるか、又はネットワークであるかを示すモードの識別情報である。
【０１７６】
図８（ｃ）はベアラごとのＵＥコンテキストである。ベアラごとのＵＥコンテキストには転送路識別情報、Ｒｏｕｔｉｎｇ  Ｒｕｌｅが含まれている。
【０１７７】
転送路識別情報は転送路及び／又はベアラを識別する情報である。転送路識別情報は、例えばＥＰＳベアラＩＤであっても良い。
【０１７８】
また、転送路識別情報はＴＦＴと対応付けられていても良い。
【０１７９】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０１８０】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Mobile Access Gateway）のＩＰアドレスであってもよい。
【０１８１】
Ｒｏｕｔｉｎｇ  ＲｕｌｅはＰＧＷ３０やＰＣＲＦ６０から通知されても良い。又は、ＵＥ１０が事前にデフォルト値として記憶していた値であっても良い。
【０１８２】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、ＵＥ１０はアプリケーションごとにフローを切り替えても良い。又は、Ｒｏｕｔｉｎｇ  ＦｉｌｔｅｒにＴＦＴを含めても良い。
【０１８３】
Ｒｏｕｔｉｎｇｕ  Ｒｕｌｅには複数のルール（規則）が記憶されていても良い。更に
、Ｒｏｕｔｉｎｇ  ｒｕｌｅは、各ルールに優先順位が含まれていても良い。
【０１８４】
図８（ｄ）にＴＷＡＧ  Ｃａｐａｂｉｌｉｔｙを示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０１８５】
なお、ＮＢＩＦＯＭ機能とは、マルチアクセスＰＤＮコネクションを確立することができる機能を有する事を示す情報であっても良い。
【０１８６】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０１８７】
ＵＥ１０はＮＢＩＦＯＭ  ｃａｐａｂｉｌｉｔｙはＴＷＡＧ  ＩＤと対応付けて記憶しても良い。また、複数のＴＷＡＧ７４のＮＢＩＦＯＭ  ｃａｐａｂｉｌｉｔｙを記憶しても良い。
【０１８８】
図８（ｅ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０１８９】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０１９０】
又は、ＮＢＩＦＯＭ  ｃａｐａｂｉｌｉｔｙは、第１のＰＤＮコネクションを確立する能力があることを示す識別情報であっても良い。つまり、ＮＢＩＦＯＭ  ｃａｐａｂｉｌｉｔｙが存在することでＰＧＷ３０及び／又はネットワークが第１のＰＤＮコネクションを確立する機能を持つゲートウェイであることを意味しても良い。
【０１９１】
図８（ｅ）に示すように、ＴＷＡＧ７４は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されても良い。
【０１９２】
ＰＧＷ  ＩＤは、ＰＧＷ３０を識別するための情報である。ＰＧＷ  ＩＤは、例えばＡＰＮであっても良い。
【０１９３】
ＴＷＡＧ  ＣａｐａｂｉｌｉｔｙとＮｅｔｗｏｒｋ  ｃａｐａｂｉｌｉｔｙはＵＥコンテキストに含まれていても良いし、ＵＥコンテキストから独立した情報であっても良い。
【０１９４】
つまり、ＵＥ１０はＴＷＡＧ  ＣａｐａｂｉｌｉｔｙとＮｅｔｗｏｒｋ  ｃａｐａｂｉｌｉｔｙをＵＥコンテキストに含めて記憶してもよく、又はＴＷＡＧ  ＣａｐａｂｉｌｉｔｙとＮｅｔｗｏｒｋ  ｃａｐａｂｉｌｉｔｙをＵＥコンテキストから独立して記憶して
も良い。
【０１９５】
［１．２．４．ＰＧＷ構成要素］
次に、ＰＧＷ３０の構成要素について説明する。図９はＰＧＷ３０の装置構成を示す。図に示すように、ＰＧＷ３０はＩＰ移動通信ネットワークインターフェース部９２０と、制御部９００と記憶部９４０で構成されている。ＩＰ移動通信ネットワークインターフェース部９２０と記憶部９４０は制御部９００と、バスを介して接続されている。
【０１９６】
制御部９００はＰＧＷ３０を制御するための機能部である。制御部９００は、記憶部９４０に記憶されている各種プログラムを読みだして実行することにより各種処理を実現する。
【０１９７】
ＩＰ移動通信ネットワークインターフェース部９２０は、ユーザデータ及び／又は制御メッセージを送受信するデータ送受信部であり、ＰＧＷ３０が、ＳＧＷ３５及び／又はＰＣＲＦ６０及び／又はｅＰＤＧ６５と及び／又はＡＡＡ５５及び／又はＧＷ７４と接続するための機能部である。
【０１９８】
記憶部９４０は、ＰＧＷ３０の各動作に必要なプログラムや、データ等を記憶する機能部である。記憶部９４０は、例えば、半導体メモリや、ＨＤＤ（Ｈａｒｄ  Ｄｉｓｋ  Ｄｒｉｖｅ）等により構成されている。
【０１９９】
記憶部９４０は、図に示すように、ＥＰＳベアラコンテキスト９４２を記憶する。なお、ＥＰＳベアラコンテキストの中には、ＵＥ１０ごとに記憶されるものと、ＡＰＮごとに記憶されるものと、ＰＤＮコネクションごとに記憶されるものと、転送路及び／又はベアラごとに記憶されるものが含まれる。
【０２００】
まず、ＵＥ１０ごとのＥＰＳベアラコンテキストについて説明する。図１０（ａ）は、ＵＥ１０ごとのＥＰＳベアラコンテキストの一例を示す。図に示すようにＥＰＳベアラコンテキストには、少なくともＩＭＳＩとＭＥ  ＩｄｅｎｔｉｔｙとＭＳＩＳＤＮとＵＥＮＢＩＦＯＭ  ｃａｐａｂｉｌｉｔｙが含まれる。
【０２０１】
ＩＭＳＩはＵＥ１０のユーザを識別する情報である。
【０２０２】
ＭＥ  Ｉｄｅｎｔｉｔｙは、ＭＥのＩＤであり、例えば、ＩＭＥＩ／ＩＭＩＳＶであっても良い。
【０２０３】
ＭＳＩＳＤＮは、ＵＥ１０の電話番号を表す。
【０２０４】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力を持っているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０２０５】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０２０６】
次に、ＰＤＮコネクションごとのＥＰＳベアラコンテキストについて説明する。図１０（ｂ）はＰＤＮコネクションごとのＥＰＳベアラコンテキストの一例を示す。
【０２０７】
図に示すように、コンテキストには少なくともＰＤＮ  ｃｏｎｎｅｃｔｉｏｎ  ＩＤ、ＩＰ  ａｄｄｒｅｓｓ、ＰＤＮ  ｔｙｐｅ、ＡＰＮ、Ｎｅｔｗｏｒｋ  ａｌｌｏｗｅｄ  ｍｏｄｅ、Ｏｐｅｒａｔｉｏｎ  ｍｏｄｅを含める。
【０２０８】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していても良い。
【０２０９】
ＩＰ  Ａｄｄｒｅｓｓは、このＰＤＮコネクションに対してＵＥ１０が割り当てられたＩＰアドレスを示す。ＩＰアドレスはＩＰｖ４及び／又はＩＰｖ６  プレフィックスであっても良い。
【０２１０】
ＰＤＮ  ｔｙｐｅは、ＩＰアドレスの種類を示す。ＰＤＮ  ｔｙｐｅは例えば、ＩＰｖ４又はＩＰｖ６又はＩＰｖ４ｖ６を示す。
【０２１１】
ＡＰＮは、ＤＮＳの命名規則に従い、ネットワークのアクセス先を示すラベルである。
【０２１２】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅのいずれか、又はこれら両方を含めても良い。
【０２１３】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ１０であるのかネットワークであるのかを示すモードの識別情報である。
【０２１４】
より具体的には、例えば、ＵＥ１０から通信制御を開始できるＵＥｉｎｉｔｉａｔｅｄ  ｍｏｄｅや、ネットワークから通信制御を開始できるＮｅｔｗｏｒｋ  ｉｎｉｔｉａｔｅｄ  ｍｏｄｅを識別しても良い。
【０２１５】
次に、転送路及び／又はベアラごとのＥＰＳベアラコンテキストの一例を、図１０（ｃ）を用いて説明する。図に示すように、コンテキストには少なくとも転送路識別情報とＲｏｕｔｉｎｇ  Ｒｕｌｅが含まれる。
【０２１６】
転送路識別情報は転送路及び／又はベアラを識別する情報である。転送路識別情報は、例えばＥＰＳベアラＩＤであっても良い。
【０２１７】
また、転送路識別情報はＴＦＴと対応付けられていても良い。
【０２１８】
Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０２１９】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであっても良い。
【０２２０】
Ｒｏｕｔｉｎｇ  ＲｕｌｅはＰＧＷ３０やＰＣＲＦ６０から通知されても良い。又は、ＵＥ１０が事前にデフォルト値として記憶していた値であっても良い。
【０２２１】
Ｒｏｕｔｉｎｇ  ＦｉｌｔｅｒにＩＰヘッダーを含めることで、ＰＧＷ３０はＩＰフローを切り替えても良い。又は、Ｒｏｕｔｉｎｇ  ＦｉｌｔｅｒにアプリケーションＩＤを含めることで、ＰＧＷ３０はアプリケーションごとにフローを切り替えても良い。又は、Ｒｏｕｔｉｎｇ  ＦｉｌｔｅｒにＴＦＴを含めても良い。
【０２２２】
Ｒｏｕｔｉｎｇｕ  Ｒｕｌｅには複数のルールが記憶されていても良い。更に、Ｒｏｕｔｉｎｇ  ｒｕｌｅは、各ルールに優先順位が含まれていても良い。
【０２２３】
さらに、ＰＧＷ３０は、ＵＥ１０との間に確立するＰＤＮコネクション毎に、デフォルトベアラを確立し、デフォルトベアラを識別するＥＰＳベアラ識別情報を更に記憶しても良い。
【０２２４】
なお、ＰＧＷ３０は、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するＥＰＳベアラ識別情報を対応づけて管理してもよい。
【０２２５】
さらに、ＰＧＷ３０はデフォルトベアラとアクセスネットワークを対応づけて管理してもよい。
具体的には、ＰＧＷ３０は、アクセスネットワークＡに対するデフォルトベアラと、アクセスネットワークＢに対するデフォルトベアラのそれぞれを識別するＥＰＳベアラ識別情報を記憶してもよい。ここでアクセスネットワークに対するデフォルトベアラとは、アクセスネットワークのアクセスシステムに対するデフォルトベアラであってよい。したがって、ＰＧＷ３０は、３ＧＰＰアクセスに対するデフォルトベアラと、ＷＬＡＮアクセスに対するデフォルトベアラをマルチアクセスＰＤＮコネクションに対応づけて記憶してもよい。
【０２２６】
また、マルチアクセスＰＤＮに対するデフォルトベアラは、ＵＥ１０との間に確立しているデフォルトベアラであってよい。言い換えると、マルチアクセスＰＤＮコネクションに対して一つのデフォルトベアラのみを確立している状態では、ＰＧＷ３０はマルチアクセスＰＤＮコネクションに対して一つのデフォルトベアラを記憶し、マルチアクセスＰＤＮコネクションに対して二つのデフォルトベアラを確立している状態では、ＰＧＷ３０はマルチアクセスＰＤＮコネクションに対して二つのデフォルトベアラを記憶してもよい。
【０２２７】
さらに、ＰＧＷ３０はマルチアクセスＰＤＮコネクションにおけるデフォルトアクセス（Ｄｅｆａｕｌｔ  Ａｓｓｅｓｓ）を示す情報をマルチアクセスＰＤＮコネクションに対しして記憶してもよい。なお、デフォルトアクセスは、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０２２８】
もしくは、デフォルトアクセスは更に詳細な情報であってもよい。例えば、デフォルトアクセスは、Ｅ−ＵＴＲＡＮアクセスか、ＵＴＲＡＮアクセスか、ＧＥＲＡＮアクセスのいずれかであってもよい。
【０２２９】
ＰＧＷ３０は、複数のデフォルトベアラを確立している場合、デフォルトアクセスに基づいてデフォルトベアラを選択し、選択したデフォルトベアラを用いてユーザデータの送
受信を行っても良い。
【０２３０】
図１０（ｄ）にＴＷＡＧ  Ｃａｐａｂｉｌｉｔｙを示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０２３１】
なお、ＮＢＩＦＯＭ機能とは、マルチアクセスＰＤＮコネクションを確立することができる機能を有する事を示す情報であっても良い。
【０２３２】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０２３３】
ＰＧＷ３０はＮＢＩＦＯＭ  ｃａｐａｂｉｌｉｔｙはＴＷＡＧ  ＩＤと対応付けて記憶しても良い。
【０２３４】
図１０（ｅ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０２３５】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０２３６】
又は、ＮＢＩＦＯＭ  ｃａｐａｂｉｌｉｔｙは、第１のＰＤＮコネクションを確立する能力があることを示す識別情報であっても良い。つまり、ＮＢＩＦＯＭ  ｃａｐａｂｉｌｉｔｙが存在することでＰＧＷ３０及び／又はネットワークが第１のＰＤＮコネクションを確立する機能を持つゲートウェイであることを意味しても良い。
【０２３７】
図１０（ｅ）に示すように、ＰＧＷ３０は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されても良い。
【０２３８】
ＰＧＷ  ＩＤは、ＰＧＷ３０を識別するための情報であればよく、例えばＡＰＮであっても良い。
【０２３９】
ＴＷＡＧ  ＣａｐａｂｉｌｉｔｙとＮｅｔｗｏｒｋ  ｃａｐａｂｉｌｉｔｙはＥＰＳベアラコンテキストに含まれていても良いし、ＵＥコンテキストから独立した情報であっても良い。
【０２４０】
［１．２．５．ＰＣＲＦ構成要素］
次に、ＰＣＲＦ６０の構成要素について説明する。図１１はＰＣＲＦ６０の装置構成を示す。図に示すように、ＰＣＲＦ６０はＩＰ移動通信ネットワークインターフェース部１１２０と、制御部１１００と記憶部１１４０で構成されている。ＩＰ移動通信ネットワークインターフェース部１１２０と記憶部１１４０は制御部１１００と、バスを介して接続されている。
【０２４１】
制御部１１００はＰＣＲＦ６０を制御するための機能部である。制御部１１００は、記憶部１１４０に記憶されている各種プログラムを読みだして実行することにより各種処理を実現する。
【０２４２】
ＩＰ移動通信ネットワークインターフェース部１１２０は、ユーザデータ及び／又は制御メッセージを送受信するデータ送受信部であり、ＰＣＲＦ６０が、ＰＧＷ３０及び／又はＴＷＡＧ７４及び／又はＡＡＡ５５と接続するための機能部である。
【０２４３】
記憶部１１４０は、ＰＣＲＦ６０の各動作に必要なプログラムや、データ等を記憶する機能部である。記憶部９４０は、例えば、半導体メモリや、ＨＤＤ（Ｈａｒｄ  Ｄｉｓｋ  Ｄｒｉｖｅ）等により構成されている。
【０２４４】
記憶部１１４０は、図に示すように、ＵＥコンテキスト１１４２を記憶する。なお、ＵＥコンテキストの中には、ＵＥ１０ごとに記憶されるものと、ＰＤＮコネクションごとに記憶されるもので分けられても良い。
【０２４５】
図１２（ａ）にＵＥ１０ごとのＵＥコンテキストを示す。図に示すように、コンテキストには少なくともＳｕｂｓｃｒｉｂｅｒ  ＩＤとＵＥＮＢＩＦＯＭ  ｃａｐａｂｉｌｉｔｙを含める。
【０２４６】
Ｓｕｂｓｃｒｉｂｅｒ  ＩＤは、ユーザの識別情報である。例えばＩＭＳＩであっても良い。
【０２４７】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥＮＢＩＦＯＭ  ｃａｐａｂｉｌｉｔｙは、ＵＥ１０がＮＢＩＦＯＭ機能をサポートするか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０２４８】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０２４９】
言い換えれば、ＵＥ１０がＮＢＩＦＯＭ機能をサポートすることを示す識別情報であっても良い。つまり、記憶部にＵＥＮＢＩＦＯＭ  ｃａｐａｂｉｌｉｔｙが存在することでＵＥ１０がＮＢＩＦＯＭ機能をサポートすることを意味しても良い。
【０２５０】
次に、ＰＤＮコネクションごとのＵＥコンテキストを説明する。図１２（ｂ）はＰＤＮコネクションごとのＵＥコンテキストの一例である。図に示すように、コンテキストには少なくともＡＰＮ、Ｏｐｅｒａｔｉｏｎ  ｍｏｄｅ、Ｎｅｔｗｏｒｋ  Ｐｏｌｉｃｙ、Ｃｈａｒｇｉｎｇ  Ｒｕｌｅ、ＰＣＣ  Ｒｕｌｅ、ＱｏＳ  Ｒｕｌｅを含めても良い。
【０２５１】
ＡＰＮは、ＤＮＳの命名規則に従い、ネットワークのアクセス先を示すラベルである。
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか又はネットワークであるのかを示すモードの識別情報である。
【０２５２】
より具体的には、例えば、ＵＥ１０から通信制御を開始できるＯｐｅｒａｔｉｏｎ  ｍｏｄｅはＵＥｉｎｉｔｉａｔｅｄ  ｍｏｄｅであっても良い。
【０２５３】
また、ネットワーク及び／又はＰＧＷ３０及び／又はＰＣＲＦ６０から通信制御を開始できるＯｐｅｒａｔｉｏｎ  ｍｏｄｅはＮｅｔｗｏｒｋ  ｉｎｉｔｉａｔｅｄ  ｍｏｄｅであっても良い。
【０２５４】
Ｎｅｔｗｏｒｋ  Ｐｏｌｉｃｙは、ネットワーク側での通信制御ポリシーであり、Ｎｅｔｗｏｒｋ  ａｌｌｏｗｅｄ  ｍｏｄｅが含まれていても良い。又は、ＰＣＲＦ６０はＮｅｔｗｏｒｋ  ａｌｌｏｗｅｄ  ｍｏｄｅをＮｅｔｗｏｒｋ  Ｐｏｌｉｃｙとは別に記憶しても良い。
【０２５５】
Ｃｈａｒｇｉｎｇ  Ｒｕｌｅは課金に関する規則である。ＰＣＲＦ６０が決定したＣｈａｒｇｉｎｇ  Ｒｕｌｅに基づきＰＣＥＦが課金を行う。
【０２５６】
ＰＣＣ  ＲｕｌｅはＮｅｔｗｏｒｋ  ＰｏｌｉｃｙとＣｈａｒｇｉｎｇ  Ｒｕｌｅの制御にかかわる規則である。ＰＣＣ  Ｒｕｌｅに基づき、ＰＣＥＦは通信制御及び課金を行う。
【０２５７】
ＱｏＳ  Ｒｕｌｅは、フローのＱｏＳに関わる規則である。ＱｏＳ  ＲｕｌｅはＰＣＣ  Ｒｕｌｅと対応付けられていても良い。
【０２５８】
図１２（ｃ）は、転送路及び／又はベアラごとのＵＥコンテキストを示す。図に示すように、転送路及び／又はベアラごとのＵＥコンテキストは、少なくともＲｏｕｔｉｎｇ  Ｒｕｌｅを含める。
【０２５９】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、又はＷＬＡＮのアクセスネットワークを介した転送路を用いるかが決定される。
【０２６０】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０２６１】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０２６２】
Ｒｏｕｔｉｎｇ  ＲｕｌｅはＵＥ１０及び／又はＴＷＡＧ７４及び／又はＰＧＷ３０から通知されても良い。又はＰＣＲＦ６０が事前にデフォルト値として記憶していた値であっても良い。その場合、ＰＣＲＦ６０はＰＣＣ  Ｒｕｌｅに基づいてＲｏｕｔｉｎｇ  Ｒｕｌｅのデフォルト値を決定しても良い。
【０２６３】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで
、アプリケーションごとにフローを切り替えても良い。又は、ＴＦＴを含めても良い。
【０２６４】
Ｒｏｕｔｉｎｇｕ  Ｒｕｌｅには複数のルールが記憶されていても良い。更に、Ｒｏｕｔｉｎｇ  ｒｕｌｅは、各ルールに優先順位が含まれていても良い。
【０２６５】
図１２（ｄ）はＴＷＡＧ７４が記憶するＴＷＡＧ  ｃａｐａｂｉｌｉｔｙの一例を示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”、又は”Ｎｏｔ  ａｌｌｏｗｅｄ”が含まれても良い。
【０２６６】
なお、ＮＢＩＦＯＭ機能とは、マルチアクセスＰＤＮコネクションを確立することができる機能を有する事を示す情報であっても良い。
【０２６７】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０２６８】
図に示すように、ＮＢＩＦＯＭ  ｃａｐａｂｉｌｉｔｙは、ＴＷＡＧ７４の識別情報であるＴＷＡＧ  ＩＤと対応づけられて記憶されても良い。ＴＷＡＧ  ＩＤと対応づけられていない場合、ＮＢＩＦＯＭ  ｃａｐａｂｉｌｉｔｙは、記憶するＴＷＡＧ７４の能力を意味しても良い。
【０２６９】
ＴＷＡＧ  ＩＤとＮＢＩＦＯＭ  ｃａｐａｂｉｌｉｔｙが対応付けて記憶されている場合、ＰＣＲＦ６０は複数のＴＷＡＧ７４のＴＷＡＧ  ｃａｐａｂｉｌｉｔｙを記憶しても良い。
【０２７０】
図１２（ｅ）はＰＣＲＦ６０が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０２７１】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれても良い。
【０２７２】
なお、ＮＢＩＦＯＭ機能とは、マルチアクセスＰＤＮコネクションの確立を可能とする機能を有する事を示す情報であっても良い。
【０２７３】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味しても良い。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味しても良い。
【０２７４】
［１．３．初期状態の説明］
本実施形態における初期状態について説明する。本実施形態における初期状態は、後述する第１の初期状態であってもよく、第２の初期状態であっても良い。
【０２７５】
なお、本実施形態における初期状態は第１又は第２の初期状態に限らなくても良い。
【０２７６】
［１．３．１．第１の初期状態の説明］
第１の初期状態を説明する。第１の状態では、ＵＥ１０はコアネットワーク９０との間に第１のＰＤＮコネクションを確立していない状態である。しかし、ＵＥ１０は第２のＰＤＮコネクションを既に確立している状態である。より詳細には、ＵＥ１０は、ＰＧＷ＿Ａ１３１０との間に第１のＰＤＮコネクションを確立していない。しかし、ＵＥ１０はＰＧＷ＿Ｂ１３２０との間に第２のＰＤＮコネクションを確立している。
【０２７７】
なお、ＰＧＷ＿Ａ１３１０は、ＡＰＮ１を用いて選択されるゲートウェイ装置であっても良い。ＰＧＷ＿Ｂ１３２０は、ＡＰＮ２を用いて選択されるゲートウェイ装置であってもよい。更に、ＰＧＷ＿Ａ１３１０及びＰＧＷ＿Ｂ１３２０はＰＧＷ３０であっても良い。また、ＡＰＮ１及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０２７８】
さらに、ＡＰＮ１を用いて選択されるゲートウェイ装置とＡＰＮ２を用いて選択されるゲートウェイ装置は同一のゲートウェイ装置であっても良い。その場合は、ＰＧＷ＿Ａ１３１０とＰＧＷ＿Ｂ１３２０は同一の装置であっても良い。
【０２７９】
なお、第２のＰＤＮコネクションは、アクセスネットワークＢを介したＵＥ１０とＰＧＷ３０との間の転送路で構成されても良い。したがって、ＵＥ１０とＴＷＡＧ７４との間の転送路と、ＴＷＡＧ７４とＰＧＷ＿Ｂ１３２０との間の転送路を組み合わせた転送路で構成されてもよい。ここで、転送路はベアラであっても良い。
【０２８０】
このように、第１の状態初期では、ＵＥ１０はアクセスネットワークＢを経由してコアネットワーク９０に接続している状態であっても良い。
【０２８１】
なお、ＵＥ１０は、アクセスネットワークＡを経由してコアネットワーク９０に接続していなくても良い。言い換えると、ＵＥ１０はＬＴＥアクセスネットワークを介してアタッチしていなくても良い。
【０２８２】
もしくは、ＵＥ１０はアクセスネットワークＡを経由してコアネットワーク９０に接続している状態であっても良い。その場合、ＵＥ１０はＵＥ１０が主導して開始するアタッチ手続きを実行し、第３のＰＤＮコネクションを確立しても良い。
【０２８３】
なお、第３のＰＤＮコネクションは、ＡＰＮ２を用いて選択されるゲートウェイとの間に確立しても良い。もしくは、ＡＰＮ１やＡＰＮ２とは異なる他のＡＰＮを用いて選択されるゲートウェイとの間に確立しても良い。
【０２８４】
以上、第１の初期状態を説明してきたが、第１の初期状態はこれに限らず、例えばアクセスネットワークＢを介してマルチアクセスＰＤＮコネクションを確立していない状態であれば良い。
【０２８５】
［１．３．２．第１の初期状態に至るための手続きの説明］
第１の初期状態に至るための手続きを、図１５を用いて説明する。第１の初期状態に至るための手続きでは、少なくとも、図１５の（Ａ）で示すアクセスネットワークＢを介したコアネットワーク９０へのアタッチ手続きを実行する。第１の初期状態は、少なくとも図１５の（Ａ）のアクセスネットワークＢを介したコアネットワーク９０へのアタッチ手続きを実行した後の状態である。
【０２８６】
次に、アクセスネットワークＢを介したコアネットワーク９０へのアタッチ手続きの詳細を説明する。ＵＥ１０は、まず、アクセスネットワークＢ及びコアネットワーク９０にアクセスするための認証及びコアネットワーク９０との間でメッセージを送受信するためのセキュリティアソシエーションを確立するためのセキュリティアソシエーション手続きを実行する（Ｓ１５０２）。
【０２８７】
より詳細には、ＵＥ１０は、アクセスネットワークＢに配置されるＴＷＡＧ７４及びコアネットワーク９０に配置されるＰＧＷ３０にアクセスするための認証手続きを実行する。ＵＥ１０は認証手続きの完了に基づき、ＵＥ１０とＴＷＡＧ７４との間及びＴＷＡＧ７４とＰＧＷ３０との間のセキュリティアソシエーションを確立する手続きを実行する。認証手続き及びセキュリティアソシエーションの確立手続きでは、ＵＥ１０はＡＰＮ（Ａｃｃｅｓｓ  Ｐｏｉｎｔ  Ｎａｍｅ）を制御情報に含めてコアネットワーク９０に送信しても良い。また、認証及びセキュリティアソシエーションを確立する手続きはＥＡＰ等の手法に基づいて実行されても良い。ＵＥ１０は、ＴＷＡＧ７４によってＡＰＮを用いて選択されるＰＧＷ３０にアクセスするための認証を得ることができる。
【０２８８】
さらに、ＵＥ１０は、複数のＡＰＮを送信しても良い。例えば、ＡＰＮ１とＡＰＮ２を送信することにより、認証及びセキュリティアソシエーションを確立する手続きの完了に伴い、ＵＥ１０は、ＴＷＡＧ７４によってＡＰＮ１を用いて選択されるＰＧＷ３０と、ＡＰＮ２を用いて選択されるＰＧＷ３０にアクセスするための認証を得ることができる。
【０２８９】
ＵＥ１０は、セキュリティアソシエーションの確立に基づいて、アクセスネットワークＢを介してコアネットワーク９０との間に第２のＰＤＮコネクションを確立するＰＤＮ接続手続きを実行する（Ｓ１５０４）。より詳細には、ＵＥ１０はＴＷＡＧ７４を介してコアネットワーク９０に配置されるＰＧＷ＿Ｂ１３２０との間にＰＤＮコネクションを確立する。
【０２９０】
具体的には、ＵＥ１０はＴＷＡＧ７４及び／又はネットワークにＰＤＮ接続要求（ＰＤＮ  ｃｏｎｎｅｃｔｉｖｉｔｙ  ｒｅｑｕｅｓｔ）を送信する。ＵＥ１０はＡＰＮ２を含めてＰＤＮ接続要求を送信しても良い。
【０２９１】
ＴＷＡＧ７４及び／又はネットワークは、ＵＥ１０が送信したＰＤＮ接続要求を受信する。ＴＷＡＧ７４及び／又はネットワークは、ＰＤＮ接続要求の受信に基づき、ＵＥ１０にＰＤＮ接続受諾（ＰＤＮ  ｃｏｎｎｅｃｔｉｖｉｔｙ  ａｃｃｅｐｔ）を送信する。ＴＷＡＧ７４及び／又はネットワークは、ＡＰＮ２を含めてＰＤＮ接続受諾を送信しても良い。
【０２９２】
ＵＥ１０は、ＴＷＡＧ７４及び／又はネットワークが送信したＰＤＮ接続受諾を受信する。ＵＥ１０は、ＰＤＮ接続受諾に基づき、ＴＷＡＧ７４及び／又はネットワークにＰＤＮ接続完了（ＰＤＮ  ｃｏｎｎｅｃｔｉｖｉｔｙ  ｃｏｍｐｌｅｔｅ）を送信する。
【０２９３】
ＴＷＡＧ７４及び／又はネットワークは、ＵＥ１０が送信したＰＤＮ接続完了を受信す
る。
【０２９４】
［１．３．３．第２の初期状態の説明］
第２の初期状態を説明する。第２の初期状態では、ＵＥ１０はコアネットワーク９０に接続していない状態である。言い換えると、ＵＥ１０はコアネットワーク９０との間に第１のＰＤＮコネクション及び第２のＰＤＮコネクションを確立していない。より詳細には、ＵＥ１０はコアネットワーク９０に含まれて配置されているＰＧＷ＿Ａ１３１０との間に第1のＰＤＮコネクションを確立していない。さらに、ＵＥ１０はコアネットワーク９０に含まれて配置されているＰＧＷ＿Ｂ１３２０との間に第２のＰＤＮコネクションを確立していない。
【０２９５】
なお、ＰＧＷ＿Ａ１３１０は、ＡＰＮ１を用いて選択されるゲートウェイ装置であっても良い。ＰＧＷ＿Ｂ１３２０は、ＡＰＮ２を用いて選択されるゲートウェイ装置であってもよい。また、ＡＰＮ1及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０２９６】
このように、第２の初期状態では、ＵＥ１０はコアネットワーク９０との接続がない状態であっても良い。言い換えると、ＵＥ１０はアクセスネットワークＡ及びアクセスネットワークＢを経由してコアネットワーク９０に接続していない状態であってもよい。したがって、ＵＥ１０はＰＤＮコネクションを確立していない状態であっても良い。
【０２９７】
以上、第２の初期状態を説明してきたが、第２の初期状態はこれに限らず、例えばアクセスネットワークＢを介してコアネットワーク９０に接続していない状態であれば良い。
【０２９８】
［１．３．４．第２の初期状態に至るための手続きの説明］
第２の初期状態に至る（遷移する）ための手続きを、図１５を用いて説明する。第２の初期状態に至る（遷移する）ための手続きでは、図１５の（Ａ）の部分の手続きを実行しない状態であってもよい。言い換えると、第２の初期状態はアクセスネットワークＢを介してコアネットワーク９０へ接続するための特別な手続きを全く実行してない状態であっても良い。つまり、第２の初期状態は、ＵＥ１０がアクセスネットワークＢを介してコアネットワーク９０に初期接続する状態であっても良い。
【０２９９】
［１．３．５．マルチアクセスＰＤＮコネクション確立手続きの説明］
次に、第１のＰＤＮコネクションの確立手続きを説明する。ここで、初期状態は第１の初期状態又は第２の初期状態であっても良い。本実施形態では、ＵＥ１０は、初期状態確立後、アクセスネットワークＢを介してコアネットワーク９０との間に第１のＰＤＮコネクションを確立するためのＰＤＮ接続手続きを実行する（Ｓ１５０６）。より詳細には、ＵＥ１０はＴＷＡＧ７４を介してコアネットワーク９０に配置されるＰＧＷ＿Ａ１３１０との間に第１のＰＤＮコネクションを確立する。
【０３００】
なお、第１のＰＤＮコネクションは、ＵＥ１０とＴＷＡＧ７４との間の転送路と、ＴＷＡＧ７４とＰＧＷ＿Ａ１３１０との間の転送路を組み合わせた経路で構成されても良い。ここで、転送路はベアラであっても良い。
【０３０１】
図１５に示すように、第１のＰＤＮコネクションを確立する手続きは、ＡＰＮ１を用いたＰＤＮ接続手続きであってもよい。
【０３０２】
以下、ＰＤＮ接続手続きの具体例を説明する。
【０３０３】
［１．４．ＰＤＮ接続手続き例］
第１のＰＤＮコネクションを確立するためのＰＤＮ接続手続き例を、図１６を用いて説明する。
【０３０４】
［１．４．１．第１のＰＤＮ接続手続き例］
第１のＰＤＮ接続手続き例について図１６を用いて説明する。
【０３０５】
図１６（Ｂ）に示すように、ＵＥ１０は、まず、認証及びセキュリティアソシエーションを確立するためのセキュリティアソシエーション手続きを実行する。なお、ＵＥ１０は、初期状態が第２の初期状態である場合にセキュリティアソシエーション手続きを実行しても良い。言い換えると、初期状態が第１の初期状態である場合、ＵＥ１０はセキュリティアソシエーション手続きを実行しなくても良い。このように、初期状態が第1の初期状態である場合、ＵＥ１０は既にセキュリティアソシエーションを確立しているため、セキュリティアソシエーション手続きを省略しても良い。
【０３０６】
なお、ＵＥ１０が実行するセキュリティアソシエーション手続きは、図１５の（Ａ）を用いて説明したセキュリティアソシエーション手続きと同様であってもよい。そのため、手続きの詳細説明は省略する。
【０３０７】
次に、ＵＥ１０は、ＴＷＡＧ７４にＰＤＮ接続要求（PDN connectivity request）を送信する（Ｓ２１０２）。ＵＥ１０は、少なくともＰＤＮ接続要求メッセージＩＤ（PDN connectivity request message identity）及びプロシージャトランザクションＩＤ（Procedure transaction identity）及びリクエストタイプ（Request type）及びＰＤＮタイプ（PDN type）を含めてＰＤＮ接続要求を送信しても良い。さらに、ＵＥ１０は、少なくとも第１の識別情報及び／又は第５の識別情報及び／又は第８の識別情報をＰＤＮ接続要求に含めても良い。さらに、ＵＥ１０は、ＡＰＮ（Access Point Name）及び／又はＰＣＯ（Protocol Configuration Options）及び／又はＴＦＴ（Traffic Flow Templates）をＰＤＮ接続要求に含めても良い。なお、ＵＥ１０は、第１の識別情報及び／又は第５の識別情報及び／又は第８の識別情報及び／又はＴＦＴをＰＣＯに含めて送信しても良い。
【０３０８】
ここで、第１の識別情報は、ＵＥ１０がＮＢＩＦＯＭをサポートしていることを表すＵＥＮＢＩＦＯＭ  ｃａｐａｂｉｌｉｔｙであってもよい。なお、ＮＢＩＦＯＭ  ｃａｐａｂｉｌｉｔｙとは、マルチアクセスＰＤＮコネクションを確立する機能を有することを示す情報であってもよい。
【０３０９】
さらに、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０３１０】
このように、第５の識別情報を送信することにより、ＵＥ１０はマルチアクセスＰＤＮコネクションのモードを要求してもよい。言いかえると、第５の識別情報を送信することにより、ＵＥ１０は第５の識別情報の示すモードに対応するマルチアクセスＰＤＮコネクションの確立を要求してもよい。なお、第５の識別情報の示すモードはＵＥ１０が選択してもよい。
【０３１１】
なお、ＵＥ１０は、ＵＥ−Ｉｎｉｔｉａｔｅｄ  ｍｏｄｅのマルチアクセスＰＤＮコネクションの確立を要求する場合には、第５の識別情報を送信し、Ｎｅｔｗｏｒｋ−Ｉｎｉｔｉａｔｅｄ  ｍｏｄｅのマルチアクセスＰＤＮコネクションの確立を要求する場合には、第５の識別情報を送信しないよう設定されても良い。
【０３１２】
さらに、第８の識別情報は、マルチアクセスＰＤＮコネクションにおけるデフォルトアクセス（Ｄｅｆａｕｌｔ  Ａｓｓｅｓｓ）を示す情報であってもよい。第８の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０３１３】
もしくは、第８の識別情報は更に詳細な情報であってもよい。例えば、第８の識別情報は、Ｅ−ＵＴＲＡＮアクセスか、ＵＴＲＡＮアクセスか、ＧＥＲＡＮアクセスのいずれかであってもよい。
【０３１４】
このように、第８の識別情報を送信することにより、ＵＥ１０はマルチアクセスＰＤＮコネクションのデフォルトアクセスを要求してもよい。言いかえると、第８の識別情報を送信することにより、ＵＥ１０は第８の識別情報の示すアクセスネットワークをデフォルトアクセスとしたマルチアクセスＰＤＮコネクションの確立を要求してもよい。
【０３１５】
なお、第８の識別情報の示すアクセスネットワークはＵＥ１０が選択してもよい。さらに、ＵＥ１０はＡＮＤＳＦ（Access Network Discovery and Selection Function）サーバから受信するＩＳＲＰ（Inter System Routing Policy）などのオペレータポリシーに基づいて第８の識別情報の示すアクセスネットワークを選択してもよい。より具体的には、ＡＮＤＳＦサーバから受信するＩＳＲＰのアクセスネットワークの優先度情報を基に第８の識別情報の示すアクセスネットワークを選択してもよい。例えば、ＷＬＡＮを優先度が高いことがＩＳＲＰに記載されていることから、ＵＥ１０はＷＬＡＮを示す情報を第８の識別情報としてもよい。なお、ＵＥ１０は、ＩＳＲＰが確かな場合（Ｖａｌｉｄ）やアクティブな場合のみ、ＩＳＲＰに基づいて第８の識別情報の示すアクセスネットワークを選択してもよい。
【０３１６】
なお、ＵＥ１０は、ＵＥ−Ｉｎｉｔｉａｔｅｄ  ｍｏｄｅのマルチアクセスＰＤＮコネクションの確立を要求する場合には、第８の識別情報を送信し、Ｎｅｔｗｏｒｋ−Ｉｎｉｔｉａｔｅｄ  ｍｏｄｅのマルチアクセスＰＤＮコネクションの確立を要求する場合には、第８の識別情報を送信しないよう設定されても良い。
【０３１７】
さらに、ＵＥ１０は、確立を要求するマルチアクセスＰＤＮコネクションに対するデフォルトベアラを確立していない場合には、第８の識別情報を送信し、マルチアクセスＰＤＮコネクションに対してすでにデフォルトベアラを確立している場合には、第８の識別情報を送信しないよう設定されても良い。
【０３１８】
より具体的には、マルチアクセスＰＤＮコネクションを新たに確立する場合には、第８の識別情報を送信し、マルチアクセスＰＤＮコネクションに対してＬＴＥアクセスネットワークを介してデフォルトベアラを確立している状態において転送路を追加する場合には、第８の識別情報を送信しないよう設定されても良い。
【０３１９】
このように、第１の識別情報及び／又は第５の識別情報及び／又は第８の識別情報を送信することにより、マルチアクセスＰＤＮコネクションを確立すること要求してもよい。言い換えるとは、第１の識別情報及び／又は第５の識別情報及び／又は第８の識別情報は、マルチアクセスＰＤＮコネクションの確立を要求することを示す情報であってよい。
【０３２０】
ＰＤＮ接続要求メッセージＩＤは、ＰＤＮ接続要求メッセージを表すメッセージタイプであってもよい。
【０３２１】
プロシージャトランザクションＩＤはＰＤＮ接続手続きを識別する情報であってもよい。
【０３２２】
ＡＰＮはＵＥ１０が接続を要求するＡＰＮであってもよい。より具体的には、ＡＰＮは、ＡＰＮ１であっても良い。ＵＥ１０は、マルチアクセスＰＤＮコネクションを確立するために、ＡＰＮ１を含めても良い。ここで、ＡＰＮ１はマルチアクセスＰＤＮコネクションの確立が許可されたＡＰＮ、及び／又はＮＢＩＦＯＭに基づく通信が許可されたＡＰＮであってもよい。
【０３２３】
リクエストタイプは、要求するＰＤＮ接続手続きの種類を識別する情報であってもよい。例えば、ＵＥ１０はＡＰＮ１を用いて初期接続を行うことから、リクエストタイプは、ハンドオーバーを示すタイプではなくアタッチを示すタイプであってもよい。
【０３２４】
ＰＤＮタイプは、利用可能なＩＰバージョンを示すもであってもよい。例えば、ＰＤＮタイプはＩＰｖ４であってよく、ＩＰｖ６であってもよく、ＩＰｖ４ｖ６であっても良い。
【０３２５】
ＰＣＯは、ＰＤＮコネクションと関連付けられたプロトコル情報であってもよい。また、ＰＣＯは、要求の識別情報を含めても良い。なお、ＵＥ１０は第１の識別情報及び／又は第５の識別情報及び／又は第８の識別情報をＰＣＯに含めて送信しても良い。
【０３２６】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０３２７】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０３２８】
なお、本例では、ＰＤＮ接続要求の送信に伴い、ＵＥ１０は特定のＮＢＩＦＯＭオペレーションモードを要求していないため、ＵＥ１０はＰＤＮ接続要求にＴＦＴを含めずに送信しても良い。言い換えると、ＵＥ１０が特定のＮＢＩＦＯＭオペレーションモードを要求することなくマルチアクセスＰＤＮコネクションの確立を要求する場合には、ＵＥ１０はＰＤＮ接続要求にＴＦＴを含めずに送信しても良い。より具体的には、ＵＥ１０は第１の識別情報及び／又は第５の識別情報及び／又は第８の識別情報を含める場合には、ＴＦＴを含めずにＰＤＮ接続要求を送信しても良い。なお、従来より、ＵＥ１０はＰＣＯにＩＦＯＭ  ｓｕｐｐｏｒｔを示す情報を含めて送信することができる。ここで、ＩＦＯＭ  ｓｕｐｐｏｒｔとはＩＦＯＭ（IP Flow Mobility）をサポートしていることを表す識別情報である。さらに、ＩＦＯＭとは、ＤＳＭＩＰｖ６（Ｄｕａｌ  Ｓｔａｃｋ  Ｍｏｂｉｌｅ  ＩＰｖ６）プロトコルを用いて、特定のＩＰフローの通信路を切り替える技術のことである。したがって、ＰＣＯにＩＦＯＭサポートを示す情報を含めることにより、ＵＥ１０は、特定のＩＰフローの通信を行うアクセスネットワークを切り替えることができる。
【０３２９】
本実施形態では、ＵＥ１０はＰＣＯに第１の識別情報及び第５の識別情報及び／又は第８の識別情報を含める場合には、ＩＦＯＭ  ｓｕｐｐｏｒｔを含めない。逆に、ＵＥ１０はＰＣＯにＩＦＯＭ  ｓｕｐｐｏｒｔを含める場合には、第１の識別情報及び／又は第５の識別情報及び／又は第８の識別情報を含めない。このように、第１の識別情報及び／又は第５の識別情報及び／又は第８の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【０３３０】
これにより、ＵＥ１０は、単一のＰＤＮコネクション確立手続きにより、ＩＦＯＭをサポートしたＰＤＮコネクションもしくはＮＢＩＦＯＭをサポートしたＰＤＮコネクションのいずれか一方を確立することができる。言い換えると、単一のＰＤＮコネクションは、ＮＢＩＦＯＭをサポートしたＰＤＮコネクションか、ＩＦＯＭをサポートしたＰＤＮコネクションか、シングルアクセスＰＤＮコネクションかのいずれかである。
【０３３１】
ＴＷＡＧ７４は、ＵＥ１０が送信したＰＤＮ接続要求を受信する。ＴＷＡＧ７４はＰＤＮ接続要求の受信及び／又はＰＤＮ接続要求に含まれる第１の識別情報及び／又は第５の識別情報及び／又は第８の識別情報に基づいて、ＰＧＷ３０にセッション生成要求を送信する（Ｓ２１０４）。
【０３３２】
ＴＷＡＧ７４は、ＰＤＮ接続要求の受信及び／又はＰＤＮ接続要求に含まれる第１の識別情報及び／又は第５の識別情報及び／又は第８の識別情報に基づいて、少なくとも第１の識別情報及び／又は第５の識別情報及び／又は第８の識別情報をセッション生成要求に含めて送信しても良い。さらに、ＴＷＡＧ７４は、ＵＥ１０が送信するＴＦＴの受信に基づいて、ＴＦＴをセッション生成要求に含めても良い。
【０３３３】
なお、ＴＷＡＧ７４は、ＵＥ−Ｉｎｉｔｉａｔｅｄ  ｍｏｄｅのマルチアクセスＰＤＮコネクションの確立を要求する場合には、第８の識別情報を送信し、Ｎｅｔｗｏｒｋ−Ｉｎｉｔｉａｔｅｄ  ｍｏｄｅのマルチアクセスＰＤＮコネクションの確立を要求する場合には、第８の識別情報を送信しないよう設定されても良い。
【０３３４】
また、ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０３３５】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０３３６】
なお、ＴＷＡＧ７４は、ＰＤＮ接続要求に第１の識別情報及び／又は第５の識別情報及び／又は第８の識別情報のいずれの識別情報も含まれない場合は、第１の識別情報及び／又は第５の識別情報及び／又は第８の識別情報を含めずにセッション生成要求を送信しても良い。また、ＴＷＡＧ７４は、ＰＤＮ接続要求に第１の識別情報及び／又は第５の識別情報及び／又は第８の識別情報が含まれない場合はシングルアクセスＰＤＮコネクションを確立する手続きを実行しても良い。
【０３３７】
ＰＧＷ３０は、ＴＷＡＧ７４が送信したセッション生成要求を受信する。ＰＧＷ３０は、セッション生成要求の受信及び／又はセッション生成要求に含まれる第１の識別情報及び／又は第５の識別情報及び／又は第８の識別情報に基づいて、ＰＣＲＦ６０との間でのＩＰ−ＣＡＮセッション更新手続きを実行しても良い。
【０３３８】
ＰＧＷ３０は、セッション生成要求の受信及び／又はセッション生成要求に含まれる第１の識別情報及び／又は第５の識別情報及び／又は第８の識別情報に基づいて、少なくと
も第１の識別情報及び／又は第５の識別情報及び／又は第８の識別情報をＩＰ−ＣＡＮセッション更新手続きに含めて実行しても良い。
【０３３９】
なお、ＰＧＷ３０はＰＣＲＦ６０にＵＥ１０及び／又はＴＷＡＧ７４の情報を通知するためにＩＰ−ＣＡＮセッション更新手続きを実行しても良い。
【０３４０】
ＰＧＷ３０は、確立するＰＤＮコネクションがマルチアクセスＰＤＮコネクションであるか、シングルアクセスＰＤＮコネクションであるかを示す情報及び／又は第１の識別情報及び／又は第５の識別情報及び／又は第８の識別情報をＩＰ−ＣＡＮセッション手続き内の制御メッセージに含めてＰＣＲＦ６０に送信しても良い。
【０３４１】
より具体的には、マルチアクセスＰＤＮコネクションを確立する場合には、ＰＧＷ３０は、アクセスネットワークＢを示す情報と、ＰＤＮコネクションＩＤ（PDN connection ID）と、ＰＤＮコネクションがマルチアクセスＰＤＮコネクションであることを示す情報と、第１の識別情報及び／又は第５の識別情報及び／又は第８の識別情報をＰＣＲＦ６０に送信する。もしくは、シングルアクセスＰＤＮコネクションを確立する場合には、ＰＧＷ３０は、アクセスネットワークＢを示す情報と、ＰＤＮコネクションＩＤと、ＰＤＮコネクションがシングルアクセスＰＤＮコネクションであることを示す情報とをＰＣＲＦ６０に送信する。
【０３４２】
なお、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。
【０３４３】
さらに、ＰＣＲＦ６０は、第１の識別情報及び／又は第５の識別情報及び／又は第８の識別情報の受信に基づいて、ＰＧＷ３０との間でＩＰ−ＣＡＮセッション更新手続き内の制御メッセージに少なくとも第２の識別情報及び／又は第７の識別情報及び／又は第９の識別情報を含めてＰＧＷ３０に送信しても良い。なお、第２の識別情報及び／又は第７の識別情報及び／又は第９の識別情報の詳細説明は後述する。
【０３４４】
なお、ＰＣＲＦ６０はＰＧＷ３０に課金情報及び／又はＱｏＳ制御情報及び／又はルーティング情報を通知するためにＩＰ−ＣＡＮセッション更新手続きを実行しても良い。
【０３４５】
ＰＧＷ３０はセッション生成要求の受信又はＩＰ−ＣＡＮセッション更新手続きの完了及び／又は、セッション生成要求に含まれる第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、ＴＷＡＧ７４にセッション生成応答を送信する（Ｓ２１０６）。
【０３４６】
ＰＧＷ３０は、セッション生成要求の受信又はＩＰ−ＣＡＮセッション更新手続きの完了及び／又は、セッション生成要求に含まれる第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、少なくとも第２の識別情報及び／又は第７の識別情報及び／又は第９の識別情報をセッション生成応答に含めて送信しても良い。
【０３４７】
さらに、ＰＧＷ３０はセッション生成応答にＰＤＮアドレス（PDN Address）及び／又はＰＤＮコネクションＩＤ（PDN connection ID）及び／又はＴＦＴ及び／又はデフォルトベアラを識別するベアラ識別情報を含めても良い。
【０３４８】
なお、ＰＧＷ３０が第２の識別情報及び／又は第７の識別情報及び／又は第９の識別情報を取得する方法は、これまで説明したＩＰ−ＣＡＮセッション更新手続きにおいてＰＣＲＦ６０から取得する方法に限らず、別の例であっても良い。例えば、ＰＧＷ３０はＩＰ−ＣＡＮセッション更新手続きにおいてＰＣＲＦ６０から取得せず、ＰＧＷ３０が第２の識別情報及び／又は第７の識別情報及び／又は第９の識別情報を生成し、セッション生成応答に含めて送信しても良い。
【０３４９】
ここで、第２の識別情報は、ネットワークがＮＢＩＦＯＭをサポートしていることを表すＮＢＩＦＯＭ  ｃａｐａｂｉｌｉｔｙであってもよい。なお、ＮＢＩＦＯＭ  ｃａｐａｂｉｌｉｔｙとは、マルチアクセスＰＤＮコネクションを確立する機能を有することを示す情報であってもよい。
【０３５０】
ここで、第７の識別情報は、確立するマルチアクセスＰＤＮコネクションに対して許可されたＮＢＩＦＯＭオペレーションモードを表すＡｌｌｏｗｅｄ  Ｍｏｄｅであってもよい。言い換えると、第７の識別情報はオペレータによって許可されたオペレーションモードであってもよい。
【０３５１】
このように、第７の識別情報を送信することにより、ＵＥ１０はマルチアクセスＰＤＮコネクションのモードを通知してもよい。言いかえると、第７の識別情報を送信することにより、第７の識別情報の示すモードに対応するマルチアクセスＰＤＮコネクションの確立すること許可してもよい。なお、第７の識別情報の示すモードはＰＣＲＦ６０又はＰＧＷ３０が選択してもよい。なお、ＰＣＲＦ６０又はＰＧＷ３０は、ＵＥ１０の要求する第５の識別情報が示すモードのマルチアクセスＰＤＮコネクションの確立を許可した場合には、第５の識別情報の示すモードを第７の識別情報として送信してもよい。
【０３５２】
なお、ＰＣＲＦ６０又はＰＧＷ３０は、Ａｌｌｏｗｅｄ  Ｍｏｄｅをオペレータポリシーに基づいて第７の識別情報を決定しても良い。例えば、ＵＥ−Ｉｎｉｔｉａｔｅｄ  ｍｏｄｅのＰＤＮコネクションのみ確立を許すポリシーや、Ｎｅｗｔｏｒｋ−Ｉｎｉｔｉａｔｅｄ  ｍｏｄｅのＰＤＮコネクションのみ確立を許すポリシーや、両方のモードの確立を許すポリシーや、両方のモードの確立を禁止するポリシー等を管理してもよい。
【０３５３】
なお、ＰＣＲＦ６０又はＰＧＷ３０は、オペレータポリシーをＨＳＳ５０等から取得しても良い。もしくは、オペレータポリシーは管理者により生成されたものを保存しても良い。
【０３５４】
さらに、オペレータポリシーは、加入者毎に異なるポリシーを管理しても良い。もしくは、ＡＰＮ毎に異なるポリシーを管理しても良い。例えば、ＡＰＮ毎に確立するＰＤＮコネクションに対して異なるＡｌｌｏｗｅｄ Ｍｏｄｅが管理されていても良い。
【０３５５】
ＰＣＲＦ６０又はＰＧＷ３０は、Ａｌｌｏｗｅｄ  Ｍｏｄｅに基づいて、許可されているオペレーションモードを第７の識別情報に含めても良い。
【０３５６】
言い換えると、ＰＣＲＦ６０又はＰＧＷ３０はＮｅｔｗｏｒｋ−Ｉｎｉｔｉａｔｅｄ  ｍｏｄｅのみが許可されている場合には、第７の識別情報にＮｅｔｗｏｒｋ−Ｉｎｉｔｉａｔｅｄ  ｍｏｄｅを含めても良い。若しくは、ＵＥ−Ｉｎｉｔｉａｔｅｄ  ｍｏｄｅのみ許可されている場合には、第７の識別情報にＵＥ−Ｉｎｉｔｉａｔｅｄ  ｍｏｄｅを含めても良い。
【０３５７】
なお、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されている場合には、第７の識別情報は両方のオペレーションモードを含めても良い。若しくは、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されており、且つデフォルトのオペレーションモードが設定されている場合には、第７の識別情報はデフォルトのオペレーションモードのみ含めても良い。なお、ＵＥ−Ｉｎｉｔｉａｔｅｄ  ｍｏｄｅとＮｅｔｗｏｒｋ−Ｉｎｉｔｉａｔｅｄ  ｍｏｄｅのどちらをデフォルトのオペレーションモードとするかは、オペレータポリシーに基づいて設定されてもよい。
【０３５８】
なお、全てのオペレーションモードのＰＤＮコネクションの確立が許可されてない場合には、ＰＣＲＦ６０は、要求したオペレーションモードは許可されないモードであることを示す理由情報（Requested Operation Mode is not allowed）をＰＧＷ３０に送信しても良い。
【０３５９】
全てのオペレーションモードのＰＤＮコネクションの確立が許可されてない場合には、ＰＧＷ３０は、第７の識別情報をＴＷＡＧ７４に通知しなくても良い。
【０３６０】
全てのオペレーションモードのＰＤＮコネクションの確立が許可されてない場合には、ＰＧＷ３０は、要求したオペレーションモードは許可されないモードであることを示す理由情報（Requested Operation Mode is not allowed）をセッション生成応答に含めてＴＷＡＧ７４に送信しても良い。
【０３６１】
全てのオペレーションモードのＰＤＮコネクションの確立が許可されてない場合には、ＰＧＷ３０は、許可されたオペレーションが無いことをＴＷＡＧ７４に通知しても良い。
【０３６２】
このように、Ａｌｌｏｗｅｄ  Ｍｏｄｅに基づいて、ＰＣＲＦ６０又はＰＧＷ３０は,ＰＤＮコネクションの確立が許可されたオペレーションモードを、第７の識別情報としても良い。
【０３６３】
なお、第７の識別情報にＮｅｔｗｏｒｋ−Ｉｎｉｔｉａｔｅｄ  ｍｏｄｅが含まれない場合には、ＰＣＲＦ６０はＰＧＷ３０にＴＦＴを送信しなくても良い。
【０３６４】
言い換えると、なお、第７の識別情報にＮｅｔｗｏｒｋ−Ｉｎｉｔｉａｔｅｄ  ｍｏｄｅが含まれる場合にのみ、ＰＣＲＦ６０はＰＧＷ３０にＴＦＴを送信しても良い。
【０３６５】
なお、第７の識別情報にＮｅｔｗｏｒｋ−Ｉｎｉｔｉａｔｅｄ  ｍｏｄｅが含まれない場合には、ＰＧＷ３０はＴＷＡＧ７４にＴＦＴを送信しなくても良い。したがって、この場合には、ＰＧＷ３０はＴＦＴをセッション生成応答に含めなくても良い。
【０３６６】
言い換えると、なお、第７の識別情報にＮｅｔｗｏｒｋ−Ｉｎｉｔｉａｔｅｄ  ｍｏｄｅが含まれる場合にのみ、ＰＧＷ３０はＴＷＡＧ７４にＴＦＴを送信しても良い。したがって、この場合には、ＰＧＷ３０はＴＦＴをセッション生成応答に含めても良い。
【０３６７】
ＰＤＮアドレスは、ＵＥ１０に割り当てられたＩＰアドレスであってもよい。例えば、ＩＰｖ４アドレスであってよく、ＩＰｖ６アドレスを構築するためのＩＰｖ６プレフィックスとインターフェースＩＤであってもよい。ここで、ＰＧＷ３０はＵＥ１０のＩＰアドレスを割り当てても良い。さらに、ＰＧＷ３０は、ＵＥ１０に割り当てたＩＰアドレスをＰＤＮアドレスに含めても良い。
【０３６８】
また、ＰＤＮコネクションＩＤは、ＵＥ１０とＰＧＷ３０の間で確立するＰＤＮコネクションを一意に識別するための情報であってもよい。ＰＤＮコネクションＩＤは、ＰＧＷ３０によって割り当てられてもよく、ＴＷＡＧ７４によって割り当てられても良い。言い
換えると、ＰＧＷ３０がＰＤＮコネクションＩＤを割り当ててもよい。
【０３６９】
さらに、第９の識別情報は、マルチアクセスＰＤＮコネクションにおけるデフォルトアクセス（Ｄｅｆａｕｌｔ  Ａｓｓｅｓｓ）を示す情報であってもよい。なお、第９の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０３７０】
もしくは、第９の識別情報は更に詳細な情報であってもよい。例えば、第９の識別情報は、Ｅ−ＵＴＲＡＮアクセスか、ＵＴＲＡＮアクセスか、ＧＥＲＡＮアクセスのいずれかであってもよい。
【０３７１】
このように、第９の識別情報を送信することにより、ＰＣＲＦ６０またはＰＧＷ３０はマルチアクセスＰＤＮコネクションのデフォルトアクセスをＵＥ１０に通知してもよい。言いかえると、第９の識別情報を送信することにより、ＰＣＲＦ６０またはＰＧＷ３０は第９の識別情報の示すアクセスネットワークをデフォルトアクセスとしたマルチアクセスＰＤＮコネクションの確立を要求してもよい。なお、第９の識別情報の示すアクセスネットワークはＰＣＲＦ６０またはＰＧＷ３０が選択してもよい。なお、ＰＣＲＦ６０又はＰＧＷ３０は、ＵＥ１０の要求する第８の識別情報が示すデフォルトアクセスのマルチアクセスＰＤＮコネクションの確立を許可した場合には、第８の識別情報の示すアクセスネットワークを第９の識別情報として送信してもよい。
【０３７２】
このように、第２の識別情報及び／又は第７の識別情報及び／又は第９の識別情報を送信することにより、マルチアクセスＰＤＮコネクションを確立することに対する許可してもよい。言い換えるとは、第２の識別情報及び／又は第７の識別情報及び／又は第９の識別情報は、マルチアクセスＰＤＮコネクションの確立すること、又は許可することを示す情報であってよい。
【０３７３】
なお、ＰＣＲＦ６０及びＰＧＷ３０は、確立を要求するマルチアクセスＰＤＮコネクションに対するデフォルトベアラを確立していない場合には、第９の識別情報を送信し、マルチアクセスＰＤＮコネクションに対してすでにデフォルトベアラを確立している場合には、第９の識別情報を送信しないよう設定されても良い。
【０３７４】
より具体的には、マルチアクセスＰＤＮコネクションを新たに確立する場合には、第９の識別情報を送信し、マルチアクセスＰＤＮコネクションに対してＬＴＥアクセスネットワークを介してデフォルトベアラを確立している状態において転送路を追加する場合には、第９の識別情報を送信しないよう設定されても良い。
【０３７５】
ＴＷＡＧ７４は、ＰＧＷ３０が送信したセッション生成応答を受信する。ＴＷＡＧ７４はセッション生成応答の受信及び／又はセッション生成応答に含まれる第２の識別情報及び／又は第７の識別情報及び／又は第９の識別情報に基づいて、ＵＥ１０にＰＤＮ接続受諾（PDN connectivity accept）を送信する（Ｓ２１０８）。なお、ＰＤＮ接続受諾メッセージは、ＰＤＮコネクションの確立を許可することを示す制御メッセージであればよく、デフォルトＥＰＳベアラコンテキストアクティブ化要求（Activate default EPS bearer context request）であってよい。また、ＰＤＮ接続受諾メッセージはＰＤＮ接続要求（PDN connectivity request）に対する応答メッセージであってよい。
【０３７６】
ＴＷＡＧ７４は、セッション生成応答の受信及び／又はセッション生成応答に含まれる第２の識別情報及び／又は第７の識別情報及び／又は第９の識別情報に基づいて、少なく
ともＰＤＮ接続受諾メッセージＩＤ（PDN connectivity accept message identity）及びプロシージャトランザクションＩＤ及びＡＰＮ及びＰＤＮアドレス（PDN Address）及びＰＤＮコネクションＩＤ（PDN connection ID）及びユーザプレーンコネクションＩＤ（User Plane Connection ID）をＰＤＮ接続受諾に含めて送信しても良い。さらに、ＴＷＡＧ７４は、少なくとも第２の識別情報及び／又は第７の識別情報及び／又は第９の識別情報をＰＤＮ接続受諾に含めても良い。さらに、ＴＷＡＧ７４は、ＰＣＯ及び／又はＣａｕｓｅ及び／又はＴＦＴ及び／又はデフォルトベアラを識別するベアラ識別情報及び又ＰＤＮコネクション属性情報をＰＤＮ接続受諾に含めても良い。なお、ＴＷＡＧ７４は第２の識別情報及び／又は第７の識別情報及び／又は第９の識別情報及び／又はＴＦＴをＰＣＯに含めて送信しても良い。
【０３７７】
ここで、ＰＤＮ接続受諾メッセージＩＤはＰＤＮ接続受諾メッセージを表すメッセージタイプであってもよい。
【０３７８】
ＡＰＮはＵＥ１０が接続を許可されたＡＰＮであってもよい。より具体的には、ＡＰＮは、ＡＰＮ１であっても良い。ＡＰＮ１は、マルチアクセスＰＤＮコネクションを確立ことが許可されたＡＰＮであっても良い。ＴＷＡＧ７４はＡＰＮ１をＰＤＮ接続受諾に含めても良い。
【０３７９】
ＰＤＮアドレスは、ＵＥ１０に割り当てられたＩＰアドレスであってもよい。例えば、ＩＰｖ４アドレスであってよく、ＩＰｖ６アドレスを構築するためのインターフェースＩＤであってもよい。
【０３８０】
ＰＤＮコネクションＩＤは、ＵＥ１０とＰＧＷ３０の間で確立するＰＤＮコネクションを一意に識別するための情報であってもよい。ＰＤＮコネクションＩＤは、ＰＧＷ３０が割り当てたＩＤでもよく、ＴＷＡＧ７４が割り当てたＩＤでも良い。言い換えると、ＴＷＡＧ７４がＰＤＮコネクションＩＤを割り当てても良い。
【０３８１】
ユーザプレーンコネクションＩＤは、ユーザプレーンを識別する情報である。ユーザプレーンは、ＰＤＮコネクションでユーザデータの転送に用いる転送路である。ＴＷＡＧ７４はユーザプレーンコネクションＩＤを割り当てても良い。
【０３８２】
Ｃａｕｓｅは、ＵＥ１０に割り当てられたＰＤＮアドレスのＰＤＮタイプが、ＰＤＮ接続要求でＵＥ１０が要求したＰＤＮタイプと異なることを表す情報であってもよい。
【０３８３】
なお、ＴＷＡＧ７４及び／又はＰＧＷ３０は、ＰＣＯに第２の識別情報及び／又は第７の識別情報及び／又は第９の識別情報を含めてもよい。ただし、ＴＷＡＧ７４及び／又はＰＧＷ３０はＰＣＯに第２の識別情報及び／又は第７の識別情報及び／又は第９の識別情報を含める場合には、ＩＦＯＭ  ｓｕｐｐｏｒｔを含めない。逆に、ＴＷＡＧ７４及び／又はＰＧＷ３０は、ＰＣＯにＩＦＯＭ  ｓｕｐｐｏｒｔを含める場合には、第２の識別情報及び／又は第７の識別情報及び／又は第９の識別情報を含めない。このように、第２の識別情報及び／又は第７の識別情報及び／又は第９の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【０３８４】
ＰＤＮコネクション属性情報は、本ＰＤＮ接続手続きで確立したＰＤＮコネクションがマルチアクセスＰＤＮコネクションであることを示す情報、及び／又は、ＰＤＮコネクショ本ＰＤＮ接続手続きで確立したＰＤＮコネクションを用いて送受信するユーザデータは、アクセスネットワークＡ及びアクセスネットワークＢを介して送受信することが許可されたことを示す情報、及び／又は、第７の識別情報の示すオペレーションモードが複数無い場合には、本ＰＤＮ接続手続きで確立したＰＤＮコネクションが第７の識別情報の示すオペレーションモードのマルチアクセスＰＤＮコネクションであることを示す情報であってもよい。
【０３８５】
なお、ＵＥ１０は、ＰＤＮコネクションのタイプを示すコネクティビティタイプ及び／又はＷＬＡＮオフロードの可否を示すＷＬＡＮオフロード許可情報（ＷＬＡＮ  ｏｆｆｌｏａｄ  ａｃｃｅｐｔａｂｌｉｔｙ）をさらに含めてＰＤＮ接続受諾メッセージを送信しても良い。さらに、ＴＷＡＧ７４は、ＰＤＮコネクション属性情報を、コネクティビティタイプ又はＷＬＡＮオフロード許可情報に含めて送信しても良い。
【０３８６】
ＵＥ１０は、ＴＷＡＧ７４が送信したＰＤＮ接続受諾を受信する。ＵＥ１０はＰＤＮ接続受諾の受信及び／又はＰＤＮ接続受諾に含まれる第２の識別情報及び／又は第７の識別情報及び／又は第９の識別情報に基づいて、ＴＷＡＧ７４にＰＤＮ接続完了（PDN connectivity complete）を送信する（Ｓ２１１０）。
【０３８７】
ＵＥ１０は、少なくともＰＤＮ接続完了メッセージＩＤ（PDN connectivity complete）及びプロシージャトランザクションＩＤ及びＰＤＮコネクションＩＤをＰＤＮ接続完了に含めて送信しても良い。
【０３８８】
さらに、第７の識別情報に複数のＩＮＦＯＭオペレーションモードが含まれている場合には、ＵＥ１０は、少なくとも第５の識別情報をＰＤＮ接続完了に含めても良い。言い換えると、複数のＩＮＦＯＭオペレーションモードが許可されている場合には、ＵＥ１０は、許可されているモードのうちの一つを選択し、第５の識別情報に含めて送信しても良い。
【０３８９】
ここで、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０３９０】
具体的には、ＵＥ１０は、ＰＤＮ接続受諾に含まれる第７の識別情報にＵＥ−Ｉｎｉｔｉａｔｅｄ  ｍｏｄｅ及びＮｅｔｗｏｒｋ−Ｉｎｉｔｉａｔｅｄ  ｍｏｄｅが含まれている場合、第５の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０３９１】
ＵＥ−Ｉｎｉｔｉａｔｅｄ  ｍｏｄｅとＮｅｔｗｏｒｋ−Ｉｎｉｔｉａｔｅｄ  ｍｏｄｅのどちらを第５の識別情報に含めるかは、ＵＥポリシーに基づいて決定しても良い。なお、ＵＥポリシーは、ＵＥ１０に設定された情報であれば良い。例えば、ＵＥポリシーはユーザによって設定された情報であってもよい。
【０３９２】
ＰＤＮ接続完了メッセージＩＤはＰＤＮ接続完了メッセージを表すメッセージタイプであってもよい。
【０３９３】
第１のＰＤＮ接続手続きの完了により、ＵＥ１０とＰＧＷ３０は、オペレータポリシーによって決定されたオペレーションモードの第１のＰＤＮコネクションを確立する。もしくは、ＵＥ１０は、オペレータポリシーによって許可されたオペレーションモードのうちの一つから選択したオペレーションモードの第１のＰＤＮコネクションを確立する。なお、ＵＥ１０は、ＰＤＮ接続受諾の受信、及び／又はＰＤＮコネクション属性情報、及び／又は第７の識別情報、及び／又は第７の識別情報に基づいて選択するオペレーションモー
ドに基づいて、確立したＰＤＮコネクションに対するＮＢＩＦＯＭオペレーションモードを識別しても良い。第１のＰＤＮコネクションの確立に基づき、ＵＥ１０及びＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信する。より具体的には、ＵＥ１０及びＰＧＷ３０は、ＴＦＴで識別されるフローを第１のＰＤＮコネクションを用いて送受信する。
【０３９４】
さらに、第1のＰＤＮコネクションの確立において、ＵＥ１０及びＰＧＷ３０はデフォルトベアラを確立する。ＵＥ１０及びＰＧＷ３０は、ＷＬＡＮアクセスネットワークを経由してＰＤＮ接続手続きを完了したことに基づいて、ＰＤＮ接続手続きで確立したデフォルトベアラの識別情報と、ＷＬＡアクセスネットワークを識別する情報とを対応づけて記憶する。
【０３９５】
なお、ＵＥ１０は、ＴＦＴを受信していない場合もしくは保有するＴＦＴにマッチしないユーザデータの送受信を行う際、デフォルトベアラを用いてデータ送受信を行う。また、ＰＧＷ３０は、ＴＦＴを受信していない場合もしくは保有するＴＦＴにマッチしないユーザデータの送受信を行う際、デフォルトベアラを用いてデータ送受信を行う。
【０３９６】
このようにＵＥ１０及びＰＧＷ３０は、ＰＤＮ接続手続きにおいてマルチアクセスＰＤＮコネクションを確立し、マルチアクセスＰＤＮコネクションに対するデフォルトベアラを確立する。さらに、ＵＥ１０及びＰＧＷ３０は、デフォルトベアラが複数確立された場合にデフォルトベアラを選択するためのデフォルトアクセスを、マルチアクセスＰＤＮコネクションに対応づけて記憶することができる。
【０３９７】
なお、第１のＰＤＮ接続手続きの例では、ＴＦＴの送受信をＰＤＮ接続手続きに含める場合について説明したが、これに限らず、ＴＦＴの送受信は、マルチアクセスＰＤＮコネクションの確立後に実行しても良い。
【０３９８】
したがって、ＵＥ１０及びＴＷＡＧ７４は、ＴＦＴをＰＤＮ接続要求及び／又はＰＤＮ接続応答（PDN connectivity accept）に含めずに送受信し、マルチアクセスＰＤＮコネクションを確立しても良い。言い換えると、ＰＤＮコネクションを確立した時点では、ＰＤＮコネクションを用いてユーザデータを送受信するＩＰフローは無い状態であってもよい。その場合、ＵＥ１０及びＴＷＡＧ７４は、マルチアクセスＰＤＮコネクションを確立後にＴＦＴを送信する。
【０３９９】
より具体的には、ＵＥ−Ｉｎｉｔｉａｔｅｄ  ｍｏｄｅのＰＤＮコネクションを確立した場合には、ＵＥ１０はＴＷＡＧ７４にＴＦＴを送信しても良い。さらに、ＴＷＡＧ７４は、ＴＦＴをＵＥ１０から受信し、ＰＧＷ３０に送信する。これにより、ＵＥ１０とＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信することができる。
【０４００】
なお、ＵＥ１０及びＰＧＷ３０は、保有するＴＦＴにマッチしないユーザデータの送受信を行う際、デフォルトベアラを用いてデータ送受信を行う。
【０４０１】
一方で、Ｎｅｔｗｏｒｋ−Ｉｎｉｔｉａｔｅｄ  ｍｏｄｅのＰＤＮコネクションを確立した場合には、ＰＧＷ３０はＴＷＡＧ７４にＴＦＴを送信しても良い。ここで、ＰＧＷ３０は、オペレータポリシーに基づいて決定されるＴＦＴをＰＣＲＦ６０から受信しても良い。さらに、ＴＷＡＧ７４は、ＴＦＴをＰＧＷ３０から受信し、ＵＥ１０に送信する。これにより、ＵＥ１０とＰＧＷ３０は、ＴＦＴを用いてＩＰフローを送受信するＰＤＮコネ
クション及び／又はＥＰＳベアラ等の転送路を決定し、ＴＦＴで識別されるＩＰフローに対応するユーザデータを送受信することができる。
【０４０２】
なお、ＵＥ１０及びＰＧＷ３０は、保有するＴＦＴにマッチしないユーザデータの送受信を行う際、デフォルトベアラを用いてデータ送受信を行う。
【０４０３】
また、第１のＰＤＮ接続手続きの例では、ＵＥ１０とＰＧＷ３０とが、オペレータポリシーによって決定されたオペレーションモード、もしくは、オペレータポリシーによって許可されたオペレーションモードのうちの一つからＵＥ１０が選択したオペレーションモードの第１のＰＤＮコネクションを確立する場合について説明したが、これに限らず、ＵＥ１０は、第１のＰＤＮコネクションの確立を拒絶しても良い。
【０４０４】
例えば、ＵＥ１０が、オペレータポリシーによって許可されたオペレーションモードをサポートしていない場合、及び／又は、オペレータポリシーによって許可されたオペレーションモードがＵＥ１０のポリシーに沿わない場合に、ＵＥ１０は、第１のＰＤＮコネクションの確立を拒絶しても良い。
【０４０５】
より詳細には、ＵＥ１０は、ＰＤＮ接続受諾の受信及び／又はＰＤＮ接続受諾に含まれる第７の識別情報及び／又はＰＤＮコネクション属性情報及び／又はＵＥ１０のポリシーに基づいて、ＴＷＡＧ７４にＰＤＮ接続拒絶（PDN connectivity reject）を送信しても良い。
【０４０６】
ＵＥ１０は、少なくともＰＤＮ接続拒絶メッセージＩＤ（PDN connectivity reject message identity）及びプロシージャトランザクションＩＤ及びＣａｕｓｅのいずれか一つ以上の情報をＰＤＮ接続拒絶に含めて送信しても良い。さらに、ＵＥ１０はＰＤＮ接続拒絶に第４の識別情報を含めても良い。さらに、ＵＥ１０はＰＤＮ接続拒絶にＰＣＯ及び／又はＴｗ１バリュー（Tw1 value）を含めても良い。なお、ＵＥ１０は第４の識別情報をＰＣＯに含めて送信しても良い。
【０４０７】
第４の識別情報は、ＵＥ１０がオペレータポリシーによって許可されたオペレーションモードをサポートしていないことを表す情報及び／又はオペレータポリシーによって許可されたオペレーションモードがＵＥ１０のポリシーに沿わないことを表す情報であってもよい。
【０４０８】
ＰＤＮ接続拒絶メッセージＩＤはＰＤＮ接続拒絶メッセージを表すメッセージタイプであってもよい。
【０４０９】
Ｃａｕｓｅは、ＰＤＮ接続要求が拒絶された理由を表す情報であってもよい。ここで、ＵＥ１０は、第４の識別情報をＣａｕｓｅに含めてもＵＥ１０に通知しても良い。
【０４１０】
Ｔｗ１バリューはＣａｕｓｅがリソース不足（insufficient resources）を表す場合に含まれる、Ｔｗ１タイマーの値であってもよい。
【０４１１】
ＴＷＡＧ７４は、ＵＥ１０が送信したＰＤＮ接続拒絶を受信しても良い。ＴＷＡＧ７４は、ＰＤＮ接続拒絶の受信及び／又はＰＤＮ接続拒絶に含まれる第４の識別情報をもとに、ＴＷＡＧ７４が保有する確立したＰＤＮコネクションに関してのＥＰＳベアラコンテキストを削除しても良い。また、ＴＷＡＧ７４は、ＰＧＷ３０にＰＤＮ接続拒絶に含まれる第４の識別情報を送信しても良い。
【０４１２】
ＰＧＷ３０は、ＴＷＡＧ７４が送信した第４の識別情報を受信しても良い。ＰＧＷ３０は、第４の識別情報の受信及び／又はオペレータポリシーに基づいて、ＰＧＷ３０が保有する確立しているＰＤＮコネクションに関するＥＰＳベアラコンテキストを削除しても良い。
【０４１３】
また、ＰＧＷ３０は第４の識別情報の受信をもとに、ＰＣＲＦ６０との間でＩＰ−ＣＡＮセッション更新手続きを実行しても良い。ＰＧＷ３０は、ＩＰ−ＣＡＮセッション更新手続きに第４の識別情報を含めても良い。
【０４１４】
ＰＣＲＦ６０は、ＩＰ−ＣＡＮセッション更新手続きに基づいて、オペレータポリシーを変更しても良い。なお、ＰＧＷ３０は、オペレータポリシーの変更に基づき、ＰＧＷ３０が保有する確立したＰＤＮコネクションに関してのＥＰＳベアラコンテキストを削除しても良い。
【０４１５】
［１．４．２．ＰＤＮコネクション確立手続き後の状態の説明］
前記で説明した第１のＰＤＮ接続手続きを実行すると、後述の第１の状態及び、第２の状態となる。
【０４１６】
なお、追加アタッチ手続きでの初期状態は、第１の状態であってもよく、第２の状態であっても良い。なお、追加アタッチ手続きにおける初期状態は第１又は第２の状態に限らなくても良い。
【０４１７】
［１．４．３．第１の状態の説明］
第１の状態を図１３を用いて説明する。第１の状態では、ＵＥ１０はコアネットワーク９０との間に第１のＰＤＮコネクションを確立している状態である。しかし、ＵＥ１０は第２のＰＤＮコネクションを既に確立していない状態である。より詳細には、ＵＥ１０は、ＰＧＷ＿Ａ１３１０との間に第１のＰＤＮコネクションを確立している。しかし、ＵＥ１０はＰＧＷ＿Ｂ１３２０との間に第２のＰＤＮコネクションを確立していない。
【０４１８】
なお、ＰＧＷ＿Ａ１３１０は、ＡＰＮ１を用いて選択されるゲートウェイ装置であってもよい。ＰＧＷ＿Ｂ１３２０は、ＡＰＮ２を用いて選択されるゲートウェイ装置であってもよい。更に、ＰＧＷ＿Ａ１３１０及びＰＧＷ＿Ｂ１３２０はＰＧＷ３０であってもよい。また、ＡＰＮ１及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０４１９】
さらに、ＡＰＮ１を用いて選択されるゲートウェイ装置とＡＰＮ２を用いて選択されるゲートウェイ装置は同一のゲートウェイ装置であってもよい。その場合は、ＰＧＷ＿Ａ１３１０とＰＧＷ＿Ｂ１３２０は同一の装置であってもよい。
【０４２０】
なお、第１のＰＤＮコネクションは、アクセスネットワークＢを介したＵＥ１０とＰＧＷ３０との間の転送路で構成されてもよい。したがって、ＵＥ１０とＴＷＡＧ７４との間の転送路と、ＴＷＡＧ７４とＰＧＷ＿Ａ１３１０との間の転送路を組み合わせた転送路で構成されてもよい。ここで、転送路はベアラであっても良い。
【０４２１】
このように、第１の状態では、ＵＥ１０はアクセスネットワークＢを経由してマルチアクセスＰＤＮコネクションを確立している状態であってもよい。さらに、第１の状態では、ＵＥ１０はアクセスネットワークＡを経由してコアネットワーク９０に接続していない状態であってもよい。
【０４２２】
なお、ＵＥ１０は、アクセスネットワークＢを経由してシングルアクセスＰＤＮコネク
ションを確立していなくても良い。
【０４２３】
もしくは、ＵＥ１０はアクセスネットワークＢを経由してシングルアクセスＰＤＮコネクションを確立している状態であっても良い。その場合、ＵＥ１０はＵＥ１０が主導して開始するシングルアクセスＰＤＮコネクションでのアタッチ手続き又はＰＤＮ接続手続きをＷＬＡＮアクセスネットワークで実行し、第３のＰＤＮコネクションを確立しても良い。
【０４２４】
なお、第３のＰＤＮコネクションは、ＡＰＮ２を用いて選択されるゲートウェイとの間に確立しても良い。もしくは、ＡＰＮ１やＡＰＮ２とは異なる他のＡＰＮを用いて選択されるゲートウェイとの間に確立しても良い。
【０４２５】
以上、第１の状態を説明してきたが、第１の状態はこれに限らず、例えばアクセスネットワークＢを介してマルチアクセスＰＤＮコネクションを確立している、且つ、アクセスネットワークＡを介してＰＤＮコネクションを確立していない状態であれば良い。
【０４２６】
［１．４．４．第２の状態の説明］
第２の状態を図１４を用いてを説明する。第２の状態では、ＵＥ１０はコアネットワーク９０との間に第１のＰＤＮコネクションを確立している状態である。さらに、ＵＥ１０はコアネットワーク９０との間に第２のＰＤＮコネクションを確立している状態である。より詳細には、ＵＥ１０は、ＰＧＷ＿Ａ１３１０との間に第１のＰＤＮコネクションを確立している。さらに、ＵＥ１０はＰＧＷ＿Ｂ１３２０との間に第２のＰＤＮコネクションを確立している。
【０４２７】
なお、ＰＧＷ＿Ａ１３１０は、ＡＰＮ１を用いて選択されるゲートウェイ装置であってもよい。ＰＧＷ＿Ｂ１３２０は、ＡＰＮ２を用いて選択されるゲートウェイ装置であってもよい。更に、ＰＧＷ＿Ａ１３１０及びＰＧＷ＿Ｂ１３２０はＰＧＷ３０であってもよい。また、ＡＰＮ１及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０４２８】
さらに、ＡＰＮ１を用いて選択されるゲートウェイ装置とＡＰＮ２を用いて選択されるゲートウェイ装置は同一のゲートウェイ装置であってもよい。その場合は、ＰＧＷ＿Ａ１３１０とＰＧＷ＿Ｂ１３２０は同一の装置であってもよい。
【０４２９】
なお、第１のＰＤＮコネクションは、アクセスネットワークＢを介したＵＥ１０とＰＧＷ３０との間の転送路で構成されてもよい。したがって、ＵＥ１０とＴＷＡＧ７４との間の転送路と、ＴＷＡＧ７４とＰＧＷ＿Ｂ１３２０との間の転送路を組み合わせた転送路で構成されてもよい。ここで、転送路はベアラであっても良い。
【０４３０】
また、第２のＰＤＮコネクションは、アクセスネットワークＡを介したＵＥ１０とＰＧＷ３０との間の転送路で構成されてもよい。したがって、ＵＥ１０とｅＮｏｄｅＢ４５との間の転送路と、ｅＮｏｄｅＢ４５とＳＧＷ３５との間の転送路と、ＳＧＷ３５とＰＧＷ＿Ｂ１３２０との間の転送路を組み合わせた転送路で構成されてもよい。ここで、転送路はベアラであっても良い。
【０４３１】
このように、第１の状態では、ＵＥ１０はアクセスネットワークＢを経由してマルチアクセスＰＤＮコネクションを確立している状態であってもよい。さらに、ＵＥ１０はアクセスネットワークＡを経由してシングルアクセスＰＤＮコネクションを確立している状態であってもよい。
【０４３２】
なお、ＵＥ１０は、アクセスネットワークＢを経由してシングルアクセスＰＤＮコネクションを確立していなくても良い。
【０４３３】
もしくは、ＵＥ１０はアクセスネットワークＢを経由してシングルアクセスＰＤＮコネクションを確立している状態であっても良い。その場合、ＵＥ１０はＵＥ１０が主導して開始するシングルアクセスＰＤＮコネクションでのアタッチ手続き又はＰＤＮ接続手続きをＷＬＡＮアクセスネットワークで実行し、第３のＰＤＮコネクションを確立しても良い。
【０４３４】
なお、第３のＰＤＮコネクションは、ＡＰＮ２を用いて選択されるゲートウェイとの間に確立しても良い。もしくは、ＡＰＮ１やＡＰＮ２とは異なる他のＡＰＮを用いて選択されるゲートウェイとの間に確立しても良い。
【０４３５】
以上、第２の状態を説明してきたが、第２の状態はこれに限らず、例えばアクセスネットワークＢを介してマルチアクセスＰＤＮコネクションを確立している、且つ、アクセスネットワークＡを介してシングルアクセスＰＤＮコネクションを確立している状態であれば良い。
【０４３６】
［１．５．追加アタッチ手続き］
以下、追加アタッチ手続きについて説明する。第１のＰＤＮコネクションのＯｐｅｒａｔｉｏｎ  ｍｏｄｅがＮｅｔｗｏｒｋ−ｉｎｉｔｉａｔｅｄ  ｍｏｄｅであるということは、言い換えると、ＵＥ１０主導でのフロー切り替え及び／又はＰＤＮコネクションのルーティングルールの更新ができない。一方で、ＰＤＮ接続手続き及び／又はアタッチ手続きは、ＵＥ１０主導で開始される。
【０４３７】
なお、ルーティングルール（Ｒｏｕｔｉｎｇ  Ｒｕｌｅ）とは、ＵＥ１０が保有するＴＦＴに基づいてユーザデータを送受信する転送路又はベアラを選択するための情報であってよい。より具体的には、ＴＦＴと転送路又はベアラを対応づけた情報であってよい。
【０４３８】
先述のように、第２の状態は、ＵＥ１０は第１のＰＤＮコネクションをアクセスネットワークＢのみを介して確立している状態である。つまり、ＬＴＥアクセスネットワークを介した転送路は第１のＰＤＮコネクションに含まれていない。なお、転送路はベアラ及び／又は通信路であってもよい。
【０４３９】
そのため、第２の状態の第１のＰＤＮコネクションがＮｅｔｗｏｒｋ−ｉｎｉｔｉａｔｅｄ  ｍｏｄｅである場合、ネットワーク及び／又はＰＣＲＦ６０はアクセスネットワークＡを介した転送路を第１のＰＤＮコネクションに含めることができない。
【０４４０】
そのため、第２の状態への状態遷移、及びＯｐｅｒａｔｉｏｎ  ｍｏｄｅがＮｅｔｗｏｒｋ−ｉｎｉｔｉａｔｅｄ  ｍｏｄｅであることに基づきＵＥ１０はアクセスネットワークＡを介した転送路を確立するための手続きを実行しても良い。
【０４４１】
また、第１の状態及び／又は第２の状態の第１のＰＤＮコネクションのＯｐｅｒｅａｔｉｏｎ  ｍｏｄｅがＵＥ−ｉｎｉｔｉａｔｅｄ  ｍｏｄｅである場合も、ＵＥ１０はＵＥ１０が記憶するルーティングルールに基づいてアクセスネットワークＡを介した転送路の確立手続きを実行しても良い。
【０４４２】
具体的には、第１のＰＤＮコネクションのルーティングルールがＬＴＥアクセスを優先する事を示す場合、ＵＥ１０は第１のＰＤＮコネクションにアクセスネットワークＡを介した転送路を追加するための手続きを実行してもよい。
【０４４３】
より具体的には、ＵＥ１０が第１のＰＤＮコネクションに対して特定のフローとＬＴＥアクセスを対応づけたルーティングルールを記憶する場合、ＵＥ１０はアクセスネットワークＡを介した転送路を追加する手続きを実行してもよい。
【０４４４】
言い換えると、第１のＰＤＮコネクションのルーティングルールがＬＴＥアクセスを優先する事を示さない場合、ＵＥ１０は第１のＰＤＮコネクションにアクセスネットワークＡを介した転送路を追加するための手続きを実行しない。
【０４４５】
より具体的には、ＵＥ１０が第１のＰＤＮコネクションに対して特定のフローとＬＴＥアクセスを対応づけたルーティングルールを記憶しない場合、ＵＥ１０はアクセスネットワークＡを介した転送路を追加する手続きを実行しない。
【０４４６】
以下、手続きの詳細を説明する。
【０４４７】
［１．５．１．第１の追加アタッチ手続き例］
次に、第１の追加アタッチ手続き例を図１７を用いて説明する。図に示すように、本手続き例の初期状態は第１の状態である（Ｓ２３０２）。なお、第１の状態への遷移するための手続きは前述したものと同様であってもよく、詳細な説明は省略する。
【０４４８】
第１の状態は、ＵＥ１０がアクセスネットワークＡを介し、ＰＧＷ３０及び／又はネットワークとの間に第１のＰＤＮコネクションを確立している状態であれば良い。具体的には第１の状態はＵＥ１０がＴＷＡＧ７４を介し、ＡＰＮ１を用いて選択されるＰＧＷ＿Ａとの間に第１のＰＤＮコネクションを確立している状態である。なお、第１のＰＤＮコネクションはマルチアクセスＰＤＮコネクションであってもよい。
【０４４９】
ＵＥ１０は第１の状態に遷移した事及びＮｅｔｗｏｒｋ−ｉｎｉｔｉａｔｅｄ  ｍｏｄｅで第１のＰＤＮコネクションを確立した事に基づき、アクセスネットワークＡを介したアタッチ手続きを実行する（Ｓ２３０４）。
【０４５０】
又は、ＵＥ−ｉｎｉｔｉａｔｅｄ  ｍｏｄｅの第１のＰＤＮコネクションが確立された第１の状態に遷移したこと及びルーティングルールに基づいて、ＵＥ１０はアクセスネットワークＡを介したアタッチ手続きを実行しても良い。
【０４５１】
具体的には、ルーティングルールがＬＴＥアクセスを優先することに基づいて、ＵＥ１０はアクセスネットワークＡを介したアタッチ手続きを実行してもよい。
【０４５２】
具体的には、ＵＥ−ｉｎｉｔｉａｔｅｄ  ｍｏｄｅの第１のＰＤＮコネクションが確立された第１の状態に遷移したこと及び第１のＰＤＮコネクションのルーティングルールがＬＴＥアクセスを優先する事を示す場合、ＵＥ１０はアクセスネットワークＡを介したアタッチ手続きを実行してもよい。
【０４５３】
より具体的には、ＵＥ−ｉｎｉｔｉａｔｅｄ  ｍｏｄｅの第１のＰＤＮコネクションが確立された第１の状態に遷移したこと及びＵＥ１０が第１のＰＤＮコネクションに対して特定のフローとＬＴＥアクセスを対応づけたルーティングルールを記憶する場合、ＵＥ１０はアクセスネットワークＡを介したアタッチ手続きを実行してもよい。
【０４５４】
言い換えると、ＵＥ−ｉｎｉｔｉａｔｅｄ  ｍｏｄｅの第１のＰＤＮコネクションが確立された第１の状態に遷移しても、第１のＰＤＮコネクションのルーティングルールがＬ
ＴＥアクセスを優先する事を示さない場合、ＵＥ１０はアクセスネットワークＡを介したアタッチ手続きを実行しない。
【０４５５】
より具体的には、ＵＥ−ｉｎｉｔｉａｔｅｄ  ｍｏｄｅの第１のＰＤＮコネクションが確立された第１の状態に遷移しても、ＵＥ１０が第１のＰＤＮコネクションに対して特定のフローとＬＴＥアクセスを対応づけたルーティングルールを記憶しない場合、ＵＥ１０はアクセスネットワークＡを介したアタッチ手続きを実行しない。
【０４５６】
ただし、ＵＥ１０はアタッチ要求に少なくともＡＰＮ及び／又はＰＤＮコネクションＩＤを含めて送信してもよい。
【０４５７】
ＡＰＮはＵＥ１０が接続を要求するＡＰＮであってもよい。より具体的には、ＡＰＮは、ＡＰＮ２であっても良い。ＵＥ１０は、シングルアクセスＰＤＮコネクションを確立するために、ＡＰＮ２を含めても良い。ここで、ＡＰＮ２はマルチアクセスＰＤＮコネクションの確立が許可されていないＡＰＮで、及び／又はＮＢＩＦＯＭに基づく通信が許可されたていないＡＰＮであってもよい。
【０４５８】
つまり、ＵＥ１０は第１のＰＤＮコネクションを確立した際にネットワークから取得したＡＰＮ１とは異なるＡＰＮ２を用いてシングルアクセスＰＤＮコネクションの確立を要求してもよい。
【０４５９】
また、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。
【０４６０】
なお、アタッチ手続き中で、ＵＥ１０はＭＭＥ４０及びＰＧＷ＿Ａ及びＰＧＷ＿Ｂと認証及びセキュリティアソシエーション手続きを行う。
【０４６１】
また、アタッチ手続き完了に伴い、ＵＥ１０はネットワークからＡＰＮを取得しても良い。
【０４６２】
ＡＰＮはＵＥ１０が接続を要求するＡＰＮであってもよい。より具体的には、ＡＰＮは、ＡＰＮ２であっても良い。ＵＥ１０は、シングルアクセスＰＤＮコネクションを確立するために、ＡＰＮ２を含めても良い。ここで、ＡＰＮ２はマルチアクセスＰＤＮコネクションの確立が許可されていないＡＰＮで、及び／又はＮＢＩＦＯＭに基づく通信が許可されたていないＡＰＮであってもよい。
【０４６３】
つまり、ＵＥ１０は第１のＰＤＮコネクションを確立に伴いネットワークから取得したＡＰＮ１とは異なるＡＰＮ２を用いてシングルアクセスＰＤＮコネクションの確立をしてもよい。
【０４６４】
以上により、ＵＥ１０及びコアネットワーク９０は第１の状態から第２の状態へ遷移する（Ｓ２３０６）。
【０４６５】
次に、第２の状態に遷移した事及び第１のＰＤＮコネクションがＮｅｔｗｏｒｋ−ｉｎｉｔｉａｔｅｄ  ｍｏｄｅで確立されていることに基づき、ＵＥ１０はアクセスネットワークＡを介したＰＤＮ接続手続きを実行する（Ｓ２３０８）。
【０４６６】
又は、第２の状態に遷移したこと及びＵＥ−ｉｎｉｔｉａｔｅｄ  ｍｏｄｅで確立された第１のＰＤＮコネクションのルーティングルールに基づき、ＵＥ１０はアクセスネット
ワークＡを介したＰＤＮ接続手続きを実行してもよい。
【０４６７】
具体的には、ルーティングルールがＬＴＥアクセスを優先することに基づいて、ＵＥ１０はアクセスネットワークＡを介したアタッチ手続きを実行してもよい。
【０４６８】
具体的には、ＵＥ−ｉｎｉｔｉａｔｅｄ  ｍｏｄｅの第１のＰＤＮコネクションが確立された第２の状態に遷移したこと及び第１のＰＤＮコネクションのルーティングルールがＬＴＥアクセスを優先する事を示す場合、ＵＥ１０は第１のＰＤＮコネクションにアクセスネットワークＡを介した転送路を追加するための手続きを実行してもよい。
【０４６９】
より具体的には、ＵＥ−ｉｎｉｔｉａｔｅｄ  ｍｏｄｅの第１のＰＤＮコネクションが確立された第２の状態に遷移したこと及びＵＥ１０が第１のＰＤＮコネクションに対して特定のフローとＬＴＥアクセスを対応づけたルーティングルールを記憶する場合、ＵＥ１０はアクセスネットワークＡを介した転送路を追加する手続きを実行してもよい。
【０４７０】
言い換えると、ＵＥ−ｉｎｉｔｉａｔｅｄ  ｍｏｄｅの第１のＰＤＮコネクションが確立された第２の状態に遷移しても、第１のＰＤＮコネクションのルーティングルールがＬＴＥアクセスを優先する事を示さない場合、ＵＥ１０は第１のＰＤＮコネクションにアクセスネットワークＡを介した転送路を追加するための手続きを実行しない。
【０４７１】
より具体的には、ＵＥ−ｉｎｉｔｉａｔｅｄ  ｍｏｄｅの第１のＰＤＮコネクションが確立された第２の状態に遷移しても、ＵＥ１０が第１のＰＤＮコネクションに対して特定のフローとＬＴＥアクセスを対応づけたルーティングルールを記憶しない場合、ＵＥ１０はアクセスネットワークＡを介した転送路を追加する手続きを実行しない。
【０４７２】
アクセスネットワークＡを介したＰＤＮ接続手続きを図１８を用いて説明する。
【０４７３】
ＵＥ１０は、まず、ｅＮｏｄｅＢ４５を介してＭＭＥ４０にＰＤＮ接続要求（PDN connectivity request）を送信する（Ｓ２４０２）。ＵＥ１０は、少なくともＰＤＮ接続要求メッセージＩＤ（PDN connectivity request message identity）及びプロシージャトランザクションＩＤ（Procedure transaction identity）及びリクエストタイプ（Request type）及びＰＤＮタイプ（PDN type）及びプロトコル識別子（Protocol discriminator）及びＥＰＳベアラＩＤ（EPS bearer identity）を含めてＰＤＮ接続要求を送信しても良い。さらに、ＵＥ１０は、少なくとも第１の識別情報及び／又は第５の識別情報及び／又は第８の識別情報及び／又はＰＤＮコネクションＩＤをＰＤＮ接続要求に含めても良い。さらに、ＵＥ１０は、ＡＰＮ（Access Point Name）及び／又はＰＣＯ（Protocol Configuration Options）及び／又はＴＦＴ（Traffic Flow Templates）をＰＤＮ接続要求に含めても良い。なお、ＵＥ１０は、第１の識別情報及び／又は第５の識別情報及び／又は第８の識別情報及び／又はＴＦＴ及び／又はＰＤＮコネクションＩＤをＰＣＯに含めて送信しても良い。
【０４７４】
ここで、第１の識別情報は、ＵＥ１０がＮＢＩＦＯＭをサポートしていることを表すＵＥＮＢＩＦＯＭ  ｃａｐａｂｉｌｉｔｙであってもよい。なお、ＮＢＩＦＯＭ  ｃａｐａｂｉｌｉｔｙとは、マルチアクセスＰＤＮコネクションを確立する機能を有することを示す情報であってもよい。
【０４７５】
さらに、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０４７６】
このように、第５の識別情報を送信することにより、ＵＥ１０はマルチアクセスＰＤＮコネクションのモードを要求してもよい。言いかえると、第５の識別情報を送信することにより、ＵＥ１０は第５の識別情報の示すモードに対応するマルチアクセスＰＤＮコネクションの確立を要求してもよい。なお、第５の識別情報の示すモードはＵＥ１０が選択してもよい。
【０４７７】
なお、ＵＥ１０は、ＵＥ−Ｉｎｉｔｉａｔｅｄ  ｍｏｄｅのマルチアクセスＰＤＮコネクションの確立を要求する場合には、第５の識別情報を送信し、Ｎｅｔｗｏｒｋ−Ｉｎｉｔｉａｔｅｄ  ｍｏｄｅのマルチアクセスＰＤＮコネクションの確立を要求する場合には、第5の識別情報を送信しないよう設定されても良い。
【０４７８】
さらに、第８の識別情報は、マルチアクセスＰＤＮコネクションにおけるデフォルトアクセス（Ｄｅｆａｕｌｔ  Ａｓｓｅｓｓ）を示す情報であってもよい。第８の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０４７９】
もしくは、第８の識別情報は更に詳細な情報であってもよい。例えば、第８の識別情報は、Ｅ−ＵＴＲＡＮアクセスか、ＵＴＲＡＮアクセスか、ＧＥＲＡＮアクセスのいずれかであってもよい。
【０４８０】
このように、第８の識別情報を送信することにより、ＵＥ１０はマルチアクセスＰＤＮコネクションのデフォルトアクセスを要求してもよい。言いかえると、第８の識別情報を送信することにより、ＵＥ１０は第８の識別情報の示すアクセスネットワークをデフォルトアクセスとしたマルチアクセスＰＤＮコネクションの確立を要求してもよい。
【０４８１】
なお、第８の識別情報の示すアクセスネットワークはＵＥ１０が選択してもよい。さらに、ＵＥ１０はＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバから受信するＩＳＲＰ（Ｉｎｔｅｒ  Ｓｙｓｔｅｍ  Ｒｏｕｔｉｎｇ  Ｐｏｌｉｃｙ）などのオペレータポリシーに基づいて第８の識別情報の示すアクセスネットワークを選択してもよい。より具体的には、ＡＮＤＳＦサーバから受信するＩＳＲＰのアクセスネットワークの優先度情報を基に第８の識別情報の示すアクセスネットワークを選択してもよい。例えば、ＷＬＡＮを優先度が高いことがＩＳＲＰに記載されていることから、ＵＥ１０はＷＬＡＮを示す情報を第８の識別情報としてもよい。なお、ＵＥ１０は、ＩＳＲＰが確かな場合（Ｖａｌｉｄ）やアクティブな場合のみ、ＩＳＲＰに基づいて第８の識別情報の示すアクセスネットワークを選択してもよい。
【０４８２】
なお、ＵＥ１０は、ＵＥ−Ｉｎｉｔｉａｔｅｄ  ｍｏｄｅのマルチアクセスＰＤＮコネクションの確立を要求する場合には、第８の識別情報を送信し、Ｎｅｔｗｏｒｋ−Ｉｎｉｔｉａｔｅｄ  ｍｏｄｅのマルチアクセスＰＤＮコネクションの確立を要求する場合には、第８の識別情報を送信しないよう設定されても良い。
【０４８３】
さらに、ＵＥ１０は、確立を要求するマルチアクセスＰＤＮコネクションに対するデフォルトベアラを確立していない場合には、第８の識別情報を送信し、マルチアクセスＰＤＮコネクションに対してすでにデフォルトベアラを確立している場合には、第８の識別情報を送信しないよう設定されても良い。
【０４８４】
より具体的には、マルチアクセスＰＤＮコネクションを新たに確立する場合には、第８の識別情報を送信し、マルチアクセスＰＤＮコネクションに対してＷＬＡＮアクセスネットワークを介してデフォルトベアラを確立している状態において転送路を追加する場合には、第８の識別情報を送信しないよう設定されても良い。
【０４８５】
このように、第１の識別情報及び／又は第５の識別情報及び／又は第８の識別情報を送信することにより、マルチアクセスＰＤＮコネクションを確立すること要求してもよい。言い換えるとは、第１の識別情報及び／又は第５の識別情報及び／又は第８の識別情報は、マルチアクセスＰＤＮコネクションの確立を要求することを示す情報であってよい。
【０４８６】
ＰＤＮ接続要求メッセージＩＤは、ＰＤＮ接続要求メッセージを表すメッセージタイプであってもよい。
【０４８７】
プロシージャトランザクションＩＤはＰＤＮ接続手続きを識別する情報であってもよい。
【０４８８】
ＡＰＮはＵＥ１０が接続を要求するＡＰＮであってもよい。より具体的には、ＡＰＮは、ＡＰＮ１であっても良い。ＵＥ１０は、マルチアクセスＰＤＮコネクションを確立するために、ＡＰＮ１を含めても良い。ここで、ＡＰＮ１はマルチアクセスＰＤＮコネクションの確立が許可されたＡＰＮで、及び／又はＮＢＩＦＯＭに基づく通信が許可されたＡＰＮであってもよい。さらに、ＡＰＮは第１のＰＤＮコネクションを識別する識別情報であってもよい。
【０４８９】
ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。さらに、ＰＤＮコネクションＩＤは第１のＰＤＮコネクションを識別する識別情報であってもよい。ＰＤＮコネクションＩＤはＡＰＮと対応づけられていてもよい。
【０４９０】
なお、ＵＥ１０はＡＰＮ及び／又はＰＤＮコネクションＩＤを用いて、第１のＰＤＮコネクションを識別しても良い。
【０４９１】
リクエストタイプは、要求するＰＤＮ接続手続きの種類を識別する情報であってもよい。例えば、ＵＥ１０はＡＰＮ１を用いて初期接続を行うことから、リクエストタイプは、ハンドオーバーを示すタイプではなくアタッチを示すタイプであってもよい。
【０４９２】
ＰＤＮタイプは、利用可能なＩＰバージョンを示すもであってもよい。例えば、ＰＤＮタイプはＩＰｖ４であってよく、ＩＰｖ６であってもよく、ＩＰｖ４ｖ６であっても良い。
【０４９３】
プロトコル識別子は、ＰＤＮ接続要求の送受信に使用しているプロトコルの種類を表す識別子であってもよい。
【０４９４】
ＥＰＳベアラＩＤは、ＥＰＳベアラを識別する情報であってもよい。ＥＰＳベアラＩＤはＭＭＥ４０によって割り当てられても良い。
【０４９５】
ＰＣＯは、ＰＤＮコネクションと関連付けられたプロトコル情報であってもよい。また、ＰＣＯは、要求の識別情報を含めても良い。なお、ＵＥ１０は第１の識別情報及び／又は第５の識別情報及び／又は第８の識別情報をＰＣＯに含めて送信しても良い。
【０４９６】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０４９７】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０４９８】
なお、本例では、ＰＤＮ接続要求の送信に伴い、ＵＥ１０は特定のＮＢＩＦＯＭオペレーションモードを要求していないため、ＵＥ１０はＰＤＮ接続要求にＴＦＴを含めずに送信しても良い。言い換えると、ＵＥ１０が特定のＮＢＩＦＯＭオペレーションモードを要求することなくマルチアクセスＰＤＮコネクションの確立を要求する場合には、ＵＥ１０はＰＤＮ接続要求にＴＦＴを含めずに送信しても良い。より具体的には、ＵＥ１０は第１の識別情報及び／又は第５の識別情報及び／又は第８の識別情報を含める場合には、ＴＦＴを含めずにＰＤＮ接続要求を送信しても良い。
【０４９９】
なお、従来より、ＵＥ１０はＰＣＯにＩＦＯＭ  ｓｕｐｐｏｒｔを示す情報を含めて送信することができる。ここで、ＩＦＯＭ  ｓｕｐｐｏｒｔとはＩＦＯＭ（IP Flow Mobility）をサポートしていることを表す識別情報である。さらに、ＩＦＯＭとは、間ＤＳＭＩＰｖ６（Dual Stack Mobile IPv6）プロトコルを用いて、特定のＩＰフローの通信路を切り替える技術のことである。したがって、ＰＣＯにＩＦＯＭサポートを示す情報を含めることにより、ＵＥ１０は、特定のＩＰフローの通信を行うアクセスネットワークを切り替えることができる。
【０５００】
本実施形態では、ＵＥ１０はＰＣＯに第１の識別情報及び第５の識別情報及び／又は第８の識別情報を含める場合には、ＩＦＯＭ  ｓｕｐｐｏｒｔを含めない。逆に、ＵＥ１０はＰＣＯにＩＦＯＭ  ｓｕｐｐｏｒｔを含める場合には、第１の識別情報及び／又は第５の識別情報及び／又は第８の識別情報を含めない。このように、第１の識別情報及び／又は第５の識別情報及び／又は第８の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【０５０１】
これにより、ＵＥ１０は、単一のＰＤＮコネクション確立手続きにより、ＩＦＯＭをサポートしたＰＤＮコネクションもしくはＮＢＩＦＯＭをサポートしたＰＤＮコネクションのいずれか一方を確立することができる。言い換えると、単一のＰＤＮコネクションは、ＮＢＩＦＯＭをサポートしたＰＤＮコネクションか、ＩＦＯＭをサポートしたＰＤＮコネクションか、シングルアクセスＰＤＮコネクションかのいずれかである。
【０５０２】
ＭＭＥ４０は、ＵＥ１０が送信したＰＤＮ接続要求を受信する。ＭＭＥ４０はＰＤＮ接続要求の受信及び／又はＰＤＮ接続要求に含まれる第１の識別情報及び／又は第５の識別情報及び／又は第８の識別情報に基づいて、ＳＧＷ３５にセッション生成要求を送信する（Ｓ２４０４）。
【０５０３】
ＭＭＥ４０は、ＰＤＮ接続要求の受信及び／又はＰＤＮ接続要求に含まれる第１の識別情報に基づいて、少なくとも第１の識別情報をセッション生成要求に含めて送信しても良い。
【０５０４】
ＭＭＥ４０は、ＰＤＮ接続要求の受信及び／又はＰＤＮ接続要求に含まれる第５の識別情報及び／又は第８の識別情報に基づいて、少なくとも第５の識別情報及び／又は第８の識別情報をセッション生成要求に含めて送信しても良い。さらに、ＭＭＥ４０は、ＵＥ１０が送信するＴＦＴの受信に基づいて、ＴＦＴをセッション生成要求に含めても良い。
【０５０５】
さらに、ＭＭＥ４０は、ＵＥ１０が送信するＡＰＮ及び／又はＰＤＮコネクションＩＤの受信に基づいて、ＡＰＮ及び／又はＰＤＮコネクションＩＤをセッション生成要求に含めても良い。なお、ＭＭＥ４０は受信したＡＰＮ及び／又はＰＤＮコネクションＩＤを用いて、第１のＰＤＮコネクションを識別しても良い。
【０５０６】
また、ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５０７】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０５０８】
なお、ＭＭＥ４０は、ＰＤＮ接続要求に第１の識別情報と第５の識別情報及び／又は第８の識別情報のいずれの識別情報も含まれない場合は、１の識別情報及び／又は第５の識別情報及び／又は第８の識別情報を含めずにセッション生成要求を送信しても良い。また、ＭＭＥ４０は、ＰＤＮ接続要求に第１の識別情報及び／又は第５の識別情報及び／又は第８の識別情報が含まれない場合はシングルアクセスＰＤＮコネクションを確立する手続きを実行しても良い。
【０５０９】
ＳＧＷ３５は、ＭＭＥ４０が送信したセッション生成要求を受信する。ＳＧＷ３５は、セッション接続要求の受信及び／又はセッション接続要求に含まれる第１の識別情報及び／又は第５の識別情報及び／又は第８の識別情報に基づいて、ＰＧＷ３０にセッション生成要求を送信する（Ｓ２４０６）。
【０５１０】
ＳＧＷ３５は、セッション接続要求の受信及び／又はセッション接続要求に含まれる第１の識別情報及び／又は第５の識別情報及び／又は第８の識別情報に基づいて、少なくとも第１の識別情報及び／又は第５の識別情報及び／又は第８の識別情報をセッション生成要求に含めて送信しても良い。さらに、ＳＧＷ３５は、ＴＦＴをセッション生成要求に含めても良い。
【０５１１】
さらに、ＳＧＷ３５は、ＭＭＥ４０が送信するＡＰＮ及び／又はＰＤＮコネクションＩＤの受信に基づいて、ＡＰＮ及び／又はＰＤＮコネクションＩＤをセッション生成要求に含めても良い。なお、ＳＧＷ３５は受信したＡＰＮ及び／又はＰＤＮコネクションＩＤを用いて、第１のＰＤＮコネクションを識別しても良い。
【０５１２】
また、ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０５１３】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情
報を組み合わせて構成されてもよい。
【０５１４】
なお、ＳＧＷ３５は、セッション生成要求に第１の識別情報と第５の識別情報及び／又は第８の識別情報のいずれの識別情報も含まれない場合は、第１の識別情報及び／又は第５の識別情報及び／又は第８の識別情報を含めずにセッション生成要求を送信しても良い。また、ＭＭＥ４０は、ＰＤＮ接続要求に第１の識別情報及び／又は第５の識別情報及び／又は第８の識別情報が含まれない場合はシングルアクセスＰＤＮコネクションを確立する手続きを実行しても良い。
【０５１５】
ＰＧＷ３０は、ＳＧＷ３５が送信したセッション生成要求を受信する。ＰＧＷ３０は、セッション生成要求の受信及び／又はセッション生成要求に含まれる第１の識別情報及び又第５の識別情報及び／又は第８の識別情報に基づいて、ＰＣＲＦ６０との間でのＩＰ−ＣＡＮセッション更新手続きを実行しても良い（Ｓ２４０８）。
【０５１６】
ＰＧＷ３０は、セッション生成要求の受信及び／又はセッション生成要求に含まれる第１の識別情報及び／又は第５の識別情報及び／又は第８の識別情報に基づいて、少なくとも第１の識別情報及び／又は第５の識別情報及び／又は第８の識別情報をＩＰ−ＣＡＮセッション更新手続きに含めて実行しても良い。
【０５１７】
さらに、ＰＧＷ３０は、ＳＧＷ３５が送信するＡＰＮ及び／又はＰＤＮコネクションＩＤの受信に基づいて、受信したＡＰＮ及び／又はＰＤＮコネクションＩＤを用いて、第１のＰＤＮコネクションを識別しても良い。
【０５１８】
なお、ＰＧＷ３０はＰＣＲＦ６０にＵＥ１０及び／又はｅＮｏｄｅＢ４５及び／又はＭＭＥ４０及び／又はＳＧＷ３５の情報を通知するためにＩＰ−ＣＡＮセッション更新手続きを実行しても良い。
【０５１９】
ＰＧＷ３０は、確立するＰＤＮコネクションがマルチアクセスＰＤＮコネクションであるか、シングルアクセスＰＤＮコネクションであるかを示す情報及び／又は第１の識別情報及び／又は第５の識別情報及び／又は第８の識別情報をＩＰ−ＣＡＮセッション手続き内の制御メッセージに含めてＰＣＲＦ６０に送信しても良い。
【０５２０】
より具体的には、マルチアクセスＰＤＮコネクションを確立する場合には、ＰＧＷ３０は、アクセスネットワークＡを示す情報と、ＰＤＮコネクションＩＤ（PDN connection ID）と、ＰＤＮコネクションがマルチアクセスＰＤＮコネクションであることを示す情報と、第１の識別情報及び／又は第５の識別情報及び／又は第８の識別情報をＰＣＲＦ６０に送信する。もしくは、シングルアクセスＰＤＮコネクションを確立する場合には、ＰＧＷ３０は、アクセスネットワークＡを示す情報と、ＰＤＮコネクションＩＤと、ＰＤＮコネクションがシングルアクセスＰＤＮコネクションであることを示す情報とをＰＣＲＦ６０に送信する。
【０５２１】
なお、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。
【０５２２】
さらに、ＰＣＲＦ６０は、第１の識別情報及び／又は第５の識別情報及び／又は第８の識別情報の受信に基づいて、ＰＧＷ３０との間でＩＰ−ＣＡＮセッション更新手続き内の制御メッセージに少なくとも第２の識別情報及び／又は第７の識別情報及び／又は第９の識別情報を含めてＰＧＷ３０に送信しても良い。なお、第２の識別情報及び／又は第７の識別情報及び／又は第９の識別情報の詳細説明は後述する。
【０５２３】
なお、ＰＣＲＦ６０はＰＧＷ３０に課金情報及び／又はＱｏＳ制御情報及び／又はルーティング情報を通知するためにＩＰ−ＣＡＮセッション更新手続きを実行しても良い。
【０５２４】
ＰＧＷ３０はセッション生成要求の受信又はＩＰ−ＣＡＮセッション更新手続きの完了及び／又は、セッション生成要求に含まれる第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、ＳＧＷ３５にセッション生成応答を送信する（Ｓ２４１０）。
【０５２５】
ＰＧＷ３０は、セッション生成要求の受信又はＩＰ−ＣＡＮセッション更新手続きの完了及び／又は、セッション生成要求に含まれる第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、少なくとも第２の識別情報及び／又は第７の識別情報及び／又は第９の識別情報をセッション生成応答に含めて送信しても良い。
【０５２６】
さらに、ＰＧＷ３０はセッション生成応答にＰＤＮアドレス（PDN Address）及び／又はＰＤＮコネクションＩＤ（PDN connection ID）及び／又はＴＦＴ及び／又はデフォルトベアラを識別するベアラ識別情報を含めても良い。
【０５２７】
なお、ＰＧＷ３０が第２の識別情報及び／又は第７の識別情報及び／又は第９の識別情報を取得する方法は、これまで説明したＩＰ−ＣＡＮセッション更新手続きにおいてＰＣＲＦ６０から取得する方法に限らず、別の例であっても良い。例えば、ＰＧＷ３０はＩＰ−ＣＡＮセッション更新手続きにおいてＰＣＲＦ６０から取得せず、ＰＧＷ３０が第２の識別情報及び／又は第７の識別情報及び／又は第９の識別情報を生成し、セッション生成応答に含めて送信しても良い。
【０５２８】
ここで、第２の識別情報は、ネットワークがＮＢＩＦＯＭをサポートしていることを表すＮＢＩＦＯＭ  ｃａｐａｂｉｌｉｔｙであってもよい。なお、ＮＢＩＦＯＭ  ｃａｐａｂｉｌｉｔｙとは、マルチアクセスＰＤＮコネクションを確立する機能を有することを示す情報であってもよい。
【０５２９】
ここで、第７の識別情報は、確立するマルチアクセスＰＤＮコネクションに対して許可されたＮＢＩＦＯＭオペレーションモードを表すＡｌｌｏｗｅｄ  Ｍｏｄｅであってもよい。言い換えると、第７の識別情報はオペレータによって許可されたオペレーションモードであってもよい。
【０５３０】
このように、第７の識別情報を送信することにより、ＵＥ１０はマルチアクセスＰＤＮコネクションのモードを通知してもよい。言いかえると、第７の識別情報を送信することにより、第７の識別情報の示すモードに対応するマルチアクセスＰＤＮコネクションの確立すること許可してもよい。なお、第７の識別情報の示すモードはＰＣＲＦ６０又はＰＧＷ３０が選択してもよい。なお、ＰＣＲＦ６０又はＰＧＷ３０は、ＵＥ１０の要求する第５の識別情報が示すモードのマルチアクセスＰＤＮコネクションの確立を許可した場合には、第５の識別情報の示すモードを第７の識別情報として送信してもよい。
【０５３１】
なお、ＰＣＲＦ６０又はＰＧＷ３０は、Ａｌｌｏｗｅｄ  Ｍｏｄｅをオペレータポリシーに基づいて第７の識別情報を決定しても良い。例えば、ＵＥ−Ｉｎｉｔｉａｔｅｄ  ｍｏｄｅのＰＤＮコネクションのみ確立を許すポリシーや、Ｎｅｗｔｏｒｋ−Ｉｎｉｔｉａｔｅｄ  ｍｏｄｅのＰＤＮコネクションのみ確立を許すポリシーや、両方のモードの確立を許すポリシーや、両方のモードの確立を禁止するポリシー等を管理してもよい。
【０５３２】
なお、ＰＣＲＦ６０又はＰＧＷ３０は、オペレータポリシーをＨＳＳ５０等から取得しても良い。もしくは、オペレータポリシーは管理者により生成されたものを保存しても良い。
【０５３３】
さらに、オペレータポリシーは、加入者毎に異なるポリシーを管理しても良い。もしくは、ＡＰＮ毎に異なるポリシーを管理しても良い。例えば、ＡＰＮ毎に確立するＰＤＮコネクションに対して異なるＡｌｌｏｗｅｄ Ｍｏｄｅが管理されていても良い。
【０５３４】
ＰＣＲＦ６０又はＰＧＷ３０は、Ａｌｌｏｗｅｄ  Ｍｏｄｅに基づいて、許可されているオペレーションモードを第７の識別情報に含めても良い。
【０５３５】
言い換えると、ＰＣＲＦ６０又はＰＧＷ３０はＮｅｔｗｏｒｋ−Ｉｎｉｔｉａｔｅｄ  ｍｏｄｅのみが許可されている場合には、第７の識別情報にＮｅｔｗｏｒｋ−Ｉｎｉｔｉａｔｅｄ  ｍｏｄｅを含めても良い。若しくは、ＵＥ−Ｉｎｉｔｉａｔｅｄ  ｍｏｄｅのみ許可されている場合には、第７の識別情報にＵＥ−Ｉｎｉｔｉａｔｅｄ  ｍｏｄｅを含めても良い。
【０５３６】
なお、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されている場合には、第７の識別情報は両方のオペレーションモードを含めても良い。若しくは、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されており、且つデフォルトのオペレーションモードが設定されている場合には、第７の識別情報はデフォルトのオペレーションモードのみ含めても良い。なお、ＵＥ−Ｉｎｉｔｉａｔｅｄ  ｍｏｄｅとＮｅｔｗｏｒｋ−Ｉｎｉｔｉａｔｅｄ  ｍｏｄｅのどちらをデフォルトのオペレーションモードとするかは、オペレータポリシーに基づいて設定されてもよい。
【０５３７】
なお、全てのオペレーションモードのＰＤＮコネクションの確立が許可されてない場合には、ＰＣＲＦ６０は、要求したオペレーションモードは許可されないモードであることを示す理由情報（Requested Operation Mode is not allowed）をＰＧＷ３０に送信しても良い。
【０５３８】
全てのオペレーションモードのＰＤＮコネクションの確立が許可されてない場合には、ＰＧＷ３０は、第７の識別情報をＳＧＷ３５を介してＭＭＥ４０に通知しなくても良い。
【０５３９】
全てのオペレーションモードのＰＤＮコネクションの確立が許可されてない場合には、ＰＧＷ３０は、要求したオペレーションモードは許可されないモードであることを示す理由情報（Requested Operation Mode is not allowed）をセッション生成応答に含めてＳＧＷ３５を介してＭＭＥ４０に送信しても良い。
【０５４０】
全てのオペレーションモードのＰＤＮコネクションの確立が許可されてない場合には、ＰＧＷ３０は、許可されたオペレーションが無いことをＳＧＷ３５を介してＭＭＥ４０に通知しても良い。
【０５４１】
このように、Ａｌｌｏｗｅｄ  Ｍｏｄｅに基づいて、ＰＣＲＦ６０又はＰＧＷ３０は,ＰＤＮコネクションの確立が許可されたオペレーションモードを、第７の識別情報としても良い。
【０５４２】
なお、第７の識別情報にＮｅｔｗｏｒｋ−Ｉｎｉｔｉａｔｅｄ  ｍｏｄｅが含まれない
場合には、ＰＣＲＦ６０はＰＧＷ３０にＴＦＴを送信しなくても良い。
【０５４３】
言い換えると、なお、第７の識別情報にＮｅｔｗｏｒｋ−Ｉｎｉｔｉａｔｅｄ  ｍｏｄｅが含まれる場合にのみ、ＰＣＲＦ６０はＰＧＷ３０にＴＦＴを送信しても良い。
【０５４４】
なお、第７の識別情報にＮｅｔｗｏｒｋ−Ｉｎｉｔｉａｔｅｄ  ｍｏｄｅが含まれない場合には、ＰＧＷ３０はＳＧＷ３５を介してＭＭＥ４０にＴＦＴを送信しなくても良い。したがって、この場合には、ＰＧＷ３０はＴＦＴをＰＧＷ３０はセッション生成応答にＰＤＮアドレス（PDN Address）含めなくても良い。
【０５４５】
言い換えると、なお、第７の識別情報にＮｅｔｗｏｒｋ−Ｉｎｉｔｉａｔｅｄ  ｍｏｄｅが含まれる場合にのみ、ＰＧＷ３０はＳＧＷ３５を介してＭＭＥ４０にＴＦＴを送信しても良い。したがって、この場合には、ＰＧＷ３０はＴＦＴをＰＧＷ３０はセッション生成応答にＰＤＮアドレス（PDN Address）含めても良い。
【０５４６】
ＰＤＮアドレスは、ＵＥ１０に割り当てられたＩＰアドレスであってもよい。例えば、ＩＰｖ４アドレスであってよく、ＩＰｖ６アドレスを構築するためのＩＰｖ６プレフィックスとインターフェースＩＤであってもよい。ここで、ＰＧＷ３０はＵＥ１０のＩＰアドレスを割り当てても良い。さらに、ＰＧＷ３０は、ＵＥ１０に割り当てたＩＰアドレスをＰＤＮアドレスに含めても良い。
【０５４７】
また、ＰＤＮコネクションＩＤは、ＵＥ１０とＰＧＷ３０の間で確立するＰＤＮコネクションを一意に識別するための情報であってもよい。ＰＤＮコネクションＩＤは、ＰＧＷ３０によって割り当てられてもよく、ＭＭＥ４０によって割り当てられても良い。言い換えると、ＰＧＷ３０がＰＤＮコネクションＩＤを割り当ててもよい。
【０５４８】
さらに、第９の識別情報は、マルチアクセスＰＤＮコネクションにおけるデフォルトアクセス（Ｄｅｆａｕｌｔ  Ａｓｓｅｓｓ）を示す情報であってもよい。なお、第９の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０５４９】
もしくは、第９の識別情報は更に詳細な情報であってもよい。例えば、第９の識別情報は、Ｅ−ＵＴＲＡＮアクセスか、ＵＴＲＡＮアクセスか、ＧＥＲＡＮアクセスのいずれかであってもよい。
【０５５０】
このように、第９の識別情報を送信することにより、ＰＣＲＦ６０またはＰＧＷ３０はマルチアクセスＰＤＮコネクションのデフォルトアクセスをＵＥ１０に通知してもよい。言いかえると、第９の識別情報を送信することにより、ＰＣＲＦ６０またはＰＧＷ３０は第９の識別情報の示すアクセスネットワークをデフォルトアクセスとしたマルチアクセスＰＤＮコネクションの確立を要求してもよい。なお、第９の識別情報の示すアクセスネットワークはＰＣＲＦ６０またはＰＧＷ３０が選択してもよい。なお、ＰＣＲＦ６０又はＰＧＷ３０は、ＵＥ１０の要求する第８の識別情報が示すデフォルトアクセスのマルチアクセスＰＤＮコネクションの確立を許可した場合には、第８の識別情報の示すアクセスネットワークを第９の識別情報として送信してもよい。
【０５５１】
このように、第２の識別情報及び／又は第７の識別情報及び／又は第９の識別情報を送信することにより、マルチアクセスＰＤＮコネクションを確立することに対する許可してもよい。言い換えるとは、第２の識別情報及び／又は第７の識別情報及び／又は第９の識
別情報は、マルチアクセスＰＤＮコネクションの確立すること、又は許可することを示す情報であってよい。
【０５５２】
なお、ＰＣＲＦ６０及びＰＧＷ３０は、確立を要求するマルチアクセスＰＤＮコネクションに対するデフォルトベアラを確立していない場合には、第９の識別情報を送信し、マルチアクセスＰＤＮコネクションに対してすでにデフォルトベアラを確立している場合には、第９の識別情報を送信しないよう設定されても良い。
より具体的には、マルチアクセスＰＤＮコネクションを新たに確立する場合には、第９の識別情報を送信し、マルチアクセスＰＤＮコネクションに対してＬＴＥアクセスネットワークを介してデフォルトベアラを確立している状態において転送路を追加する場合には、第９の識別情報を送信しないよう設定されても良い。
【０５５３】
ＳＧＷ３５は、ＰＧＷ３０が送信したセッション生成応答を受信する。ＳＧＷ３５はセッション生成応答の受信及び／又はセッション生成応答に含まれる第２の識別情報及び／又は第７の識別情報及び／又は第９の識別情報に基づいて、ＭＭＥ４０にセッション生成応答を送信する（Ｓ２４１２）。
【０５５４】
ＳＧＷ３５はセッション生成応答の受信及び／又はセッション生成応答に含まれる第２の識別情報及び／又は第７の識別情報及び／又は第９の識別情報に基づいて、少なくとも第２の識別情報及び／又は第７の識別情報及び／又は第９の識別情報をセッション生成応答に含めて送信しても良い。
【０５５５】
さらに、ＳＧＷ３５はセッション要求応答にＰＤＮアドレス（PDN Address）及び／又はＰＤＮコネクションＩＤ及び／又はＴＦＴを含めても良い。
【０５５６】
ＭＭＥ４０は、ＳＧＷ３５が送信したセッション生成応答を受信する。ＭＭＥ４０はセッション生成応答の受信及び／又はセッション生成応答に含まれる第２の識別情報及び／又は第７の識別情報及び／又は第９の識別情報に基づいて、ｅＮｏｄｅＢ４５にデフォルトＥＰＳベアラコンテキストアクティブ化要求（Activate default EPS bearer context request）を送信する（Ｓ２４１４）。
【０５５７】
ＭＭＥ４０は、セッション生成応答の受信及び／又はセッション生成応答に含まれる第２の識別情報及び／又は第７の識別情報及び／又は第９の識別情報に基づいて、少なくともデフォルトＥＰＳベアラコンテキストアクティブ化要求メッセージＩＤ（Activate default EPS bearer context request message identity）及びプロシージャトランザクションＩＤ及びＡＰＮ及びＰＤＮアドレス（PDN Address）及びプロトコル識別子及びＥＰＳベアラＩＤ及びＥＰＳ  ＱｏＳをデフォルトＥＰＳベアラコンテキストアクティブ化要求に含めて送信しても良い。さらに、ＭＭＥ４０は、セッション生成応答の受信及び／又はセッション生成応答に含まれる第２の識別情報及び／又は第７の識別情報及び／又は第９の識別情報に基づいて、少なくとも第２の識別情報及び／又は第７の識別情報及び／又は第９の識別情報をデフォルトＥＰＳベアラコンテキストアクティブ化要求に含めても良い。さらに、ＭＭＥ４０は、ＰＣＯ及び／又はＥＳＭ  Ｃａｕｓｅ及び／又はＴＦＴ及び／又はデフォルトベアラを識別するベアラ識別情報及び／又はＰＤＮコネクションＩＤ、及び／又はＰＤＮコネクション属性情報をデフォルトＥＰＳベアラコンテキストアクティブ化要求に含めても良い。なお、ＭＭＥ４０は第２の識別情報及び／又は第７の識別情報及び／又は第９の識別情報及び／又はＴＦＴ及び／又はデフォルトベアラを識別するベアラ識別情報及び／又はＰＤＮコネクションＩＤをＰＣＯに含めて送信しても良い。
【０５５８】
ここで、デフォルトＥＰＳベアラコンテキストアクティブ化要求メッセージＩＤはデフォルトＥＰＳベアラコンテキストアクティブ化要求メッセージを表すメッセージタイプであってもよい。
【０５５９】
ＡＰＮはＵＥ１０が接続を許可されたＡＰＮであってもよい。より具体的には、ＡＰＮは、ＡＰＮ１であっても良い。ＡＰＮ１は、マルチアクセスＰＤＮコネクションを確立ことが許可されたＡＰＮであっても良い。ＭＭＥ４０はＡＰＮ１をデフォルトＥＰＳベアラコンテキストアクティブ化要求に含めても良い。
【０５６０】
ＰＤＮアドレスは、ＵＥ１０に割り当てられたＩＰアドレスであってもよい。例えば、ＩＰｖ４アドレスであってよく、ＩＰｖ６アドレスを構築するためのインターフェースＩＤであってもよい。
【０５６１】
ＥＰＳ  ＱｏＳは、ＥＰＳベアラのＱｏＳを表す状態であってもよい。
【０５６２】
ＰＤＮコネクション属性情報は、本ＰＤＮ接続手続きで確立したＰＤＮコネクションがマルチアクセスＰＤＮコネクションであることを示す情報、及び／又は、ＰＤＮコネクショ本ＰＤＮ接続手続きで確立したＰＤＮコネクションを用いて送受信するユーザデータは、アクセスネットワークＡ及びアクセスネットワークＢを介して送受信することが許可されたことを示す情報、及び／又は、本ＰＤＮ接続手続きで確立したＰＤＮコネクションが第７の識別情報の示すオペレーションモードのマルチアクセスＰＤＮコネクションであることを示す情報であってもよい。
【０５６３】
なお、ＵＥ１０は、ＰＤＮコネクションのタイプを示すコネクティビティタイプ及び／又はＷＬＡＮオフロードの可否を示すＷＬＡＮオフロード許可情報（ＷＬＡＮ  ｏｆｆｌｏａｄ  ａｃｃｅｐｔａｂｌｉｔｙ）をさらに含めてデフォルトＥＰＳベアラコンテキストアクティブ化要求メッセージを送信しても良い。さらに、ＭＭＥ４０は、ＰＤＮコネクション属性情報を、コネクティビティタイプ又はＷＬＡＮオフロード許可情報に含めて送信しても良い。
【０５６４】
ＥＳＭ  Ｃａｕｓｅは、ＵＥ１０に割り当てられたＰＤＮアドレスのＰＤＮタイプが、ＰＤＮ接続要求でＵＥ１０が要求したＰＤＮタイプと異なることを表す情報であってもよい。
【０５６５】
なお、ＭＭＥ４０及び／又はＰＧＷ３０は、ＰＣＯに第２の識別情報及び／又は第７の識別情報及び／又は第９の識別情報を含めてもよい。ただし、ＭＭＥ４０及び／又はＰＧＷ３０はＰＣＯに第２の識別情報及び／又は第７の識別情報及び／又は第９の識別情報を含める場合には、ＩＦＯＭ  ｓｕｐｐｏｒｔを含めない。逆に、ＭＭＥ４０及び／又はＰＧＷ３０は、ＰＣＯにＩＦＯＭ  ｓｕｐｐｏｒｔを含める場合には、第２の識別情報及び／又は第７の識別情報及び／又は第９の識別情報を含めない。このように、第２の識別情報及び／又は第７の識別情報及び／又は第９の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【０５６６】
ｅＮｏｄｅＢ４５は、ＭＭＥ４０が送信したデフォルトＥＰＳベアラコンテキストアクティブ化要求を受信する。ｅＮｏｄｅＢ４５は、デフォルトＥＰＳベアラコンテキストアクティブ化要求の受信に基づいて、ＵＥ１０にデフォルトＥＰＳベアラコンテキストアクティブ化要求を転送する。
【０５６７】
ｅＮｏｄｅＢ４５は、デフォルトＥＰＳベアラコンテキストアクティブ化要求と共に、少なくとも、ＵＥ１０にＲＲＣ接続設定要求（RRC Connection Reconfiguration）を送信しても良い（Ｓ２４１６）。
【０５６８】
ＵＥ１０は、ｅＮｏｄｅＢ４５が送信したＲＲＣ接続設定要求を受信する。さらに、ＵＥ１０は、ＭＭＥ４０が送信し、ｅＮｏｄｅＢ４５が転送したデフォルトＥＰＳベアラコンテキストアクティブ化要求を受信する。
【０５６９】
ＵＥ１０はＲＲＣ接続設定要求の受信に基づいて、ｅＮｏｄｅＢ４５にＲＲＣ接続設定完了（RRC Connection Reconfiguration Complete）を送信する（Ｓ２４１８）。
【０５７０】
ｅＮｏｄｅＢ４５は、ＵＥ１０が送信したＲＲＣ接続設定完了を受信する。ｅＮｏｄｅＢ４５は、ＲＲＣ接続設定完了に基づいて、ＭＭＥ４０にベアラ設定を送信する。
【０５７１】
ＭＭＥ４０は、ｅＮｏｄｅＢ４５が送信したベアラ設定を受信する（Ｓ２４２０）。
【０５７２】
ＵＥ１０はデフォルトＥＰＳベアラコンテキストアクティブ化要求の受信及び／又はデフォルトＥＰＳベアラコンテキストアクティブ化要求に含まれる第２の識別情報及び／又は第７の識別情報及び／又は第９の識別情報に基づいて、ＭＭＥ４０にデフォルトＥＰＳベアラコンテキストアクティブ化受諾（Activate default EPS bearer context accept）又はデフォルトＥＰＳベアラコンテキストアクティブ化拒絶（Activate default EPS bearer context reject）を送信する（Ｓ２４２２）（Ｓ２４２４）。
【０５７３】
ＵＥ１０は、少なくともデフォルトＥＰＳベアラコンテキストアクティブ化受諾メッセージＩＤ（Activate default EPS bearer context accept message identity）及びプロシージャトランザクションＩＤ及びプロトコル識別子及びＥＰＳベアラＩＤをデフォルトＥＰＳベアラコンテキストアクティブ化受諾に含めて送信しても良い。
【０５７４】
また、ＵＥ１０は、少なくともデフォルトＥＰＳベアラコンテキストアクティブ化拒絶メッセージＩＤ（Activate default EPS bearer context reject message identity）及びプロシージャトランザクションＩＤ及びプロトコル識別子及びＥＰＳベアラＩＤ及びＥＳＭ  ＣａｕｓｅをデフォルトＥＰＳベアラコンテキストアクティブ化拒絶に含めて送信しても良い。
【０５７５】
さらに、ＰＣＯをデフォルトＥＰＳベアラコンテキストアクティブ化受諾及び／又はデフォルトＥＰＳベアラコンテキストアクティブ化拒絶に含めても良い。
【０５７６】
さらに、第７の識別情報に複数のＩＮＦＯＭオペレーションモードが含まれている場合には、ＵＥ１０は、少なくとも第５の識別情報をデフォルトＥＰＳベアラコンテキストアクティブ化受諾又はデフォルトＥＰＳベアラコンテキストアクティブ化拒絶に含めても良い。言い換えると、複数のＩＮＦＯＭオペレーションモードが許可されている場合には、ＵＥ１０は、許可されているモードのうちの一つを選択し、第５の識別情報に含めて送信しても良い。
【０５７７】
ここで、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０５７８】
具体的には、ＵＥ１０は、デフォルトＥＰＳベアラコンテキストアクティブ化要求に含まれる第７の識別情報にＵＥ−Ｉｎｉｔｉａｔｅｄ  ｍｏｄｅ及びＮｅｔｗｏｒｋ−Ｉｎｉｔｉａｔｅｄ  ｍｏｄｅが含まれている場合、第５の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０５７９】
ＵＥ−Ｉｎｉｔｉａｔｅｄ  ｍｏｄｅとＮｅｔｗｏｒｋ−Ｉｎｉｔｉａｔｅｄ  ｍｏｄｅのどちらを第５の識別情報に含めるかは、ＵＥポリシーに基づいて決定しても良い。なお、ＵＥポリシーは、ＵＥ１０に設定された情報であれば良い。例えば、ＵＥポリシーはユーザによって設定された情報であってもよい。
【０５８０】
ここで、デフォルトＥＰＳベアラコンテキストアクティブ化受諾メッセージＩＤはデフォルトＥＰＳベアラコンテキストアクティブ化受諾メッセージを表すメッセージタイプであってもよい。
【０５８１】
デフォルトＥＰＳベアラコンテキストアクティブ化拒絶メッセージＩＤはデフォルトＥＰＳベアラコンテキストアクティブ化拒絶メッセージを表すメッセージタイプであってもよい。
【０５８２】
ＥＳＭ  Ｃａｕｓｅは、デフォルトＥＰＳベアラコンテキストアクティブ化要求を拒絶する理由を表す情報であってもよい。
【０５８３】
これにより、ＵＥ１０は追加のアタッチ手続きを完了する。
【０５８４】
つまり、ＵＥ１０は、第１の状態に遷移したこと及び、第１のＰＤＮコネクションのＯｐｅｒａｔｉｏｎ  ｍｏｄｅに基づいて、ＬＴＥアクセスネットワークＡを介した追加の転送路を確立する事ができる。
【０５８５】
具体的には、ＵＥ１０は、第１の状態に遷移したこと及び、第１のＰＤＮコネクションがＮｅｔｗｏｒｋ−ｉｎｉｔｉａｔｅｄ  ｍｏｄｅであることに基づき、ＬＴＥアクセスネットワークＡにアタッチ手続き及びＰＤＮ接続手続きを行い、ｅＮＢ４５を介した追加の転送路を確立する事ができる。なお、転送路はベアラ及び／又は通信路であってもよい。
【０５８６】
より具体的には、ＵＥ１０はアタッチ手続きを行い、ＡＰＮ２を用いて選択されるＰＧＷ＿ＢとＵＥ１０間に第２のＰＤＮコネクションを確立した後、ＰＤＮ接続手続きを行うことにより、ＡＰＮ１を用いて選択されるＰＧＷ＿ＡとＵＥ１０間の第１のＰＤＮコネクションにＬＴＥアクセスネットワークを介した転送路を追加する事ができる。なお、転送路はベアラ及び／又は通信路であってもよい。つまり、WLANを介したデフォルトベアラを確立した状態で、更に第１のPDNコネクションに対するLTEアクセスネットワークを介したデフォルトベアラを確立する事ができる。
【０５８７】
又は、ＵＥ１０は、第１の状態に遷移した事及び、ＵＥ−ｉｎｉｔｉａｔｅｄ  ｍｏｄｅの第１のＰＤＮコネクションのルーティングルールに基づき、ＬＴＥアクセスネットワークＡにアタッチ手続き及びＰＤＮ接続手続きを行い、ｅＮＢ４５を介した追加の転送路を確立する事ができる。なお、転送路はベアラ及び／又は通信路であってもよい。
【０５８８】
具体的には、ＵＥ１０はアタッチ手続きを行い、ＡＰＮ２を用いて選択されるＰＧＷ＿ＢとＵＥ１０間に第２のＰＤＮコネクションを確立した後、ＰＤＮ接続手続きを行うことにより、ＡＰＮ１を用いて選択されるＰＧＷ＿ＡとＵＥ１０間の第１のＰＤＮ接続にＬＴＥアクセスネットワークを介した転送路を追加する事ができる。なお、転送路はベアラ及び／又は通信路であってもよい。
【０５８９】
更に、ＵＥ１０は、第２の状態に遷移した事及び、第１のＰＤＮコネクションのＯｐｅｒａｔｉｏｎ  ｍｏｄｅに基づいて、ＬＴＥアクセスネットワークＡを介した追加の転送路を確立する事ができる。
【０５９０】
具体的には、ＵＥ１０は、第２の状態に遷移した事及び、第１のＰＤＮコネクションがＮｅｔｗｏｒｋ−ｉｎｉｔｉａｔｅｄ  ｍｏｄｅであることに基づき、ＬＴＥアクセスネットワークＡにＰＤＮ接続手続きを行い、ｅＮＢ４５を介した追加の転送路を確立する事ができる。なお、転送路はベアラ及び／又は通信路であってもよい。
【０５９１】
より具体的には、ＵＥ１０はＰＤＮ接続手続きを行うことにより、ＡＰＮ１を用いて選択されるＰＧＷ＿ＡとＵＥ１０間の第１のＰＤＮ接続にＬＴＥアクセスネットワークを介した転送路を追加する事ができる。なお、転送路はベアラ及び／又は通信路であってもよい。
【０５９２】
又は、ＵＥ１０は、第２の状態に遷移した事及び、ＵＥ−ｉｎｉｔｉａｔｅｄ  ｍｏｄｅの第１のＰＤＮコネクションのルーティングルールに基づき、ＬＴＥアクセスネットワークＡにＰＤＮ接続手続きを行い、ｅＮＢ４５を介した追加の転送路を確立する事ができる。なお、転送路はベアラ及び／又は通信路であってもよい。
【０５９３】
具体的には、ＵＥ１０はＰＤＮ接続手続きを行うことにより、ＡＰＮ１を用いて選択されるＰＧＷ＿ＡとＵＥ１０間の第１のＰＤＮ接続にＬＴＥアクセスネットワークを介した転送路を追加する事ができる。なお、転送路はベアラ及び／又は通信路であってもよい。
【０５９４】
このように、ＵＥ１０及びＰＧＷ３０は、第1のＰＤＮコネクションに対して、新たにデフォルトベアラを確立する。ＵＥ１０及びＰＧＷ３０は、ＬＴＥアクセスネットワークを経由してＰＤＮ接続手続きを完了したことに基づいて、ＰＤＮ接続手続きで確立したデフォルトベアラの識別情報と、ＬＴＥアクセスネットワークを識別する情報とを対応づけて記憶する。なお、ＬＴＥアクセスネットワークを識別する情報は、３ＧＰＰアクセスを示す情報であってもよいし、Ｅ−ＵＴＲＡＮアクセスを示す情報であってもよい。
【０５９５】
なお、ＵＥ１０は、ＴＦＴを受信していない場合もしくは保有するＴＦＴにマッチしないユーザデータの送受信を行う際、デフォルトベアラを用いてデータ送受信を行う。また、ＵＥ１０は複数のデフォルトベアラを確立している場合には、デフォルトアクセスに基づいて、データ送受信を行うデフォルトベアラを選択し、選択したデフォルトベアラを用いてデータ送受信を行うことができる。
【０５９６】
ここで、デフォルトアクセスは、第９の識別情報の示すデフォルトアクセスであってよい。さらに、ＵＥ１０は、第１のＰＤＮコネクションに対して２つめのデフォルトベアラを確立した際に第９の識別情報を受信しなかった場合には、第１のＰＤＮコネクションに対して１つめのデフォルトベアラを確立した際に受信した第９の識別情報をもとにデフォルトアクセスを選択し、選択したデフォルトベアラを用いてデータ送受信してもよい。
【０５９７】
さらに、ＰＧＷ３０は、ＴＦＴを受信していない場合もしくは保有するＴＦＴにマッチしないユーザデータの送受信を行う際、デフォルトベアラを用いてデータ送受信を行う。また、ＰＧＷ３０はＵＥ１０との間に複数のデフォルトベアラを確立している場合には、デフォルトアクセスに基づいて、データ送受信を行うデフォルトベアラを選択し、選択したデフォルトベアラを用いてデータ送受信を行うことができる。ここで、デフォルトアクセスは、第９の識別情報の示すデフォルトアクセスであってよい。
【０５９８】
ここで、デフォルトアクセスは、第９の識別情報の示すデフォルトアクセスであってよい。さらに、ＰＧＷ３０は、第１のＰＤＮコネクションに対して２つめのデフォルトベアラを確立した際に第９の識別情報を送信しなかった場合には、第１のＰＤＮコネクション
に対して１つめのデフォルトベアラを確立した際に送信した第９の識別情報をもとにデフォルトアクセスを選択し、選択したデフォルトベアラを用いてデータ送受信してもよい。
【０５９９】
このように、２つ目のデフォルトベアラを確立していない状態において、ＵＥ１０とＰＧＷ３０がデフォルトアクセスを取得することができれば、不要な２つ目のデフォルトベアラを確立するためのＰＤＮコネクション確立手続きを行わずにすむことができる。例えば、追加のＰＤＮコネクション手続きによりＬＴＥアクセスネットワークを介した通信路を確立した際に、ＴＦＴ等を基にしたルーティングルールによってはＬＴＥアクセスネットワークを介した通信路を選択するユーザデータが存在せず、通信路が使用されない場合がおこりうる。デフォルトアクセスがあらかじめ分かっていることにより、ＵＥ１０とＰＧＷ３０は、こうした不要な通信路の確立を行わずにすむため、不要な通信路確立のための制御メッセージの送受信や、通信路に対するリソースなどの浪費を削減することができる。
【０６００】
このように、ＵＥ１０は、２つ目のデフォルトベアラを確立していない状態において、ＵＥ１０とＰＧＷ３０がデフォルトアクセスを取得することができれば、ＵＥ１０が新たにＬＴＥアクセスネットワークの圏内に在圏した際に、デフォルトアクセスの情報に基づいて、マルチアクセスＰＤＮコネクションのための新たなデフォルトベアラを確立するためのＰＤＮコネクションの確立手続きを行うか否かを決定することができる。
【０６０１】
例えば、デフォルトアクセスがＷＬＡＮネットワークであり、且つマルチアクセスアクセスＰＤＮコネクションがＵＥ−Ｉｎｉｔｉａｔｅｄ  ｍｏｄｅであり、且つＬＴＥを経由した通信路で通信を行うことが優先されるユーザデータがルーティングルールに無い場合には、直ちにＬＴＥを介したデフォルトベアラを確立するための追加の転送路確立手続きは行わなくてもよい。
【０６０２】
［２．第２の実施形態］
以下、図面を参照しながら本発明の実施形態による無線通信技術について詳細に説明する。
【０６０３】
［２．１．システム概要］
本実施形態における移動通信システムは、第１の実施形態と同様であってもよい。したがって、移動通信システムの概要は、第１の実施形態の２．１章において図１を用いて説明した移動通信システムと同様であるため、詳細説明を省略する。
【０６０４】
本実施形態では、ＵＥ１０は、第１のＰＤＮコネクション及び／又は第２のＰＤＮコネクションを確立することができる。
【０６０５】
また、本実施形態においてＮＢＩＦＯＭとはマルチアクセスＰＤＮコネクションを確立することができる技術である。
【０６０６】
また、本実施形態においてマルチアクセスＰＤＮコネクションとは、１つのＰＤＮコネクションに３ＧＰＰアクセス及び／又はＷＬＡＮアクセスによる転送路及び／又はベアラを収容する事ができるＰＤＮコネクションである。言い換えれば、マルチアクセスＰＤＮコネクションは３ＧＰＰアクセスとＷＬＡＮアクセスを介した転送路を組み合わせて収容する事ができる。なお、マルチアクセスＰＤＮコネクションは３ＧＰＰアクセスを介したベアラのみを収容したＰＤＮコネクションであってもよく、又はＷＬＡＮアクセスを介した転送路のみを収容したＰＤＮコネクションであっても良い。言い換えれば、マルチアクセスＰＤＮコネクションは、1又は複数の転送路を構成する事が可能なＰＤＮコネクションである。
【０６０７】
なお、本実施形態では、第１の実施形態と異なり、マルチアクセスＰＤＮコネクションは、ＮＢＩＦＯＭに基づいて確立されるＰＤＮコネクション又はＩＦＯＭ（IP Flow Mobility）に基づいて確立するＰＤＮコネクションであってもよい。したがって、本実施形態では、マルチアクセスＰＤＮコネクションとは、ＮＢＩＦＯＭに基づいて特定のフローの転送路を選択可能なＰＤＮコネクションをマルチアクセスＰＤＮコネクションと、ＩＦＯＭに基づいて特定のフローの転送路を選択可能なＰＤＮコネクションをマルチアクセスＰＤＮコネクションのいずれかであってもよい。
【０６０８】
なお、ＩＦＯＭとは、ＤＳＭＩＰｖ６（Ｄｕａｌ  Ｓｔａｃｋ  Ｍｏｂｉｌｅ  ＩＰｖ６）プロトコルを用いて、特定のＩＰフローの通信路を切り替える技術のことである。一方で、ＮＢＩＦＯＭとは、ＧＴＰ（Ｇｅｎｅｒａｌ  Ｐａｃｋｅｔ  Ｒａｄｉｏ  Ｓｙｓｔｅｍ  Ｔｕｎｎｅｌｉｎｇ  Ｐｒｏｔｏｃｏｌ）ややＰＭＩＰ（Ｐｒｏｘｙ  Ｍｏｂｉｌｅ  ＩＰ）等のネットワークベースの移動管理プロトコルを用いて、特定のＩＰフローの通信路を切り替える技術のことである。  また、第１のＰＤＮコネクションは上述したマルチアクセスＰＤＮコネクションであってもよい。
【０６０９】
詳細には、第１のＰＤＮコネクションはアクセスネットワークＡを介した通信路ＥＰＳベアラと、アクセスネットワークＢを介したＧＴＰ／ＰＭＩＰｖ６トンネルによる通信路を、一つのＰＤＮコネクションとして用いる事ができるＰＤＮコネクションである。つまり、このＰＤＮコネクションは３ＧＰＰアクセスや、ＷＬＡＮアクセス、又は両方のアクセスを介してデータを送受信できる。第１のＰＤＮコネクションはマルチアクセスＰＤＮコネクションであってもよい。
【０６１０】
また、第２のＰＤＮコネクションは、マルチアクセスＰＤＮコネクションではなく従来のＰＤＮコネクションであってもよい。なお、第２のＰＤＮコネクションはシングルアクセスＰＤＮコネクションであっても良い。
【０６１１】
ここで、シングルアクセスＰＤＮコネクションとはマルチアクセスＰＤＮコネクションと異なり、３ＧＰＰアクセスとＷＬＡＮアクセスのいずれかの転送路のみで構成される１つのＰＤＮコネクションである。詳細には、シングルアクセスＰＤＮコネクションは従来のアタッチにより確立するＰＤＮコネクションである。
【０６１２】
つまり、第２のＰＤＮコネクションはアクセスネットワークＡを介したＥＰＳベアラにより構成されるＰＤＮコネクション、又はアクセスネットワークＢを介したＧＴＰ／ＰＭＩＰｖ６転送路により構成されるＰＤＮコネクションである。第２のＰＤＮコネクションにはどちらか一方のアクセスネットワークを介した転送路及び／又は通信路が収容される。
【０６１３】
このように、シングルアクセスＰＤＮコネクションは、マルチアクセスＰＤＮコネクションとは異なるＰＤＮコネクションである。さらに、シングルアクセスＰＤＮコネクションは、ＬＩＰＡ（Ｌｏｃａｌ  ＩＰ  Ａｃｃｅｓｓ）用のＰＤＮコネクションとも異なるＰＤＮコネクションである。ここで、ＬＩＰＡとは、ホームネットワークへのオフロードを行うための通信制御である。より具体的には、端末装置が接続する基地局は、従来コアネットワーク９０経由で配送するユーザデータを、基地局が接続するホームネットワークへ送信することによりオフロードを実行する。ＬＩＰＡ用のＰＤＮコネクションとは、こうしたＬＩＰＡに基づいた通信を行うためのＰＤＮコネクションである。
【０６１４】
次に、コアネットワーク９０の構成例を説明する。図２（ａ）はＩＰ移動通信ネットワークの構成の一例を示す。図２（ａ）に示すように、コアネットワーク９０は、ＨＳＳ（Ｈｏｍｅ  Ｓｕｂｓｃｒｉｂｅｒ  Ｓｅｒｖｅｒ）５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）６０、ＰＧＷ３０、ｅＰＤＧ（ｅｎｈａｎｃｅｄ  Ｐａｃｋｅｔ  Ｄａｔａ  Ｇａｔｅｗａｙ）６５、ＳＧＷ３５、ＭＭＥ４０、ＳＧＳＮ（Ｓｅｒｖｉｎｇ  ＧＰＲＳ  Ｓｕｐｐｏｒｔ  Ｎｏｄｅ）４５により構成される。
【０６１５】
また、コアネットワーク９０は、複数の無線アクセスネットワーク（ＬＴＥ  ＡＮ８０、ＷＬＡＮ  ＡＮｂ７５、ＷＬＡＮ  ＡＮａ７０、ＵＴＲＡＮ２０、ＧＥＲＡＮ２５）に接続することができる。
【０６１６】
無線アクセスネットワークは、複数の異なるアクセスネットワークで構成しても良いし、いずれか一つのアクセスネットワークでの構成であっても良い。さらに、ＵＥ１０は無線アクセスネットワークに無線接続することができる。
【０６１７】
さらに、ＷＬＡＮアクセスシステムで接続可能なアクセスネットワークは、ｅＰＤＧ６５を介してコアネットワーク９０へ接続するＷＬＡＮアクセスネットワークｂ（ＷＬＡＮ  ＡＮｂ７５）と、ＰＧＷ３０とＰＣＲＦ６０とＡＡＡ５５とに接続するＷＬＡＮアクセスネットワークａ（ＷＬＡＮ  ＡＮａ７５）とが構成可能である。
【０６１８】
なお、各装置はＥＰＳを利用した移動通信システムにおける従来の装置と同様に構成されるため、詳細な説明は省略する。以下、各装置の簡単な説明をする。
【０６１９】
ＰＧＷ３０はＰＤＮ１００とＳＧＷ３５とｅＰＤＧ６５とＷＬＡＮ  ＡＮａ７０と、ＰＣＲＦ６０とＡＡＡ５５とに接続されており、ＰＤＮ１００とコアネットワーク９０のゲートウェイ装置としてユーザデータの転送を行う中継装置である。
【０６２０】
ＳＧＷ３５は、ＰＧＷ３０とＭＭＥ４０とＬＴＥ  ＡＮ８０とＳＧＳＮ４５とＵＴＲＡＮ２０とに接続されており、コアネットワーク９０と３ＧＰＰのアクセスネットワーク（ＵＴＲＡＮ２０、ＧＥＲＡＮ２５、ＬＴＥ  ＡＮ８０）とのゲートウェイ装置としてユーザデータの転送を行う中継装置である。
【０６２１】
ＭＭＥ４０は、ＳＧＷ３５とＬＴＥ  ＡＮ８０とＨＳＳ５０に接続されており、ＬＴＥ  ＡＮ８０を経由してＵＥ１０の位置情報管理と、アクセス制御を行うアクセス制御装置である。また、コアネットワーク９０には、複数の位置管理装置が含まれて構成されてもよい。例えば、ＭＭＥ４０とは異なる位置管理装置が構成されても良い。ＭＭＥ４０とは異なる位置管理装置はＭＭＥ４０と同様にＳＧＷ３５とＬＴＥ  ＡＮ８０と、ＨＳＳ５０と接続されてもよい。
【０６２２】
また、コアネットワーク９０内に複数のＭＭＥ４０が含まれている場合、ＭＭＥ４０同士が接続されても良い。これにより、ＭＭＥ４０間で、ＵＥ１０のコンテキストの送受信が行われても良い。
【０６２３】
ＨＳＳ５０はＭＭＥ４０とＡＡＡ５５とに接続されており、加入者情報の管理を行う管理ノードである。ＨＳＳ５０の加入者情報は、例えばＭＭＥ４０のアクセス制御の際に参照される。さらに、ＨＳＳ５０は、ＭＭＥ４０とは異なる位置管理装置と接続されていても良い。
【０６２４】
ＡＡＡ５５は、ＰＧＷ３０と、ＨＳＳ５０と、ＰＣＲＦ６０と、ＷＬＡＮ  ＡＮａ７０とに接続されており、ＷＬＡＮ  ＡＮａ７０を経由して接続するＵＥ１０のアクセス制御
を行う。
【０６２５】
ＰＣＲＦ６０は、ＰＧＷ３０と、ＷＬＡＮ  ＡＮａ７５と、ＡＡＡ５５と、ＰＤＮ１００に接続されており、データ配送に対するＱｏＳ管理を行う。例えば、ＵＥ１０とＰＤＮ１００間の通信路のＱｏＳの管理を行う。
【０６２６】
ｅＰＤＧ６５は、ＰＧＷ３０と、ＷＬＡＮ  ＡＮｂ７５とに接続されており、コアネットワーク９０と、ＷＬＡＮ  ＡＮｂ７５とのゲートウェイ装置としてユーザデータの配送を行う。
【０６２７】
ＳＧＳＮ４５は、ＵＴＲＡＮ２０とＧＥＲＡＮ２５とＳＧＷ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ４５は、ＰＧＷ３０及びＳＧＷ３５の選択機能、ＵＥ１０のタイムゾーンの管理機能、及びＥ−ＵＴＲＡＮへのハンドオーバー時のＭＭＥ４０の選択機能を持つ。
【０６２８】
また、図２（ｂ）に示すように、各無線アクセスネットワークには、ＵＥ１０が実際に接続される装置（例えば、基地局装置やアクセスポイント装置）等が含まれている。接続に用いられる装置は、無線アクセスネットワークに適応した装置が考えられる。
【０６２９】
本実施形態においては、ＬＴＥ  ＡＮ８０はｅＮＢ４５を含んで構成される。ｅＮＢ４５はＬＴＥアクセスシステムでＵＥ１０が接続する無線基地局であり、ＬＴＥ  ＡＮ８０には１又は複数の無線基地局が含まれて構成されても良い。
【０６３０】
ＷＬＡＮ  ＡＮａ７０はＷＬＡＮ  ＡＰａ７２と、ＴＷＡＧ７４とが含まれて構成される。ＷＬＡＮ  ＡＰａ７２はコアネットワーク９０を運営する事業者に対して信頼性のあるＷＬＡＮアクセスシステムでＵＥ１０が接続する無線基地局であり、ＷＬＡＮ  ＡＮａ７０には１又は複数の無線基地局が含まれて構成されてもよい。ＧＷ７４はコアネットワーク９０とＷＬＡＮ  ＡＮａ７０のゲートウェイ装置である。また、ＷＬＡＮ  ＡＰａ７２とＧＷ７４とは、単一の装置で構成されても良い。
【０６３１】
コアネットワーク９０を運営する事業者とＷＬＡＮ  ＡＮａ７０を運営する事業者が異なる場合でも、事業者間の契約や規約によりこのような構成での実現が可能となる。
【０６３２】
また、ＷＬＡＮ  ＡＮｂ７５はＷＬＡＮ  ＡＰｂ７６を含んで構成される。ＷＬＡＮ  ＡＰｂ７６はコアネットワーク９０を運営する事業者に対して信頼関係が結ばれていない場合に、ＷＬＡＮアクセスシステムでＵＥ１０が接続する無線基地局であり、ＷＬＡＮ  ＡＮｂ７５には１又は複数の無線基地局が含まれて構成されてもよい。
【０６３３】
このように、ＷＬＡＮ  ＡＮｂ７５はコアネットワーク９０に含まれる装置であるｅＰＤＧ６５をゲートウェイとしてコアネットワーク９０に接続される。ｅＰＤＧ６５は通信の安全性を確保するためのセキュリティー機能を持つ。
【０６３４】
ＵＴＲＡＮ２０は、ＲＮＣ（Ｒａｄｉｏ  Ｎｅｔｗｏｒｋ  Ｃｏｎｔｒｏｌｌｅｒ）２４とｅＮＢ（ＵＴＲＡＮ）２２を含んで構成される。ｅＮＢ（ＵＴＲＡＮ）２２は、ＵＴＲＡ（ＵＭＴＳ  Ｔｅｒｒｅｓｔｒｉａｌ  Ｒａｄｉｏ  Ａｃｃｅｓｓ）でＵＥ１０が接続する無線基地局であり、ＵＴＲＡＮ２０には１又は複数の無線基地局が含まれて構成されてもよい。またＲＮＣ２４は、コアネットワーク９０とｅＮＢ（ＵＴＲＡＮ）２２を接続する制御部であり、ＵＴＲＡＮ２０には１又は複数のＲＮＣが含まれて構成されてもよい。また、ＲＮＣ２４は１つ又は複数のｅＮＢ（ＵＴＲＡＮ）２２と接続されてもよい。
更に、ＲＮＣ２４は、ＧＥＲＡＮ２５に含まれる無線基地局（ＢＳＳ（Ｂａｓｅ  Ｓｔａｔｉｏｎ  Ｓｕｂｓｙｓｔｅｍ）２６）と接続されてもよい。
【０６３５】
ＧＥＲＡＮ２５は、ＢＳＳ２６を含んで構成される。ＢＳＳ２６は、ＧＥＲＡ（ＧＳＭ／ＥＤＧＥ  Ｒａｄｉｏ  Ａｃｃｅｓｓ）でＵＥ１０が接続する無線基地局であり、ＧＥＲＡＮ２５には１又は複数の無線基地局ＢＳＳで構成されても良い。また、複数のＢＳＳは互いに接続しあっていても良い。またＢＳＳ２６はＲＮＣ２４と接続しても良い。
【０６３６】
なお、本明細書において、ＵＥ１０が各無線アクセスネットワークに接続されるという事は、各無線アクセスネットワークに含まれる基地局装置やアクセスポイント等に接続される事としており、送受信されるデータや信号等も、基地局装置やアクセスポイントを経由している。
【０６３７】
［２．２．装置構成］
以下、各装置の構成について説明する。
【０６３８】
［２．２．１．ＴＷＡＧ構成］
図３はＴＷＡＧ７４の装置構成を示す。図に示すように、ＴＷＡＧ７４はＩＰ移動通信ネットワークインターフェース部３２０と、制御部３００と記憶部３４０で構成されている。ＩＰ移動通信ネットワークインターフェース部３２０と記憶部３４０は制御部３００と、バスを介して接続されている。
【０６３９】
制御部３００はＴＷＡＧ７４を制御するための機能部である。制御部３００は、記憶部３４０に記憶されている各種プログラムを読みだして実行することにより各種処理を実現する。
【０６４０】
ＩＰ移動通信ネットワークインターフェース部３２０はユーザデータ及び／又は制御メッセージを送受信するデータ送受信部であり、ＴＷＡＧ７４が、ＰＧＷ３０と接続するための機能部である。
【０６４１】
記憶部３４０は、ＴＷＡＧ７４の各動作に必要なプログラムや、データ等を記憶する機能部である。記憶部３４０は、例えば、半導体メモリや、ＨＤＤ（Ｈａｒｄ  Ｄｉｓｋ  Ｄｒｉｖｅ）等により構成されている。
【０６４２】
図３に示すように、記憶部３４０はＴＷＡＧ  ｃａｐａｂｉｌｉｔｙ３４２と、Ｎｅｔｗｏｒｋ  ｃａｐａｂｉｌｉｔｙ３４４とＥＰＳベアラコンテキスト３４６を記憶する。以下、記憶部３４０で記憶される情報要素について説明する。
【０６４３】
図４に、記憶部３４０で記憶される情報要素を示す。図４（ａ）はＴＷＡＧ７４が記憶するＴＷＡＧ  ｃａｐａｂｉｌｉｔｙの一例を示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０６４４】
なお、ＮＢＩＦＯＭ機能とは、ＮＢＩＦＯＭに基づくマルチアクセスＰＤＮコネクションを確立することができる機能を有する事を示す情報であってもよい。
【０６４５】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０６４６】
図に示すように、ＮＢＩＦＯＭ  ｃａｐａｂｉｌｉｔｙは、ＴＷＡＧ７４の識別情報ＴＷＡＧ  ＩＤと対応づけられて記憶されても良い。ＴＷＡＧ  ＩＤと対応づけられていない場合、ＮＢＩＦＯＭ  ｃａｐａｂｉｌｉｔｙは、記憶するＴＷＡＧ７４の能力を意味してもよい。
【０６４７】
ＴＷＡＧ  ＩＤとＮＢＩＦＯＭ  ｃａｐａｂｉｌｉｔｙが対応付けて記憶されている場合、ＴＷＡＧ７４は複数のＴＷＡＧ７４のＴＷＡＧ  ｃａｐａｂｉｌｉｔｙを記憶しても良い。
【０６４８】
この場合、ＵＥ１０が他のＴＷＡＧ７４へハンドオーバーする際に、ＴＷＡＧ７４がＴＷＡＧ  Ｃａｐａｂｉｌｉｔｙに基づきハンドオーバー先のＴＷＡＧ７４を選択しても良い。
【０６４９】
次に、Ｎｅｔｗｏｒｋ  ｃａｐａｂｉｌｉｔｙ３４４について説明する。図４（ｂ）はＴＷＡＧ７４が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０６５０】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０６５１】
なお、ＮＢＩＦＯＭ機能とは、ＮＢＩＦＯＭに基づくマルチアクセスＰＤＮコネクションを確立することができる機能を有する事を示す情報であってもよい。
【０６５２】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味しても良い。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味しても良い。
【０６５３】
図４（ｂ）に示すように、ＴＷＡＧ７４は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されても良い。
【０６５４】
ＰＧＷ  ＩＤは、ＰＧＷ３０を識別するための情報であればよく、例えばＡＰＮ（Ａｃｃｅｓｓ  Ｐｏｉｎｔ  Ｎａｍｅ）であっても良い。
【０６５５】
次に、ＥＰＳベアラコンテキストについて説明する。ＥＰＳベアラコンテキストは、Ｕ
Ｅ１０ごとに記憶されるＵＥ１０ごとのＥＰＳベアラコンテキストと、ＰＤＮコネクションごとのＥＰＳベアラコンテキストとベアラ及び／又は転送路ごとのＥＰＳベアラコンテキストに分類されても良い。
【０６５６】
図４（ｃ）はＵＥ１０ごとのＥＰＳベアラコンテキストに含まれる情報要素を示す。図から分かるように、ＴＷＡＧ７４はＵＥ１０ごとにＵＥＮＢＩＦＯＭ  ｃａｐａｂｉｌｉｔｙ、ＮＢＩＦＯＭ  ａｌｌｏｗｅｄを記憶する。
【０６５７】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥＮＢＩＦＯＭ  ｃａｐａｂｉｌｉｔｙは、ＵＥ１０がＮＢＩＦＯＭ機能をサポートするか否かを示す識別情報である。より具体的には、例えば、ＵＥＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０６５８】
なお、ＮＢＩＦＯＭ機能とは、ＮＢＩＦＯＭに基づくマルチアクセスＰＤＮコネクションを確立することができる機能を有する事を示す情報であってもよい。
【０６５９】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０６６０】
言い換えれば、ＵＥ１０がＮＢＩＦＯＭ機能をサポートすることを示す識別情報であっても良い。つまり、記憶部にＵＥＮＢＩＦＯＭ  ｃａｐａｂｉｌｉｔｙが存在することでＵＥ１０がＮＢＩＦＯＭ機能をサポートすることを意味しても良い。
【０６６１】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてもよい。ＮＢＩＦＯＭ  ａｌｌｏｗｅｄは複数のＡＰＮと対応付けられていても良い。
【０６６２】
本実施形態ではＡＰＮ１はＮＢＩＦＯＭ  ａｌｌｏｗｅｄに対応付けられている。つまり、ＡＰＮ１はＮＢＩＦＯＭに基づくＮＢＩＦＯＭに基づくマルチアクセスＰＤＮコネクションを確立することが許可されている。言い換えれば、本実施形態ではＵＥ１０はＡＰＮ１を用いてＮＢＩＦＯＭに基づくマルチアクセスＰＤＮコネクションを確立することが許可されている。なお、ＡＰＮ１はＮＢＩＦＯＭに基づくマルチアクセスＰＤＮコネクションではなく、従来のＰＤＮコネクションを確立する事も許可されている。
【０６６３】
更に、本実施形態ではＡＰＮ２はＮＢＩＦＯＭ  ａｌｌｏｗｅｄに対応付けられていない。つまり、本実施形態ではＡＰＮ２はＮＢＩＦＯＭに基づくマルチアクセスＰＤＮコネクションを確立することが許可されていない。つまり、本実施形態ではＵＥ１０はＡＰＮ２を用いて、ＮＢＩＦＯＭに基づくマルチアクセスＰＤＮコネクションを確立することはできない。
【０６６４】
ＮＢＩＦＯＭ  ａｌｌｏｗｅｄはＰＤＮコネクション確立前に記憶されていてもよい。
【０６６５】
ＴＷＡＧ７４は、ＰＤＮコネクション確立前及び／又は確立手続き中に、ＨＳＳ５０にアクセスしＮＢＩＦＯＭ  ａｌｌｏｗｅｄを取得してもよい。
【０６６６】
また、ＵＥ１０ごとのＥＰＳベアラコンテキストにはＵＥ１０の識別情報が含まれていても良い。ＵＥ１０の識別情報はＩＭＳＩであってもよい。
【０６６７】
また、図４（ｄ）にＰＤＮコネクションごとのＥＰＳベアラコンテキストを示す。ＰＤＮコネクションごとのＥＰＳベアラコンテキストは、ＰＤＮ  ｃｏｎｎｅｃｔｉｏｎ  ＩＤとＮｅｔｗｏｒｋ  ａｌｌｏｗｅｄ  ｍｏｄｅとＯｐｅｒａｔｉｏｎ  ｍｏｄｅとＵｓｅｒ  ｐｌａｎｅ  ｃｏｎｎｅｃｔｉｏｎ  ＩＤとＴＷＡＧ  ＭＡＣ  ａｄｄｒｅｓｓ、ＮＢＩＦＯＭ  Ｐｅｒｍｉｓｓｉｏｎを含める。
【０６６８】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していてもよい。
【０６６９】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか、ネットワークであるのかを示すモードの識別情報である。
【０６７０】
より具体的には、例えば、ＵＥ１０から通信制御を開始できるＯｐｅｒａｔｉｏｎ  ｍｏｄｅはＵＥｉｎｉｔｉａｔｅｄ  ｍｏｄｅであってもよい。
【０６７１】
また、ネットワーク及び／又はＰＧＷ３０及び／又はＰＣＲＦ６０から通信制御を開始できるＯｐｅｒａｔｉｏｎ  ｍｏｄｅはＮｅｔｗｏｒｋ  ｉｎｉｔｉａｔｅｄ  ｍｏｄｅであってもよい。
【０６７２】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅ、又はこれら両方を含めても良い。
【０６７３】
Ｕｓｅｒ  ｐｌａｎｅ  ｃｏｎｎｅｃｔｉｏｎ  ＩＤは、ＵＥ１０がＴＷＡＧ７４を介した転送路を確立した場合のユーザデータの伝送に用いる接続を識別する識別情報である。
【０６７４】
ＴＷＡＧ  ＭＡＣ  ａｄｄｒｅｓｓはＴＷＡＧ７４の物理アドレスである。
【０６７５】
ＮＢＩＦＯＭ  ｐｅｒｍｉｓｓｉｏｎは、該ＰＤＮコネクションがＮＢＩＦＯＭに基づくマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０６７６】
つまり、ＴＷＡＧ７４がＮＢＩＦＯＭ  ｐｅｒｍｉｓｓｉｏｎを記憶することで、このＰＤＮコネクションは第１のＰＤＮコネクションであることを意味する。
【０６７７】
ＮＢＩＦＯＭ  ｐｅｒｍｉｓｓｉｏｎは、ＰＤＮコネクションを確立することにより、ＴＷＡＧ７４が記憶する識別情報である。
【０６７８】
ＴＷＡＧ７４はＰＤＮコネクション確立中に、ＨＳＳ５０にアクセスしＮＢＩＦＯＭ  ｐｅｒｍｉｓｓｉｏｎを取得しても良い。又は、ＮＢＩＦＯＭに基づくマルチアクセスＰＤＮコネクションが確立されたことに基づき、ＴＷＡＧ７４はＮＢＩＦＯＭ  Ｐｅｒｍｉｓｓｉｏｎを記憶しても良い。
【０６７９】
次に、ベアラ及び／又は転送路ごとのＥＰＳベアラコンテキストについて説明する。図４（ｅ）に示すように、ベアラ及び／又は転送路ごとのＥＰＳベアラコンテキストには、転送路識別情報とＲｏｕｔｉｎｇ  Ｒｕｌｅがふくまれてもよい。
【０６８０】
転送路識別情報は転送路及び／又はベアラを識別する情報である。転送路識別情報は、例えばＥＰＳベアラＩＤであっても良い。
【０６８１】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付けに基づき、３ＧＰＰのアクセスネットワークを介した通信路を用いるか、ＷＬＡＮのアクセスネットワークを介した通信路を用いるかが決定される。
【０６８２】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０６８３】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０６８４】
Ｒｏｕｔｉｎｇ  ＲｕｌｅはＰＧＷ３０やＰＣＲＦ６０から通知されても良いし、ＵＥ１０から通知されても良い。又はＴＷＡＧ７４が事前にデフォルト値として記憶していた値であっても良い。
【０６８５】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、アプリケーションごとにフローを切り替えても良い。又は、ＴＦＴを含めても良い。
【０６８６】
Ｒｏｕｔｉｎｇｕ  Ｒｕｌｅには複数のルールが記憶されていてもよい。更に、Ｒｏｕｔｉｎｇ  ｒｕｌｅは、各ルールに優先順位が含まれていても良い。
【０６８７】
ＴＷＡＧ  ＣａｐａｂｉｌｉｔｙとＮｅｔｗｏｒｋ  ｃａｐａｂｉｌｉｔｙはＥＰＳベアラコンテキストに含まれていても良い。
【０６８８】
［２．２．２．ＨＳＳ構成］
次に、ＨＳＳ５０の構成について説明する。図５はＨＳＳ５０の装置構成を示す。図に示すように、ＨＳＳ５０はＩＰ移動通信ネットワークインターフェース部５２０と、制御部５００と記憶部５４０で構成されている。ＩＰ移動通信ネットワークインターフェース部５２０と記憶部５４０は制御部５００と、バスを介して接続されている。
【０６８９】
制御部５００はＨＳＳ５０を制御するための機能部である。制御部５００は、記憶部５４０に記憶されている各種プログラムを読みだして実行することにより各種処理を実現する。
【０６９０】
ＩＰ移動通信ネットワークインターフェース部５２０はユーザデータ及び／又は制御メッセージを送受信するデータ送受信部であり、ＨＳＳ５０が、ＭＭＥ４０及び／又はその他のＭＭＥ４０と、ＡＡＡ５５と接続するための機能部である。
【０６９１】
記憶部５４０は、ＨＳＳ５０の各動作に必要なプログラムや、データ等を記憶する機能
部である。記憶部５４０は、例えば、半導体メモリや、ＨＤＤ（Ｈａｒｄ  Ｄｉｓｋ  Ｄｒｉｖｅ）等により構成されている。
【０６９２】
図５に示すように、記憶部５４０はＨＳＳデータ５４２を記憶する。以下、記憶部５４０で記憶される情報要素について説明する。
【０６９３】
図６に、記憶部５４０で記憶される情報要素を示す。図６（ａ）はＨＳＳ５０が記憶するＵＥ１０ごとのＨＳＳデータの一例を示す。
【０６９４】
図から分かるように、ＵＥ１０ごとのＨＳＳデータには、ＩＭＳＩ、ＭＳＩＳＤＮ、ＩＭＥＩ／ＩＭＥＩＳＶ、Ａｃｃｅｓｓ  Ｒｅｓｔｒｉｃｔｉｏｎ、ＵＥＮＢＩＦＯＭ  ｃａｐａｂｉｌｉｔｙ、ＮＢＩＦＯＭ  ａｌｌｏｗｅｄが含まれる。
【０６９５】
ＩＭＳＩはＵＥ１０を使用するユーザ（加入者）に割り当てられる、識別情報である。
【０６９６】
ＭＳＩＳＤＮは、ＵＥ１０の電話番号を表す。
【０６９７】
ＩＭＥＩ／ＩＭＩＳＶは、ＵＥ１０に割り当てられている識別情報である。
【０６９８】
Ａｃｃｅｓｓ  Ｒｅｓｔｒｉｃｔｉｏｎは、アクセス制限の登録情報を示す。
【０６９９】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥ１０がＮＢＩＦＯＭ機能をサポートしているか否かを示す。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０７００】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０７０１】
また、ＮＢＩＦＯＭ  ａｌｌｏｗｅｄはＮＢＩＦＯＭを用いたＰＤＮコネクションを確立することが許可されたＡＰＮを示す識別情報である。ＮＢＩＦＯＭは少なくともＡＰＮと対応付けられていてもよい。ＮＢＩＦＯＭ  ａｌｌｏｗｅｄは複数のＡＰＮと対応付けられていても良い。
【０７０２】
本実施形態ではＡＰＮ１はＮＢＩＦＯＭ  ａｌｌｏｗｅｄに対応付けられている。つまり、ＡＰＮ１はＮＢＩＦＯＭに基づくマルチアクセスＰＤＮコネクションを確立することが許可されている。言い換えれば、本実施形態ではＵＥ１０はＡＰＮ１を用いてＮＢＩＦＯＭに基づくマルチアクセスＰＤＮコネクションを確立することが許可されている。なお、ＡＰＮ１はＮＢＩＦＯＭに基づくマルチアクセスＰＤＮコネクションではなく、従来のＰＤＮコネクションを確立する事も許可されている。
【０７０３】
更に、本実施形態ではＡＰＮ２はＮＢＩＦＯＭ  ａｌｌｏｗｅｄに対応付けられていない。つまり、本実施形態ではＡＰＮ２はＮＢＩＦＯＭに基づくマルチアクセスＰＤＮコネクションを確立することが許可されていない。つまり、本実施形態ではＵＥ１０はＡＰＮ２を用いて、ＮＢＩＦＯＭに基づくマルチアクセスＰＤＮコネクションを確立することはできない。
【０７０４】
ＮＢＩＦＯＭ  ａｌｌｏｗｅｄはＰＤＮコネクション確立前に記憶されていてもよい。
【０７０５】
図６（ｂ）はＨＳＳ５０が記憶するＰＤＮコネクションごとのＨＳＳデータの一例を示す。図から分かるように、ＰＤＮコネクションごとのＨＳＳデータには、少なくともＣｏｎｔｅｘｔ  ＩＤ、ＰＤＮ  ａｄｄｒｅｓｓ、ＰＤＮ  Ｔｙｐｅ、ＡＰＮ（Ａｃｃｅｓｓ  Ｐｏｉｎｔ  Ｎａｍｅ）、ＷＬＡＮ  ｏｆｆｌａｏｄ  ａｂｉｌｉｔｙ、ＰＤＮ  ＧＷ  ＩＤ、ＮＢＩＦＯＭ  Ｐｅｒｍｉｓｓｉｏｎが含まれる。
【０７０６】
Ｃｏｎｔｅｘｔ  ＩＤは、ＰＤＮコネクションごとのＨＳＳデータを記憶するコンテキストの識別情報である。
【０７０７】
ＰＤＮ  Ａｄｄｒｅｓｓは、登録されたＩＰアドレスを示す。ＰＤＮ  ＡｄｄｒｅｓｓはＵＥ１０のＩＰアドレスである。
【０７０８】
ＰＤＮ  Ｔｙｐｅは、ＰＤＮ  Ａｄｄｒｅｓｓのタイプを示す。つまり、例えばＩＰｖ４又はＩＰｖ６又はＩＰｖ４ｖ６を識別するための識別情報である。
【０７０９】
ＡＰＮは、ＤＮＳの命名規則に従い、ネットワークのアクセス先を示すラベルである。
【０７１０】
ＷＬＡＮ  ｏｆｆｌｏａｄ  ａｂｉｌｉｔｙは、このＡＰＮで接続されたトラフィックは、ＷＬＡＮと３ＧＰＰ間の連携機能を用いて、ＷＬＡＮにオフロードできるか、又は３ＧＰＰの接続を維持するのかを示す識別情報である。ＷＬＡＮ  ｏｆｆｌｏａｄ  ａｂｉｌｉｔｙは、ＲＡＴタイプごとに分かれていても良い。具体的には、ＬＴＥ（Ｅ−ＵＴＲＡ）と３Ｇ（ＵＴＲＡ）で異なっていても良い。
【０７１１】
ＰＤＮ  ＧＷ  ｉｄｅｎｔｉｔｙは、このＡＰＮで利用されるＰＧＷ３０を識別する識別情報である。この識別情報は、ＦＱＤＮ（Ｆｕｌｌｙ  Ｑｕａｌｉｆｉｅｄ  Ｄｏｍａｉｎ  Ｎａｍｅ：完全修飾ドメイン名）か、ＩＰアドレスであってもよい。
【０７１２】
ＮＢＩＦＯＭ  ｐｅｒｍｉｓｓｉｏｎは、このＰＤＮコネクションがＮＢＩＦＯＭに基づくマルチアクセスＰＤＮコネクションを確立した事を示す情報である。言い換えれば、ＮＢＩＦＯＭ  ｐｅｒｍｉｓｓｉｏｎは、第１のＰＤＮコネクションを確立したことを示す。
【０７１３】
つまり、ＴＷＡＧ７４がＮＢＩＦＯＭ  ｐｅｒｍｉｓｓｉｏｎを記憶することで、このＰＤＮコネクションは第１のＰＤＮコネクションであることを意味する。
【０７１４】
ＮＢＩＦＯＭ  ｐｅｒｍｉｓｓｉｏｎは、ＰＤＮコネクションを確立することにより、ＴＷＡＧ７４が記憶する識別情報である。
【０７１５】
具体的には、例えばＡＰＮ１が含まれるＰＤＮコネクションごとのＨＳＳデータにはＮＢＩＦＯＭ  Ｐｅｒｍｉｓｓｉｏｎが含まれ、ＡＰＮ２が含まれるＰＤＮコネクションごとのＨＳＳデータにはＮＢＩＦＯＭ  Ｐｅｒｍｉｓｓｉｏｎが含まれなくても良い。
【０７１６】
言い換えれば、ＡＰＮ１によるＰＤＮコネクションは第１のＰＤＮコネクションであってもよく、ＡＰＮ２は第１のＰＤＮコネクションであってはならない。
【０７１７】
［２．２．３．ＵＥ構成］
次に、ＵＥ１０の構成について説明する。図７はＵＥ１０の装置構成を示す。図に示すように、ＵＥ１０はＬＴＥインターフェース部７２０と、ＷＬＡＮインターフェース部７４０と、制御部７００と記憶部７５０で構成されている。
【０７１８】
ＬＴＥインターフェース部７２０とＷＬＡＮインターフェース部７４０と記憶部７５０は制御部７００と、バスを介して接続されている。
【０７１９】
制御部７００はＵＥ１０を制御するための機能部である。制御部７００は、記憶部７５０に記憶されている各種プログラムを読みだして実行することにより各種処理を実現する。
【０７２０】
ＬＴＥインターフェース部７２０は、ユーザデータ及び／又は制御メッセージを送受信するデータ送受信部であり、ＵＥ１０がＬＴＥ基地局に接続し、ＩＰアクセスネットワークへ接続するための機能部である。また、ＬＴＥインターフェース部７２０には、外部アンテナ７１０が接続されている。
【０７２１】
ＷＬＡＮインターフェース部７４０は、ユーザデータ及び／又は制御メッセージを送受信するデータ送受信部であり、ＵＥ１０がＷＬＡＮ  ＡＰに接続し、ＩＰアクセスネットワークへ接続するための機能部である。また、ＷＬＡＮインターフェース部７４０には、外部アンテナ７３０が接続されている。
【０７２２】
制御部７００はＵＥ１０を制御するための機能部である。制御部７００は、記憶部７５０に記憶されている各種プログラムを読みだして実行することにより各種処理を実現する。
【０７２３】
記憶部７５０は、ＵＥ１０の各動作に必要なプログラムや、データ等を記憶する機能部である。記憶部７５０は、例えば、半導体メモリや、ＨＤＤ（Ｈａｒｄ  Ｄｉｓｋ  Ｄｒｉｖｅ）等により構成されている。
【０７２４】
図７に示すように、記憶部７５０はＵＥコンテキスト７５２を記憶する。以下、記憶部７５０で記憶される情報要素について説明する。なお、ＵＥコンテキスト７５２は、ＵＥ１０ごとのＵＥコンテキストとＰＤＮコネクションごとのＵＥコンテキストと、転送路及び／又はベアラごとのＵＥコンテキストに分類される。
【０７２５】
図８（ａ）は、ＵＥ１０ごとに記憶されるＵＥコンテキストの一例である。図に示すように、ＵＥ１０ごとのＵＥコンテキストは、ＩＭＳＩ、ＥＭＭ  Ｓｔａｔｅ、ＧＵＴＩ、ＭＥ  Ｉｄｅｎｔｉｔｙ、ＵＥＮＢＩＦＯＭ  ｃａｐａｂｉｌｉｔｙが含まれる。
【０７２６】
ＩＭＳＩはＵＥ１０を使用するユーザ（加入者）に割り当てられる、識別情報である。
【０７２７】
ＥＭＭ  Ｓｔａｔｅは、ＵＥ１０の移動管理状態を示す。例えば、ＵＥ１０がネットワークに登録されているＥＭＭ−ＲＥＧＩＳＴＥＲＥＤ（登録状態、ｒｅｇｉｓｔｅｒｅｄ状態）、又はＵＥ１０がネットワークに登録されていないＥＭＭ−ＤＥＲＥＧＩＳＴＥＲＤ（非登録状態、ｄｅｒｅｇｉｓｔｅｒｅｄ状態）であっても良い。
【０７２８】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥ１０の一時的な識別情報である。ＧＵＴＩはＭＭＥ４０の識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ４０内でのＵＥ１０の識別情報（Ｍ−ＴＭＳＩ）により構成される。
【０７２９】
ＭＥ  Ｉｄｅｎｔｉｔｙは、ＭＥのＩＤであり、例えば、ＩＭＥＩ／ＩＭＩＳＶであっ
ても良い。
【０７３０】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥＮＢＩＦＯＭ  ｃａｐａｂｉｌｉｔｙは、ＵＥ１０ごとにＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０７３１】
なお、ＮＢＩＦＯＭ機能とは、ＮＢＩＦＯＭに基づくマルチアクセスＰＤＮコネクションを確立することができる機能を有する事を示す情報であってもよい。
【０７３２】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥ１０の記憶部にＵＥＮＢＩＦＯＭ  ｃａｐａｂｉｌｉｔｙが存在することでＵＥ１０が第１のＰＤＮコネクションを確立する機能を持つことを意味しても良い。
【０７３３】
言い換えれば、ＵＥＮＢＩＦＯＭ  ｃａｐａｂｉｌｉｔｙは、ＵＥ１０がＮＢＩＦＯＭ機能をサポートすることを示す識別情報であっても良い。つまり、ＵＥ１０の記憶部にＵＥＮＢＩＦＯＭ  ｃａｐａｂｉｌｉｔｙが存在することで、ＵＥ１０がＮＢＩＦＯＭ機能をサポートすることを意味しても良い。
【０７３４】
図８（ｂ）はＰＤＮコネクションごとのＵＥコンテキストの一例を示す。図に示すように、ＰＤＮコネクションごとのＵＥコンテキストには、少なくともＰＤＮ  ｃｏｎｎｅｃｔｉｏｎ  ＩＤ、ＡＰＮ  ｉｎ  Ｕｓｅ、ＩＰ  ａｄｄｒｅｓｓ、Ｄｅｆａｕｌｔ  Ｂｅａｒｅｒ、ＷＬＡＮ  ｏｆｆｌｏａｄ  ａｂｉｌｉｔｙ、ＵＥａｌｌｏｗｅｄ  ｍｏｄｅ、Ｏｐｅｒａｔｉｏｎ  ｍｏｄｅが含まれる。
【０７３５】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していてもよい。
【０７３６】
ＡＰＮ  ｉｎ  Ｕｓｅは、ＵＥ１０が直前に利用したＡＰＮである。このＡＰＮは、ネットワークの識別情報と、デフォルトのオペレータの識別情報とで構成されてもよい。
【０７３７】
ＩＰ  Ａｄｄｒｅｓｓは、ＰＤＮコネクションでＵＥ１０に割り当てられたＩＰアドレスであり、ＩＰｖ４アドレス、又はＩＰｖ６  プレフィックスであってもよい。
【０７３８】
Ｄｅｆａｕｌｔ  Ｂｅａｒｅｒは、このＰＤＮコネクションでのデフォルトベアラを識別するＥＰＳベアラ識別情報である。
【０７３９】
なお、ＵＥ１０は、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するＥＰＳベアラ識別情報を対応づけて管理してもよい。
【０７４０】
さらに、ＵＥ１０はデフォルトベアラとアクセスネットワークを対応づけて管理してもよい。
具体的には、ＵＥ１０は、アクセスネットワークＡに対するデフォルトベアラと、アクセ
スネットワークＢに対するデフォルトベアラのそれぞれを識別するＥＰＳベアラ識別情報を記憶してもよい。ここでアクセスネットワークに対するデフォルトベアラとは、アクセスネットワークのアクセスシステムに対するデフォルトベアラであってよい。したがって、ＵＥ１０は、３ＧＰＰアクセスに対するデフォルトベアラと、ＷＬＡＮアクセスに対するデフォルトベアラをマルチアクセスＰＤＮコネクションに対応づけて記憶してもよい。
【０７４１】
また、マルチアクセスＰＤＮに対するデフォルトベアラは、ＵＥ１０が確立しているデフォルトベアラであってよい。言い換えると、マルチアクセスＰＤＮコネクションに対して一つのデフォルトベアラのみを確立している状態では、ＵＥ１０はマルチアクセスＰＤＮコネクションに対して一つのデフォルトベアラを記憶し、マルチアクセスＰＤＮコネクションに対して二つのデフォルトベアラを確立している状態では、ＵＥ１０はマルチアクセスＰＤＮコネクションに対して二つのデフォルトベアラを記憶してもよい。
【０７４２】
さらに、ＵＥ１０はマルチアクセスＰＤＮコネクションにおけるデフォルトアクセス（Ｄｅｆａｕｌｔ  Ａｓｓｅｓｓ）を示す情報をマルチアクセスＰＤＮコネクションに対しして記憶してもよい。なお、デフォルトアクセスは、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０７４３】
もしくは、デフォルトアクセスは更に詳細な情報であってもよい。例えば、デフォルトアクセスは、Ｅ−ＵＴＲＡＮアクセスか、ＵＴＲＡＮアクセスか、ＧＥＲＡＮアクセスのいずれかであってもよい。
【０７４４】
ＵＥ１０は、複数のデフォルトベアラを確立している場合、デフォルトアクセスに基づいてデフォルトベアラを選択し、選択したデフォルトベアラを用いてユーザデータの送受信を行っても良い。
【０７４５】
ＷＬＡＮ  ｏｆｆｌｏａｄａｂｉｌｉｔｙは、このＰＤＮコネクションに関連付けられた通信はＷＬＡＮと３ＧＰＰ間のインターワーキング機能を用いてＷＬＡＮへオフロードすることを許可するか、又は３ＧＰＰアクセスを維持するか否かを示すＷＬＡＮオフロードの許可情報である。
【０７４６】
ＵＥａｌｌｏｗｅｄ  ｍｏｄｅは、ＵＥ１０が許可するＯｐｅｒａｔｉｏｎ  ｍｏｄｅである。この識別情報は、ＵＥｉｎｔｉａｔｅｄ  ｍｏｄｅを示しても良いし、Ｎｅｔｗｏｒｋ  ｉｎｉｔｉａｔｅｄ  ｍｏｄｅを示しても良いし、これら両方を示しても良い。
【０７４７】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ１０であるのかネットワークであるのかを示すモードの識別情報である。
【０７４８】
図８（ｃ）はベアラごとのＵＥコンテキストである。ベアラごとのＵＥコンテキストには転送路識別情報、Ｒｏｕｔｉｎｇ  Ｒｕｌｅが含まれている。
【０７４９】
転送路識別情報は転送路及び／又はベアラを識別する情報である。転送路識別情報は、例えばＥＰＳベアラＩＤであっても良い。
【０７５０】
また、転送路識別情報はＴＦＴと対応付けられていても良い。
【０７５１】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０７５２】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０７５３】
Ｒｏｕｔｉｎｇ  ＲｕｌｅはＰＧＷ３０やＰＣＲＦ６０から通知されても良い。又は、ＵＥ１０が事前にデフォルト値として記憶していた値であっても良い。
【０７５４】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、ＵＥ１０はアプリケーションごとにフローを切り替えても良い。又は、Ｒｏｕｔｉｎｇ  ＦｉｌｔｅｒにＴＦＴを含めても良い。
【０７５５】
Ｒｏｕｔｉｎｇｕ  Ｒｕｌｅには複数のルール（規則）が記憶されていてもよい。更に、Ｒｏｕｔｉｎｇ  ｒｕｌｅは、各ルールに優先順位が含まれていても良い。
【０７５６】
図８（ｄ）にＴＷＡＧ  Ｃａｐａｂｉｌｉｔｙを示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０７５７】
なお、ＮＢＩＦＯＭ機能とは、ＮＢＩＦＯＭに基づくマルチアクセスＰＤＮコネクションを確立することができる機能を有する事を示す情報であってもよい。
【０７５８】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０７５９】
ＵＥ１０はＮＢＩＦＯＭ  ｃａｐａｂｉｌｉｔｙはＴＷＡＧ  ＩＤと対応付けて記憶しても良い。また、複数のＴＷＡＧ７４のＮＢＩＦＯＭ  ｃａｐａｂｉｌｉｔｙを記憶しても良い。
【０７６０】
図８（ｅ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０７６１】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０７６２】
又は、ＮＢＩＦＯＭ  ｃａｐａｂｉｌｉｔｙは、第１のＰＤＮコネクションを確立する
能力があることを示す識別情報であっても良い。つまり、ＮＢＩＦＯＭ  ｃａｐａｂｉｌｉｔｙが存在することでＰＧＷ３０及び／又はネットワークが第１のＰＤＮコネクションを確立する機能を持つゲートウェイであることを意味しても良い。
【０７６３】
図８（ｅ）に示すように、ＴＷＡＧ７４は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されても良い。
【０７６４】
ＰＧＷ  ＩＤは、ＰＧＷ３０を識別するための情報である。ＰＧＷ  ＩＤは、例えばＡＰＮであっても良い。
【０７６５】
ＴＷＡＧ  ＣａｐａｂｉｌｉｔｙとＮｅｔｗｏｒｋ  ｃａｐａｂｉｌｉｔｙはＵＥコンテキストに含まれていても良いし、ＵＥコンテキストから独立した情報であっても良い。
【０７６６】
つまり、ＵＥ１０はＴＷＡＧ  ＣａｐａｂｉｌｉｔｙとＮｅｔｗｏｒｋ  ｃａｐａｂｉｌｉｔｙをＵＥコンテキストに含めて記憶してもよく、又はＴＷＡＧ  ＣａｐａｂｉｌｉｔｙとＮｅｔｗｏｒｋ  ｃａｐａｂｉｌｉｔｙをＵＥコンテキストから独立して記憶しても良い。
【０７６７】
［２．２．４．ＰＧＷ構成要素］
次に、ＰＧＷ３０の構成要素について説明する。図９はＰＧＷ３０の装置構成を示す。図に示すように、ＰＧＷ３０はＩＰ移動通信ネットワークインターフェース部９２０と、制御部９００と記憶部９４０で構成されている。ＩＰ移動通信ネットワークインターフェース部９２０と記憶部９４０は制御部９００と、バスを介して接続されている。
【０７６８】
制御部９００はＰＧＷ３０を制御するための機能部である。制御部９００は、記憶部９４０に記憶されている各種プログラムを読みだして実行することにより各種処理を実現する。
【０７６９】
ＩＰ移動通信ネットワークインターフェース部９２０は、ユーザデータ及び／又は制御メッセージを送受信するデータ送受信部であり、ＰＧＷ３０が、ＳＧＷ３５及び／又はＰＣＲＦ６０及び／又はｅＰＤＧ６５と及び／又はＡＡＡ５５及び／又はＧＷ７４と接続するための機能部である。
【０７７０】
記憶部９４０は、ＰＧＷ３０の各動作に必要なプログラムや、データ等を記憶する機能部である。記憶部９４０は、例えば、半導体メモリや、ＨＤＤ（Ｈａｒｄ  Ｄｉｓｋ  Ｄｒｉｖｅ）等により構成されている。
【０７７１】
記憶部９４０は、図に示すように、ＥＰＳベアラコンテキスト９４２を記憶する。なお、ＥＰＳベアラコンテキストの中には、ＵＥ１０ごとに記憶されるものと、ＡＰＮごとに記憶されるものと、ＰＤＮコネクションごとに記憶されるものと、転送路及び／又はベアラごとに記憶されるものが含まれる。
【０７７２】
まず、ＵＥ１０ごとのＥＰＳベアラコンテキストについて説明する。図１０（ａ）は、ＵＥ１０ごとのＥＰＳベアラコンテキストの一例を示す。図に示すようにＥＰＳベアラコンテキストには、少なくともＩＭＳＩとＭＥ  ＩｄｅｎｔｉｔｙとＭＳＩＳＤＮとＵＥＮＢＩＦＯＭ  ｃａｐａｂｉｌｉｔｙが含まれる。
【０７７３】
ＩＭＳＩはＵＥ１０のユーザを識別する情報である。
【０７７４】
ＭＥ  Ｉｄｅｎｔｉｔｙは、ＭＥのＩＤであり、例えば、ＩＭＥＩ／ＩＭＩＳＶであっても良い。
【０７７５】
ＭＳＩＳＤＮは、ＵＥ１０の電話番号を表す。
【０７７６】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０７７７】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０７７８】
次に、ＰＤＮコネクションごとのＥＰＳベアラコンテキストについて説明する。図１０（ｂ）はＰＤＮコネクションごとのＥＰＳベアラコンテキストの一例を示す。
【０７７９】
図に示すように、コンテキストには少なくともＰＤＮ  ｃｏｎｎｅｃｔｉｏｎ  ＩＤ、ＩＰ  ａｄｄｒｅｓｓ、ＰＤＮ  ｔｙｐｅ、ＡＰＮ、Ｎｅｔｗｏｒｋ  ａｌｌｏｗｅｄ  ｍｏｄｅ、Ｏｐｅｒａｔｉｏｎ  ｍｏｄｅを含める。
【０７８０】
ＰＤＮ  ｃｏｎｎｅｃｔｉｏｎ  ＩＤは、ＰＤＮコネクションを識別するための識別情報である。ＵＥ１０とＴＷＡＧ７４とＰＧＷ３０が同じ識別情報を記憶していてもよい。
【０７８１】
ＩＰ  Ａｄｄｒｅｓｓは、このＰＤＮコネクションに対してＵＥ１０が割り当てられたＩＰアドレスを示す。ＩＰアドレスはＩＰｖ４及び／又はＩＰｖ６  プレフィックスであってもよい。
【０７８２】
ＰＤＮ  ｔｙｐｅは、ＩＰアドレスの種類を示す。ＰＤＮ  ｔｙｐｅは例えば、ＩＰｖ４又はＩＰｖ６又はＩＰｖ４ｖ６を示す。
【０７８３】
ＡＰＮは、ＤＮＳの命名規則に従い、ネットワークのアクセス先を示すラベルである。
【０７８４】
Ｎｅｔｗｏｒｋ  ａｌｌｏｗｅｄ  ｍｏｄｅは、ネットワークが許可するＯｐｅｒａｔｉｏｎ  ｍｏｄｅを示す。Ｎｅｔｗｏｒｋ  ａｌｌｏｗｅｄ  ｍｏｄｅはＵＥｉｎｉｔｉａｔｅｄ  ｍｏｄｅ、又はＮｅｔｗｏｒｋ  ｉｎｉｔｉａｔｅｄ  ｍｏｄｅ、又はこれら両方を含めても良い。
【０７８５】
Ｏｐｅｒａｔｉｏｎ  ｍｏｄｅは、現在のＰＤＮコネクションが第１のＰＤＮコネクションである場合、データの送受信を主導する、又は通信制御を開始できるのがＵＥ１０であるのかネットワークであるのかを示すモードの識別情報である。
【０７８６】
より具体的には、例えば、ＵＥ１０から通信制御を開始できるＵＥｉｎｉｔｉａｔｅｄ  ｍｏｄｅや、ネットワークから通信制御を開始できるＮｅｔｗｏｒｋ  ｉｎｉｔｉａｔｅｄ  ｍｏｄｅを識別しても良い。
【０７８７】
次に、転送路及び／又はベアラごとのＥＰＳベアラコンテキストの一例を、図１０（ｃ）を用いて説明する。図に示すように、コンテキストには少なくとも転送路識別情報とＲｏｕｔｉｎｇ  Ｒｕｌｅが含まれる。
【０７８８】
転送路識別情報は転送路及び／又はベアラを識別する情報である。転送路識別情報は、例えばＥＰＳベアラＩＤであっても良い。
【０７８９】
また、転送路識別情報はＴＦＴと対応付けられていても良い。
【０７９０】
Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０７９１】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Ｍｏｂｉｌｅ  Ａｃｃｅｓｓ  Ｇａｔｅｗａｙ）のＩＰアドレスであってもよい。
【０７９２】
Ｒｏｕｔｉｎｇ  ＲｕｌｅはＰＧＷ３０やＰＣＲＦ６０から通知されても良い。又は、ＵＥ１０が事前にデフォルト値として記憶していた値であっても良い。
【０７９３】
Ｒｏｕｔｉｎｇ  ＦｉｌｔｅｒにＩＰヘッダーを含めることで、ＰＧＷ３０はＩＰフローを切り替えても良い。又は、Ｒｏｕｔｉｎｇ  ＦｉｌｔｅｒにアプリケーションＩＤを含めることで、ＰＧＷ３０はアプリケーションごとにフローを切り替えても良い。又は、Ｒｏｕｔｉｎｇ  ＦｉｌｔｅｒにＴＦＴを含めても良い。
【０７９４】
Ｒｏｕｔｉｎｇｕ  Ｒｕｌｅには複数のルールが記憶されていてもよい。更に、Ｒｏｕｔｉｎｇ  ｒｕｌｅは、各ルールに優先順位が含まれていても良い。
【０７９５】
さらに、ＰＧＷ３０は、ＵＥ１０との間に確立するＰＤＮコネクション毎に、デフォルトベアラを確立し、デフォルトベアラを識別するＥＰＳベアラ識別情報を更に記憶しても良い。
【０７９６】
なお、ＰＧＷ３０は、ＰＤＮコネクションがマルチアクセスＰＤＮコネクションの場合には、ＰＤＮコネクションに対して複数のデフォルトベアラを確立してもよい。したがって、マルチアクセスＰＤＮコネクションに対しては複数のデフォルトベアラを対応づけて管理してもよい。具体的には、マルチアクセスＰＤＮコネクションに対して各デフォルトベアラに対応するＥＰＳベアラ識別情報を対応づけて管理してもよい。
【０７９７】
さらに、ＰＧＷ３０はデフォルトベアラとアクセスネットワークを対応づけて管理してもよい。
具体的には、ＰＧＷ３０は、アクセスネットワークＡに対するデフォルトベアラと、アクセスネットワークＢに対するデフォルトベアラのそれぞれを識別するＥＰＳベアラ識別情報を記憶してもよい。ここでアクセスネットワークに対するデフォルトベアラとは、アクセスネットワークのアクセスシステムに対するデフォルトベアラであってよい。したがって、ＰＧＷ３０は、３ＧＰＰアクセスに対するデフォルトベアラと、ＷＬＡＮアクセスに対するデフォルトベアラをマルチアクセスＰＤＮコネクションに対応づけて記憶してもよい。
【０７９８】
また、マルチアクセスＰＤＮに対するデフォルトベアラは、ＵＥ１０との間に確立しているデフォルトベアラであってよい。言い換えると、マルチアクセスＰＤＮコネクションに対して一つのデフォルトベアラのみを確立している状態では、ＰＧＷ３０はマルチアクセスＰＤＮコネクションに対して一つのデフォルトベアラを記憶し、マルチアクセスＰＤ
Ｎコネクションに対して二つのデフォルトベアラを確立している状態では、ＰＧＷ３０はマルチアクセスＰＤＮコネクションに対して二つのデフォルトベアラを記憶してもよい。
【０７９９】
さらに、ＰＧＷ３０はマルチアクセスＰＤＮコネクションにおけるデフォルトアクセス（Ｄｅｆａｕｌｔ  Ａｓｓｅｓｓ）を示す情報をマルチアクセスＰＤＮコネクションに対しして記憶してもよい。なお、デフォルトアクセスは、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０８００】
もしくは、デフォルトアクセスは更に詳細な情報であってもよい。例えば、デフォルトアクセスは、Ｅ−ＵＴＲＡＮアクセスか、ＵＴＲＡＮアクセスか、ＧＥＲＡＮアクセスのいずれかであってもよい。
【０８０１】
ＰＧＷ３０は、複数のデフォルトベアラを確立している場合、デフォルトアクセスに基づいてデフォルトベアラを選択し、選択したデフォルトベアラを用いてユーザデータの送受信を行っても良い。
【０８０２】
図１０（ｄ）にＴＷＡＧ  Ｃａｐａｂｉｌｉｔｙを示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０８０３】
なお、ＮＢＩＦＯＭ機能とは、ＮＢＩＦＯＭに基づくマルチアクセスＰＤＮコネクションを確立することができる機能を有する事を示す情報であってもよい。
【０８０４】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０８０５】
ＰＧＷ３０はＮＢＩＦＯＭ  ｃａｐａｂｉｌｉｔｙはＴＷＡＧ  ＩＤと対応付けて記憶しても良い。
【０８０６】
図１０（ｅ）にＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ３０ごとのＮＢＩＦＯＭ  ｃａｐａｂｉｌｉｔｙを記憶する。
【０８０７】
ここで、ＮＢＩＦＯＭ  ｃａｐａｂｉｌｉｔｙは、ネットワークごとに第１のＰＤＮコネクションを確立する能力をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０８０８】
又は、ＮＢＩＦＯＭ  ｃａｐａｂｉｌｉｔｙは、第１のＰＤＮコネクションを確立する能力があることを示す識別情報であっても良い。つまり、ＮＢＩＦＯＭ  ｃａｐａｂｉｌ
ｉｔｙが存在することでＰＧＷ３０及び／又はネットワークが第１のＰＤＮコネクションを確立する機能を持つゲートウェイであることを意味しても良い。
【０８０９】
図１０（ｅ）に示すように、ＰＧＷ３０は、ＰＧＷ  ＩＤと対応付けてＮＢＩＦＯＭ  ｃａｐａｂｉｌｉｔｙを記憶する。更に、図に示すように、複数のＰＧＷ３０に対応づけて、それぞれＮＢＩＦＯＭ  ｃａｐａｂｉｌｉｔｙが記憶されても良い。
【０８１０】
ＰＧＷ  ＩＤは、ＰＧＷ３０を識別するための情報であればよく、例えばＡＰＮであっても良い。
【０８１１】
ＴＷＡＧ  ＣａｐａｂｉｌｉｔｙとＮｅｔｗｏｒｋ  ｃａｐａｂｉｌｉｔｙはＥＰＳベアラコンテキストに含まれていても良いし、ＵＥコンテキストから独立した情報であっても良い。
【０８１２】
［２．２．５．ＰＣＲＦ構成要素］
次に、ＰＣＲＦ６０の構成要素について説明する。図１１はＰＣＲＦ６０の装置構成を示す。図に示すように、ＰＣＲＦ６０はＩＰ移動通信ネットワークインターフェース部１１２０と、制御部１１００と記憶部１１４０で構成されている。ＩＰ移動通信ネットワークインターフェース部１１２０と記憶部１１４０は制御部１１００と、バスを介して接続されている。
【０８１３】
制御部１１００はＰＣＲＦ６０を制御するための機能部である。制御部１１００は、記憶部１１４０に記憶されている各種プログラムを読みだして実行することにより各種処理を実現する。
【０８１４】
ＩＰ移動通信ネットワークインターフェース部１１２０は、ユーザデータ及び／又は制御メッセージを送受信するデータ送受信部であり、ＰＣＲＦ６０が、ＰＧＷ３０及び／又はＴＷＡＧ７４及び／又はＡＡＡ５５と接続するための機能部である。
【０８１５】
記憶部１１４０は、ＰＣＲＦ６０の各動作に必要なプログラムや、データ等を記憶する機能部である。記憶部９４０は、例えば、半導体メモリや、ＨＤＤ（Ｈａｒｄ  Ｄｉｓｋ  Ｄｒｉｖｅ）等により構成されている。
【０８１６】
記憶部１１４０は、図に示すように、ＵＥコンテキスト１１４２を記憶する。なお、ＵＥコンテキストの中には、ＵＥ１０ごとに記憶されるものと、ＰＤＮコネクションごとに記憶されるもので分けられても良い。
【０８１７】
図１２（ａ）にＵＥ１０ごとのＵＥコンテキストを示す。図に示すように、コンテキストには少なくともＳｕｂｓｃｒｉｂｅｒ  ＩＤとＵＥＮＢＩＦＯＭ  ｃａｐａｂｉｌｉｔｙを含める。
【０８１８】
Ｓｕｂｓｃｒｉｂｅｒ  ＩＤは、ユーザの識別情報である。例えばＩＭＳＩであってもよい。
【０８１９】
ＵＥＮＢＩＦＯＭ  ｃａｐａｂｉｌｉｔｙは、ＵＥ１０のＮＢＩＦＯＭ  ｃａｐａｂｉｌｉｔｙである。ＵＥＮＢＩＦＯＭ  ｃａｐａｂｉｌｉｔｙは、ＵＥ１０ごとに第１のＰＤＮコネクションを確立する能力をサポートしているか否かを示す識別情報である。言い換えれば、ＵＥＮＢＩＦＯＭ  ｃａｐａｂｉｌｉｔｙは、ＵＥ１０がＮＢＩＦＯＭ機能をサポートするか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０８２０】
又は、ＵＥＮＢＩＦＯＭ  ｃａｐａｂｉｌｉｔｙは、ＵＥ１０が第１のＰＤＮコネクションを確立する能力があることを示す識別情報であっても良い。つまり、ＵＥＮＢＩＦＯＭ  ｃａｐａｂｉｌｉｔｙが存在することでＵＥ１０が第１のＰＤＮコネクションを確立する機能を持つことを意味しても良い。
【０８２１】
言い換えれば、ＵＥ１０がＮＢＩＦＯＭ機能をサポートすることを示す識別情報であっても良い。つまり、記憶部にＵＥＮＢＩＦＯＭ  ｃａｐａｂｉｌｉｔｙが存在することでＵＥ１０がＮＢＩＦＯＭ機能をサポートすることを意味しても良い。
【０８２２】
次に、ＰＤＮコネクションごとのＵＥコンテキストを説明する。図１２（ｂ）はＰＤＮコネクションごとのＵＥコンテキストの一例である。図に示すように、コンテキストには少なくともＡＰＮ、Ｏｐｅｒａｔｉｏｎ  ｍｏｄｅ、Ｎｅｔｗｏｒｋ  Ｐｏｌｉｃｙ、Ｃｈａｒｇｉｎｇ  Ｒｕｌｅ、ＰＣＣ  Ｒｕｌｅ、ＱｏＳ  Ｒｕｌｅを含めてもよい。
【０８２３】
ＡＰＮは、ＤＮＳの命名規則に従い、ネットワークのアクセス先を示すラベルである。
【０８２４】
Ｏｐｅｒａｔｉｏｎ  ｍｏｄｅは、ＰＤＮコネクションが第１のＰＤＮコネクションである場合、データの送受信を主導する、又は通信制御を開始できるのがＵＥ１０であるのか、ネットワークであるのかを示すモードの識別情報である。
【０８２５】
より具体的には、例えば、ＵＥ１０から通信制御を開始できるＯｐｅｒａｔｉｏｎ  ｍｏｄｅはＵＥｉｎｉｔｉａｔｅｄ  ｍｏｄｅであってもよい。
【０８２６】
また、ネットワーク及び／又はＰＧＷ３０及び／又はＰＣＲＦ６０から通信制御を開始できるＯｐｅｒａｔｉｏｎ  ｍｏｄｅはＮｅｔｗｏｒｋ  ｉｎｉｔｉａｔｅｄ  ｍｏｄｅであってもよい。
【０８２７】
Ｎｅｔｗｏｒｋ  Ｐｏｌｉｃｙは、ネットワーク側での通信制御ポリシーであり、Ｎｅｔｗｏｒｋ  ａｌｌｏｗｅｄ  ｍｏｄｅが含まれていても良い。又は、ＰＣＲＦ６０はＮｅｔｗｏｒｋ  ａｌｌｏｗｅｄ  ｍｏｄｅをＮｅｔｗｏｒｋ  Ｐｏｌｉｃｙとは別に記憶しても良い。
【０８２８】
Ｃｈａｒｇｉｎｇ  Ｒｕｌｅは課金に関する規則である。ＰＣＲＦ６０が決定したＣｈａｒｇｉｎｇ  Ｒｕｌｅに基づきＰＣＥＦが課金を行う。
【０８２９】
ＰＣＣ  ＲｕｌｅはＮｅｔｗｏｒｋ  ＰｏｌｉｃｙとＣｈａｒｇｉｎｇ  Ｒｕｌｅの制御にかかわる規則である。ＰＣＣ  Ｒｕｌｅに基づき、ＰＣＥＦは通信制御及び課金を行う。
【０８３０】
ＱｏＳ  Ｒｕｌｅは、フローのＱｏＳに関わる規則である。ＱｏＳ  ＲｕｌｅはＰＣＣ  Ｒｕｌｅと対応付けられていても良い。
【０８３１】
図１２（ｃ）は、転送路及び／又はベアラごとのＵＥコンテキストを示す。図に示すように、転送路及び／又はベアラごとのＵＥコンテキストは、少なくともＲｏｕｔｉｎｇ  Ｒｕｌｅを含める。
【０８３２】
Ｒｏｕｔｉｎｇ  ＲｕｌｅはＲｏｕｔｉｎｇ  Ｆｉｌｔｅｒと、Ｒｏｕｔｉｎｇ  ａｄｄｒｅｓｓ又はＲｏｕｔｉｎｇ  ａｃｃｅｓｓ  ｔｙｐｅの対応付けを示す。この対応付
けに基づき、３ＧＰＰのアクセスネットワークを介した通信路を用いるか、ＷＬＡＮのアクセスネットワークを介した転送路を用いるかが決定される。
【０８３３】
ここで、Ｒｏｕｔｉｎｇ  ａｃｃｅｓｓ  ｔｙｐｅは、フローが経由するアクセスネットワークを示す。例えば、これは３ＧＰＰ、又はＷＬＡＮを示す。
【０８３４】
また、Ｒｏｕｔｉｎｇ  ａｄｄｒｅｓｓは経由可能なＩＰアドレスを示す。例えば、ＳＧＷ３５のＩＰアドレスであっても良い。又はＴＷＡＧ７４のＩＰアドレスであってもよい。又はＭＡＧ（Mobile Access Gateway）のＩＰアドレスであってもよい。
【０８３５】
Ｒｏｕｔｉｎｇ  ＲｕｌｅはＵＥ１０及び／又はＴＷＡＧ７４及び／又はＰＧＷ３０から通知されても良い。又はＰＣＲＦ６０が事前にデフォルト値として記憶していた値であっても良い。その場合、ＰＣＲＦ６０はＰＣＣ  Ｒｕｌｅに基づいてＲｏｕｔｉｎｇ  Ｒｕｌｅのデフォルト値を決定しても良い。
【０８３６】
Ｒｏｕｔｉｎｇ  ＦｉｌｔｅｒにはＩＰヘッダーを含めることでＩＰフローを切り替えても良い。又は、Ｒｏｕｔｉｎｇ  ＦｉｌｔｅｒにアプリケーションＩＤを含めることで、アプリケーションごとにフローを切り替えても良い。又は、ＴＦＴを含めても良い。
【０８３７】
Ｒｏｕｔｉｎｇｕ  Ｒｕｌｅには複数のルールが記憶されていてもよい。更に、Ｒｏｕｔｉｎｇ  ｒｕｌｅは、各ルールに優先順位が含まれていても良い。
【０８３８】
図１２（ｄ）はＴＷＡＧ７４が記憶するＴＷＡＧ  ｃａｐａｂｉｌｉｔｙの一例を示す。ＴＷＡＧ  ｃａｐａｂｉｌｉｔｙでは、ＴＷＡＧ７４ごとに第１のＰＤＮコネクションを確立する能力をサポートしているか否かを示す識別情報（ＮＢＩＦＯＭ  ｃａｐａｂｉｌｉｔｙ）を記憶する。言い換えれば、ＴＷＡＧ７４がＮＢＩＦＯＭ機能をサポートしているか否かを示す識別情報である。具体的には、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０８３９】
なお、ＮＢＩＦＯＭ機能とは、ＮＢＩＦＯＭに基づくマルチアクセスＰＤＮコネクションを確立することができる機能を有する事を示す情報であってもよい。
【０８４０】
又は、ＮＢＩＦＯＭ  ｃａｐａｂｉｌｉｔｙは、第１のＰＤＮコネクションを確立する能力があることを示す識別情報であっても良い。つまり、記憶部にＮＢＩＦＯＭ  ｃａｐａｂｉｌｉｔｙが存在することでＴＷＡＧ７４が第１のＰＤＮコネクションを確立する機能を持つゲートウェイであることを意味しても良い。言い換えれば、記憶部にＮＢＩＦＯＭ  ｃａｐａｂｉｌｉｔｙが存在することで、ＴＷＡＧ７４はＮＢＩＦＯＭ機能をサポートするゲートウェイであることを意味しても良い。
【０８４１】
図に示すように、ＮＢＩＦＯＭ  ｃａｐａｂｉｌｉｔｙは、ＴＷＡＧ７４の識別情報ＴＷＡＧ  ＩＤと対応づけられて記憶されても良い。ＴＷＡＧ  ＩＤと対応づけられていない場合、ＮＢＩＦＯＭ  ｃａｐａｂｉｌｉｔｙは、記憶するＴＷＡＧ７４の能力を意味してもよい。
【０８４２】
ＴＷＡＧ  ＩＤとＮＢＩＦＯＭ  ｃａｐａｂｉｌｉｔｙが対応付けて記憶されている場合、ＰＣＲＦ６０は複数のＴＷＡＧ７４のＴＷＡＧ  ｃａｐａｂｉｌｉｔｙを記憶しても良い。
【０８４３】
図１２（ｅ）はＰＣＲＦ６０が記憶するＮｅｔｗｏｒｋ  ｃａｐａｂｉｌｉｔｙの一例を示す。Ｎｅｔｗｏｒｋ  ｃａｐａｂｉｌｉｔｙでは、ネットワークごと、つまりＰＧＷ
３０ごとのＮＢＩＦＯＭ  ｃａｐａｂｉｌｉｔｙを記憶する。
【０８４４】
ここで、ＮＢＩＦＯＭ  ｃａｐａｂｉｌｉｔｙは、ネットワークごとに第１のＰＤＮコネクションを確立する能力をサポートしているか否かを示す識別情報である。言い換えれば、ＰＧＷ３０がＮＢＩＦＯＭ機能をサポートしているか否かを示す識別情報である。より具体的には、例えば、ＮＢＩＦＯＭ  ｃａｐａｂｉｌｉｔｙには、“ａｌｌｏｗｅｄ”又は”Ｎｏｔ  ａｌｌｏｗｅｄ”が含まれてもよい。
【０８４５】
なお、ＮＢＩＦＯＭ機能とは、ＮＢＩＦＯＭに基づくマルチアクセスＰＤＮコネクションを確立することができる機能を有する事を示す情報であってもよい。
【０８４６】
又は、ＮＢＩＦＯＭ  ｃａｐａｂｉｌｉｔｙは、第１のＰＤＮコネクションを確立する能力があることを示す識別情報であっても良い。言い換えれば、ＮＢＩＦＯＭ  ｃａｐａｂｉｌｉｔｙはＮＢＩＦＯＭ機能をサポートするゲートウェイであることを示す識別情報であっても良い。つまり、記憶部にＮＢＩＦＯＭ  ｃａｐａｂｉｌｉｔｙが存在することでＰＧＷ３０が第１のＰＤＮコネクションを確立する機能を持つゲートウェイであることを意味しても良い。言い換えれば、記憶部にＮＢＩＦＯＭ  ｃａｐａｂｉｌｉｔｙが存在することでＰＧＷ３０がＮＢＩＦＯＭ機能をサポートするゲートウェイであることを意味しても良い。
【０８４７】
［２．３．初期状態の説明］
本実施形態における初期状態について説明する。本実施形態における初期状態は、後述する第１の初期状態であってもよく、第２の初期状態であっても良い。
【０８４８】
なお、本実施形態における初期状態は第１又は第２の初期状態に限らなくても良い。
【０８４９】
［２．３．１．第１の初期状態の説明］
第１の初期状態を説明する。第１の状態では、ＵＥ１０はコアネットワーク９０との間に第１のＰＤＮコネクションを確立していない状態である。しかし、ＵＥ１０は第２のＰＤＮコネクションを既に確立している状態である。より詳細には、ＵＥ１０は、ＰＧＷ＿Ａ１３１０との間に第１のＰＤＮコネクションを確立していない。しかし、ＵＥ１０はＰＧＷ＿Ｂ１３２０との間に第２のＰＤＮコネクションを確立している。
【０８５０】
なお、ＰＧＷ＿Ａ１３１０は、ＡＰＮ１を用いて選択されるゲートウェイ装置であってもよい。ＰＧＷ＿Ｂ１３２０は、ＡＰＮ２を用いて選択されるゲートウェイ装置であってもよい。更に、ＰＧＷ＿Ａ１３１０及びＰＧＷ＿Ｂ１３２０はＰＧＷ３０であってもよい。また、ＡＰＮ１及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０８５１】
さらに、ＡＰＮ１を用いて選択されるゲートウェイ装置とＡＰＮ２を用いて選択されるゲートウェイ装置は同一のゲートウェイ装置であってもよい。その場合は、ＰＧＷ＿Ａ１３１０とＰＧＷ＿Ｂ１３２０は同一の装置であってもよい。
【０８５２】
なお、第２のＰＤＮコネクションは、アクセスネットワークＢを介したＵＥ１０とＰＧＷ３０との間の転送路で構成されてもよい。したがって、ＵＥ１０とＴＷＡＧ７４との間の転送路と、ＴＷＡＧ７４とＰＧＷ＿Ｂ１３２０との間の転送路を組み合わせた転送路で構成されてもよい。ここで、転送路はベアラであっても良い。
【０８５３】
このように、第１の状態初期では、ＵＥ１０はアクセスネットワークＢを経由してコアネットワーク９０に接続している状態であってもよい。
【０８５４】
なお、ＵＥ１０は、アクセスネットワークＡを経由してコアネットワーク９０に接続していなくても良い。言い換えると、ＵＥ１０はＬＴＥアクセスネットワークを介してアタッチしていなくても良い。
【０８５５】
もしくは、ＵＥ１０はアクセスネットワークＡを経由してコアネットワーク９０に接続している状態であっても良い。その場合、ＵＥ１０はＵＥ１０が主導して開始するアタッチ手続きを実行し、第３のＰＤＮコネクションを確立しても良い。
【０８５６】
なお、第３のＰＤＮコネクションは、ＡＰＮ２を用いて選択されるゲートウェイとの間に確立しても良い。もしくは、ＡＰＮ１やＡＰＮ２とは異なる他のＡＰＮを用いて選択されるゲートウェイとの間に確立しても良い。
【０８５７】
以上、第１の初期状態を説明してきたが、第１の初期状態はこれに限らず、例えばアクセスネットワークＢを介してＮＢＩＦＯＭに基づくマルチアクセスＰＤＮコネクションを確立していない状態であれば良い。
【０８５８】
［２．３．２．第１の初期状態に至るための手続きの説明］
第１の初期状態に至るための手続きを、図１５を用いて説明する。第１の初期状態に至るための手続きでは、少なくとも、図１５の（Ａ）で示すアクセスネットワークＢを介したコアネットワーク９０へのアタッチ手続きを実行する。第１の初期状態は、少なくとも図１５の（Ａ）のアクセスネットワークＢを介したコアネットワーク９０へのアタッチ手続きを実行した後の状態である。
【０８５９】
次に、アクセスネットワークＢを介したコアネットワーク９０へのアタッチ手続きの詳細を説明する。ＵＥ１０は、まず、アクセスネットワークＢ及びコアネットワーク９０にアクセスするための認証及びコアネットワーク９０との間でメッセージを送受信するためのセキュリティアソシエーションを確立するためのセキュリティアソシエーション手続きを実行する（Ｓ１５０２）。
【０８６０】
より詳細には、ＵＥ１０は、アクセスネットワークＢに配置されるＴＷＡＧ７４及びコアネットワーク９０に配置されるＰＧＷ３０にアクセスするための認証手続きを実行する。ＵＥ１０は認証手続きの完了に基づき、ＵＥ１０とＴＷＡＧ７４との間及びＴＷＡＧ７４とＰＧＷ３０との間のセキュリティアソシエーションを確立する手続きを実行する。認証手続き及びセキュリティアソシエーションの確立手続きでは、ＵＥ１０はＡＰＮ（Access Point Name）を制御情報に含めてコアネットワーク９０に送信しても良い。また、認証及びセキュリティアソシエーションを確立する手続きはＥＡＰ等の手法に基づいて実行されてもてもよい。ＵＥ１０は、ＴＷＡＧ７４によってＡＰＮを用いて選択されるＰＧＷ３０にアクセスするための認証を得ることができる。
【０８６１】
さらに、ＵＥ１０は、複数のＡＰＮを送信しても良い。例えば、ＡＰＮ１とＡＰＮ２を送信することにより、認証及びセキュリティアソシエーションを確立する手続きの完了に伴い、ＵＥ１０は、ＴＷＡＧ７４によってＡＰＮ１を用いて選択されるＰＧＷ３０と、ＡＰＮ２を用いて選択されるＰＧＷ３０にアクセスするための認証を得ることができる。
【０８６２】
ＵＥ１０は、セキュリティアソシエーションの確立に基づいて、アクセスネットワークＢを介してコアネットワーク９０との間に第２のＰＤＮコネクションを確立するＰＤＮ接続手続きを実行する（Ｓ１５０４）。より詳細には、ＵＥ１０はＴＷＡＧ７４を介してコアネットワーク９０に配置されるＰＧＷ＿Ｂ１３２０との間にＰＤＮコネクションを確立
する。
【０８６３】
具体的には、ＵＥ１０はＴＷＡＧ７４及び／又はネットワークにＰＤＮ接続要求（PDN connectivity request）を送信する。ＵＥ１０はＡＰＮ２を含めてＰＤＮ接続要求を送信しても良い。
【０８６４】
ＴＷＡＧ７４及び／又はネットワークは、ＵＥ１０が送信したＰＤＮ接続要求を受信する。ＴＷＡＧ７４及び／又はネットワークは、ＰＤＮ接続要求の受信に基づき、ＵＥ１０にＰＤＮ接続受諾（ＰＤＮ  ｃｏｎｎｅｃｔｉｖｉｔｙ  ａｃｃｅｐｔ）を送信する。ＴＷＡＧ７４及び／又はネットワークは、ＡＰＮ２を含めてＰＤＮ接続受諾（PDN connectivity accept）を送信しても良い。
【０８６５】
ＵＥ１０は、ＴＷＡＧ７４及び／又はネットワークが送信したＰＤＮ接続受諾を受信する。ＵＥ１０は、ＰＤＮ接続受諾に基づき、ＴＷＡＧ７４及び／又はネットワークにＰＤＮ接続完了（PDN connectivity complete）を送信する。
【０８６６】
ＴＷＡＧ７４及び／又はネットワークは、ＵＥ１０が送信したＰＤＮ接続完了を受信する。
【０８６７】
［２．３．２．第２の初期状態の説明］
第２の初期状態を説明する。第２の初期状態では、ＵＥ１０はコアネットワーク９０に接続していない状態である。言い換えると、ＵＥ１０はコアネットワーク９０との間に第１のＰＤＮコネクション及び第２のＰＤＮコネクションを確立していない。より詳細には、ＵＥ１０はコアネットワーク９０に含まれて配置されているＰＧＷ＿Ａ１３１０との間に第1のＰＤＮコネクションを確立していない。さらに、ＵＥ１０はコアネットワーク９０に含まれて配置されているＰＧＷ＿Ｂ１３２０との間に第２のＰＤＮコネクションを確立していない。
【０８６８】
なお、ＰＧＷ＿Ａ１３１０は、ＡＰＮ１を用いて選択されるゲートウェイ装置であってもよい。ＰＧＷ＿Ｂ１３２０は、ＡＰＮ２を用いて選択されるゲートウェイ装置であってもよい。また、ＡＰＮ1及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０８６９】
このように、第２の初期状態では、ＵＥ１０はコアネットワーク９０との接続がない状態であってもよい。言い換えると、ＵＥ１０はアクセスネットワークＡ及びアクセスネットワークＢを経由してコアネットワーク９０に接続していない状態であってもよい。したがって、ＵＥ１０はＰＤＮコネクションを確立していない状態であってもよい。
【０８７０】
以上、第２の初期状態を説明してきたが、第２の初期状態はこれに限らず、例えばアクセスネットワークＢを介してコアネットワーク９０に接続していない状態であれば良い。
【０８７１】
［２．３．３．第２の初期状態に至るための手続きの説明］
第２の初期状態に至るための手続きを、図１５を用いて説明する。第２の初期状態に至るための手続きでは、図１５の（Ａ）の部分の手続きを実行しない状態であってもよい。言い換えると、第２の初期状態はアクセスネットワークＢを介してコアネットワーク９０へ接続するための特別な手続きを全く実行してない状態であった良い。つまり、第２の初期状態は、ＵＥ１０がアクセスネットワークＢを介してコアネットワーク９０に初期接続する状態であってもよい。
【０８７２】
［２．３．４．マルチアクセスＰＤＮコネクション確立手続きの説明］
次に、第１のＰＤＮコネクションの確立手続きを説明する。ここで、初期状態は第１の初期状態又は第２の初期状態であってもよい。本実施形態では、ＵＥ１０は、初期状態確立後、アクセスネットワークＢを介してコアネットワーク９０との間に第１のＰＤＮコネクションを確立するためのＰＤＮ接続手続きを実行する（Ｓ１５０６）。より詳細には、ＵＥ１０はＴＷＡＧ７４を介してコアネットワーク９０に配置されるＰＧＷ＿Ａ１３１０との間に第１のＰＤＮコネクションを確立する。
【０８７３】
なお、第１のＰＤＮコネクションは、ＵＥ１０とＴＷＡＧ７４との間の転送路と、ＴＷＡＧ７４とＰＧＷ＿Ａ１３１０との間の転送路を組み合わせた転送路で構成されてもよい。ここで、転送路はベアラであっても良い。
【０８７４】
図１５に示すように、第１のＰＤＮコネクションを確立する手続きは、ＡＰＮ１を用いたＰＤＮ接続手続きであってもよい。
【０８７５】
以下、ＰＤＮ接続手続きの具体例を説明する。
【０８７６】
［２．４．ＰＤＮ接続手続き例］
第１のＰＤＮコネクションを確立するためのＰＤＮ接続手続き例を、図１６を用いて説明する。
【０８７７】
［２．４．１．第１のＰＤＮ接続手続き例］
第１のＰＤＮ接続手続き例について図１６を用いて説明する。
【０８７８】
図１６（Ｂ）に示すように、ＵＥ１０は、まず、認証及びセキュリティアソシエーションを確立するためのセキュリティアソシエーション手続きを実行する。なお、ＵＥ１０は、初期状態が第２の初期状態である場合にセキュリティアソシエーション手続きを実行しても良い。言い換えると、初期状態が第１の初期状態である場合、ＵＥ１０はセキュリティアソシエーション手続きを実行しなくても良い。このように、初期状態が第1の初期状態である場合、ＵＥ１０は既にセキュリティアソシエーションを確立しているため、セキュリティアソシエーション手続きを省略しても良い。
【０８７９】
なお、ＵＥ１０が実行するセキュリティアソシエーション手続きは、図１５の（Ａ）を用いて説明したセキュリティアソシエーション手続きと同様であってもよい。そのため、手続きの詳細説明は省略する。
【０８８０】
次に、ＵＥ１０は、ＴＷＡＧ７４にＰＤＮ接続要求（を送信する（Ｓ２１０２）。ＵＥ１０は、少なくともＰＤＮ接続要求メッセージＩＤ（PDN connectivity request message identity）及びプロシージャトランザクションＩＤ（Procedure transaction identity）及びリクエストタイプ（Request type）及びＰＤＮタイプ（PDN type）を含めてＰＤＮ接続要求を送信しても良い。さらに、ＵＥ１０は、少なくとも第１の識別情報及び／又は第５の識別情報及び／又は第８の識別情報をＰＤＮ接続要求に含めても良い。さらに、ＵＥ１０は、ＡＰＮ（Access Point Name）及び／又はＰＣＯ（Protocol Configuration Options）及び／又はＴＦＴ（Traffic Flow Templates）をＰＤＮ接続要求に含めても良い。なお、ＵＥ１０は、第１の識別情報及び／又は第５の識別情報及び／又は第８の識別情報及び／又はＴＦＴをＰＣＯに含めて送信しても良い。
【０８８１】
ここで、第１の識別情報は、ＵＥ１０がＮＢＩＦＯＭをサポートしていることを表すＵＥＮＢＩＦＯＭ  ｃａｐａｂｉｌｉｔｙであってもよい。なお、ＮＢＩＦＯＭ  ｃａｐａｂｉｌｉｔｙとは、ＮＢＩＦＯＭに基づくマルチアクセスＰＤＮコネクションを確立する機能を有することを示す情報であってもよい。
【０８８２】
さらに、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０８８３】
このように、第５の識別情報を送信することにより、ＵＥ１０はマルチアクセスＰＤＮコネクションのモードを要求してもよい。言いかえると、第５の識別情報を送信することにより、ＵＥ１０は第５の識別情報の示すモードに対応するマルチアクセスＰＤＮコネクションの確立を要求してもよい。なお、第５の識別情報の示すモードはＵＥ１０が選択してもよい。
【０８８４】
なお、ＵＥ１０は、ＵＥ−Ｉｎｉｔｉａｔｅｄ  ｍｏｄｅのマルチアクセスＰＤＮコネクションの確立を要求する場合には、第５の識別情報を送信し、Ｎｅｔｗｏｒｋ−Ｉｎｉｔｉａｔｅｄ  ｍｏｄｅのマルチアクセスＰＤＮコネクションの確立を要求する場合には、第５の識別情報を送信しないよう設定されても良い。
【０８８５】
さらに、第８の識別情報は、マルチアクセスＰＤＮコネクションにおけるデフォルトアクセス（Ｄｅｆａｕｌｔ  Ａｓｓｅｓｓ）を示す情報であってもよい。第８の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０８８６】
もしくは、第８の識別情報は更に詳細な情報であってもよい。例えば、第８の識別情報は、Ｅ−ＵＴＲＡＮアクセスか、ＵＴＲＡＮアクセスか、ＧＥＲＡＮアクセスのいずれかであってもよい。
【０８８７】
このように、第８の識別情報を送信することにより、ＵＥ１０はマルチアクセスＰＤＮコネクションのデフォルトアクセスを要求してもよい。言いかえると、第８の識別情報を送信することにより、ＵＥ１０は第８の識別情報の示すアクセスネットワークをデフォルトアクセスとしたマルチアクセスＰＤＮコネクションの確立を要求してもよい。
【０８８８】
なお、第８の識別情報の示すアクセスネットワークはＵＥ１０が選択してもよい。さらに、ＵＥ１０はＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバから受信するＩＳＲＰ（Ｉｎｔｅｒ  Ｓｙｓｔｅｍ  Ｒｏｕｔｉｎｇ  Ｐｏｌｉｃｙ）などのオペレータポリシーに基づいて第８の識別情報の示すアクセスネットワークを選択してもよい。より具体的には、ＡＮＤＳＦサーバから受信するＩＳＲＰのアクセスネットワークの優先度情報を基に第８の識別情報の示すアクセスネットワークを選択してもよい。例えば、ＷＬＡＮを優先度が高いことがＩＳＲＰに記載されていることから、ＵＥ１０はＷＬＡＮを示す情報を第８の識別情報としてもよい。なお、ＵＥ１０は、ＩＳＲＰが確かな場合（Ｖａｌｉｄ）やアクティブな場合のみ、ＩＳＲＰに基づいて第８の識別情報の示すアクセスネットワークを選択してもよい。
【０８８９】
なお、ＵＥ１０は、ＵＥ−Ｉｎｉｔｉａｔｅｄ  ｍｏｄｅのマルチアクセスＰＤＮコネクションの確立を要求する場合には、第８の識別情報を送信し、Ｎｅｔｗｏｒｋ−Ｉｎｉｔｉａｔｅｄ  ｍｏｄｅのマルチアクセスＰＤＮコネクションの確立を要求する場合には、第８の識別情報を送信しないよう設定されても良い。
【０８９０】
さらに、ＵＥ１０は、確立を要求するマルチアクセスＰＤＮコネクションに対するデフォルトベアラを確立していない場合には、第８の識別情報を送信し、マルチアクセスＰＤＮコネクションに対してすでにデフォルトベアラを確立している場合には、第８の識別情報を送信しないよう設定されても良い。
【０８９１】
より具体的には、マルチアクセスＰＤＮコネクションを新たに確立する場合には、第８の識別情報を送信し、マルチアクセスＰＤＮコネクションに対してＬＴＥアクセスネットワークを介してデフォルトベアラを確立している状態において転送路を追加する場合には、第８の識別情報を送信しないよう設定されても良い。
【０８９２】
このように、第１の識別情報及び／又は第５の識別情報及び／又は第８の識別情報を送信することにより、マルチアクセスＰＤＮコネクションを確立すること要求してもよい。言い換えるとは、第１の識別情報及び／又は第５の識別情報及び／又は第８の識別情報は、マルチアクセスＰＤＮコネクションの確立を要求することを示す情報であってよい。
【０８９３】
ＰＤＮ接続要求メッセージＩＤは、ＰＤＮ接続要求メッセージを表すメッセージタイプであってもよい。
【０８９４】
プロシージャトランザクションＩＤはＰＤＮ接続手続きを識別する情報であってもよい。
【０８９５】
ＡＰＮはＵＥ１０が接続を要求するＡＰＮであってもよい。より具体的には、ＡＰＮは、ＡＰＮ１であっても良い。ＵＥ１０は、ＮＢＩＦＯＭに基づくマルチアクセスＰＤＮコネクションを確立するために、ＡＰＮ１を含めても良い。ここで、ＡＰＮ１はＮＢＩＦＯＭに基づくマルチアクセスＰＤＮコネクションの確立が許可されたＡＰＮ、及び／又はＮＢＩＦＯＭに基づく通信が許可されたＡＰＮであってもよい。
【０８９６】
リクエストタイプは、要求するＰＤＮ接続手続きの種類を識別する情報であってもよい。例えば、ＵＥ１０はＡＰＮ１を用いて初期接続を行うことから、リクエストタイプは、ハンドオーバーを示すタイプではなくアタッチを示すタイプであってもよい。
【０８９７】
ＰＤＮタイプは、利用可能なＩＰバージョンを示すもであってもよい。例えば、ＰＤＮタイプはＩＰｖ４であってよく、ＩＰｖ６であってもよく、ＩＰｖ４ｖ６であっても良い。  ＰＣＯは、ＰＤＮコネクションと関連付けられたプロトコル情報であってもよい。また、ＰＣＯは、要求の識別情報を含めても良い。なお、ＵＥ１０は第１の識別情報及び／又は第５の識別情報及び／又は第８の識別情報をＰＣＯに含めて送信しても良い。
【０８９８】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０８９９】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０９００】
なお、本例では、ＰＤＮ接続要求の送信に伴い、ＵＥ１０は特定のＮＢＩＦＯＭオペレーションモードを要求していないため、ＵＥ１０はＰＤＮ接続要求にＴＦＴを含めずに送
信しても良い。言い換えると、ＵＥ１０が特定のＮＢＩＦＯＭオペレーションモードを要求することなくＮＢＩＦＯＭに基づくマルチアクセスＰＤＮコネクションの確立を要求する場合には、ＵＥ１０はＰＤＮ接続要求にＴＦＴを含めずに送信しても良い。より具体的には、ＵＥ１０は第１の識別情報及び／又は第５の識別情報及び／又は第８の識別情報を含める場合には、ＴＦＴを含めずにＰＤＮ接続要求を送信しても良い。なお、従来より、ＵＥ１０はＰＣＯにＩＦＯＭ  ｓｕｐｐｏｒｔを示す情報を含めて送信することができる。ここで、ＩＦＯＭ  ｓｕｐｐｏｒｔとはＩＦＯＭ（IP Flow Mobility）をサポートしていることを表す識別情報である。さらに、ＩＦＯＭとは、ＤＳＭＩＰｖ６（Dual Stack Mobile IPv6）プロトコルを用いて、特定のＩＰフローの通信路を切り替える技術のことである。したがって、ＰＣＯにＩＦＯＭサポートを示す情報を含めることにより、ＵＥ１０は、特定のＩＰフローの通信を行うアクセスネットワークを切り替えることができる。
【０９０１】
本実施形態では、ＵＥ１０はＰＣＯに第１の識別情報及び第５の識別情報及び／又は第８の識別情報を含める場合には、ＩＦＯＭ  ｓｕｐｐｏｒｔを含めない。逆に、ＵＥ１０はＰＣＯにＩＦＯＭ  ｓｕｐｐｏｒｔを含める場合には、第１の識別情報及び／又は第５の識別情報及び／又は第８の識別情報を含めない。このように、第１の識別情報及び／又は第５の識別情報及び／又は第８の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【０９０２】
これにより、ＵＥ１０は、単一のＰＤＮコネクション確立手続きにより、ＩＦＯＭをサポートしたＰＤＮコネクションもしくはＮＢＩＦＯＭをサポートしたＰＤＮコネクションのいずれか一方を確立することができる。言い換えると、単一のＰＤＮコネクションは、ＮＢＩＦＯＭをサポートしたＰＤＮコネクションか、ＩＦＯＭをサポートしたＰＤＮコネクションか、シングルアクセスＰＤＮコネクションかのいずれかである。
【０９０３】
ＴＷＡＧ７４は、ＵＥ１０が送信したＰＤＮ接続要求を受信する。ＴＷＡＧ７４はＰＤＮ接続要求の受信及び／又はＰＤＮ接続要求に含まれる第１の識別情報及び／又は第５の識別情報及び／又は第８の識別情報に基づいて、ＰＧＷ３０にセッション生成要求を送信する（Ｓ２１０４）。
【０９０４】
ＴＷＡＧ７４は、ＰＤＮ接続要求の受信及び／又はＰＤＮ接続要求に含まれる第１の識別情報及び／又は第５の識別情報及び／又は第８の識別情報に基づいて、少なくとも第１の識別情報及び／又は第５の識別情報及び／又は第８の識別情報をセッション生成要求に含めて送信しても良い。さらに、ＴＷＡＧ７４は、ＵＥ１０が送信するＴＦＴの受信に基づいて、ＴＦＴをセッション生成要求に含めても良い。
【０９０５】
なお、ＴＷＡＧ７４は、ＵＥ−Ｉｎｉｔｉａｔｅｄ  ｍｏｄｅのマルチアクセスＰＤＮコネクションの確立を要求する場合には、第８の識別情報を送信し、Ｎｅｔｗｏｒｋ−Ｉｎｉｔｉａｔｅｄ  ｍｏｄｅのマルチアクセスＰＤＮコネクションの確立を要求する場合には、第８の識別情報を送信しないよう設定されても良い。
【０９０６】
また、ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【０９０７】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【０９０８】
なお、ＴＷＡＧ７４は、ＰＤＮ接続要求に第１の識別情報と第５の識別情報及び／又は第８の識別情報のいずれの識別情報も含まれない場合は、第１の識別情報及び／又は第５の識別情報及び／又は第８の識別情報を含めずにセッション生成要求を送信しても良い。また、ＴＷＡＧ７４は、ＰＤＮ接続要求に第１の識別情報及び／又は第５の識別情報及び／又は第８の識別情報が含まれない場合はシングルアクセスＰＤＮコネクションを確立する手続きを実行しても良い。
【０９０９】
ＰＧＷ３０は、ＴＷＡＧ７４が送信したセッション生成要求を受信する。ＰＧＷ３０は、セッション生成要求の受信及び／又はセッション生成要求に含まれる第１の識別情報及び又第５の識別情報及び／又は第８の識別情報に基づいて、ＰＣＲＦ６０との間でのＩＰ−ＣＡＮセッション更新手続きを実行しても良い。
【０９１０】
ＰＧＷ３０は、セッション生成要求の受信及び／又はセッション生成要求に含まれる第１の識別情報及び／又は第５の識別情報及び／又は第８の識別情報に基づいて、少なくとも第１の識別情報及び／又は第５の識別情報及び／又は第８の識別情報をＩＰ−ＣＡＮセッション更新手続きに含めて実行しても良い。
【０９１１】
なお、ＰＧＷ３０はＰＣＲＦ６０にＵＥ１０及び／又はＴＷＡＧ７４の情報を通知するためにＩＰ−ＣＡＮセッション更新手続きを実行しても良い。
【０９１２】
ＰＧＷ３０は、確立するＰＤＮコネクションがＮＢＩＦＯＭに基づくマルチアクセスＰＤＮコネクションであるか、シングルアクセスＰＤＮコネクションであるかを示す情報及び／又は第５の識別情報及び／又は第８の識別情報をＩＰ−ＣＡＮセッション手続き内の制御メッセージに含めてＰＣＲＦ６０に送信しても良い。
【０９１３】
より具体的には、ＮＢＩＦＯＭに基づくマルチアクセスＰＤＮコネクションを確立する場合には、ＰＧＷ３０は、アクセスネットワークＢを示す情報と、ＰＤＮコネクションＩＤ（PDN connection ID）と、ＰＤＮコネクションがＮＢＩＦＯＭに基づくマルチアクセスＰＤＮコネクションであることを示す情報と、第１の識別情報及び／又は第５の識別情報及び／又は第８の識別情報をＰＣＲＦ６０に送信する。もしくは、シングルアクセスＰＤＮコネクションを確立する場合には、ＰＧＷ３０は、アクセスネットワークＢを示す情報と、ＰＤＮコネクションＩＤと、ＰＤＮコネクションがシングルアクセスＰＤＮコネクションであることを示す情報とをＰＣＲＦ６０に送信する。
【０９１４】
なお、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。
【０９１５】
さらに、ＰＣＲＦ６０は、第１の識別情報及び／又は第５の識別情報及び／又は第８の識別情報の受信に基づいて、ＰＧＷ３０との間でＩＰ−ＣＡＮセッション更新手続き内の制御メッセージに少なくとも第２の識別情報及び／又は第７の識別情報及び／又は第９の識別情報を含めてＰＧＷ３０に送信しても良い。なお、第２の識別情報及び／又は第７の識別情報及び／又は第９の識別情報の詳細説明は後述する。
【０９１６】
なお、ＰＣＲＦ６０はＰＧＷ３０に課金情報及び／又はＱｏＳ制御情報及び／又はルーティング情報を通知するためにＩＰ−ＣＡＮセッション更新手続きを実行しても良い。
【０９１７】
ＰＧＷ３０はセッション生成要求の受信又はＩＰ−ＣＡＮセッション更新手続きの完了
及び／又は、セッション生成要求に含まれる第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、ＴＷＡＧ７４にセッション生成応答を送信する（Ｓ２１０６）。
【０９１８】
ＰＧＷ３０は、セッション生成要求の受信又はＩＰ−ＣＡＮセッション更新手続きの完了及び／又は、セッション生成要求に含まれる第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、少なくとも第２の識別情報及び／又は第７の識別情報及び／又は第９の識別情報をセッション生成応答に含めて送信しても良い。
【０９１９】
さらに、ＰＧＷ３０はセッション生成応答にＰＤＮアドレス（PDN Address）及び／又はＰＤＮコネクションＩＤ（PDN connection ID）及び／又はＴＦＴ及び／又はデフォルトベアラを識別するベアラ識別情報を含めても良い。
【０９２０】
なお、ＰＧＷ３０が第２の識別情報及び／又は第７の識別情報及び／又は第９の識別情報を取得する方法は、これまで説明したＩＰ−ＣＡＮセッション更新手続きにおいてＰＣＲＦ６０から取得する方法に限らず、別の例であっても良い。例えば、ＰＧＷ３０はＩＰ−ＣＡＮセッション更新手続きにおいてＰＣＲＦ６０から取得せず、ＰＧＷ３０が第２の識別情報及び／又は第７の識別情報及び／又は第９の識別情報を生成し、セッション生成応答に含めて送信しても良い。
【０９２１】
ここで、第２の識別情報は、ネットワークがＮＢＩＦＯＭをサポートしていることを表すＮＢＩＦＯＭ  ｃａｐａｂｉｌｉｔｙであってもよい。なお、ＮＢＩＦＯＭ  ｃａｐａｂｉｌｉｔｙとは、マルチアクセスＰＤＮコネクションを確立する機能を有することを示す情報であってもよい。
【０９２２】
ここで、第７の識別情報は、確立するＮＢＩＦＯＭに基づくマルチアクセスＰＤＮコネクションに対して許可されたＮＢＩＦＯＭオペレーションモードを表すＡｌｌｏｗｅｄ  Ｍｏｄｅであってもよい。言い換えると、第７の識別情報はオペレータによって許可されたオペレーションモードであってもよい。
【０９２３】
このように、第７の識別情報を送信することにより、ＵＥ１０はマルチアクセスＰＤＮコネクションのモードを通知してもよい。言いかえると、第７の識別情報を送信することにより、第７の識別情報の示すモードに対応するマルチアクセスＰＤＮコネクションの確立すること許可してもよい。なお、第７の識別情報の示すモードはＰＣＲＦ６０又はＰＧＷ３０が選択してもよい。なお、ＰＣＲＦ６０又はＰＧＷ３０は、ＵＥ１０の要求する第５の識別情報が示すモードのマルチアクセスＰＤＮコネクションの確立を許可した場合には、第５の識別情報の示すモードを第７の識別情報として送信してもよい。
【０９２４】
なお、ＰＣＲＦ６０又はＰＧＷ３０は、Ａｌｌｏｗｅｄ  Ｍｏｄｅをオペレータポリシーに基づいて第７の識別情報を決定しても良い。例えば、ＵＥ−Ｉｎｉｔｉａｔｅｄ  ｍｏｄｅのＰＤＮコネクションのみ確立を許すポリシーや、Ｎｅｗｔｏｒｋ−Ｉｎｉｔｉａｔｅｄ  ｍｏｄｅのＰＤＮコネクションのみ確立を許すポリシーや、両方のモードの確立を許すポリシーや、両方のモードの確立を禁止するポリシー等を管理してもよい。
【０９２５】
なお、ＰＣＲＦ６０又はＰＧＷ３０は、オペレータポリシーをＨＳＳ５０等から取得しても良い。もしくは、オペレータポリシーは管理者により生成されたものを保存しても良い。
【０９２６】
さらに、オペレータポリシーは、加入者毎に異なるポリシーを管理しても良い。もしくは、ＡＰＮ毎に異なるポリシーを管理しても良い。例えば、ＡＰＮ毎に確立するＰＤＮコネクションに対して異なるＡｌｌｏｗｅｄ Ｍｏｄｅが管理されていても良い。
【０９２７】
ＰＣＲＦ６０又はＰＧＷ３０は、Ａｌｌｏｗｅｄ  Ｍｏｄｅに基づいて、許可されているオペレーションモードを第７の識別情報に含めても良い。
【０９２８】
言い換えると、ＰＣＲＦ６０又はＰＧＷ３０はＮｅｔｗｏｒｋ−Ｉｎｉｔｉａｔｅｄ  ｍｏｄｅのみが許可されている場合には、第７の識別情報にＮｅｔｗｏｒｋ−Ｉｎｉｔｉａｔｅｄ  ｍｏｄｅを含めても良い。若しくは、ＵＥ−Ｉｎｉｔｉａｔｅｄ  ｍｏｄｅのみ許可されている場合には、第７の識別情報にＵＥ−Ｉｎｉｔｉａｔｅｄ  ｍｏｄｅを含めても良い。
【０９２９】
なお、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されている場合には、第７の識別情報は両方のオペレーションモードを含めても良い。若しくは、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されており、且つデフォルトのオペレーションモードが設定されている場合には、第７の識別情報はデフォルトのオペレーションモードのみ含めても良い。なお、ＵＥ−Ｉｎｉｔｉａｔｅｄ  ｍｏｄｅとＮｅｔｗｏｒｋ−Ｉｎｉｔｉａｔｅｄ  ｍｏｄｅのどちらをデフォルトのオペレーションモードとするかは、オペレータポリシーに基づいて設定されてもよい。
【０９３０】
なお、全てのオペレーションモードのＰＤＮコネクションの確立が許可されてない場合には、ＰＣＲＦ６０は、要求したオペレーションモードは許可されないモードであることを示す理由情報（Requested Operation Mode is not allowed）をＰＧＷ３０に送信しても良い。
【０９３１】
全てのオペレーションモードのＰＤＮコネクションの確立が許可されてない場合には、ＰＧＷ３０は、第７の識別情報をＴＷＡＧ７４に通知しなくても良い。
【０９３２】
全てのオペレーションモードのＰＤＮコネクションの確立が許可されてない場合には、ＰＧＷ３０は、要求したオペレーションモードは許可されないモードであることを示す理由情報（Requested Operation Mode is not allowed）をセッション生成応答に含めてＴＷＡＧ７４に送信しても良い。
【０９３３】
全てのオペレーションモードのＰＤＮコネクションの確立が許可されてない場合には、ＰＧＷ３０は、許可されたオペレーションが無いことをＴＷＡＧ７４に通知しても良い。
【０９３４】
このように、Ａｌｌｏｗｅｄ  Ｍｏｄｅに基づいて、ＰＣＲＦ６０又はＰＧＷ３０は,ＰＤＮコネクションの確立が許可されたオペレーションモードを、第７の識別情報としても良い。
【０９３５】
なお、第７の識別情報にＮｅｔｗｏｒｋ−Ｉｎｉｔｉａｔｅｄ  ｍｏｄｅが含まれない場合には、ＰＣＲＦ６０はＰＧＷ３０にＴＦＴを送信しなくても良い。
【０９３６】
言い換えると、なお、第７の識別情報にＮｅｔｗｏｒｋ−Ｉｎｉｔｉａｔｅｄ  ｍｏｄｅが含まれる場合にのみ、ＰＣＲＦ６０はＰＧＷ３０にＴＦＴを送信しても良い。
【０９３７】
なお、第７の識別情報にＮｅｔｗｏｒｋ−Ｉｎｉｔｉａｔｅｄ  ｍｏｄｅが含まれない場合には、ＰＧＷ３０はＴＷＡＧ７４にＴＦＴを送信しなくても良い。したがって、この場合には、ＰＧＷ３０はＴＦＴをＰＧＷ３０はセッション生成応答にＰＤＮアドレス（PDN Address）含めなくても良い。
【０９３８】
言い換えると、なお、第７の識別情報にＮｅｔｗｏｒｋ−Ｉｎｉｔｉａｔｅｄ  ｍｏｄｅが含まれる場合にのみ、ＰＧＷ３０はＴＷＡＧ７４にＴＦＴを送信しても良い。したがって、この場合には、ＰＧＷ３０はＴＦＴをＰＧＷ３０はセッション生成応答にＰＤＮアドレス（PDN Address）含めても良い。
【０９３９】
ＰＤＮアドレスは、ＵＥ１０に割り当てられたＩＰアドレスであってもよい。例えば、ＩＰｖ４アドレスであってよく、ＩＰｖ６アドレスを構築するためのＩＰｖ６プレフィックスとインターフェースＩＤであってもよい。ここで、ＰＧＷ３０はＵＥ１０のＩＰアドレスを割り当てても良い。さらに、ＰＧＷ３０は、ＵＥ１０に割り当てたＩＰアドレスをＰＤＮアドレスに含めても良い。
【０９４０】
また、ＰＤＮコネクションＩＤは、ＵＥ１０とＰＧＷ３０の間で確立するＰＤＮコネクションを一意に識別するための情報であってもよい。ＰＤＮコネクションＩＤは、ＰＧＷ３０によって割り当てられてもよく、ＴＷＡＧ７４によって割り当てられても良い。言い換えると、ＰＧＷ３０がＰＤＮコネクションＩＤを割り当ててもよい。
【０９４１】
さらに、第９の識別情報は、マルチアクセスＰＤＮコネクションにおけるデフォルトアクセス（Ｄｅｆａｕｌｔ  Ａｓｓｅｓｓ）を示す情報であってもよい。なお、第９の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【０９４２】
もしくは、第９の識別情報は更に詳細な情報であってもよい。例えば、第９の識別情報は、Ｅ−ＵＴＲＡＮアクセスか、ＵＴＲＡＮアクセスか、ＧＥＲＡＮアクセスのいずれかであってもよい。
【０９４３】
このように、第９の識別情報を送信することにより、ＰＣＲＦ６０またはＰＧＷ３０はマルチアクセスＰＤＮコネクションのデフォルトアクセスをＵＥ１０に通知してもよい。言いかえると、第９の識別情報を送信することにより、ＰＣＲＦ６０またはＰＧＷ３０は第９の識別情報の示すアクセスネットワークをデフォルトアクセスとしたマルチアクセスＰＤＮコネクションの確立を要求してもよい。なお、第９の識別情報の示すアクセスネットワークはＰＣＲＦ６０またはＰＧＷ３０が選択してもよい。なお、ＰＣＲＦ６０又はＰＧＷ３０は、ＵＥ１０の要求する第８の識別情報が示すデフォルトアクセスのマルチアクセスＰＤＮコネクションの確立を許可した場合には、第８の識別情報の示すアクセスネットワークを第９の識別情報として送信してもよい。
【０９４４】
このように、第２の識別情報及び／又は第７の識別情報及び／又は第９の識別情報を送信することにより、マルチアクセスＰＤＮコネクションを確立することに対する許可してもよい。言い換えるとは、第２の識別情報及び／又は第７の識別情報及び／又は第９の識別情報は、マルチアクセスＰＤＮコネクションの確立すること、又は許可することを示す情報であってよい。
【０９４５】
なお、ＰＣＲＦ６０及びＰＧＷ３０は、確立を要求するマルチアクセスＰＤＮコネクションに対するデフォルトベアラを確立していない場合には、第９の識別情報を送信し、マルチアクセスＰＤＮコネクションに対してすでにデフォルトベアラを確立している場合に
は、第９の識別情報を送信しないよう設定されても良い。
【０９４６】
より具体的には、マルチアクセスＰＤＮコネクションを新たに確立する場合には、第９の識別情報を送信し、マルチアクセスＰＤＮコネクションに対してＬＴＥアクセスネットワークを介してデフォルトベアラを確立している状態において転送路を追加する場合には、第９の識別情報を送信しないよう設定されても良い。
【０９４７】
ＴＷＡＧ７４は、ＰＧＷ３０が送信したセッション生成応答を受信する。ＴＷＡＧ７４はセッション生成応答の受信及び／又はセッション生成応答に含まれる第２の識別情報及び／又は第７の識別情報及び／又は第９の識別情報に基づいて、ＵＥ１０にＰＤＮ接続受諾（PDN connectivity accept）を送信する（Ｓ２１０８）。なお、ＰＤＮ接続受諾メッセージは、ＰＤＮコネクションの確立を許可することを示す制御メッセージであればよく、デフォルトＥＰＳベアラコンテキストアクティブ化要求（Activate default EPS bearer context request）であってよい。また、ＰＤＮ接続受諾メッセージはＰＤＮ接続要求（PDN connectivity request）に対する応答メッセージであってよい。
【０９４８】
ＴＷＡＧ７４は、セッション生成応答の受信及び／又はセッション生成応答に含まれる第２の識別情報及び／又は第７の識別情報及び／又は第９の識別情報に基づいて、少なくともＰＤＮ接続受諾メッセージＩＤ（PDN connectivity accept message identity）及びプロシージャトランザクションＩＤ及びＡＰＮ及びＰＤＮアドレス（PDN Address）及びＰＤＮコネクションＩＤ（PDN connection ID）及びユーザプレーンコネクションＩＤ（User Plane Connection ID）をＰＤＮ接続受諾に含めて送信しても良い。さらに、ＴＷＡＧ７４は、少なくとも第２の識別情報及び／又は第７の識別情報及び／又は第９の識別情報をＰＤＮ接続受諾に含めても良い。さらに、ＴＷＡＧ７４は、ＰＣＯ及び／又はＣａｕｓｅ及び／又はＴＦＴ及び／又はデフォルトベアラを識別するベアラ識別情報及び又ＰＤＮコネクション属性情報をＰＤＮ接続受諾に含めても良い。なお、ＴＷＡＧ７４は第２の識別情報及び／又は第７の識別情報及び／又は第９の識別情報及び／又はＴＦＴをＰＣＯに含めて送信しても良い。
【０９４９】
ここで、ＰＤＮ接続受諾メッセージＩＤはＰＤＮ接続受諾メッセージを表すメッセージタイプであってもよい。
【０９５０】
ＡＰＮはＵＥ１０が接続を許可されたＡＰＮであってもよい。より具体的には、ＡＰＮは、ＡＰＮ１であっても良い。ＡＰＮ１は、ＮＢＩＦＯＭに基づくマルチアクセスＰＤＮコネクションを確立ことが許可されたＡＰＮであっても良い。ＴＷＡＧ７４はＡＰＮ１をＰＤＮ接続受諾に含めても良い。
【０９５１】
ＰＤＮアドレスは、ＵＥ１０に割り当てられたＩＰアドレスであってもよい。例えば、ＩＰｖ４アドレスであってよく、ＩＰｖ６アドレスを構築するためのインターフェースＩＤであってもよい。
【０９５２】
ＰＤＮコネクションＩＤは、ＵＥ１０とＰＧＷ３０の間で確立するＰＤＮコネクションを一意に識別するための情報であってもよい。ＰＤＮコネクションＩＤは、ＰＧＷ３０が割り当てたＩＤでもよく、ＴＷＡＧ７４が割り当てたＩＤでも良い。言い換えると、ＴＷＡＧ７４がＰＤＮコネクションＩＤを割り当てても良い。
【０９５３】
ユーザプレーンコネクションＩＤは、ユーザプレーンを識別する情報である。ユーザプレーンは、ＰＤＮコネクションでユーザデータの転送に用いる転送路である。ＴＷＡＧ７４はユーザプレーンコネクションＩＤを割り当てても良い。
【０９５４】
Ｃａｕｓｅは、ＵＥ１０に割り当てられたＰＤＮアドレスのＰＤＮタイプが、ＰＤＮ接続要求でＵＥ１０が要求したＰＤＮタイプと異なることを表す情報であってもよい。
【０９５５】
なお、ＴＷＡＧ７４及び／又はＰＧＷ３０は、ＰＣＯに第２の識別情報及び／又は第７の識別情報及び／又は第９の識別情報を含めてもよい。ただし、ＴＷＡＧ７４及び／又はＰＧＷ３０はＰＣＯに第２の識別情報及び／又は第７の識別情報及び／又は第９の識別情報を含める場合には、ＩＦＯＭ  ｓｕｐｐｏｒｔを含めない。逆に、ＴＷＡＧ７４及び／又はＰＧＷ３０は、ＰＣＯにＩＦＯＭ  ｓｕｐｐｏｒｔを含める場合には、第２の識別情報及び／又は第７の識別情報及び／又は第９の識別情報を含めない。このように、第２の識別情報及び／又は第７の識別情報及び／又は第９の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【０９５６】
ＰＤＮコネクション属性情報は、本ＰＤＮ接続手続きで確立したＰＤＮコネクションがマルチアクセスＰＤＮコネクションであることを示す情報、及び／又は、ＰＤＮコネクショ本ＰＤＮ接続手続きで確立したＰＤＮコネクションを用いて送受信するユーザデータは、アクセスネットワークＡ及びアクセスネットワークＢを介して送受信することが許可されたことを示す情報、及び／又は、第７の識別情報の示すオペレーションモードが複数無い場合には、本ＰＤＮ接続手続きで確立したＰＤＮコネクションが第７の識別情報の示すオペレーションモードのＮＢＩＦＯＭに基づくマルチアクセスＰＤＮコネクションであることを示す情報であってもよい。
【０９５７】
なお、ＵＥ１０は、ＰＤＮコネクションのタイプを示すコネクティビティタイプ及び／又はＷＬＡＮオフロードの可否を示すＷＬＡＮオフロード許可情報（ＷＬＡＮ  ｏｆｆｌｏａｄ  ａｃｃｅｐｔａｂｌｉｔｙ）をさらに含めてＰＤＮ接続受諾メッセージを送信しても良い。さらに、ＴＷＡＧ７４は、ＰＤＮコネクション属性情報を、コネクティビティタイプ又はＷＬＡＮオフロード許可情報に含めて送信しても良い。
【０９５８】
ＵＥ１０は、ＴＷＡＧ７４が送信したＰＤＮ接続受諾を受信する。ＵＥ１０はＰＤＮ接続受諾の受信及び／又はＰＤＮ接続受諾に含まれる第２の識別情報及び／又は第７の識別情報及び／又は第９の識別情報に基づいて、ＴＷＡＧ７４にＰＤＮ接続完了（PDN connectivity complete）を送信する（Ｓ２１１０）。
【０９５９】
ＵＥ１０は、少なくともＰＤＮ接続完了メッセージＩＤ（PDN connectivity complete）及びプロシージャトランザクションＩＤ及びＰＤＮコネクションＩＤをＰＤＮ接続完了に含めて送信しても良い。
【０９６０】
さらに、第７の識別情報に複数のＩＮＦＯＭオペレーションモードが含まれている場合には、ＵＥ１０は、少なくとも第５の識別情報をＰＤＮ接続完了に含めても良い。言い換えると、複数のＩＮＦＯＭオペレーションモードが許可されている場合には、ＵＥ１０は、許可されているモードのうちの一つを選択し、第５の識別情報に含めて送信しても良い。
【０９６１】
ここで、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０９６２】
具体的には、ＵＥ１０は、ＰＤＮ接続受諾に含まれる第７の識別情報にＵＥ−Ｉｎｉｔｉａｔｅｄ  ｍｏｄｅ及びＮｅｔｗｏｒｋ−Ｉｎｉｔｉａｔｅｄ  ｍｏｄｅが含まれている場合、第５の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【０９６３】
ＵＥ−Ｉｎｉｔｉａｔｅｄ  ｍｏｄｅとＮｅｔｗｏｒｋ−Ｉｎｉｔｉａｔｅｄ  ｍｏｄｅのどちらを第５の識別情報に含めるかは、ＵＥポリシーに基づいて決定しても良い。なお、ＵＥポリシーは、ＵＥ１０に設定された情報であれば良い。例えば、ＵＥポリシーはユーザによって設定された情報であってもよい。
【０９６４】
ＰＤＮ接続完了メッセージＩＤはＰＤＮ接続完了メッセージを表すメッセージタイプであってもよい。
【０９６５】
第４のＰＤＮ接続手続きの完了により、ＵＥ１０とＰＧＷ３０は、オペレータポリシーによって決定されたオペレーションモードの第１のＰＤＮコネクションを確立する。もしくは、ＵＥ１０は、オペレータポリシーによって許可されたオペレーションモードのうちの一つから選択したオペレーションモードの第１のＰＤＮコネクションを確立する。なお、ＵＥ１０は、ＰＤＮ接続受諾の受信、及び／又はＰＤＮコネクション属性情報、及び／又は第７の識別情報、及び／又は第７の識別情報に基づいて選択するオペレーションモードに基づいて、確立したＰＤＮコネクションに対するＮＢＩＦＯＭオペレーションモードを識別しても良い。第１のＰＤＮコネクションの確立に基づき、ＵＥ１０及びＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信する。より具体的には、ＵＥ１０及びＰＧＷ３０は、ＴＦＴで識別されるフローを第１のＰＤＮコネクションを用いて送受信する。
【０９６６】
さらに、第1のＰＤＮコネクションの確立において、ＵＥ１０及びＰＧＷ３０はデフォルトベアラを確立する。ＵＥ１０及びＰＧＷ３０は、ＷＬＡＮアクセスネットワークを経由してＰＤＮ接続手続きを完了したことに基づいて、ＰＤＮ接続手続きで確立したデフォルトベアラの識別情報と、ＷＬＡアクセスネットワークを識別する情報とを対応づけて記憶する。
【０９６７】
なお、ＵＥ１０は、ＴＦＴを受信していない場合もしくは保有するＴＦＴにマッチしないユーザデータの送受信を行う際、デフォルトベアラを用いてデータ送受信を行う。また、ＰＧＷ３０は、ＴＦＴを受信していない場合もしくは保有するＴＦＴにマッチしないユーザデータの送受信を行う際、デフォルトベアラを用いてデータ送受信を行う。
【０９６８】
このようにＵＥ１０及びＰＧＷ３０は、ＰＤＮ接続手続きにおいてマルチアクセスＰＤＮコネクションを確立し、マルチアクセスＰＤＮコネクションに対するデフォルトベアラを確立する。さらに、ＵＥ１０及びＰＧＷ３０は、デフォルトベアラが複数確立された場合にデフォルトベアラを選択するためのデフォルトアクセスを、マルチアクセスＰＤＮコネクションに対応づけて記憶することができる。
【０９６９】
なお、第１のＰＤＮ接続手続きの例では、ＴＦＴの送受信をＰＤＮ接続手続きに含める場合について説明したが、これに限らず、ＴＦＴの送受信は、ＮＢＩＦＯＭに基づくマルチアクセスＰＤＮコネクションの確立後に実行しても良い。
【０９７０】
したがって、ＵＥ１０及びＴＷＡＧ７４は、ＴＦＴをＰＤＮ接続要求及び／又はＰＤＮ接続応答（PDN connectivity accept）に含めずに送受信し、ＮＢＩＦＯＭに基づくマルチアクセスＰＤＮコネクションを確立しても良い。言い換えると、ＰＤＮコネクションを確立した時点では、ＰＤＮコネクションを用いてユーザデータを送受信するＩＰフローは
無い状態であってもよい。その場合、ＵＥ１０及びＴＷＡＧ７４は、ＮＢＩＦＯＭに基づくマルチアクセスＰＤＮコネクションを確立後にＴＦＴを送信する。
【０９７１】
より具体的には、ＵＥ−Ｉｎｉｔｉａｔｅｄ  ｍｏｄｅのＰＤＮコネクションを確立した場合には、ＵＥ１０はＴＷＡＧ７４にＴＦＴを送信しても良い。さらに、ＴＷＡＧ７４は、ＴＦＴをＵＥ１０から受信し、ＰＧＷ３０に送信する。これにより、ＵＥ１０とＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信することができる。
【０９７２】
なお、ＵＥ１０及びＰＧＷ３０は、保有するＴＦＴにマッチしないユーザデータの送受信を行う際、デフォルトベアラを用いてデータ送受信を行う。
【０９７３】
一方で、Ｎｅｔｗｏｒｋ−Ｉｎｉｔｉａｔｅｄ  ｍｏｄｅのＰＤＮコネクションを確立した場合には、ＰＧＷ３０はＴＷＡＧ７４にＴＦＴを送信しても良い。ここで、ＰＧＷ３０は、オペレータポリシーに基づいて決定されるＴＦＴをＰＣＲＦ６０から受信しても良い。さらに、ＴＷＡＧ７４は、ＴＦＴをＰＧＷ３０から受信し、ＵＥ１０に送信する。これにより、ＵＥ１０とＰＧＷ３０は、ＴＦＴを用いてＩＰフローを送受信するＰＤＮコネクション及び／又はＥＰＳベアラ等の転送路を決定し、ＴＦＴで識別されるＩＰフローに対応するユーザデータを送受信することができる。
【０９７４】
なお、ＵＥ１０及びＰＧＷ３０は、保有するＴＦＴにマッチしないユーザデータの送受信を行う際、デフォルトベアラを用いてデータ送受信を行う。
【０９７５】
また、第１のＰＤＮ接続手続きの例では、ＵＥ１０とＰＧＷ３０とが、オペレータポリシーによって決定されたオペレーションモード、もしくは、オペレータポリシーによって許可されたオペレーションモードのうちの一つからＵＥ１０が選択したオペレーションモードの第１のＰＤＮコネクションを確立する場合について説明したが、これに限らず、ＵＥ１０は、第１のＰＤＮコネクションの確立を拒絶しても良い。
【０９７６】
例えば、ＵＥ１０が、オペレータポリシーによって許可されたオペレーションモードをサポートしていない場合、及び／又は、オペレータポリシーによって許可されたオペレーションモードがＵＥ１０のポリシーに沿わない場合に、ＵＥ１０は、第１のＰＤＮコネクションの確立を拒絶しても良い。
【０９７７】
より詳細には、ＵＥ１０は、ＰＤＮ接続受諾の受信及び／又はＰＤＮ接続受諾に含まれる第７の識別情報及び／又はＰＤＮコネクション属性情報及び／又はＵＥ１０のポリシーに基づいて、ＴＷＡＧ７４にＰＤＮ接続拒絶（PDN connectivity reject）を送信しても良い。
【０９７８】
ＵＥ１０は、少なくともＰＤＮ接続拒絶メッセージＩＤ（PDN connectivity reject message identity）及びプロシージャトランザクションＩＤ及びＣａｕｓｅのいずれか一つ以上の情報をＰＤＮ接続拒絶に含めて送信しても良い。さらに、ＵＥ１０はＰＤＮ接続拒絶に第４の識別情報をさらに含めても良い。さらに、ＵＥ１０はＰＤＮ接続拒絶にＰＣＯ及び／又はＴｗ１バリュー（Tw1 value）をさらに含めても良い。なお、ＵＥ１０は第４の識別情報をＰＣＯに含めて送信しても良い。
【０９７９】
第４の識別情報は、ＵＥ１０がオペレータポリシーによって許可されたオペレーションモードをサポートしていないことを表す情報及び／又はオペレータポリシーによって許可されたオペレーションモードがＵＥ１０のポリシーに沿わないことを表す情報であっても
よい。
【０９８０】
ＰＤＮ接続拒絶メッセージＩＤはＰＤＮ接続拒絶メッセージを表すメッセージタイプであってもよい。
【０９８１】
Ｃａｕｓｅは、ＰＤＮ接続要求が拒絶された理由を表す情報であってもよい。ここで、ＵＥ１０は、第４の識別情報をＣａｕｓｅに含めてもＵＥ１０に通知しても良い。
【０９８２】
Ｔｗ１バリューはＣａｕｓｅがリソース不足（insufficient resources）を表す場合に含まれる、Ｔｗ１タイマーの値であってもよい。
【０９８３】
ＴＷＡＧ７４は、ＵＥ１０が送信したＰＤＮ接続拒絶を受信しても良い。ＴＷＡＧ７４は、ＰＤＮ接続拒絶の受信及び／又はＰＤＮ接続拒絶に含まれる第４の識別情報をもとに、ＴＷＡＧ７４が保有する確立したＰＤＮコネクションに関してのＥＰＳベアラコンテキストを削除しても良い。また、ＴＷＡＧ７４は、ＰＧＷ３０にＰＤＮ接続拒絶に含まれる第４の識別情報を送信しても良い。
【０９８４】
ＰＧＷ３０は、ＴＷＡＧ７４が送信した第４の識別情報を受信しても良い。ＰＧＷ３０は、第４の識別情報の受信及び／又はオペレータポリシーに基づいて、ＰＧＷ３０が保有する確立いているＰＤＮコネクションに関するＥＰＳベアラコンテキストを削除しても良い。
【０９８５】
また、ＰＧＷ３０は第４の識別情報の受信をもとに、ＰＣＲＦ６０との間でＩＰ−ＣＡＮセッション更新手続きを実行しても良い。ＰＧＷ３０は、ＩＰ−ＣＡＮセッション更新手続きに第４の識別情報を含めても良い。
【０９８６】
ＰＣＲＦ６０は、ＩＰ−ＣＡＮセッション更新手続きに基づいて、オペレータポリシーを変更しても良い。なお、ＰＧＷ３０は、オペレータポリシーの変更に基づき、ＰＧＷ３０が保有する確立したＰＤＮコネクションに関してのＥＰＳベアラコンテキストを削除しても良い。
【０９８７】
［２．４．２．ＰＤＮコネクション確立手続き後の状態の説明］
前記で説明した第１のＰＤＮ接続手続きを実行すると、後述の第１の状態及び、第２の状態となる。
【０９８８】
なお、追加アタッチ手続きでの初期状態は、第１の状態であってもよく、第２の状態であっても良い。なお、追加アタッチ手続きにおける初期状態は第１又は第２の状態に限らなくても良い。
【０９８９】
［２．４．３．第１の状態の説明］
第１の状態を図１３を用いて説明する。第１の状態では、ＵＥ１０はコアネットワーク９０との間に第１のＰＤＮコネクションを確立している状態である。しかし、ＵＥ１０は第２のＰＤＮコネクションを既に確立していない状態である。より詳細には、ＵＥ１０は、ＰＧＷ＿Ａ１３１０との間に第１のＰＤＮコネクションを確立している。しかし、ＵＥ１０はＰＧＷ＿Ｂ１３２０との間に第２のＰＤＮコネクションを確立していない。
【０９９０】
なお、ＰＧＷ＿Ａ１３１０は、ＡＰＮ１を用いて選択されるゲートウェイ装置であってもよい。ＰＧＷ＿Ｂ１３２０は、ＡＰＮ２を用いて選択されるゲートウェイ装置であってもよい。更に、ＰＧＷ＿Ａ１３１０及びＰＧＷ＿Ｂ１３２０はＰＧＷ３０であってもよい。また、ＡＰＮ１及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【０９９１】
さらに、ＡＰＮ１を用いて選択されるゲートウェイ装置とＡＰＮ２を用いて選択されるゲートウェイ装置は同一のゲートウェイ装置であってもよい。その場合は、ＰＧＷ＿Ａ１３１０とＰＧＷ＿Ｂ１３２０は同一の装置であってもよい。
【０９９２】
なお、第１のＰＤＮコネクションは、アクセスネットワークＢを介したＵＥ１０とＰＧＷ３０との間の転送路で構成されてもよい。したがって、ＵＥ１０とＴＷＡＧ７４との間の転送路と、ＴＷＡＧ７４とＰＧＷ＿Ａ１３１０との間の転送路を組み合わせた転送路で構成されてもよい。ここで、転送路はベアラであっても良い。
【０９９３】
このように、第１の状態では、ＵＥ１０はアクセスネットワークＢを経由してＮＢＩＦＯＭに基づくマルチアクセスＰＤＮコネクションを確立している状態であってもよい。さらに、第１の状態初期では、ＵＥ１０はアクセスネットワークＡを経由してコアネットワーク９０に接続していない状態であってもよい。
【０９９４】
なお、ＵＥ１０は、アクセスネットワークＢを経由してシングルアクセスＰＤＮコネクションを確立していなくても良い。
【０９９５】
もしくは、ＵＥ１０はアクセスネットワークＢを経由してシングルアクセスＰＤＮコネクションを確立している状態であっても良い。その場合、ＵＥ１０はＵＥ１０が主導して開始するシングルアクセスＰＤＮコネクションでのアタッチ手続き又はＰＤＮ接続手続きをＷＬＡＮアクセスネットワークで実行し、第３のＰＤＮコネクションを確立しても良い。
【０９９６】
なお、第３のＰＤＮコネクションは、ＡＰＮ２を用いて選択されるゲートウェイとの間に確立しても良い。もしくは、ＡＰＮ１やＡＰＮ２とは異なる他のＡＰＮを用いて選択されるゲートウェイとの間に確立しても良い。
【０９９７】
以上、第１の状態を説明してきたが、第１の状態はこれに限らず、例えばアクセスネットワークＢを介してＮＢＩＦＯＭに基づくマルチアクセスＰＤＮコネクションを確立している、且つ、アクセスネットワークＡを介してＰＤＮコネクションを確立していない状態であれば良い。
【０９９８】
［２．４．４．第２の状態の説明］
第２の状態を図１４を用いてを説明する。第２の状態では、ＵＥ１０はコアネットワーク９０との間に第１のＰＤＮコネクションを確立している状態である。さらに、ＵＥ１０はコアネットワーク９０との間に第２のＰＤＮコネクションを確立している状態である。より詳細には、ＵＥ１０は、ＰＧＷ＿Ａ１３１０との間に第１のＰＤＮコネクションを確立している。さらに、ＵＥ１０はＰＧＷ＿Ｂ１３２０との間に第２のＰＤＮコネクションを確立している。
【０９９９】
なお、ＰＧＷ＿Ａ１３１０は、ＡＰＮ１を用いて選択されるゲートウェイ装置であってもよい。ＰＧＷ＿Ｂ１３２０は、ＡＰＮ２を用いて選択されるゲートウェイ装置であってもよい。更に、ＰＧＷ＿Ａ１３１０及びＰＧＷ＿Ｂ１３２０はＰＧＷ３０であってもよい。また、ＡＰＮ１及び／又はＡＰＮ２を用いたゲートウェイの選択は、アクセスネットワークＢに含まれて配置されているＴＷＡＧ７４及び／又はコアネットワーク９０に含まれて配置されているＭＭＥ４０によって実行されても良い。
【１０００】
さらに、ＡＰＮ１を用いて選択されるゲートウェイ装置とＡＰＮ２を用いて選択されるゲートウェイ装置は同一のゲートウェイ装置であってもよい。その場合は、ＰＧＷ＿Ａ１３１０とＰＧＷ＿Ｂ１３２０は同一の装置であってもよい。
【１００１】
なお、第１のＰＤＮコネクションは、アクセスネットワークＢを介したＵＥ１０とＰＧＷ３０との間の転送路で構成されてもよい。したがって、ＵＥ１０とＴＷＡＧ７４との間の転送路と、ＴＷＡＧ７４とＰＧＷ＿Ｂ１３２０との間の転送路を組み合わせた転送路で構成されてもよい。ここで、転送路はベアラであっても良い。
【１００２】
また、第２のＰＤＮコネクションは、アクセスネットワークＡを介したＵＥ１０とＰＧＷ３０との間の転送路で構成されてもよい。したがって、ＵＥ１０とｅＮｏｄｅＢ４５との間の転送路と、ｅＮｏｄｅＢ４５とＳＧＷ３５との間の転送路と、ＳＧＷ３５とＰＧＷ＿Ｂ１３２０との間の転送路を組み合わせた転送路で構成されてもよい。ここで、転送路はベアラであっても良い。
【１００３】
このように、第１の状態では、ＵＥ１０はアクセスネットワークＢを経由してＮＢＩＦＯＭに基づくマルチアクセスＰＤＮコネクションを確立している状態であってもよい。さらに、ＵＥ１０はアクセスネットワークＡを経由してシングルアクセスＰＤＮコネクションを確立している状態であってもよい。
【１００４】
なお、ＵＥ１０は、アクセスネットワークＢを経由してシングルアクセスＰＤＮコネクションを確立していなくても良い。
【１００５】
もしくは、ＵＥ１０はアクセスネットワークＢを経由してシングルアクセスＰＤＮコネクションを確立している状態であっても良い。その場合、ＵＥ１０はＵＥ１０が主導して開始するシングルアクセスＰＤＮコネクションでのアタッチ手続き又はＰＤＮ接続手続きをＷＬＡＮアクセスネットワークで実行し、第３のＰＤＮコネクションを確立しても良い。
【１００６】
なお、第３のＰＤＮコネクションは、ＡＰＮ２を用いて選択されるゲートウェイとの間に確立しても良い。もしくは、ＡＰＮ１やＡＰＮ２とは異なる他のＡＰＮを用いて選択されるゲートウェイとの間に確立しても良い。
【１００７】
以上、第２の状態を説明してきたが、第２の状態はこれに限らず、例えばアクセスネットワークＢを介してＮＢＩＦＯＭに基づくマルチアクセスＰＤＮコネクションを確立している、且つ、アクセスネットワークＡを介してシングルアクセスＰＤＮコネクションを確立している状態であれば良い。
【１００８】
［２．５．追加アタッチ手続き］
以下、追加アタッチ手続きについて説明する。第１のＰＤＮコネクションのＯｐｅｒａｔｉｏｎ  ｍｏｄｅがＮｅｔｗｏｒｋ−ｉｎｉｔｉａｔｅｄ  ｍｏｄｅであるということは、言い換えると、ＵＥ１０主導でのフロー切り替え及び／又はＰＤＮコネクションのルーティングルールの更新ができない。一方で、ＰＤＮ接続手続き及び／又はアタッチ手続きは、ＵＥ１０主導で開始される。
【１００９】
なお、ルーティングルール（Ｒｏｕｔｉｎｇ  Ｒｕｌｅ）とは、ＵＥ１０が保有するＴＦＴに基づいてユーザデータを送受信する転送路又はベアラを選択するための情報であってよい。より具体的には、ＴＦＴと転送路又はベアラを対応づけた情報であってよい。
【１０１０】
先述のように、第２の状態は、ＵＥ１０は第１のＰＤＮコネクションをアクセスネット
ワークＢのみを介して確立している状態である。つまり、ＬＴＥアクセスネットワークを介した転送路は第１のＰＤＮコネクションに含まれていない。なお、転送路はベアラ及び／又は通信路であってもよい。
【１０１１】
そのため、第２の状態の第１のＰＤＮコネクションがＮｅｔｗｏｒｋ−ｉｎｉｔｉａｔｅｄ  ｍｏｄｅである場合、ネットワーク及び／又はＰＣＲＦ６０はアクセスネットワークＡを介した転送路を第１のＰＤＮコネクションに含めることができない。
【１０１２】
そのため、第２の状態への状態遷移、及びＯｐｅｒａｔｉｏｎ  ｍｏｄｅがＮｅｔｗｏｒｋ−ｉｎｉｔｉａｔｅｄ  ｍｏｄｅであることに基づきＵＥ１０はアクセスネットワークＡを介した転送路を確立するための手続きを実行しても良い。
【１０１３】
また、第１の初期状態及び／又は第２の初期状態の第１のＰＤＮコネクションのＯｐｅｒｅａｔｉｏｎ  ｍｏｄｅがＵＥ−ｉｎｉｔｉａｔｅｄ  ｍｏｄｅである場合も、ＵＥ１０はＵＥ１０が記憶するルーティングルールに基づいてアクセスネットワークＡを介した転送路の確立手続きを実行しても良い。
【１０１４】
具体的には、第１のＰＤＮコネクションのルーティングルールがＬＴＥアクセスを優先する事を示す場合、ＵＥ１０は第１のＰＤＮコネクションにアクセスネットワークＡを介した転送路を追加するための手続きを実行してもよい。
【１０１５】
より具体的には、ＵＥ１０が第１のＰＤＮコネクションに対して特定のフローとＬＴＥアクセスを対応づけたルーティングルールを記憶する場合、ＵＥ１０はアクセスネットワークＡを介した転送路を追加する手続きを実行してもよい。
【１０１６】
言い換えると、第１のＰＤＮコネクションのルーティングルールがＬＴＥアクセスを優先する事を示さない場合、ＵＥ１０は第１のＰＤＮコネクションにアクセスネットワークＡを介した転送路を追加するための手続きを実行しない。
【１０１７】
より具体的には、ＵＥ１０が第１のＰＤＮコネクションに対して特定のフローとＬＴＥアクセスを対応づけたルーティングルールを記憶しない場合、ＵＥ１０はアクセスネットワークＡを介した転送路を追加する手続きを実行しない。
【１０１８】
以下、手続きの詳細を説明する。
【１０１９】
［２．５．１．第２の追加アタッチ手続き例］
次に、第２の追加アタッチ手続き例を示す。図に示すように、本手続き例の初期状態は第１の初期状態である（Ｓ２３０２）。なお、第１の初期状態への遷移するための手続きは前述したものと同様であってもよく、詳細な説明は省略する。
【１０２０】
第１の初期状態は、ＵＥ１０がアクセスネットワークＡを介し、ＰＧＷ３０及び／又はネットワークとの間に第１のＰＤＮコネクションを確立している状態であれば良い。具体的には第１の初期状態はＵＥ１０がＴＷＡＧ７４を介し、ＡＰＮ１を用いて選択されるＰＧＷ＿Ａとの間に第１のＰＤＮコネクションを確立している状態である。なお、第１のＰＤＮコネクションはＮＢＩＦＯＭに基づくマルチアクセスＰＤＮコネクションであってもよい。
【１０２１】
ＵＥ１０は第１の初期状態に遷移した事及びＮｅｔｗｏｒｋ−ｉｎｉｔｉａｔｅｄ  ｍｏｄｅで第１のＰＤＮコネクションを確立した事に基づき、アクセスネットワークＡを介したアタッチ手続きを実行する（Ｓ２３０４）。
【１０２２】
又は、ＵＥ−ｉｎｉｔｉａｔｅｄ  ｍｏｄｅの第１のＰＤＮコネクションが確立された第１の初期状態に遷移したこと及びルーティングルールに基づいて、ＵＥ１０はアクセスネットワークＡを介したアタッチ手続きを実行しても良い。
【１０２３】
具体的には、ルーティングルールがＬＴＥアクセスを優先することに基づいて、ＵＥ１０はアクセスネットワークＡを介したアタッチ手続きを実行してもよい。
【１０２４】
具体的には、ＵＥ−ｉｎｉｔｉａｔｅｄ  ｍｏｄｅの第１のＰＤＮコネクションが確立された第１の初期状態に遷移したこと及び第１のＰＤＮコネクションのルーティングルールがＬＴＥアクセスを優先する事を示す場合、ＵＥ１０はアクセスネットワークＡを介したアタッチ手続きを実行してもよい。
【１０２５】
より具体的には、ＵＥ−ｉｎｉｔｉａｔｅｄ  ｍｏｄｅの第１のＰＤＮコネクションが確立された第１の初期状態に遷移したこと及びＵＥ１０が第１のＰＤＮコネクションに対して特定のフローとＬＴＥアクセスを対応づけたルーティングルールを記憶する場合、ＵＥ１０はアクセスネットワークＡを介したアタッチ手続きを実行してもよい。
【１０２６】
言い換えると、ＵＥ−ｉｎｉｔｉａｔｅｄ  ｍｏｄｅの第１のＰＤＮコネクションが確立された第１の初期状態に遷移しても、第１のＰＤＮコネクションのルーティングルールがＬＴＥアクセスを優先する事を示さない場合、ＵＥ１０はアクセスネットワークＡを介したアタッチ手続きを実行しない。
【１０２７】
より具体的には、ＵＥ−ｉｎｉｔｉａｔｅｄ  ｍｏｄｅの第１のＰＤＮコネクションが確立された第１の初期状態に遷移しても、ＵＥ１０が第１のＰＤＮコネクションに対して特定のフローとＬＴＥアクセスを対応づけたルーティングルールを記憶しない場合、ＵＥ１０はアクセスネットワークＡを介したアタッチ手続きを実行しない。
【１０２８】
ただし、ＵＥ１０はアタッチ要求に少なくともＡＰＮ及び／又はＰＤＮコネクションＩＤを含めて送信してもよい。
【１０２９】
ＡＰＮはＵＥ１０が接続を要求するＡＰＮであってもよい。より具体的には、ＡＰＮは、ＡＰＮ２であっても良い。ＵＥ１０は、シングルアクセスＰＤＮコネクションを確立するために、ＡＰＮ２を含めても良い。ここで、ＡＰＮ２はＮＢＩＦＯＭに基づくマルチアクセスＰＤＮコネクションの確立が許可されていないＡＰＮで、及び／又はＮＢＩＦＯＭに基づく通信が許可されたていないＡＰＮであってもよい。
【１０３０】
つまり、ＵＥ１０は第１のＰＤＮコネクションを確立した際にネットワークから取得したＡＰＮ１とは異なるＡＰＮ２を用いてシングルアクセスＰＤＮコネクションの確立を要求してもよい。
【１０３１】
また、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。
【１０３２】
なお、アタッチ手続き中で、ＵＥ１０はＭＭＥ４０及びＰＧＷ＿Ａ及びＰＧＷ＿Ｂと認証及びセキュリティアソシエーション手続きを行う。
【１０３３】
また、アタッチ手続き完了に伴い、ＵＥ１０はネットワークからＡＰＮを取得しても良い。
【１０３４】
ＡＰＮはＵＥ１０が接続を要求するＡＰＮであってもよい。より具体的には、ＡＰＮは、ＡＰＮ２であっても良い。ＵＥ１０は、シングルアクセスＰＤＮコネクションを確立するために、ＡＰＮ２を含めても良い。ここで、ＡＰＮ２はＮＢＩＦＯＭに基づくマルチアクセスＰＤＮコネクションの確立が許可されていないＡＰＮで、及び／又はＮＢＩＦＯＭに基づく通信が許可されたていないＡＰＮであってもよい。
【１０３５】
つまり、ＵＥ１０は第１のＰＤＮコネクションを確立に伴いネットワークから取得したＡＰＮ１とは異なるＡＰＮ２を用いてシングルアクセスＰＤＮコネクションの確立をしてもよい。
【１０３６】
以上により、ＵＥ１０及びコアネットワーク９０は第１の初期状態から第２の初期状態へ遷移する（Ｓ２３０６）。
【１０３７】
次に、第２の初期状態に遷移した事及び第１のＰＤＮコネクションがＮｅｔｗｏｒｋ−ｉｎｉｔｉａｔｅｄ  ｍｏｄｅで確立されていることに基づき、ＵＥ１０はアクセスネットワークＡを介したＰＤＮ接続手続きを実行する（Ｓ２３０８）。
【１０３８】
又は、第２の初期状態に遷移したこと及びＵＥ−ｉｎｉｔｉａｔｅｄ  ｍｏｄｅで確立された第１のＰＤＮコネクションのルーティングルールに基づき、ＵＥ１０はアクセスネットワークＡを介したＰＤＮ接続手続きを実行してもよい。
【１０３９】
具体的には、ルーティングルールがＬＴＥアクセスを優先することに基づいて、ＵＥ１０はアクセスネットワークＡを介したアタッチ手続きを実行してもよい。
【１０４０】
具体的には、ＵＥ−ｉｎｉｔｉａｔｅｄ  ｍｏｄｅの第１のＰＤＮコネクションが確立された第２の初期状態に遷移したこと及び第１のＰＤＮコネクションのルーティングルールがＬＴＥアクセスを優先する事を示す場合、ＵＥ１０は第１のＰＤＮコネクションにアクセスネットワークＡを介した転送路を追加するための手続きを実行してもよい。
【１０４１】
より具体的には、ＵＥ−ｉｎｉｔｉａｔｅｄ  ｍｏｄｅの第１のＰＤＮコネクションが確立された第２の初期状態に遷移したこと及びＵＥ１０が第１のＰＤＮコネクションに対して特定のフローとＬＴＥアクセスを対応づけたルーティングルールを記憶する場合、ＵＥ１０はアクセスネットワークＡを介した転送路を追加する手続きを実行してもよい。
【１０４２】
言い換えると、ＵＥ−ｉｎｉｔｉａｔｅｄ  ｍｏｄｅの第１のＰＤＮコネクションが確立された第２の初期状態に遷移しても、第１のＰＤＮコネクションのルーティングルールがＬＴＥアクセスを優先する事を示さない場合、ＵＥ１０は第１のＰＤＮコネクションにアクセスネットワークＡを介した転送路を追加するための手続きを実行しない。
【１０４３】
より具体的には、ＵＥ−ｉｎｉｔｉａｔｅｄ  ｍｏｄｅの第１のＰＤＮコネクションが確立された第２の初期状態に遷移しても、ＵＥ１０が第１のＰＤＮコネクションに対して特定のフローとＬＴＥアクセスを対応づけたルーティングルールを記憶しない場合、ＵＥ１０はアクセスネットワークＡを介した転送路を追加する手続きを実行しない。
【１０４４】
アクセスネットワークＡを介したＰＤＮ接続手続きを図１８を用いて説明する。
【１０４５】
ＵＥ１０は、まず、ｅＮｏｄｅＢ４５を介してＭＭＥ４０にＰＤＮ接続要求（PDN connectivity request）を送信する（Ｓ２４０２）。ＵＥ１０は、少なくともＰＤＮ接続要求メッセージＩＤ（PDN connectivity request message identity）及びプロシージャトラ
ンザクションＩＤ（Procedure transaction identity）及びリクエストタイプ（Request type）及びＰＤＮタイプ（PDN type）及びプロトコル識別子（Protocol discriminator）及びＥＰＳベアラＩＤ（EPS bearer identity）を含めてＰＤＮ接続要求を送信しても良い。さらに、ＵＥ１０は、少なくとも第１の識別情報及び／又は第５の識別情報及び／又は第８の識別情報及び／又はＰＤＮコネクションＩＤをＰＤＮ接続要求に含めても良い。さらに、ＵＥ１０は、ＡＰＮ（Access Point Name）及び／又はＰＣＯ（Protocol Configuration Options）及び／又はＴＦＴ（Traffic Flow Templates）をＰＤＮ接続要求に含めても良い。なお、ＵＥ１０は、第１の識別情報及び／又は第５の識別情報及び／又は第８の識別情報及び／又はＴＦＴ及び／又はＰＤＮコネクションＩＤをＰＣＯに含めて送信しても良い。
【１０４６】
ここで、第１の識別情報は、ＵＥ１０がＮＢＩＦＯＭをサポートしていることを表すＵＥＮＢＩＦＯＭ  ｃａｐａｂｉｌｉｔｙであってもよい。なお、ＮＢＩＦＯＭ  ｃａｐａｂｉｌｉｔｙとは、ＮＢＩＦＯＭに基づくマルチアクセスＰＤＮコネクションを確立する機能を有することを示す情報であってもよい。
【１０４７】
なお、ＵＥ１０は、ＵＥ−Ｉｎｉｔｉａｔｅｄ  ｍｏｄｅのマルチアクセスＰＤＮコネクションの確立を要求する場合には、第5の識別情報を送信し、Ｎｅｔｗｏｒｋ−Ｉｎｉｔｉａｔｅｄ  ｍｏｄｅのマルチアクセスＰＤＮコネクションの確立を要求する場合には、第５の識別情報を送信しないよう設定されても良い。
【１０４８】
さらに、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【１０４９】
このように、第５の識別情報を送信することにより、ＵＥ１０はマルチアクセスＰＤＮコネクションのモードを要求してもよい。言いかえると、第５の識別情報を送信することにより、ＵＥ１０は第５の識別情報の示すモードに対応するマルチアクセスＰＤＮコネクションの確立を要求してもよい。なお、第５の識別情報の示すモードはＵＥ１０が選択してもよい。
【１０５０】
さらに、第８の識別情報は、マルチアクセスＰＤＮコネクションにおけるデフォルトアクセス（Ｄｅｆａｕｌｔ  Ａｓｓｅｓｓ）を示す情報であってもよい。第８の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的には、Ｅ−ＵＴＲＡＮアクセスと、ＵＴＲＡＮアクセスと、ＧＥＲＡＮアクセスを含むアクセスネットワークを示す情報であってよい。
【１０５１】
もしくは、第８の識別情報は更に詳細な情報であってもよい。例えば、第８の識別情報は、Ｅ−ＵＴＲＡＮアクセスか、ＵＴＲＡＮアクセスか、ＧＥＲＡＮアクセスのいずれかであってもよい。
【１０５２】
なお、ＵＥ１０は、ＵＥ−Ｉｎｉｔｉａｔｅｄ  ｍｏｄｅのマルチアクセスＰＤＮコネクションの確立を要求する場合には、第８の識別情報を送信し、Ｎｅｔｗｏｒｋ−Ｉｎｉｔｉａｔｅｄ  ｍｏｄｅのマルチアクセスＰＤＮコネクションの確立を要求する場合には、第８の識別情報を送信しないよう設定されても良い。
【１０５３】
さらに、ＵＥ１０は、確立を要求するマルチアクセスＰＤＮコネクションに対するデフォルトベアラを確立していない場合には、第８の識別情報を送信し、マルチアクセスＰＤＮコネクションに対してすでにデフォルトベアラを確立している場合には、第８の識別情報を送信しないよう設定されても良い。
【１０５４】
より具体的には、マルチアクセスＰＤＮコネクションを新たに確立する場合には、第８の識別情報を送信し、マルチアクセスＰＤＮコネクションに対してＷＬＡＮアクセスネットワークを介してデフォルトベアラを確立している状態において転送路を追加する場合には、第８の識別情報を送信しないよう設定されても良い。
【１０５５】
このように、第８の識別情報を送信することにより、ＵＥ１０はマルチアクセスＰＤＮコネクションのデフォルトアクセスを要求してもよい。言いかえると、第８の識別情報を送信することにより、ＵＥ１０は第８の識別情報の示すアクセスネットワークをデフォルトアクセスとしたマルチアクセスＰＤＮコネクションの確立を要求してもよい。
【１０５６】
なお、第８の識別情報の示すアクセスネットワークはＵＥ１０が選択してもよい。さらに、ＵＥ１０はＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバから受信するＩＳＲＰ（Ｉｎｔｅｒ  Ｓｙｓｔｅｍ  Ｒｏｕｔｉｎｇ  Ｐｏｌｉｃｙ）などのオペレータポリシーに基づいて第８の識別情報の示すアクセスネットワークを選択してもよい。より具体的には、ＡＮＤＳＦサーバから受信するＩＳＲＰのアクセスネットワークの優先度情報を基に第８の識別情報の示すアクセスネットワークを選択してもよい。例えば、ＷＬＡＮを優先度が高いことがＩＳＲＰに記載されていることから、ＵＥ１０はＷＬＡＮを示す情報を第８の識別情報としてもよい。なお、ＵＥ１０は、ＩＳＲＰが確かな場合（Ｖａｌｉｄ）やアクティブな場合のみ、ＩＳＲＰに基づいて第８の識別情報の示すアクセスネットワークを選択してもよい。
【１０５７】
このように、第１の識別情報及び／又は第５の識別情報及び／又は第８の識別情報を送信することにより、マルチアクセスＰＤＮコネクションを確立すること要求してもよい。言い換えるとは、第１の識別情報及び／又は第５の識別情報及び／又は第８の識別情報は、マルチアクセスＰＤＮコネクションの確立を要求することを示す情報であってよい。
【１０５８】
ＰＤＮ接続要求メッセージＩＤは、ＰＤＮ接続要求メッセージを表すメッセージタイプであってもよい。
【１０５９】
プロシージャトランザクションＩＤはＰＤＮ接続手続きを識別する情報であってもよい。
【１０６０】
ＡＰＮはＵＥ１０が接続を要求するＡＰＮであってもよい。より具体的には、ＡＰＮは、ＡＰＮ１であっても良い。ＵＥ１０は、ＮＢＩＦＯＭに基づくマルチアクセスＰＤＮコネクションを確立するために、ＡＰＮ１を含めても良い。ここで、ＡＰＮ１はＮＢＩＦＯＭに基づくマルチアクセスＰＤＮコネクションの確立が許可されたＡＰＮで、及び／又はＮＢＩＦＯＭに基づく通信が許可されたＡＰＮであってもよい。さらに、ＡＰＮは第１のＰＤＮコネクションを識別する識別情報であってもよい。
【１０６１】
ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。さらに、ＰＤＮコネクションＩＤは第１のＰＤＮコネクションを識別する識別情報であってもよい。ＰＤＮコネクションＩＤはＡＰＮと対応づけられていてもよい。
【１０６２】
なお、ＵＥ１０はＡＰＮ及び／又はＰＤＮコネクションＩＤを用いて、第１のＰＤＮコ
ネクションを識別しても良い。
【１０６３】
リクエストタイプは、要求するＰＤＮ接続手続きの種類を識別する情報であってもよい。例えば、ＵＥ１０はＡＰＮ１を用いて初期接続を行うことから、リクエストタイプは、ハンドオーバーを示すタイプではなくアタッチを示すタイプであってもよい。
【１０６４】
ＰＤＮタイプは、利用可能なＩＰバージョンを示すもであってもよい。例えば、ＰＤＮタイプはＩＰｖ４であってよく、ＩＰｖ６であってもよく、ＩＰｖ４ｖ６であっても良い。
【１０６５】
プロトコル識別子は、ＰＤＮ接続要求の送受信に使用しているプロトコルの種類を表す識別子であってもよい。
【１０６６】
ＥＰＳベアラＩＤは、ＥＰＳベアラを識別する情報であってもよい。ＥＰＳベアラＩＤはＭＭＥ４０によって割り当てられても良い。
【１０６７】
ＰＣＯは、ＰＤＮコネクションと関連付けられたプロトコル情報であってもよい。また、ＰＣＯは、要求の識別情報を含めても良い。なお、ＵＥ１０は第１の識別情報及び／又は第５の識別情報及び／又は第８の識別情報をＰＣＯに含めて送信しても良い。
【１０６８】
ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【１０６９】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【１０７０】
なお、本例では、ＰＤＮ接続要求の送信に伴い、ＵＥ１０は特定のＮＢＩＦＯＭオペレーションモードを要求していないため、ＵＥ１０はＰＤＮ接続要求にＴＦＴを含めずに送信しても良い。言い換えると、ＵＥ１０が特定のＮＢＩＦＯＭオペレーションモードを要求することなくＮＢＩＦＯＭに基づくマルチアクセスＰＤＮコネクションの確立を要求する場合には、ＵＥ１０はＰＤＮ接続要求にＴＦＴを含めずに送信しても良い。より具体的には、ＵＥ１０は第１の識別情報及び／又は第５の識別情報及び／又は第８の識別情報を含める場合には、ＴＦＴを含めずにＰＤＮ接続要求を送信しても良い。
【１０７１】
なお、従来より、ＵＥ１０はＰＣＯにＩＦＯＭ  ｓｕｐｐｏｒｔを示す情報を含めて送信することができる。ここで、ＩＦＯＭ  ｓｕｐｐｏｒｔとはＩＦＯＭ（IP Flow Mobility）をサポートしていることを表す識別情報である。さらに、ＩＦＯＭとは、間ＤＳＭＩＰｖ６（Dual Stack Mobile IPv6）プロトコルを用いて、特定のＩＰフローの通信路を切り替える技術のことである。したがって、ＰＣＯにＩＦＯＭサポートを示す情報を含めることにより、ＵＥ１０は、特定のＩＰフローの通信を行うアクセスネットワークを切り替えることができる。
【１０７２】
本実施形態では、ＵＥ１０はＰＣＯに第１の識別情報及び第５の識別情報及び／又は第８の識別情報を含める場合には、ＩＦＯＭ  ｓｕｐｐｏｒｔを含めない。逆に、ＵＥ１０はＰＣＯにＩＦＯＭ  ｓｕｐｐｏｒｔを含める場合には、第１の識別情報及び／又は第５の識別情報及び／又は第８の識別情報を含めない。このように、第１の識別情報及び／又
は第５の識別情報及び／又は第８の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【１０７３】
これにより、ＵＥ１０は、単一のＰＤＮコネクション確立手続きにより、ＩＦＯＭをサポートしたＰＤＮコネクションもしくはＮＢＩＦＯＭをサポートしたＰＤＮコネクションのいずれか一方を確立することができる。言い換えると、単一のＰＤＮコネクションは、ＮＢＩＦＯＭをサポートしたＰＤＮコネクションか、ＩＦＯＭをサポートしたＰＤＮコネクションか、シングルアクセスＰＤＮコネクションかのいずれかである。
【１０７４】
ＭＭＥ４０は、ＵＥ１０が送信したＰＤＮ接続要求を受信する。ＭＭＥ４０はＰＤＮ接続要求の受信及び／又はＰＤＮ接続要求に含まれる第１の識別情報及び／又は第５の識別情報及び／又は第８の識別情報に基づいて、ＳＧＷ３５にセッション生成要求を送信する（Ｓ２４０４）。
【１０７５】
ＭＭＥ４０は、ＰＤＮ接続要求の受信及び／又はＰＤＮ接続要求に含まれる第１の識別情報に基づいて、少なくとも第１の識別情報をセッション生成要求に含めて送信しても良い。
【１０７６】
ＭＭＥ４０は、ＰＤＮ接続要求の受信及び／又はＰＤＮ接続要求に含まれる第５の識別情報及び／又は第８の識別情報に基づいて、少なくとも第５の識別情報及び／又は第８の識別情報をセッション生成要求に含めて送信しても良い。さらに、ＭＭＥ４０は、ＵＥ１０が送信するＴＦＴの受信に基づいて、ＴＦＴをセッション生成要求に含めても良い。
【１０７７】
さらに、ＭＭＥ４０は、ＵＥ１０が送信するＡＰＮ及び／又はＰＤＮコネクションＩＤの受信に基づいて、ＡＰＮ及び／又はＰＤＮコネクションＩＤをセッション生成要求に含めても良い。なお、ＭＭＥ４０は受信したＡＰＮ及び／又はＰＤＮコネクションＩＤを用いて、第１のＰＤＮコネクションを識別しても良い。
【１０７８】
また、ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【１０７９】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【１０８０】
なお、ＭＭＥ４０は、ＰＤＮ接続要求に第１の識別情報と第５の識別情報及び／又は第８の識別情報のいずれの識別情報も含まれない場合は、第１の識別情報及び／又は第５の識別情報及び／又は第８の識別情報を含めずにセッション生成要求を送信しても良い。また、ＭＭＥ４０は、ＰＤＮ接続要求に第１の識別情報及び／又は第５の識別情報及び／又は第８の識別情報が含まれない場合はシングルアクセスＰＤＮコネクションを確立する手続きを実行しても良い。
【１０８１】
ＳＧＷ３５は、ＭＭＥ４０が送信したセッション生成要求を受信する。ＳＧＷ３５は、セッション接続要求の受信及び／又はセッション接続要求に含まれる第１の識別情報及び／又は第５の識別情報及び／又は第８の識別情報に基づいて、ＰＧＷ３０にセッション生成要求を送信する（Ｓ２４０６）。
【１０８２】
ＳＧＷ３５は、セッション接続要求の受信及び／又はセッション接続要求に含まれる第１の識別情報及び／又は第５の識別情報及び／又は第８の識別情報に基づいて、少なくとも第１の識別情報及び／又は第５の識別情報及び／又は第８の識別情報をセッション生成要求に含めて送信しても良い。さらに、ＳＧＷ３５は、ＴＦＴをセッション生成要求に含めても良い。
【１０８３】
さらに、ＳＧＷ３５は、ＭＭＥ４０が送信するＡＰＮ及び／又はＰＤＮコネクションＩＤの受信に基づいて、ＡＰＮ及び／又はＰＤＮコネクションＩＤをセッション生成要求に含めても良い。なお、ＳＧＷ３５は受信したＡＰＮ及び／又はＰＤＮコネクションＩＤを用いて、第１のＰＤＮコネクションを識別しても良い。
【１０８４】
また、ＴＦＴは、本ＰＤＮ接続手続きで確立するＰＤＮコネクションを用いて通信を行うＩＰフローを識別するための情報であってもよい。なお、識別するＩＰフローは、アプリケーション単位で異なるものであってもよい。したがって、ＴＦＴにより、特定のアプリケーションのユーザデータを識別することができる。
【１０８５】
より具体的には、ＴＦＴは、５タプルで構成されても良いし、アプリケーションＩＤ等の識別情報で構成されても良い。なお、５タプルは、送信元ＩＰアドレス、送信先ＩＰアドレス、送信元ポート番号、送信先ポート番号、プロトコル番号のいずれか一つ以上の情報を組み合わせて構成されてもよい。
【１０８６】
なお、ＳＧＷ３５は、セッション生成要求に第１の識別情報と第５の識別情報及び／又は第８の識別情報のいずれの識別情報も含まれない場合は、第１の識別情報及び／又は第５の識別情報及び／又は第８の識別情報を含めずにセッション生成要求を送信しても良い。また、ＭＭＥ４０は、ＰＤＮ接続要求に第１の識別情報及び／又は第５の識別情報及び／又は第８の識別情報が含まれない場合はシングルアクセスＰＤＮコネクションを確立する手続きを実行しても良い。
【１０８７】
ＰＧＷ３０は、ＳＧＷ３５が送信したセッション生成要求を受信する。ＰＧＷ３０は、セッション生成要求の受信及び／又はセッション生成要求に含まれる第１の識別情報及び／又は第５の識別情報及び／又は第８の識別情報に基づいて、ＰＣＲＦ６０との間でのＩＰ−ＣＡＮセッション更新手続きを実行しても良い（Ｓ２４０８）。
【１０８８】
ＰＧＷ３０は、セッション生成要求の受信及び／又はセッション生成要求に含まれる第１の識別情報及び／又は第５の識別情報及び／又は第８の識別情報に基づいて、少なくとも第１の識別情報及び／又は第５の識別情報及び／又は第８の識別情報をＩＰ−ＣＡＮセッション更新手続きに含めて実行しても良い。
【１０８９】
さらに、ＰＧＷ３０は、ＳＧＷ３５が送信するＡＰＮ及び／又はＰＤＮコネクションＩＤの受信に基づいて、受信したＡＰＮ及び／又はＰＤＮコネクションＩＤを用いて、第１のＰＤＮコネクションを識別しても良い。
【１０９０】
なお、ＰＧＷ３０はＰＣＲＦ６０にＵＥ１０及び／又はｅＮｏｄｅＢ４５及び／又はＭＭＥ４０及び／又はＳＧＷ３５の情報を通知するためにＩＰ−ＣＡＮセッション更新手続きを実行しても良い。
【１０９１】
ＰＧＷ３０は、確立するＰＤＮコネクションがＮＢＩＦＯＭに基づくマルチアクセスＰＤＮコネクションであるか、シングルアクセスＰＤＮコネクションであるかを示す情報及び／又は第１の識別情報及び／又は第５の識別情報及び／又は第８の識別情報をＩＰ−Ｃ
ＡＮセッション手続き内の制御メッセージに含めてＰＣＲＦ６０に送信しても良い。
【１０９２】
より具体的には、ＮＢＩＦＯＭに基づくマルチアクセスＰＤＮコネクションを確立する場合には、ＰＧＷ３０は、アクセスネットワークＡを示す情報と、ＰＤＮコネクションＩＤ（PDN connection ID）と、ＰＤＮコネクションがＮＢＩＦＯＭに基づくマルチアクセスＰＤＮコネクションであることを示す情報と、第１の識別情報及び／又は第５の識別情報及び／又は第８の識別情報をＰＣＲＦ６０に送信する。もしくは、シングルアクセスＰＤＮコネクションを確立する場合には、ＰＧＷ３０は、アクセスネットワークＡを示す情報と、ＰＤＮコネクションＩＤと、ＰＤＮコネクションがシングルアクセスＰＤＮコネクションであることを示す情報とをＰＣＲＦ６０に送信する。
【１０９３】
なお、ＰＤＮコネクションＩＤは、ＰＤＮ接続手続きにおいてＰＧＷ３０がＰＤＮコネクションを確立する際に割り当てたＩＤであってよく、ＵＥ１０がＰＧＷ３０と確立するＰＤＮコネクションを一意に識別する情報であってもよい。
【１０９４】
さらに、ＰＣＲＦ６０は、第１の識別情報及び／又は第５の識別情報及び／又は第８の識別情報の受信に基づいて、ＰＧＷ３０との間でＩＰ−ＣＡＮセッション更新手続き内の制御メッセージに少なくとも第２の識別情報及び／又は第７の識別情報及び／又は第９の識別情報を含めてＰＧＷ３０に送信しても良い。なお、第２の識別情報及び／又は第７の識別情報及び／又は第９の識別情報の詳細説明は後述する。
【１０９５】
なお、ＰＣＲＦ６０はＰＧＷ３０に課金情報及び／又はＱｏＳ制御情報及び／又はルーティング情報を通知するためにＩＰ−ＣＡＮセッション更新手続きを実行しても良い。
【１０９６】
ＰＧＷ３０はセッション生成要求の受信又はＩＰ−ＣＡＮセッション更新手続きの完了及び／又は、セッション生成要求に含まれる、第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、ＳＧＷ３５にセッション生成応答を送信する（Ｓ２４１０）。
【１０９７】
ＰＧＷ３０は、セッション生成要求の受信又はＩＰ−ＣＡＮセッション更新手続きの完了及び／又は、セッション生成要求に含まれる、第１の識別情報及び／又は第５の識別情報及び／又は第８の識別情報及び／又は、ＩＰ−ＣＡＮセッション更新手続きに含まれる第２の識別情報及び／又は第７の識別情報及び／又は第９の識別情報に基づいて、少なくとも第２の識別情報及び／又は第７の識別情報及び／又は第９の識別情報をセッション生成応答に含めて送信しても良い。
【１０９８】
さらに、ＰＧＷ３０はセッション生成応答にＰＤＮアドレス（PDN Address）及び／又はＰＤＮコネクションＩＤ（PDN connection ID）及び／又はＴＦＴ及び／又はデフォルトベアラを識別するベアラ識別情報を含めても良い。
【１０９９】
なお、ＰＧＷ３０が第２の識別情報及び／又は第７の識別情報及び／又は第９の識別情報を取得する方法は、これまで説明したＩＰ−ＣＡＮセッション更新手続きにおいてＰＣＲＦ６０から取得する方法に限らず、別の例であっても良い。例えば、ＰＧＷ３０はＩＰ−ＣＡＮセッション更新手続きにおいてＰＣＲＦ６０から取得せず、ＰＧＷ３０第２の識別情報及び／又は第７の識別情報及び／又は第９の識別情報を生成し、セッション生成応答に含めて送信しても良い。
【１１００】
ここで、第２の識別情報は、ネットワークがＮＢＩＦＯＭをサポートしていることを表すＮＢＩＦＯＭ  ｃａｐａｂｉｌｉｔｙであってもよい。なお、ＮＢＩＦＯＭ  ｃａｐａ
ｂｉｌｉｔｙとは、マルチアクセスＰＤＮコネクションを確立する機能を有することを示す情報であってもよい。
【１１０１】
ここで、第７の識別情報は、確立するＮＢＩＦＯＭに基づくマルチアクセスＰＤＮコネクションに対して許可されたＮＢＩＦＯＭオペレーションモードを表すＡｌｌｏｗｅｄ  Ｍｏｄｅであってもよい。言い換えると、第７の識別情報はオペレータによって許可されたオペレーションモードであってもよい。
【１１０２】
このように、第７の識別情報を送信することにより、ＵＥ１０はマルチアクセスＰＤＮコネクションのモードを通知してもよい。言いかえると、第７の識別情報を送信することにより、第７の識別情報の示すモードに対応するマルチアクセスＰＤＮコネクションの確立すること許可してもよい。なお、第７の識別情報の示すモードはＰＣＲＦ６０又はＰＧＷ３０が選択してもよい。なお、ＰＣＲＦ６０又はＰＧＷ３０は、ＵＥ１０の要求する第５の識別情報が示すモードのマルチアクセスＰＤＮコネクションの確立を許可した場合には、第５の識別情報の示すモードを第７の識別情報として送信してもよい。
【１１０３】
なお、ＰＣＲＦ６０又はＰＧＷ３０は、Ａｌｌｏｗｅｄ  Ｍｏｄｅをオペレータポリシーに基づいて第７の識別情報を決定しても良い。例えば、ＵＥ−Ｉｎｉｔｉａｔｅｄ  ｍｏｄｅのＰＤＮコネクションのみ確立を許すポリシーや、Ｎｅｗｔｏｒｋ−Ｉｎｉｔｉａｔｅｄ  ｍｏｄｅのＰＤＮコネクションのみ確立を許すポリシーや、両方のモードの確立を許すポリシーや、両方のモードの確立を禁止するポリシー等を管理してもよい。
【１１０４】
なお、ＰＣＲＦ６０又はＰＧＷ３０は、オペレータポリシーをＨＳＳ５０等から取得しても良い。もしくは、オペレータポリシーは管理者により生成されたものを保存しても良い。
【１１０５】
さらに、オペレータポリシーは、加入者毎に異なるポリシーを管理しても良い。もしくは、ＡＰＮ毎に異なるポリシーを管理しても良い。例えば、ＡＰＮ毎に確立するＰＤＮコネクションに対して異なるＡｌｌｏｗｅｄ Ｍｏｄｅが管理されていても良い。
【１１０６】
ＰＣＲＦ６０又はＰＧＷ３０は、Ａｌｌｏｗｅｄ  Ｍｏｄｅに基づいて、許可されているオペレーションモードを第７の識別情報に含めても良い。
【１１０７】
言い換えると、ＰＣＲＦ６０又はＰＧＷ３０はＮｅｔｗｏｒｋ−Ｉｎｉｔｉａｔｅｄ  ｍｏｄｅのみが許可されている場合には、第７の識別情報にＮｅｔｗｏｒｋ−Ｉｎｉｔｉａｔｅｄ  ｍｏｄｅを含めても良い。若しくは、ＵＥ−Ｉｎｉｔｉａｔｅｄ  ｍｏｄｅのみ許可されている場合には、第７の識別情報にＵＥ−Ｉｎｉｔｉａｔｅｄ  ｍｏｄｅを含めても良い。
【１１０８】
なお、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されている場合には、第７の識別情報は両方のオペレーションモードを含めても良い。若しくは、ＵＥ−Ｉｎｉｔｉａｔｅｄ  ｍｏｄｅとＮｅｔｗｏｒｋ−Ｉｎｉｔｉａｔｅｄ  ｍｏｄｅの両方が許可されており、且つデフォルトのオペレーションモードが設定されている場合には、第７の識別情報はデフォルトのオペレーションモードのみ含めても良い。なお、ＵＥ−Ｉｎｉｔｉａｔｅｄ  ｍｏｄｅとＮｅｔｗｏｒｋ−Ｉｎｉｔｉａｔｅｄ  ｍｏｄｅのどちらをデフォルトのオペレーションモードとするかは、オペレータポリシーに基づいて設定されてもよい。
【１１０９】
なお、全てのオペレーションモードのＰＤＮコネクションの確立が許可されてない場合には、ＰＣＲＦ６０は、要求したオペレーションモードは許可されないモードであることを示す理由情報（Requested Operation Mode is not allowed）をＰＧＷ３０に送信しても良い。
【１１１０】
全てのオペレーションモードのＰＤＮコネクションの確立が許可されてない場合には、ＰＧＷ３０は、第７の識別情報をＳＧＷ３５を介してＭＭＥ４０に通知しなくても良い。
【１１１１】
全てのオペレーションモードのＰＤＮコネクションの確立が許可されてない場合には、ＰＧＷ３０は、要求したオペレーションモードは許可されないモードであることを示す理由情報（Requested Operation Mode is not allowed）をセッション生成応答に含めてＳＧＷ３５を介してＭＭＥ４０に送信しても良い。
【１１１２】
全てのオペレーションモードのＰＤＮコネクションの確立が許可されてない場合には、ＰＧＷ３０は、許可されたオペレーションが無いことをＳＧＷ３５を介してＭＭＥ４０に通知しても良い。
【１１１３】
このように、Ａｌｌｏｗｅｄ  Ｍｏｄｅに基づいて、ＰＣＲＦ６０又はＰＧＷ３０は,ＰＤＮコネクションの確立が許可されたオペレーションモードを、第７の識別情報としても良い。
【１１１４】
なお、第７の識別情報にＮｅｔｗｏｒｋ−Ｉｎｉｔｉａｔｅｄ  ｍｏｄｅが含まれない場合には、ＰＣＲＦ６０はＰＧＷ３０にＴＦＴを送信しなくても良い。
【１１１５】
言い換えると、なお、第７の識別情報にＮｅｔｗｏｒｋ−Ｉｎｉｔｉａｔｅｄ  ｍｏｄｅが含まれる場合にのみ、ＰＣＲＦ６０はＰＧＷ３０にＴＦＴを送信しても良い。
【１１１６】
なお、第７の識別情報にＮｅｔｗｏｒｋ−Ｉｎｉｔｉａｔｅｄ  ｍｏｄｅが含まれない場合には、ＰＧＷ３０はＳＧＷ３５を介してＭＭＥ４０にＴＦＴを送信しなくても良い。したがって、この場合には、ＰＧＷ３０はＴＦＴをＰＧＷ３０はセッション生成応答にＰＤＮアドレス（PDN Address）含めなくても良い。
【１１１７】
言い換えると、なお、第７の識別情報にＮｅｔｗｏｒｋ−Ｉｎｉｔｉａｔｅｄ  ｍｏｄｅが含まれる場合にのみ、ＰＧＷ３０はＳＧＷ３５を介してＭＭＥ４０にＴＦＴを送信しても良い。したがって、この場合には、ＰＧＷ３０はＴＦＴをＰＧＷ３０はセッション生成応答にＰＤＮアドレス（PDN Address）含めても良い。
【１１１８】
ＰＤＮアドレスは、ＵＥ１０に割り当てられたＩＰアドレスであってもよい。例えば、ＩＰｖ４アドレスであってよく、ＩＰｖ６アドレスを構築するためのＩＰｖ６プレフィックスとインターフェースＩＤであってもよい。ここで、ＰＧＷ３０はＵＥ１０のＩＰアドレスを割り当てても良い。さらに、ＰＧＷ３０は、ＵＥ１０に割り当てたＩＰアドレスをＰＤＮアドレスに含めても良い。
【１１１９】
また、ＰＤＮコネクションＩＤは、ＵＥ１０とＰＧＷ３０の間で確立するＰＤＮコネクションを一意に識別するための情報であってもよい。ＰＤＮコネクションＩＤは、ＰＧＷ３０によって割り当てられてもよく、ＭＭＥ４０によって割り当てられても良い。言い換えると、ＰＧＷ３０がＰＤＮコネクションＩＤを割り当ててもよい。
【１１２０】
さらに、第９の識別情報は、マルチアクセスＰＤＮコネクションにおけるデフォルトアクセス（Ｄｅｆａｕｌｔ  Ａｓｓｅｓｓ）を示す情報であってもよい。なお、第９の識別情報は、３ＧＰＰアクセス又はＷＬＡＮアクセスを示す情報であってよい。ここで３ＧＰＰアクセスとは、ＷＬＡＮアクセスではないアクセスシステムであってよい。より具体的
には、Ｅ−ＵＴＲＡＮアクセスと、ＵＴＲＡＮアクセスと、ＧＥＲＡＮアクセスを含むアクセスネットワークを示す情報であってよい。
【１１２１】
もしくは、第９の識別情報は更に詳細な情報であってもよい。例えば、第９の識別情報は、Ｅ−ＵＴＲＡＮアクセスか、ＵＴＲＡＮアクセスか、ＧＥＲＡＮアクセスのいずれかであってもよい。
【１１２２】
このように、第９の識別情報を送信することにより、ＰＣＲＦ６０またはＰＧＷ３０はマルチアクセスＰＤＮコネクションのデフォルトアクセスをＵＥ１０に通知してもよい。言いかえると、第９の識別情報を送信することにより、ＰＣＲＦ６０またはＰＧＷ３０は第９の識別情報の示すアクセスネットワークをデフォルトアクセスとしたマルチアクセスＰＤＮコネクションの確立を要求してもよい。なお、第９の識別情報の示すアクセスネットワークはＰＣＲＦ６０またはＰＧＷ３０が選択してもよい。なお、ＰＣＲＦ６０又はＰＧＷ３０は、ＵＥ１０の要求する第８の識別情報が示すデフォルトアクセスのマルチアクセスＰＤＮコネクションの確立を許可した場合には、第８の識別情報の示すアクセスネットワークを第９の識別情報として送信してもよい。
【１１２３】
このように、第２の識別情報及び／又は第７の識別情報及び／又は第９の識別情報を送信することにより、マルチアクセスＰＤＮコネクションを確立することに対する許可してもよい。言い換えるとは、第２の識別情報及び／又は第７の識別情報及び／又は第９の識別情報は、マルチアクセスＰＤＮコネクションの確立すること、又は許可することを示す情報であってよい。
【１１２４】
なお、ＰＣＲＦ６０及びＰＧＷ３０は、確立を要求するマルチアクセスＰＤＮコネクションに対するデフォルトベアラを確立していない場合には、第９の識別情報を送信し、マルチアクセスＰＤＮコネクションに対してすでにデフォルトベアラを確立している場合には、第９の識別情報を送信しないよう設定されても良い。
より具体的には、マルチアクセスＰＤＮコネクションを新たに確立する場合には、第９の識別情報を送信し、マルチアクセスＰＤＮコネクションに対してＬＴＥアクセスネットワークを介してデフォルトベアラを確立している状態において転送路を追加する場合には、第９の識別情報を送信しないよう設定されても良い。
【１１２５】
ＳＧＷ３５は、ＰＧＷ３０が送信したセッション生成応答を受信する。ＳＧＷ３５はセッション生成応答の受信及び／又はセッション生成応答に含まれる第２の識別情報及び／又は第７の識別情報及び／又は第９の識別情報に基づいて、ＭＭＥ４０にセッション生成応答を送信する（Ｓ２４１２）。
【１１２６】
ＳＧＷ３５はセッション生成応答の受信及び／又はセッション生成応答に含まれる第２の識別情報及び／又は第７の識別情報及び／又は第９の識別情報に基づいて、少なくとも第２の識別情報及び／又は第７の識別情報及び／又は第９の識別情報をセッション生成応答に含めて送信しても良い。
【１１２７】
さらに、ＳＧＷ３５はセッション要求応答にＰＤＮアドレス（PDN Address）及び／又はＰＤＮコネクションＩＤ及び／又はＴＦＴを含めても良い。
【１１２８】
ＭＭＥ４０は、ＳＧＷ３５が送信したセッション生成応答を受信する。ＭＭＥ４０はセッション生成応答の受信及び／又はセッション生成応答に含まれる第２の識別情報及び／又は第７の識別情報及び／又は第９の識別情報に基づいて、ｅＮｏｄｅＢ４５にデフォルトＥＰＳベアラコンテキストアクティブ化要求（Activate default EPS bearer context request）を送信する（Ｓ２４１４）。
【１１２９】
ＭＭＥ４０は、セッション生成応答の受信及び／又はセッション生成応答に含まれる第２の識別情報及び／又は第７の識別情報及び／又は第９の識別情報に基づいて、少なくともデフォルトＥＰＳベアラコンテキストアクティブ化要求メッセージＩＤ（Activate default EPS bearer context request message identity）及びプロシージャトランザクションＩＤ及びＡＰＮ及びＰＤＮアドレス（PDN Address）及びプロトコル識別子及びＥＰＳベアラＩＤ及びＥＰＳ  ＱｏＳをデフォルトＥＰＳベアラコンテキストアクティブ化要求に含めて送信しても良い。さらに、ＭＭＥ４０は、少なくとも第２の識別情報及び／又は第７の識別情報及び／又は第９の識別情報をデフォルトＥＰＳベアラコンテキストアクティブ化要求に含めても良い。さらに、ＭＭＥ４０は、セッション生成応答の受信及び／又はセッション生成応答に含まれる第２の識別情報及び／又は第７の識別情報及び／又は第９の識別情報に基づいて、ＰＣＯ及び／又はＥＳＭ  Ｃａｕｓｅ及び／又はＴＦＴ及び／又はデフォルトベアラを識別するベアラ識別情報及び／又はＰＤＮコネクションＩＤ、及び／又はＰＤＮコネクション属性情報をデフォルトＥＰＳベアラコンテキストアクティブ化要求に含めても良い。なお、ＭＭＥ４０は第２の識別情報及び／又は第７の識別情報及び／又は第９の識別情報及び／又はＴＦＴ及び／又はデフォルトベアラを識別するベアラ識別情報及び／又はＰＤＮコネクションＩＤをＰＣＯに含めて送信しても良い。
【１１３０】
ここで、デフォルトＥＰＳベアラコンテキストアクティブ化要求メッセージＩＤはデフォルトＥＰＳベアラコンテキストアクティブ化要求メッセージを表すメッセージタイプであってもよい。
【１１３１】
ＡＰＮはＵＥ１０が接続を許可されたＡＰＮであってもよい。より具体的には、ＡＰＮは、ＡＰＮ１であっても良い。ＡＰＮ１は、ＮＢＩＦＯＭに基づくマルチアクセスＰＤＮコネクションを確立ことが許可されたＡＰＮであっても良い。ＭＭＥ４０はＡＰＮ１をデフォルトＥＰＳベアラコンテキストアクティブ化要求に含めても良い。
【１１３２】
ＰＤＮアドレスは、ＵＥ１０に割り当てられたＩＰアドレスであってもよい。例えば、ＩＰｖ４アドレスであってよく、ＩＰｖ６アドレスを構築するためのインターフェースＩＤであってもよい。
【１１３３】
ＥＰＳ  ＱｏＳは、ＥＰＳベアラのＱｏＳを表す状態であってもよい。
【１１３４】
ＰＤＮコネクション属性情報は、本ＰＤＮ接続手続きで確立したＰＤＮコネクションがマルチアクセスＰＤＮコネクションであることを示す情報、及び／又は、ＰＤＮコネクショ本ＰＤＮ接続手続きで確立したＰＤＮコネクションを用いて送受信するユーザデータは、アクセスネットワークＡ及びアクセスネットワークＢを介して送受信することが許可されたことを示す情報、及び／又は、本ＰＤＮ接続手続きで確立したＰＤＮコネクションが第７の識別情報の示すオペレーションモードのＮＢＩＦＯＭに基づくマルチアクセスＰＤＮコネクションであることを示す情報であってもよい。
【１１３５】
なお、ＵＥ１０は、ＰＤＮコネクションのタイプを示すコネクティビティタイプ及び／又はＷＬＡＮオフロードの可否を示すＷＬＡＮオフロード許可情報（ＷＬＡＮ  ｏｆｆｌｏａｄ  ａｃｃｅｐｔａｂｌｉｔｙ）をさらに含めてデフォルトＥＰＳベアラコンテキストアクティブ化要求メッセージを送信しても良い。さらに、ＭＭＥ４０は、ＰＤＮコネクション属性情報を、コネクティビティタイプ又はＷＬＡＮオフロード許可情報に含めて送信しても良い。
【１１３６】
ＥＳＭ  Ｃａｕｓｅは、ＵＥ１０に割り当てられたＰＤＮアドレスのＰＤＮタイプが、ＰＤＮ接続要求でＵＥ１０が要求したＰＤＮタイプと異なることを表す情報であってもよい。
【１１３７】
なお、ＭＭＥ４０及び／又はＰＧＷ３０は、ＰＣＯに第２の識別情報及び／又は第７の識別情報及び／又は第９の識別情報を含めてもよい。ただし、ＭＭＥ４０及び／又はＰＧＷ３０はＰＣＯに第２の識別情報及び／又は第７の識別情報及び／又は第９の識別情報を含める場合には、ＩＦＯＭ  ｓｕｐｐｏｒｔを含めない。逆に、ＭＭＥ４０及び／又はＰＧＷ３０は、ＰＣＯにＩＦＯＭ  ｓｕｐｐｏｒｔを含める場合には、第２の識別情報及び／又は第７の識別情報及び／又は第９の識別情報を含めない。このように、第２の識別情報及び／又は第７の識別情報及び／又は第９の識別情報とＩＦＯＭ  ｓｕｐｐｏｒｔの両方を有効に設定しないことにより、ＮＢＩＦＯＭに基づいた通信路の切り替えと、ＩＦＯＭに基づいた通信路の切り替えのどちらを用いるかを明確にするよう設定しても良い。
【１１３８】
ｅＮｏｄｅＢ４５は、ＭＭＥ４０が送信したデフォルトＥＰＳベアラコンテキストアクティブ化要求を受信する。ｅＮｏｄｅＢ４５は、デフォルトＥＰＳベアラコンテキストアクティブ化要求の受信に基づいて、ＵＥ１０にデフォルトＥＰＳベアラコンテキストアクティブ化要求を転送する。
【１１３９】
ｅＮｏｄｅＢ４５は、デフォルトＥＰＳベアラコンテキストアクティブ化要求と共に、少なくとも、ＵＥ１０にＲＲＣ接続設定要求（RRC Connection Reconfiguration）を送信しても良い（Ｓ２４１６）。
【１１４０】
ＵＥ１０は、ｅＮｏｄｅＢ４５が送信したＲＲＣ接続設定要求を受信する。さらに、ＵＥ１０は、ＭＭＥ４０が送信し、ｅＮｏｄｅＢ４５が転送したデフォルトＥＰＳベアラコンテキストアクティブ化要求を受信する。
【１１４１】
ＵＥ１０はＲＲＣ接続設定要求の受信に基づいて、ｅＮｏｄｅＢ４５にＲＲＣ接続設定完了（RRC Connection Reconfiguration Complete）を送信する（Ｓ２４１８）。
【１１４２】
ｅＮｏｄｅＢ４５は、ＵＥ１０が送信したＲＲＣ接続設定完了を受信する。ｅＮｏｄｅＢ４５は、ＲＲＣ接続設定完了に基づいて、ＭＭＥ４０にベアラ設定を送信する。
【１１４３】
ＭＭＥ４０は、ｅＮｏｄｅＢ４５が送信したベアラ設定を受信する（Ｓ２４２０）。
【１１４４】
ＵＥ１０はデフォルトＥＰＳベアラコンテキストアクティブ化要求の受信及び／又はデフォルトＥＰＳベアラコンテキストアクティブ化要求に含まれる第２の識別情報及び／又は第７の識別情報及び／又は第９の識別情報に基づいて、ＭＭＥ４０にデフォルトＥＰＳベアラコンテキストアクティブ化受諾（Activate default EPS bearer context accept）又はデフォルトＥＰＳベアラコンテキストアクティブ化拒絶（Activate default EPS bearer context reject）を送信する（Ｓ２４２２）（Ｓ２４２４）。
【１１４５】
ＵＥ１０は、少なくともデフォルトＥＰＳベアラコンテキストアクティブ化受諾メッセージＩＤ（Activate default EPS bearer context accept message identity）及びプロシージャトランザクションＩＤ及びプロトコル識別子及びＥＰＳベアラＩＤをデフォルトＥＰＳベアラコンテキストアクティブ化受諾に含めて送信しても良い。
【１１４６】
また、ＵＥ１０は、少なくともデフォルトＥＰＳベアラコンテキストアクティブ化拒絶メッセージＩＤ（Activate default EPS bearer context reject message identity）及びプロシージャトランザクションＩＤ及びプロトコル識別子及びＥＰＳベアラＩＤ及びＥＳＭ  ＣａｕｓｅをデフォルトＥＰＳベアラコンテキストアクティブ化拒絶に含めて送信しても良い。
【１１４７】
さらに、ＰＣＯをデフォルトＥＰＳベアラコンテキストアクティブ化受諾及び／又はデフォルトＥＰＳベアラコンテキストアクティブ化拒絶に含めても良い。
【１１４８】
さらに、第７の識別情報に複数のＩＮＦＯＭオペレーションモードが含まれている場合には、ＵＥ１０は、少なくとも第５の識別情報をデフォルトＥＰＳベアラコンテキストアクティブ化受諾又はデフォルトＥＰＳベアラコンテキストアクティブ化拒絶に含めても良い。言い換えると、複数のＩＮＦＯＭオペレーションモードが許可されている場合には、ＵＥ１０は、許可されているモードのうちの一つを選択し、第５の識別情報に含めて送信しても良い。
【１１４９】
ここで、第５の識別情報は、ＵＥ１０が確立を要求するマルチアクセスＰＤＮコネクションのＮＢＩＦＯＭオペレーションモードを表すＭｏｄｅ  Ｉｎｄｉｃａｔｉｏｎであってもよい。なお、ＵＥ１０は、第５の識別情報に、ＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【１１５０】
具体的には、ＵＥ１０は、デフォルトＥＰＳベアラコンテキストアクティブ化要求に含まれる第７の識別情報にＵＥ−Ｉｎｉｔｉａｔｅｄ  ｍｏｄｅ及びＮｅｔｗｏｒｋ−Ｉｎｉｔｉａｔｅｄ  ｍｏｄｅが含まれている場合、第５の識別情報にＵＥ−Ｉｎｉｔｉａｔｅｄ  ｍｏｄｅ又はＮｅｔｗｏｒｋ−Ｉｎｉｔｉａｔｅｄ  ｍｏｄｅを含めても良い。
【１１５１】
ＵＥ−Ｉｎｉｔｉａｔｅｄ  ｍｏｄｅとＮｅｔｗｏｒｋ−Ｉｎｉｔｉａｔｅｄ  ｍｏｄｅのどちらを第５の識別情報に含めるかは、ＵＥポリシーに基づいて決定しても良い。なお、ＵＥポリシーは、ＵＥ１０に設定された情報であれば良い。例えば、ＵＥポリシーはユーザによって設定された情報であってもよい。
【１１５２】
ここで、デフォルトＥＰＳベアラコンテキストアクティブ化受諾メッセージＩＤはデフォルトＥＰＳベアラコンテキストアクティブ化受諾メッセージを表すメッセージタイプであってもよい。
【１１５３】
デフォルトＥＰＳベアラコンテキストアクティブ化拒絶メッセージＩＤはデフォルトＥＰＳベアラコンテキストアクティブ化拒絶メッセージを表すメッセージタイプであってもよい。
【１１５４】
ＥＳＭ  Ｃａｕｓｅは、デフォルトＥＰＳベアラコンテキストアクティブ化要求を拒絶する理由を表す情報であってもよい。
【１１５５】
これにより、ＵＥ１０は第３の初期状態に遷移する（Ｓ２３１０）。
【１１５６】
つまり、ＵＥ１０は、第１の初期状態に遷移したこと及び、第１のＰＤＮコネクションのＯｐｅｒａｔｉｏｎ  ｍｏｄｅに基づいて、ＬＴＥアクセスネットワークＡを介した追加の転送路を確立する事ができる。
【１１５７】
具体的には、ＵＥ１０は、第１の初期状態に遷移したこと及び、第１のＰＤＮコネクションがＮｅｔｗｏｒｋ−ｉｎｉｔｉａｔｅｄ  ｍｏｄｅであることに基づき、ＬＴＥアクセスネットワークＡにアタッチ手続き及びＰＤＮ接続手続きを行い、ｅＮＢ４５を介した追加の転送路を確立する事ができる。なお、転送路はベアラ及び／又は通信路であってもよい。
【１１５８】
より具体的には、ＵＥ１０はアタッチ手続きを行い、ＡＰＮ２を用いて選択されるＰＧ
Ｗ＿ＢとＵＥ１０間に第２のＰＤＮコネクションを確立した後、ＰＤＮ接続手続きを行うことにより、ＡＰＮ１を用いて選択されるＰＧＷ＿ＡとＵＥ１０間の第１のＰＤＮコネクションにＬＴＥアクセスネットワークを介した転送路を追加する事ができる。なお、転送路はベアラ及び／又は通信路であってもよい。つまり、WLANを介したデフォルトベアラを確立した状態で、更に第１のPDNコネクションに対するLTEアクセスネットワークを介したデフォルトベアラを確立する事ができる。
【１１５９】
又は、ＵＥ１０は、第１の初期状態に遷移した事及び、ＵＥ−ｉｎｉｔｉａｔｅｄ  ｍｏｄｅの第１のＰＤＮコネクションのルーティングルールに基づき、ＬＴＥアクセスネットワークＡにアタッチ手続き及びＰＤＮ接続手続きを行い、ｅＮＢ４５を介した追加の転送路を確立する事ができる。なお、転送路はベアラ及び／又は通信路であってもよい。
【１１６０】
具体的には、ＵＥ１０はアタッチ手続きを行い、ＡＰＮ２を用いて選択されるＰＧＷ＿ＢとＵＥ１０間に第２のＰＤＮコネクションを確立した後、ＰＤＮ接続手続きを行うことにより、ＡＰＮ１を用いて選択されるＰＧＷ＿ＡとＵＥ１０間の第１のＰＤＮ接続にＬＴＥアクセスネットワークを介した転送路を追加する事ができる。なお、転送路はベアラ及び／又は通信路であってもよい。
【１１６１】
更に、ＵＥ１０は、第２の初期状態に遷移した事及び、第１のＰＤＮコネクションのＯｐｅｒａｔｉｏｎ  ｍｏｄｅに基づいて、ＬＴＥアクセスネットワークＡを介した追加の転送路を確立する事ができる。
【１１６２】
具体的には、ＵＥ１０は、第２の初期状態に遷移した事及び、第１のＰＤＮコネクションがＮｅｔｗｏｒｋ−ｉｎｉｔｉａｔｅｄ  ｍｏｄｅであることに基づき、ＬＴＥアクセスネットワークＡにＰＤＮ接続手続きを行い、ｅＮＢ４５を介した追加の転送路を確立する事ができる。なお、転送路はベアラ及び／又は通信路であってもよい。
【１１６３】
より具体的には、ＵＥ１０はＰＤＮ接続手続きを行うことにより、ＡＰＮ１を用いて選択されるＰＧＷ＿ＡとＵＥ１０間の第１のＰＤＮ接続にＬＴＥアクセスネットワークを介した転送路を追加する事ができる。なお、転送路はベアラ及び／又は通信路であってもよい。
【１１６４】
又は、ＵＥ１０は、第２の初期状態に遷移した事及び、ＵＥ−ｉｎｉｔｉａｔｅｄ  ｍｏｄｅの第１のＰＤＮコネクションのルーティングルールに基づき、ＬＴＥアクセスネットワークＡにＰＤＮ接続手続きを行い、ｅＮＢ４５を介した追加の転送路を確立する事ができる。なお、転送路はベアラ及び／又は通信路であってもよい。
【１１６５】
具体的には、ＵＥ１０はＰＤＮ接続手続きを行うことにより、ＡＰＮ１を用いて選択されるＰＧＷ＿ＡとＵＥ１０間の第１のＰＤＮ接続にＬＴＥアクセスネットワークを介した転送路を追加する事ができる。なお、転送路はベアラ及び／又は通信路であってもよい。
【１１６６】
このように、ＵＥ１０及びＰＧＷ３０は、第1のＰＤＮコネクションに対して、新たにデフォルトベアラを確立する。ＵＥ１０及びＰＧＷ３０は、ＬＴＥアクセスネットワークを経由してＰＤＮ接続手続きを完了したことに基づいて、ＰＤＮ接続手続きで確立したデフォルトベアラの識別情報と、ＬＴＥアクセスネットワークを識別する情報とを対応づけて記憶する。なお、ＬＴＥアクセスネットワークを識別する情報は、３ＧＰＰアクセスを示す情報であってもよいし、Ｅ−ＵＴＲＡＮアクセスを示す情報であってもよい。
【１１６７】
なお、ＵＥ１０は、ＴＦＴを受信していない場合もしくは保有するＴＦＴにマッチしないユーザデータの送受信を行う際、デフォルトベアラを用いてデータ送受信を行う。また、ＵＥ１０は複数のデフォルトベアラを確立している場合には、デフォルトアクセスに基づいて、データ送受信を行うデフォルトベアラを選択し、選択したデフォルトベアラを用いてデータ送受信を行うことができる。
【１１６８】
ここで、デフォルトアクセスは、第９の識別情報の示すデフォルトアクセスであってよい。さらに、ＵＥ１０は、第１のＰＤＮコネクションに対して２つめのデフォルトベアラを確立した際に第９の識別情報を受信しなかった場合には、第１のＰＤＮコネクションに対して１つめのデフォルトベアラを確立した際に受信した第９の識別情報をもとにデフォルトアクセスを選択し、選択したデフォルトベアラを用いてデータ送受信してもよい。
【１１６９】
さらに、ＰＧＷ３０は、ＴＦＴを受信していない場合もしくは保有するＴＦＴにマッチしないユーザデータの送受信を行う際、デフォルトベアラを用いてデータ送受信を行う。また、ＰＧＷ３０はＵＥ１０との間に複数のデフォルトベアラを確立している場合には、デフォルトアクセスに基づいて、データ送受信を行うデフォルトベアラを選択し、選択したデフォルトベアラを用いてデータ送受信を行うことができる。ここで、デフォルトアクセスは、第９の識別情報の示すデフォルトアクセスであってよい。
【１１７０】
ここで、デフォルトアクセスは、第９の識別情報の示すデフォルトアクセスであってよい。さらに、ＰＧＷ３０は、第１のＰＤＮコネクションに対して２つめのデフォルトベアラを確立した際に第９の識別情報を送信しなかった場合には、第１のＰＤＮコネクションに対して１つめのデフォルトベアラを確立した際に送信した第９の識別情報をもとにデフォルトアクセスを選択し、選択したデフォルトベアラを用いてデータ送受信してもよい。
【１１７１】
このように、２つ目のデフォルトベアラを確立していない状態において、ＵＥ１０とＰＧＷ３０がデフォルトアクセスを取得することができれば、不要な２つ目のデフォルトベアラを確立するためのＰＤＮコネクション確立手続きを行わずにすむことができる。例えば、追加のＰＤＮコネクション手続きによりＬＴＥアクセスネットワークを介した通信路を確立した際に、ＴＦＴ等を基にしたルーティングルールによってはＬＴＥアクセスネットワークを介した通信路を選択するユーザデータが存在せず、通信路が使用されない場合がおこりうる。デフォルトアクセスがあらかじめ分かっていることにより、ＵＥ１０とＰＧＷ３０は、こうした不要な通信路の確立を行わずにすむため、不要な通信路確立のための制御メッセージの送受信や、通信路に対するリソースなどの浪費を削減することができる。
【１１７２】
このように、ＵＥ１０は、２つ目のデフォルトベアラを確立していない状態において、ＵＥ１０とＰＧＷ３０がデフォルトアクセスを取得することができれば、ＵＥ１０が新たにＬＴＥアクセスネットワークの圏内に在圏した際に、デフォルトアクセスの情報に基づいて、マルチアクセスＰＤＮコネクションのための新たなデフォルトベアラを確立するためのＰＤＮコネクションの確立手続きを行うか否かを決定することができる。
【１１７３】
例えば、デフォルトアクセスがＷＬＡＮネットワークであり、且つマルチアクセスアクセスＰＤＮコネクションがＵＥ−Ｉｎｉｔｉａｔｅｄ  ｍｏｄｅであり、且つＬＴＥを経由した通信路で通信を行うことが優先されるユーザデータがルーティングルールに無い場合には、直ちにＬＴＥを介したデフォルトベアラを確立するための追加の転送路確立手続きは行わなくてもよい。
【１１７４】
［３．第３の実施形態］
本発明における第３の実施形態を説明する。第1の実施形態でＵＥ１０がＴＷＡＧ７４を介して確立していたマルチアクセスＰＤＮコネクション等のＰＤＮコネクションは、ｅＰＤＧ６５を介して確立する。
【１１７５】
なお、本実施形態における移動通信システム及び、移動通信システムに含まれる、ＵＥ１０、ＰＧＷ３０、ＭＭＥ４０等の各装置の構成は、第1の実施形態と同様であってもよいため、説明を省略する。
【１１７６】
なお、ｅＰＤＧ６５の構成は、第1の実施形態において図３を用いて説明したＴＷＡＧ７４と同様であってもよい。なお、ｅＰＤＧ６５とＴＷＡＧ７４の異なる点は、ｅＰＤＧ６５がＷＬＡＮ  ＡＮｂ７５はコアネットワーク９０を接続するのに対し、ＴＷＡＧ７４はＷＬＡＮ  ＡＮａ７０とコアネットワーク９０を接続する点である。
【１１７７】
なお、本実施形態におけるｅＰＤＧ６５の処理は、第1の実施形態で説明したＴＷＡＧ７４の処理と同様であってもよい。なお、ＵＥ１０、ＰＧＷ３０、ＭＭＥ４０、ＰＣＲＦ６０等の各装置の各処理は、第1の実施形態における各装置の処理と同様であってもよい。
【１１７８】
ただし、ＵＥ１０およびＰＧＷ３０の各処理のうち、ＴＷＡＧ７４に対して実行している各処理は、ｅＰＤＧ６５に対して行う。
【１１７９】
さらに、第1の実施形態において説明したＰＤＮ接続要求メッセージは、ＩＫＥｖ２トンネル確立手続きにおける制御メッセージであり、且つ、ＵＥ１０がｅＰＤＧ６５に送信するＩＫＥｖ２認証要求メッセージであってもよい。
【１１８０】
したがって、本実施形態におけるＩＫＥv2認証メッセージに含める各種情報は、第1の実施形態において説明したＰＤＮ接続要求メッセージに含め各種情報と同様であってもよい。さらに、ＩＫＥv2認証メッセージの送受信に関するＵＥ１０及びｅＰＤＧ６５の各処理は、第1の実施形態において説明したＰＤＮ接続要求メッセージの送受信に関するＵＥ１０及びＴＷＡＧ７４の各処理と同様であってもよい。
【１１８１】
また、第１の実施形態において説明したＰＤＮ接続許諾メッセージは、ＩＫＥｖ２トンネル確立手続きにおける制御メッセージであり、且つ、ｅＰＤＧ６５がＵＥ１０に送信するＩＫＥｖ２認証要求メッセージに対する許可メッセージであってもよい。
【１１８２】
したがって、本実施形態における許可メッセージに含める各種情報は、第1の実施形態において説明したＰＤＮ接続許諾メッセージに含め各種情報と同様であってもよい。さらに、許可メッセージの送受信に関するＵＥ１０及びｅＰＤＧ６５の各処理は、第1の実施形態において説明したＰＤＮ接続許諾メッセージの送受信に関するＵＥ１０及びＴＷＡＧ７４の各処理と同様であってもよい。
【１１８３】
また、第１の実施形態において説明したＰＤＮ接続拒絶メッセージは、ＩＫＥｖ２トンネル確立手続きにおける制御メッセージであり、且つ、ｅＰＤＧ６５がＵＥ１０に送信するＩＫＥｖ２認証要求メッセージに対する拒絶メッセージであってもよい。
【１１８４】
したがって、本実施形態における許可メッセージに含める各種情報は、第1の実施形態において説明したＰＤＮ接続拒絶メッセージに含め各種情報と同様であってもよい。さらに、拒絶メッセージの送受信に関するＵＥ１０及びｅＰＤＧ６５の各処理は、第1の実施形態において説明したＰＤＮ接続拒絶メッセージの送受信に関するＵＥ１０及びＴＷＡＧ７４の各処理と同様であってもよい。
【１１８５】
これにより、ＵＥ１０は、ｅＰＤＧ６５を経由したマルチアクセスＰＤＮコネクションに関する通信制御を行うことができる。
【１１８６】
［４．第４の実施形態］
本発明における第４の実施形態を説明する。第２の実施形態でＵＥ１０がＴＷＡＧ７４を介して確立していたマルチアクセスＰＤＮコネクション等のＰＤＮコネクションは、ｅＰＤＧ６５を介して確立する。
【１１８７】
なお、本実施形態における移動通信システム及び、移動通信システムに含まれる、ＵＥ１０、ＰＧＷ３０、ＭＭＥ４０等の各装置の構成は、第２の実施形態と同様であってもよいため、説明を省略する。
【１１８８】
なお、ｅＰＤＧ６５の構成は、第２の実施形態において図３を用いて説明したＴＷＡＧ７４と同様であってもよい。なお、ｅＰＤＧ６５とＴＷＡＧ７４の異なる点は、ｅＰＤＧ６５がＷＬＡＮ  ＡＮｂ７５はコアネットワーク９０を接続するのに対し、ＴＷＡＧ７４はＷＬＡＮ  ＡＮａ７０とコアネットワーク９０を接続する点である。
【１１８９】
なお、本実施形態におけるｅＰＤＧ６５の処理は、第２の実施形態で説明したＴＷＡＧ７４の処理と同様であってもよい。なお、ＵＥ１０、ＰＧＷ３０、ＭＭＥ４０、ＰＣＲＦ６０等の各装置の各処理は、第２の実施形態における各装置の処理と同様であってもよい。ただし、ＵＥ１０およびＰＧＷ３０の各処理のうち、ＴＷＡＧ７４に対して実行している各処理は、ｅＰＤＧ６５に対して行う。
【１１９０】
さらに、第２の実施形態において説明したＰＤＮ接続要求メッセージは、ＩＫＥｖ２トンネル確立手続きにおける制御メッセージであり、且つ、ＵＥ１０がｅＰＤＧ６５に送信するＩＫＥｖ２認証要求メッセージであってもよい。
【１１９１】
したがって、本実施形態におけるＩＫＥv2認証メッセージに含める各種情報は、第２の実施形態において説明したＰＤＮ接続要求メッセージに含め各種情報と同様であってもよい。さらに、ＩＫＥv2認証メッセージの送受信に関するＵＥ１０及びｅＰＤＧ６５の各処理は、第２の実施形態において説明したＰＤＮ接続要求メッセージの送受信に関するＵＥ１０及びＴＷＡＧ７４の各処理と同様であってもよい。
【１１９２】
また、第２の実施形態において説明したＰＤＮ接続許諾メッセージは、ＩＫＥｖ２トンネル確立手続きにおける制御メッセージであり、且つ、ｅＰＤＧ６５がＵＥ１０に送信するＩＫＥｖ２認証要求メッセージに対する許可メッセージであってもよい。
【１１９３】
したがって、本実施形態における許可メッセージに含める各種情報は、第２の実施形態において説明したＰＤＮ接続許諾メッセージに含め各種情報と同様であってもよい。さらに、許可メッセージの送受信に関するＵＥ１０及びｅＰＤＧ６５の各処理は、第２の実施形態において説明したＰＤＮ接続許諾メッセージの送受信に関するＵＥ１０及びＴＷＡＧ７４の各処理と同様であってもよい。
【１１９４】
また、第２の実施形態において説明したＰＤＮ接続拒絶メッセージは、ＩＫＥｖ２トンネル確立手続きにおける制御メッセージであり、且つ、ｅＰＤＧ６５がＵＥ１０に送信するＩＫＥｖ２認証要求メッセージに対する拒絶メッセージであってもよい。
【１１９５】
したがって、本実施形態における許可メッセージに含める各種情報は、第２の実施形態において説明したＰＤＮ接続拒絶メッセージに含め各種情報と同様であってもよい。さらに、拒絶メッセージの送受信に関するＵＥ１０及びｅＰＤＧ６５の各処理は、第２の実施形態において説明したＰＤＮ接続拒絶メッセージの送受信に関するＵＥ１０及びＴＷＡＧ７４の各処理と同様であってもよい。
【１１９６】
これにより、ＵＥ１０は、ｅＰＤＧ６５を経由したマルチアクセスＰＤＮコネクションに関する通信制御を行うことができる。
【１１９７】
［５．変形例］
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【１１９８】
ここで、プログラムを格納する記録媒体としては、半導体媒体（例えば、ＲＯＭや、不揮発性のメモリカード等）、光記録媒体・光磁気記録媒体（例えば、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  Ｄｉｓｃ）、ＭＤ（Ｍｉｎｉ  Ｄｉｓｃ）、ＣＤ（Ｃｏｍｐａｃｔ  Ｄｉｓｃ）、ＢＤ等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【１１９９】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【１２００】
また、上述した実施形態における各装置の一部又は全部を典型的には集積回路であるＬＳＩ（Ｌａｒｇｅ  Ｓｃａｌｅ  Ｉｎｔｅｇｒａｔｉｏｎ）として実現しても良い。各装置の各機能ブロックは個別にチップ化しても良いし、一部、又は全部を集積してチップ化しても良い。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能であることは勿論である。
【１２０１】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されても良い。
【符号の説明】
【１２０２】
９  通信システム
１０  ＵＥ
３０  ＰＧＷ
３５  ＳＧＷ
４０  ＭＭＥ
４５  ｅＮＢ
５０  ＨＳＳ
５５  ＡＡＡ
６０  ＰＣＲＦ
６５  ｅＰＤＧ
７０  ＷＬＡＮ  ＡＮａ
７４  ＴＷＡＧ
７５  ＷＬＡＮ  ＡＮｂ
８０  ＬＴＥ  ＡＮ
９０  コアネットワーク
１００  ＰＤＮ
【図１】
2020205643.tif 000003
【図２】
2020205643.tif 000004
【図３】
2020205643.tif 000005
【図４】
2020205643.tif 000006
【図５】
2020205643.tif 000007
【図６】
2020205643.tif 000008
【図７】
2020205643.tif 000009
【図８】
2020205643.tif 000010
【図９】
2020205643.tif 000011
【図１０】
2020205643.tif 000012
【図１１】
2020205643.tif 000013
【図１２】
2020205643.tif 000014
【図１３】
2020205643.tif 000015
【図１４】
2020205643.tif 000016
【図１５】
2020205643.tif 000017
【図１６】
2020205643.tif 000018
【図１７】
2020205643.tif 000019
【図１８】
2020205643.tif 000020